(57)【要約】【課題】既存往復機関は出力を発生で充分な頃の発明を改良で発明部分が無茶苦茶、小学校理科の速度×質量＝重力仕事能力＝１／１０００仮説出力に近付け、公害増大大損失。【解決手段】縮径主燃焼室兼熱交換器で限り無く高圧燃焼長時間熱交換冷却燃焼により、過熱蒸気爆発力＋最低温度燃焼ガス爆発力に分割し、過熱蒸気噴射ノズルの過熱蒸気爆発力と霧吹きの原理＋燃焼ガス噴射ノズルの燃焼ガス爆発力と霧吹きの原理で、夫々１以上の水を混合噴射加速し、夫々大気圧重力仕事能力を燃焼ガスの１０００倍に近付け、夫々弾み車タービンに噴射し、同一燃料量既存往復機関の１０００倍仮説発電量に近付け、供給熱量全部を１００℃の水道水温熱に変換して利用し、−２７３℃に近付く燃焼ガス排気全部を０℃の水道水冷熱に変換して利用し、０℃近傍のＣＯ２等燃焼ガス溶解水を回収利用し、既存技術ＣＯ２等の排気を０に近付けて海水温度の上昇を全廃します。【選択図】図１
2005147126.tif 000002
【特許請求の範囲】
【請求項１】
撥水鍍金や加熱高温で摩擦低減した弾み車タービン（８）を爆発力と霧吹きの原理により水噴射駆動して各種自動車に各種水タンクと共に搭載したエネルギ保存サイクル合体機関。
【請求項２】
撥水鍍金や加熱高温で摩擦低減した弾み車タービン（８）を爆発力と霧吹きの原理により水噴射駆動して各種電車に各種水タンクと共に搭載したエネルギ保存サイクル合体機関。
【請求項３】
撥水鍍金や加熱高温で摩擦低減した弾み車タービン（８）を爆発力と霧吹きの原理により水噴射駆動して各種貨物自動車に各種水タンクと共に搭載したエネルギ保存サイクル合体機関。
【請求項４】
撥水鍍金や加熱高温で摩擦低減した弾み車タービン（８）を爆発力と霧吹きの原理により水噴射駆動して各種乗用自動車に各種水タンクと共に搭載したエネルギ保存サイクル合体機関。
【請求項５】
撥水鍍金や加熱高温で摩擦低減した弾み車タービン（８）を爆発力と霧吹きの原理により水噴射駆動して各種農業機械に各種水タンクと共に搭載したエネルギ保存サイクル合体機関。
【請求項６】
撥水鍍金や加熱高温で摩擦低減した弾み車タービン（８）を爆発力と霧吹きの原理により水噴射駆動して各種機関車に各種水タンクと共に搭載したエネルギ保存サイクル合体機関。
【請求項７】
撥水鍍金や加熱高温で摩擦低減した弾み車タービン（８）を爆発力と霧吹きの原理により水噴射駆動して各種作業車に各種水タンクと共に搭載したエネルギ保存サイクル合体機関。
【請求項８】
撥水鍍金や加熱高温で摩擦低減した弾み車タービン（８）を爆発力と霧吹きの原理により水噴射駆動して各種逆電車に各種水タンクと共に搭載したエネルギ保存サイクル合体機関。
【請求項９】
撥水鍍金や加熱高温で摩擦低減した弾み車タービン（８）を爆発力と霧吹きの原理により水噴射駆動して各種戦闘車両に各種水タンクと共に搭載したエネルギ保存サイクル合体機関。
【請求項１０】
撥水鍍金や加熱高温で摩擦低減した弾み車タービン（８）を爆発力と霧吹きの原理により水噴射駆動して各種プロペラ飛行機に各種水タンクと共に搭載したエネルギ保存サイクル合体機関。
【請求項１１】
撥水鍍金や加熱高温で摩擦低減した弾み車タービン（８）を爆発力と霧吹きの原理により水噴射駆動して各種ヘリコプターに各種水タンクと共に搭載したエネルギ保存サイクル合体機関。
【請求項１２】
撥水鍍金や加熱高温で摩擦低減した弾み車タービン（８）を爆発力と霧吹きの原理により水噴射駆動して各種戦闘ヘリコプターに各種水タンクと共に搭載したエネルギ保存サイクル合体機関。
【請求項１３】
撥水鍍金や加熱高温で摩擦低減した弾み車タービン（８）を爆発力と霧吹きの原理により水噴射駆動して各種噴射推進飛行機に各種水タンクと共に搭載したエネルギ保存サイクル合体機関。
【請求項１４】
撥水鍍金や加熱高温で摩擦低減した弾み車タービン（８）を爆発力と霧吹きの原理により水噴射駆動して各種噴射推進戦闘飛行機に各種水タンクと共に搭載したエネルギ保存サイクル合体機関。
【請求項１５】
撥水鍍金や加熱高温で摩擦低減した弾み車タービン（８）を爆発力と霧吹きの原理により水噴射駆動して各種超音速噴射推進飛行機に各種水タンクと共に搭載したエネルギ保存サイクル合体機関。
【請求項１６】
撥水鍍金や加熱高温で摩擦低減した弾み車タービン（８）を爆発力と霧吹きの原理により水噴射駆動して各種超音速噴射推進戦闘飛行機に各種水タンクと共に搭載したエネルギ保存サイクル合体機関。
【請求項１７】
撥水鍍金や加熱高温で摩擦低減した弾み車タービン（８）を爆発力と霧吹きの原理により水噴射駆動して各種空気吸引噴射推進船舶に各種水タンクと共に搭載したエネルギ保存サイクル合体機関。
【請求項１８】
撥水鍍金や加熱高温で摩擦低減した弾み車タービン（８）を爆発力と霧吹きの原理により水噴射駆動して各種空気吸引噴射推進戦闘船舶に各種水タンクと共に搭載したエネルギ保存サイクル合体機関。
【請求項１９】
撥水鍍金や加熱高温で摩擦低減した弾み車タービン（８）を爆発力と霧吹きの原理により水噴射駆動して各種プロペラ船舶に各種水タンクと共に搭載したエネルギ保存サイクル合体機関。
【請求項２０】
撥水鍍金や加熱高温で摩擦低減した弾み車タービン（８）を爆発力と霧吹きの原理により水噴射駆動して各種プロペラ推進戦闘船舶に各種水タンクと共に搭載したエネルギ保存サイクル合体機関。
【請求項２１】
撥水鍍金や加熱高温で摩擦低減した弾み車タービン（８）を爆発力と霧吹きの原理により水噴射駆動して各種水噴射推進船舶に各種水タンクと共に搭載したエネルギ保存サイクル合体機関。
【請求項２２】
撥水鍍金や加熱高温で摩擦低減した弾み車タービン（８）を爆発力と霧吹きの原理により水噴射駆動して各種水噴射推進戦闘船舶に各種水タンクと共に搭載したエネルギ保存サイクル合体機関。
【請求項２３】
撥水鍍金や加熱高温で摩擦低減した弾み車タービン（８）を爆発力と霧吹きの原理により水噴射駆動して各種水噴射推進漁業用船舶に各種水タンクと共に搭載したエネルギ保存サイクル合体機関。
【請求項２４】
撥水鍍金や加熱高温で摩擦低減した弾み車タービン（８）を爆発力と霧吹きの原理により水噴射駆動して各種水噴射推進貨物船舶に各種水タンクと共に搭載したエネルギ保存サイクル合体機関。
【請求項２５】
撥水鍍金や加熱高温で摩擦低減した弾み車タービン（８）を爆発力と霧吹きの原理により水噴射駆動して各種水噴射推進旅客船舶に各種水タンクと共に搭載したエネルギ保存サイクル合体機関。
【請求項２６】
撥水鍍金や加熱高温で摩擦低減した弾み車タービン（８）を爆発力と霧吹きの原理により水噴射駆動して各種自動車に各種水タンクと共に搭載したａ型エネルキ保存サイクル合体機関。
【請求項２７】
撥水鍍金や加熱高温で摩擦低減した弾み車タービン（８）を爆発力と霧吹きの原理により水噴射駆動して各種電車に各種水タンクと共に搭載したａ型エネルキ保存サイクル合体機関。
【請求項２８】
撥水鍍金や加熱高温で摩擦低減した弾み車タービン（８）を爆発力と霧吹きの原理により水噴射駆動して各種貨物自動車に各種水タンクと共に搭載したａ型エネルキ保存サイクル合体機関。
【請求項２９】
撥水鍍金や加熱高温で摩擦低減した弾み車タービン（８）を爆発力と霧吹きの原理により水噴射駆動して各種乗用自動車に各種水タンクと共に搭載したａ型エネルキ保存サイクル合体機関。
【請求項３０】
撥水鍍金や加熱高温で摩擦低減した弾み車タービン（８）を爆発力と霧吹きの原理により水噴射駆動して各種農業機械に各種水タンクと共に搭載したａ型エネルキ保存サイクル合体機関。
【請求項３１】
撥水鍍金や加熱高温で摩擦低減した弾み車タービン（８）を爆発力と霧吹きの原理により水噴射駆動して各種機関車に各種水タンクと共に搭載したａ型エネルキ保存サイクル合体機関。
【請求項３２】
撥水鍍金や加熱高温で摩擦低減した弾み車タービン（８）を爆発力と霧吹きの原理により水噴射駆動して各種作業車に各種水タンクと共に搭載したａ型エネルキ保存サイクル合体機関。
【請求項３３】
撥水鍍金や加熱高温で摩擦低減した弾み車タービン（８）を爆発力と霧吹きの原理により水噴射駆動して各種逆電車に各種水タンクと共に搭載したａ型エネルキ保存サイクル合体機関。
【請求項３４】
撥水鍍金や加熱高温で摩擦低減した弾み車タービン（８）を爆発力と霧吹きの原理により水噴射駆動して各種戦闘車両に各種水タンクと共に搭載したａ型エネルキ保存サイクル合体機関。
【請求項３５】
撥水鍍金や加熱高温で摩擦低減した弾み車タービン（８）を爆発力と霧吹きの原理により水噴射駆動して各種プロペラ飛行機に各種水タンクと共に搭載したａ型エネルキ保存サイクル合体機関。
【請求項３６】
撥水鍍金や加熱高温で摩擦低減した弾み車タービン（８）を爆発力と霧吹きの原理により水噴射駆動して各種ヘリコプターに各種水タンクと共に搭載したａ型エネルキ保存サイクル合体機関。
【請求項３７】
撥水鍍金や加熱高温で摩擦低減した弾み車タービン（８）を爆発力と霧吹きの原理により水噴射駆動して各種戦闘ヘリコプターに各種水タンクと共に搭載したａ型エネルキ保存サイクル合体機関。
【請求項３８】
撥水鍍金や加熱高温で摩擦低減した弾み車タービン（８）を爆発力と霧吹きの原理により水噴射駆動して各種噴射推進飛行機に各種水タンクと共に搭載したａ型エネルキ保存サイクル合体機関。
【請求項３９】
撥水鍍金や加熱高温で摩擦低減した弾み車タービン（８）を爆発力と霧吹きの原理により水噴射駆動して各種噴射推進戦闘飛行機に各種水タンクと共に搭載したａ型エネルキ保存サイクル合体機関。
【請求項４０】
撥水鍍金や加熱高温で摩擦低減した弾み車タービン（８）を爆発力と霧吹きの原理により水噴射駆動して各種超音速噴射推進飛行機に各種水タンクと共に搭載したａ型エネルキ保存サイクル合体機関。
【請求項４１】
撥水鍍金や加熱高温で摩擦低減した弾み車タービン（８）を爆発力と霧吹きの原理により水噴射駆動して各種超音速噴射推進戦闘飛行機に各種水タンクと共に搭載したａ型エネルキ保存サイクル合体機関。
【請求項４２】
撥水鍍金や加熱高温で摩擦低減した弾み車タービン（８）を爆発力と霧吹きの原理により水噴射駆動して各種空気吸引噴射推進船舶に各種水タンクと共に搭載したａ型エネルキ保存サイクル合体機関。
【請求項４３】
撥水鍍金や加熱高温で摩擦低減した弾み車タービン（８）を爆発力と霧吹きの原理により水噴射駆動して各種空気吸引噴射推進戦闘船舶に各種水タンクと共に搭載したａ型エネルキ保存サイクル合体機関。
【請求項４４】
撥水鍍金や加熱高温で摩擦低減した弾み車タービン（８）を爆発力と霧吹きの原理により水噴射駆動して各種プロペラ船舶に各種水タンクと共に搭載したａ型エネルキ保存サイクル合体機関。
【請求項４５】
撥水鍍金や加熱高温で摩擦低減した弾み車タービン（８）を爆発力と霧吹きの原理により水噴射駆動して各種プロペラ推進戦闘船舶に各種水タンクと共に搭載したａ型エネルキ保存サイクル合体機関。
【請求項４６】
撥水鍍金や加熱高温で摩擦低減した弾み車タービン（８）を爆発力と霧吹きの原理により水噴射駆動して各種水噴射推進船舶に各種水タンクと共に搭載したａ型エネルキ保存サイクル合体機関。
【請求項４７】
撥水鍍金や加熱高温で摩擦低減した弾み車タービン（８）を爆発力と霧吹きの原理により水噴射駆動して各種水噴射推進戦闘船舶に各種水タンクと共に搭載したａ型エネルキ保存サイクル合体機関。
【請求項４８】
撥水鍍金や加熱高温で摩擦低減した弾み車タービン（８）を爆発力と霧吹きの原理により水噴射駆動して各種水噴射推進漁業用船舶に各種水タンクと共に搭載したａ型エネルキ保存サイクル合体機関。
【請求項４９】
撥水鍍金や加熱高温で摩擦低減した弾み車タービン（８）を爆発力と霧吹きの原理により水噴射駆動して各種水噴射推進貨物船舶に各種水タンクと共に搭載したａ型エネルキ保存サイクル合体機関。
【請求項５０】
撥水鍍金や加熱高温で摩擦低減した弾み車タービン（８）を爆発力と霧吹きの原理により水噴射駆動して各種水噴射推進旅客船舶に各種水タンクと共に搭載したａ型エネルキ保存サイクル合体機関。
【請求項５１】
撥水鍍金や加熱高温で摩擦低減した弾み車タービン（８）を爆発力と霧吹きの原理により水噴射駆動して各種自動車に各種水タンクと共に搭載したｂ型エネルキ保存サイクル合体機関。
【請求項５２】
撥水鍍金や加熱高温で摩擦低減した弾み車タービン（８）を爆発力と霧吹きの原理により水噴射駆動して各種電車に各種水タンクと共に搭載したｂ型エネルキ保存サイクル合体機関。
【請求項５３】
撥水鍍金や加熱高温で摩擦低減した弾み車タービン（８）を爆発力と霧吹きの原理により水噴射駆動して各種貨物自動車に各種水タンクと共に搭載したｂ型エネルキ保存サイクル合体機関。
【請求項５４】
撥水鍍金や加熱高温で摩擦低減した弾み車タービン（８）を爆発力と霧吹きの原理により水噴射駆動して各種乗用自動車に各種水タンクと共に搭載したｂ型エネルキ保存サイクル合体機関。
【請求項５５】
撥水鍍金や加熱高温で摩擦低減した弾み車タービン（８）を爆発力と霧吹きの原理により水噴射駆動して各種農業機械に各種水タンクと共に搭載したｂ型エネルキ保存サイクル合体機関。
【請求項５６】
撥水鍍金や加熱高温で摩擦低減した弾み車タービン（８）を爆発力と霧吹きの原理により水噴射駆動して各種機関車に各種水タンクと共に搭載したｂ型エネルキ保存サイクル合体機関。
【請求項５７】
撥水鍍金や加熱高温で摩擦低減した弾み車タービン（８）を爆発力と霧吹きの原理により水噴射駆動して各種作業車に各種水タンクと共に搭載したｂ型エネルキ保存サイクル合体機関。
【請求項５８】
撥水鍍金や加熱高温で摩擦低減した弾み車タービン（８）を爆発力と霧吹きの原理により水噴射駆動して各種逆電車に各種水タンクと共に搭載したｂ型エネルキ保存サイクル合体機関。
【請求項５９】
撥水鍍金や加熱高温で摩擦低減した弾み車タービン（８）を爆発力と霧吹きの原理により水噴射駆動して各種戦闘車両に各種水タンクと共に搭載したｂ型エネルキ保存サイクル合体機関。
【請求項６０】
撥水鍍金や加熱高温で摩擦低減した弾み車タービン（８）を爆発力と霧吹きの原理により水噴射駆動して各種プロペラ飛行機に各種水タンクと共に搭載したｂ型エネルキ保存サイクル合体機関。
【請求項６１】
撥水鍍金や加熱高温で摩擦低減した弾み車タービン（８）を爆発力と霧吹きの原理により水噴射駆動して各種ヘリコプターに各種水タンクと共に搭載したｂ型エネルキ保存サイクル合体機関。
【請求項６２】
撥水鍍金や加熱高温で摩擦低減した弾み車タービン（８）を爆発力と霧吹きの原理により水噴射駆動して各種戦闘ヘリコプターに各種水タンクと共に搭載したｂ型エネルキ保存サイクル合体機関。
【請求項６３】
撥水鍍金や加熱高温で摩擦低減した弾み車タービン（８）を爆発力と霧吹きの原理により水噴射駆動して各種噴射推進飛行機に各種水タンクと共に搭載したｂ型エネルキ保存サイクル合体機関。
【請求項６４】
撥水鍍金や加熱高温で摩擦低減した弾み車タービン（８）を爆発力と霧吹きの原理により水噴射駆動して各種噴射推進戦闘飛行機に各種水タンクと共に搭載したｂ型エネルキ保存サイクル合体機関。
【請求項６５】
撥水鍍金や加熱高温で摩擦低減した弾み車タービン（８）を爆発力と霧吹きの原理により水噴射駆動して各種超音速噴射推進飛行機に各種水タンクと共に搭載したｂ型エネルキ保存サイクル合体機関。
【請求項６６】
撥水鍍金や加熱高温で摩擦低減した弾み車タービン（８）を爆発力と霧吹きの原理により水噴射駆動して各種超音速噴射推進戦闘飛行機に各種水タンクと共に搭載したｂ型エネルキ保存サイクル合体機関。
【請求項６７】
撥水鍍金や加熱高温で摩擦低減した弾み車タービン（８）を爆発力と霧吹きの原理により水噴射駆動して各種空気吸引噴射推進船舶に各種水タンクと共に搭載したｂ型エネルキ保存サイクル合体機関。
【請求項６８】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｂ型エネルキ保存サイクル合体機関。
【請求項６９】
撥水鍍金や加熱高温で摩擦低減した弾み車タービン（８）を爆発力と霧吹きの原理により水噴射駆動して各種プロペラ船舶に各種水タンクと共に搭載したｂ型エネルキ保存サイクル合体機関。
【請求項７０】
撥水鍍金や加熱高温で摩擦低減した弾み車タービン（８）を爆発力と霧吹きの原理により水噴射駆動して各種プロペラ推進戦闘船舶に各種水タンクと共に搭載したｂ型エネルキ保存サイクル合体機関。
【請求項７１】
撥水鍍金や加熱高温で摩擦低減した弾み車タービン（８）を爆発力と霧吹きの原理により水噴射駆動して各種水噴射推進船舶に各種水タンクと共に搭載したｂ型エネルキ保存サイクル合体機関。
【請求項７２】
撥水鍍金や加熱高温で摩擦低減した弾み車タービン（８）を爆発力と霧吹きの原理により水噴射駆動して各種水噴射推進戦闘船舶に各種水タンクと共に搭載したｂ型エネルキ保存サイクル合体機関。
【請求項７３】
撥水鍍金や加熱高温で摩擦低減した弾み車タービン（８）を爆発力と霧吹きの原理により水噴射駆動して各種水噴射推進漁業用船舶に各種水タンクと共に搭載したｂ型エネルキ保存サイクル合体機関。
【請求項７４】
撥水鍍金や加熱高温で摩擦低減した弾み車タービン（８）を爆発力と霧吹きの原理により水噴射駆動して各種水噴射推進貨物船舶に各種水タンクと共に搭載したｂ型エネルキ保存サイクル合体機関。
【請求項７５】
撥水鍍金や加熱高温で摩擦低減した弾み車タービン（８）を爆発力と霧吹きの原理により水噴射駆動して各種水噴射推進旅客船舶に各種水タンクと共に搭載したｂ型エネルキ保存サイクル合体機関。
【請求項７６】
撥水鍍金や加熱高温で摩擦低減した弾み車タービン（８）を爆発力と霧吹きの原理により水噴射駆動して各種自動車に各種水タンクと共に搭載したｃ型エネルキ保存サイクル合体機関。
【請求項７７】
撥水鍍金や加熱高温で摩擦低減した弾み車タービン（８）を爆発力と霧吹きの原理により水噴射駆動して各種電車に各種水タンクと共に搭載したｃ型エネルキ保存サイクル合体機関。
【請求項７８】
撥水鍍金や加熱高温で摩擦低減した弾み車タービン（８）を爆発力と霧吹きの原理により水噴射駆動して各種貨物自動車に各種水タンクと共に搭載したｃ型エネルキ保存サイクル合体機関。
【請求項７９】
撥水鍍金や加熱高温で摩擦低減した弾み車タービン（８）を爆発力と霧吹きの原理により水噴射駆動して各種乗用自動車に各種水タンクと共に搭載したｃ型エネルキ保存サイクル合体機関。
【請求項８０】
撥水鍍金や加熱高温で摩擦低減した弾み車タービン（８）を爆発力と霧吹きの原理により水噴射駆動して各種農業機械に各種水タンクと共に搭載したｃ型エネルキ保存サイクル合体機関。
【請求項８１】
撥水鍍金や加熱高温で摩擦低減した弾み車タービン（８）を爆発力と霧吹きの原理により水噴射駆動して各種機関車に各種水タンクと共に搭載したｃ型エネルキ保存サイクル合体機関。
【請求項８２】
撥水鍍金や加熱高温で摩擦低減した弾み車タービン（８）を爆発力と霧吹きの原理により水噴射駆動して各種作業車に各種水タンクと共に搭載したｃ型エネルキ保存サイクル合体機関。
【請求項８３】
撥水鍍金や加熱高温で摩擦低減した弾み車タービン（８）を爆発力と霧吹きの原理により水噴射駆動して各種逆電車に各種水タンクと共に搭載したｃ型エネルキ保存サイクル合体機関。
【請求項８４】
撥水鍍金や加熱高温で摩擦低減した弾み車タービン（８）を爆発力と霧吹きの原理により水噴射駆動して各種戦闘車両に各種水タンクと共に搭載したｃ型エネルキ保存サイクル合体機関。
【請求項８５】
撥水鍍金や加熱高温で摩擦低減した弾み車タービン（８）を爆発力と霧吹きの原理により水噴射駆動して各種プロペラ飛行機に各種水タンクと共に搭載したｃ型エネルキ保存サイクル合体機関。
【請求項８６】
撥水鍍金や加熱高温で摩擦低減した弾み車タービン（８）を爆発力と霧吹きの原理により水噴射駆動して各種ヘリコプターに各種水タンクと共に搭載したｃ型エネルキ保存サイクル合体機関。
【請求項８７】
撥水鍍金や加熱高温で摩擦低減した弾み車タービン（８）を爆発力と霧吹きの原理により水噴射駆動して各種戦闘ヘリコプターに各種水タンクと共に搭載したｃ型エネルキ保存サイクル合体機関。
【請求項８８】
撥水鍍金や加熱高温で摩擦低減した弾み車タービン（８）を爆発力と霧吹きの原理により水噴射駆動して各種噴射推進飛行機に各種水タンクと共に搭載したｃ型エネルキ保存サイクル合体機関。
【請求項８９】
撥水鍍金や加熱高温で摩擦低減した弾み車タービン（８）を爆発力と霧吹きの原理により水噴射駆動して各種噴射推進戦闘飛行機に各種水タンクと共に搭載したｃ型エネルキ保存サイクル合体機関。
【請求項９０】
撥水鍍金や加熱高温で摩擦低減した弾み車タービン（８）を爆発力と霧吹きの原理により水噴射駆動して各種超音速噴射推進飛行機に各種水タンクと共に搭載したｃ型エネルキ保存サイクル合体機関。
【請求項９１】
撥水鍍金や加熱高温で摩擦低減した弾み車タービン（８）を爆発力と霧吹きの原理により水噴射駆動して各種超音速噴射推進戦闘飛行機に各種水タンクと共に搭載したｃ型エネルキ保存サイクル合体機関。
【請求項９２】
撥水鍍金や加熱高温で摩擦低減した弾み車タービン（８）を爆発力と霧吹きの原理により水噴射駆動して各種空気吸引噴射推進船舶に各種水タンクと共に搭載したｃ型エネルキ保存サイクル合体機関。
【請求項９３】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｃ型エネルキ保存サイクル合体機関。
【請求項９４】
撥水鍍金や加熱高温で摩擦低減した弾み車タービン（８）を爆発力と霧吹きの原理により水噴射駆動して各種プロペラ船舶に各種水タンクと共に搭載したｃ型エネルキ保存サイクル合体機関。
【請求項９５】
撥水鍍金や加熱高温で摩擦低減した弾み車タービン（８）を爆発力と霧吹きの原理により水噴射駆動して各種プロペラ推進戦闘船舶に各種水タンクと共に搭載したｃ型エネルキ保存サイクル合体機関。
【請求項９６】
撥水鍍金や加熱高温で摩擦低減した弾み車タービン（８）を爆発力と霧吹きの原理により水噴射駆動して各種水噴射推進船舶に各種水タンクと共に搭載したｃ型エネルキ保存サイクル合体機関。
【請求項９７】
撥水鍍金や加熱高温で摩擦低減した弾み車タービン（８）を爆発力と霧吹きの原理により水噴射駆動して各種水噴射推進戦闘船舶に各種水タンクと共に搭載したｃ型エネルキ保存サイクル合体機関。
【請求項９８】
撥水鍍金や加熱高温で摩擦低減した弾み車タービン（８）を爆発力と霧吹きの原理により水噴射駆動して各種水噴射推進漁業用船舶に各種水タンクと共に搭載したｃ型エネルキ保存サイクル合体機関。
【請求項９９】
撥水鍍金や加熱高温で摩擦低減した弾み車タービン（８）を爆発力と霧吹きの原理により水噴射駆動して各種水噴射推進貨物船舶に各種水タンクと共に搭載したｃ型エネルキ保存サイクル合体機関。
【請求項１００】
撥水鍍金や加熱高温で摩擦低減した弾み車タービン（８）を爆発力と霧吹きの原理により水噴射駆動して各種水噴射推進旅客船舶に各種水タンクと共に搭載したｃ型エネルキ保存サイクル合体機関。
【請求項１０１】
撥水鍍金や加熱高温で摩擦低減した弾み車タービン（８）を爆発力と霧吹きの原理により水噴射駆動して各種自動車に各種水タンクと共に搭載したｄ型エネルキ保存サイクル合体機関。
【請求項１０２】
撥水鍍金や加熱高温で摩擦低減した弾み車タービン（８）を爆発力と霧吹きの原理により水噴射駆動して各種電車に各種水タンクと共に搭載したｄ型エネルキ保存サイクル合体機関。
【請求項１０３】
撥水鍍金や加熱高温で摩擦低減した弾み車タービン（８）を爆発力と霧吹きの原理により水噴射駆動して各種貨物自動車に各種水タンクと共に搭載したｄ型エネルキ保存サイクル合体機関。
【請求項１０４】
撥水鍍金や加熱高温で摩擦低減した弾み車タービン（８）を爆発力と霧吹きの原理により水噴射駆動して各種乗用自動車に各種水タンクと共に搭載したｄ型エネルキ保存サイクル合体機関。
【請求項１０５】
撥水鍍金や加熱高温で摩擦低減した弾み車タービン（８）を爆発力と霧吹きの原理により水噴射駆動して各種農業機械に各種水タンクと共に搭載したｄ型エネルキ保存サイクル合体機関。
【請求項１０６】
撥水鍍金や加熱高温で摩擦低減した弾み車タービン（８）を爆発力と霧吹きの原理により水噴射駆動して各種機関車に各種水タンクと共に搭載したｄ型エネルキ保存サイクル合体機関。
【請求項１０７】
撥水鍍金や加熱高温で摩擦低減した弾み車タービン（８）を爆発力と霧吹きの原理により水噴射駆動して各種作業車に各種水タンクと共に搭載したｄ型エネルキ保存サイクル合体機関。
【請求項１０８】
撥水鍍金や加熱高温で摩擦低減した弾み車タービン（８）を爆発力と霧吹きの原理により水噴射駆動して各種逆電車に各種水タンクと共に搭載したｄ型エネルキ保存サイクル合体機関。
【請求項１０９】
撥水鍍金や加熱高温で摩擦低減した弾み車タービン（８）を爆発力と霧吹きの原理により水噴射駆動して各種戦闘車両に各種水タンクと共に搭載したｄ型エネルキ保存サイクル合体機関。
【請求項１１０】
撥水鍍金や加熱高温で摩擦低減した弾み車タービン（８）を爆発力と霧吹きの原理により水噴射駆動して各種プロペラ飛行機に各種水タンクと共に搭載したｄ型エネルキ保存サイクル合体機関。
【請求項１１１】
撥水鍍金や加熱高温で摩擦低減した弾み車タービン（８）を爆発力と霧吹きの原理により水噴射駆動して各種ヘリコプターに各種水タンクと共に搭載したｄ型エネルキ保存サイクル合体機関。
【請求項１１２】
撥水鍍金や加熱高温で摩擦低減した弾み車タービン（８）を爆発力と霧吹きの原理により水噴射駆動して各種戦闘ヘリコプターに各種水タンクと共に搭載したｄ型エネルキ保存サイクル合体機関。
【請求項１１３】
撥水鍍金や加熱高温で摩擦低減した弾み車タービン（８）を爆発力と霧吹きの原理により水噴射駆動して各種噴射推進飛行機に各種水タンクと共に搭載したｄ型エネルキ保存サイクル合体機関。
【請求項１１４】
撥水鍍金や加熱高温で摩擦低減した弾み車タービン（８）を爆発力と霧吹きの原理により水噴射駆動して各種噴射推進戦闘飛行機に各種水タンクと共に搭載したｄ型エネルキ保存サイクル合体機関。
【請求項１１５】
撥水鍍金や加熱高温で摩擦低減した弾み車タービン（８）を爆発力と霧吹きの原理により水噴射駆動して各種超音速噴射推進飛行機に各種水タンクと共に搭載したｄ型エネルキ保存サイクル合体機関。
【請求項１１６】
撥水鍍金や加熱高温で摩擦低減した弾み車タービン（８）を爆発力と霧吹きの原理により水噴射駆動して各種超音速噴射推進戦闘飛行機に各種水タンクと共に搭載したｄ型エネルキ保存サイクル合体機関。
【請求項１１７】
撥水鍍金や加熱高温で摩擦低減した弾み車タービン（８）を爆発力と霧吹きの原理により水噴射駆動して各種空気吸引噴射推進船舶に各種水タンクと共に搭載したｄ型エネルキ保存サイクル合体機関。
【請求項１１８】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｄ型エネルキ保存サイクル合体機関。
【請求項１１９】
撥水鍍金や加熱高温で摩擦低減した弾み車タービン（８）を爆発力と霧吹きの原理により水噴射駆動して各種プロペラ船舶に各種水タンクと共に搭載したｄ型エネルキ保存サイクル合体機関。
【請求項１２０】
撥水鍍金や加熱高温で摩擦低減した弾み車タービン（８）を爆発力と霧吹きの原理により水噴射駆動して各種プロペラ推進戦闘船舶に各種水タンクと共に搭載したｄ型エネルキ保存サイクル合体機関。
【請求項１２１】
撥水鍍金や加熱高温で摩擦低減した弾み車タービン（８）を爆発力と霧吹きの原理により水噴射駆動して各種水噴射推進船舶に各種水タンクと共に搭載したｄ型エネルキ保存サイクル合体機関。
【請求項１２２】
撥水鍍金や加熱高温で摩擦低減した弾み車タービン（８）を爆発力と霧吹きの原理により水噴射駆動して各種水噴射推進戦闘船舶に各種水タンクと共に搭載したｄ型エネルキ保存サイクル合体機関。
【請求項１２３】
撥水鍍金や加熱高温で摩擦低減した弾み車タービン（８）を爆発力と霧吹きの原理により水噴射駆動して各種水噴射推進漁業用船舶に各種水タンクと共に搭載したｄ型エネルキ保存サイクル合体機関。
【請求項１２４】
撥水鍍金や加熱高温で摩擦低減した弾み車タービン（８）を爆発力と霧吹きの原理により水噴射駆動して各種水噴射推進貨物船舶に各種水タンクと共に搭載したｄ型エネルキ保存サイクル合体機関。
【請求項１２５】
撥水鍍金や加熱高温で摩擦低減した弾み車タービン（８）を爆発力と霧吹きの原理により水噴射駆動して各種水噴射推進旅客船舶に各種水タンクと共に搭載したｄ型エネルキ保存サイクル合体機関。
【請求項１２６】
撥水鍍金や加熱高温で摩擦低減した弾み車タービン（８）を爆発力と霧吹きの原理により水噴射駆動して各種自動車に各種水タンクと共に搭載したｅ型エネルキ保存サイクル合体機関。
【請求項１２７】
撥水鍍金や加熱高温で摩擦低減した弾み車タービン（８）を爆発力と霧吹きの原理により水噴射駆動して各種電車に各種水タンクと共に搭載したｅ型エネルキ保存サイクル合体機関。
【請求項１２８】
撥水鍍金や加熱高温で摩擦低減した弾み車タービン（８）を爆発力と霧吹きの原理により水噴射駆動して各種貨物自動車に各種水タンクと共に搭載したｅ型エネルキ保存サイクル合体機関。
【請求項１２９】
撥水鍍金や加熱高温で摩擦低減した弾み車タービン（８）を爆発力と霧吹きの原理により水噴射駆動して各種乗用自動車に各種水タンクと共に搭載したｅ型エネルキ保存サイクル合体機関。
【請求項１３０】
撥水鍍金や加熱高温で摩擦低減した弾み車タービン（８）を爆発力と霧吹きの原理により水噴射駆動して各種農業機械に各種水タンクと共に搭載したｅ型エネルキ保存サイクル合体機関。
【請求項１３１】
撥水鍍金や加熱高温で摩擦低減した弾み車タービン（８）を爆発力と霧吹きの原理により水噴射駆動して各種機関車に各種水タンクと共に搭載したｅ型エネルキ保存サイクル合体機関。
【請求項１３２】
撥水鍍金や加熱高温で摩擦低減した弾み車タービン（８）を爆発力と霧吹きの原理により水噴射駆動して各種作業車に各種水タンクと共に搭載したｅ型エネルキ保存サイクル合体機関。
【請求項１３３】
撥水鍍金や加熱高温で摩擦低減した弾み車タービン（８）を爆発力と霧吹きの原理により水噴射駆動して各種逆電車に各種水タンクと共に搭載したｅ型エネルキ保存サイクル合体機関。
【請求項１３４】
撥水鍍金や加熱高温で摩擦低減した弾み車タービン（８）を爆発力と霧吹きの原理により水噴射駆動して各種戦闘車両に各種水タンクと共に搭載したｅ型エネルキ保存サイクル合体機関。
【請求項１３５】
撥水鍍金や加熱高温で摩擦低減した弾み車タービン（８）を爆発力と霧吹きの原理により水噴射駆動して各種プロペラ飛行機に各種水タンクと共に搭載したｅ型エネルキ保存サイクル合体機関。
【請求項１３６】
撥水鍍金や加熱高温で摩擦低減した弾み車タービン（８）を爆発力と霧吹きの原理により水噴射駆動して各種ヘリコプターに各種水タンクと共に搭載したｅ型エネルキ保存サイクル合体機関。
【請求項１３７】
撥水鍍金や加熱高温で摩擦低減した弾み車タービン（８）を爆発力と霧吹きの原理により水噴射駆動して各種戦闘ヘリコプターに各種水タンクと共に搭載したｅ型エネルキ保存サイクル合体機関。
【請求項１３８】
撥水鍍金や加熱高温で摩擦低減した弾み車タービン（８）を爆発力と霧吹きの原理により水噴射駆動して各種噴射推進飛行機に各種水タンクと共に搭載したｅ型エネルキ保存サイクル合体機関。
【請求項１３９】
撥水鍍金や加熱高温で摩擦低減した弾み車タービン（８）を爆発力と霧吹きの原理により水噴射駆動して各種噴射推進戦闘飛行機に各種水タンクと共に搭載したｅ型エネルキ保存サイクル合体機関。
【請求項１４０】
撥水鍍金や加熱高温で摩擦低減した弾み車タービン（８）を爆発力と霧吹きの原理により水噴射駆動して各種超音速噴射推進飛行機に各種水タンクと共に搭載したｅ型エネルキ保存サイクル合体機関。
【請求項１４１】
撥水鍍金や加熱高温で摩擦低減した弾み車タービン（８）を爆発力と霧吹きの原理により水噴射駆動して各種超音速噴射推進戦闘飛行機に各種水タンクと共に搭載したｅ型エネルキ保存サイクル合体機関。
【請求項１４２】
撥水鍍金や加熱高温で摩擦低減した弾み車タービン（８）を爆発力と霧吹きの原理により水噴射駆動して各種空気吸引噴射推進船舶に各種水タンクと共に搭載したｅ型エネルキ保存サイクル合体機関。
【請求項１４３】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｅ型エネルキ保存サイクル合体機関。
【請求項１４４】
撥水鍍金や加熱高温で摩擦低減した弾み車タービン（８）を爆発力と霧吹きの原理により水噴射駆動して各種プロペラ船舶に各種水タンクと共に搭載したｅ型エネルキ保存サイクル合体機関。
【請求項１４５】
撥水鍍金や加熱高温で摩擦低減した弾み車タービン（８）を爆発力と霧吹きの原理により水噴射駆動して各種プロペラ推進戦闘船舶に各種水タンクと共に搭載したｅ型エネルキ保存サイクル合体機関。
【請求項１４６】
撥水鍍金や加熱高温で摩擦低減した弾み車タービン（８）を爆発力と霧吹きの原理により水噴射駆動して各種水噴射推進船舶に各種水タンクと共に搭載したｅ型エネルキ保存サイクル合体機関。
【請求項１４７】
撥水鍍金や加熱高温で摩擦低減した弾み車タービン（８）を爆発力と霧吹きの原理により水噴射駆動して各種水噴射推進戦闘船舶に各種水タンクと共に搭載したｅ型エネルキ保存サイクル合体機関。
【請求項１４８】
撥水鍍金や加熱高温で摩擦低減した弾み車タービン（８）を爆発力と霧吹きの原理により水噴射駆動して各種水噴射推進漁業用船舶に各種水タンクと共に搭載したｅ型エネルキ保存サイクル合体機関。
【請求項１４９】
撥水鍍金や加熱高温で摩擦低減した弾み車タービン（８）を爆発力と霧吹きの原理により水噴射駆動して各種水噴射推進貨物船舶に各種水タンクと共に搭載したｅ型エネルキ保存サイクル合体機関。
【請求項１５０】
撥水鍍金や加熱高温で摩擦低減した弾み車タービン（８）を爆発力と霧吹きの原理により水噴射駆動して各種水噴射推進旅客船舶に各種水タンクと共に搭載したｅ型エネルキ保存サイクル合体機関。
【請求項１５１】
撥水鍍金や加熱高温で摩擦低減した弾み車タービン（８）を爆発力と霧吹きの原理により水噴射駆動して各種自動車に各種水タンクと共に搭載したｆ型エネルキ保存サイクル合体機関。
【請求項１５２】
撥水鍍金や加熱高温で摩擦低減した弾み車タービン（８）を爆発力と霧吹きの原理により水噴射駆動して各種電車に各種水タンクと共に搭載したｆ型エネルキ保存サイクル合体機関。
【請求項１５３】
撥水鍍金や加熱高温で摩擦低減した弾み車タービン（８）を爆発力と霧吹きの原理により水噴射駆動して各種貨物自動車に各種水タンクと共に搭載したｆ型エネルキ保存サイクル合体機関。
【請求項１５４】
撥水鍍金や加熱高温で摩擦低減した弾み車タービン（８）を爆発力と霧吹きの原理により水噴射駆動して各種乗用自動車に各種水タンクと共に搭載したｆ型エネルキ保存サイクル合体機関。
【請求項１５５】
撥水鍍金や加熱高温で摩擦低減した弾み車タービン（８）を爆発力と霧吹きの原理により水噴射駆動して各種農業機械に各種水タンクと共に搭載したｆ型エネルキ保存サイクル合体機関。
【請求項１５６】
撥水鍍金や加熱高温で摩擦低減した弾み車タービン（８）を爆発力と霧吹きの原理により水噴射駆動して各種機関車に各種水タンクと共に搭載したｆ型エネルキ保存サイクル合体機関。
【請求項１５７】
撥水鍍金や加熱高温で摩擦低減した弾み車タービン（８）を爆発力と霧吹きの原理により水噴射駆動して各種作業車に各種水タンクと共に搭載したｆ型エネルキ保存サイクル合体機関。
【請求項１５８】
撥水鍍金や加熱高温で摩擦低減した弾み車タービン（８）を爆発力と霧吹きの原理により水噴射駆動して各種逆電車に各種水タンクと共に搭載したｆ型エネルキ保存サイクル合体機関。
【請求項１５９】
撥水鍍金や加熱高温で摩擦低減した弾み車タービン（８）を爆発力と霧吹きの原理により水噴射駆動して各種戦闘車両に各種水タンクと共に搭載したｆ型エネルキ保存サイクル合体機関。
【請求項１６０】
撥水鍍金や加熱高温で摩擦低減した弾み車タービン（８）を爆発力と霧吹きの原理により水噴射駆動して各種プロペラ飛行機に各種水タンクと共に搭載したｆ型エネルキ保存サイクル合体機関。
【請求項１６１】
撥水鍍金や加熱高温で摩擦低減した弾み車タービン（８）を爆発力と霧吹きの原理により水噴射駆動して各種ヘリコプターに各種水タンクと共に搭載したｆ型エネルキ保存サイクル合体機関。
【請求項１６２】
撥水鍍金や加熱高温で摩擦低減した弾み車タービン（８）を爆発力と霧吹きの原理により水噴射駆動して各種戦闘ヘリコプターに各種水タンクと共に搭載したｆ型エネルキ保存サイクル合体機関。
【請求項１６３】
撥水鍍金や加熱高温で摩擦低減した弾み車タービン（８）を爆発力と霧吹きの原理により水噴射駆動して各種噴射推進飛行機に各種水タンクと共に搭載したｆ型エネルキ保存サイクル合体機関。
【請求項１６４】
撥水鍍金や加熱高温で摩擦低減した弾み車タービン（８）を爆発力と霧吹きの原理により水噴射駆動して各種噴射推進戦闘飛行機に各種水タンクと共に搭載したｆ型エネルキ保存サイクル合体機関。
【請求項１６５】
撥水鍍金や加熱高温で摩擦低減した弾み車タービン（８）を爆発力と霧吹きの原理により水噴射駆動して各種超音速噴射推進飛行機に各種水タンクと共に搭載したｆ型エネルキ保存サイクル合体機関。
【請求項１６６】
撥水鍍金や加熱高温で摩擦低減した弾み車タービン（８）を爆発力と霧吹きの原理により水噴射駆動して各種超音速噴射推進戦闘飛行機に各種水タンクと共に搭載したｆ型エネルキ保存サイクル合体機関。
【請求項１６７】
撥水鍍金や加熱高温で摩擦低減した弾み車タービン（８）を爆発力と霧吹きの原理により水噴射駆動して各種空気吸引噴射推進船舶に各種水タンクと共に搭載したｆ型エネルキ保存サイクル合体機関。
【請求項１６８】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｆ型エネルキ保存サイクル合体機関。
【請求項１６９】
撥水鍍金や加熱高温で摩擦低減した弾み車タービン（８）を爆発力と霧吹きの原理により水噴射駆動して各種プロペラ船舶に各種水タンクと共に搭載したｆ型エネルキ保存サイクル合体機関。
【請求項１７０】
撥水鍍金や加熱高温で摩擦低減した弾み車タービン（８）を爆発力と霧吹きの原理により水噴射駆動して各種プロペラ推進戦闘船舶に各種水タンクと共に搭載したｆ型エネルキ保存サイクル合体機関。
【請求項１７１】
撥水鍍金や加熱高温で摩擦低減した弾み車タービン（８）を爆発力と霧吹きの原理により水噴射駆動して各種水噴射推進船舶に各種水タンクと共に搭載したｆ型エネルキ保存サイクル合体機関。
【請求項１７２】
撥水鍍金や加熱高温で摩擦低減した弾み車タービン（８）を爆発力と霧吹きの原理により水噴射駆動して各種水噴射推進戦闘船舶に各種水タンクと共に搭載したｆ型エネルキ保存サイクル合体機関。
【請求項１７３】
撥水鍍金や加熱高温で摩擦低減した弾み車タービン（８）を爆発力と霧吹きの原理により水噴射駆動して各種水噴射推進漁業用船舶に各種水タンクと共に搭載したｆ型エネルキ保存サイクル合体機関。
【請求項１７４】
撥水鍍金や加熱高温で摩擦低減した弾み車タービン（８）を爆発力と霧吹きの原理により水噴射駆動して各種水噴射推進貨物船舶に各種水タンクと共に搭載したｆ型エネルキ保存サイクル合体機関。
【請求項１７５】
撥水鍍金や加熱高温で摩擦低減した弾み車タービン（８）を爆発力と霧吹きの原理により水噴射駆動して各種水噴射推進旅客船舶に各種水タンクと共に搭載したｆ型エネルキ保存サイクル合体機関。
【請求項１７６】
撥水鍍金や加熱高温で摩擦低減した弾み車タービン（８）を爆発力と霧吹きの原理により水噴射駆動して各種自動車に各種水タンクと共に搭載したｇ型エネルキ保存サイクル合体機関。
【請求項１７７】
撥水鍍金や加熱高温で摩擦低減した弾み車タービン（８）を爆発力と霧吹きの原理により水噴射駆動して各種電車に各種水タンクと共に搭載したｇ型エネルキ保存サイクル合体機関。
【請求項１７８】
撥水鍍金や加熱高温で摩擦低減した弾み車タービン（８）を爆発力と霧吹きの原理により水噴射駆動して各種貨物自動車に各種水タンクと共に搭載したｇ型エネルキ保存サイクル合体機関。
【請求項１７９】
撥水鍍金や加熱高温で摩擦低減した弾み車タービン（８）を爆発力と霧吹きの原理により水噴射駆動して各種乗用自動車に各種水タンクと共に搭載したｇ型エネルキ保存サイクル合体機関。
【請求項１８０】
撥水鍍金や加熱高温で摩擦低減した弾み車タービン（８）を爆発力と霧吹きの原理により水噴射駆動して各種農業機械に各種水タンクと共に搭載したｇ型エネルキ保存サイクル合体機関。
【請求項１８１】
撥水鍍金や加熱高温で摩擦低減した弾み車タービン（８）を爆発力と霧吹きの原理により水噴射駆動して各種機関車に各種水タンクと共に搭載したｇ型エネルキ保存サイクル合体機関。
【請求項１８２】
撥水鍍金や加熱高温で摩擦低減した弾み車タービン（８）を爆発力と霧吹きの原理により水噴射駆動して各種作業車に各種水タンクと共に搭載したｇ型エネルキ保存サイクル合体機関。
【請求項１８３】
撥水鍍金や加熱高温で摩擦低減した弾み車タービン（８）を爆発力と霧吹きの原理により水噴射駆動して各種逆電車に各種水タンクと共に搭載したｇ型エネルキ保存サイクル合体機関。
【請求項１８４】
撥水鍍金や加熱高温で摩擦低減した弾み車タービン（８）を爆発力と霧吹きの原理により水噴射駆動して各種戦闘車両に各種水タンクと共に搭載したｇ型エネルキ保存サイクル合体機関。
【請求項１８５】
撥水鍍金や加熱高温で摩擦低減した弾み車タービン（８）を爆発力と霧吹きの原理により水噴射駆動して各種プロペラ飛行機に各種水タンクと共に搭載したｇ型エネルキ保存サイクル合体機関。
【請求項１８６】
撥水鍍金や加熱高温で摩擦低減した弾み車タービン（８）を爆発力と霧吹きの原理により水噴射駆動して各種ヘリコプターに各種水タンクと共に搭載したｇ型エネルキ保存サイクル合体機関。
【請求項１８７】
撥水鍍金や加熱高温で摩擦低減した弾み車タービン（８）を爆発力と霧吹きの原理により水噴射駆動して各種戦闘ヘリコプターに各種水タンクと共に搭載したｇ型エネルキ保存サイクル合体機関。
【請求項１８８】
撥水鍍金や加熱高温で摩擦低減した弾み車タービン（８）を爆発力と霧吹きの原理により水噴射駆動して各種噴射推進飛行機に各種水タンクと共に搭載したｇ型エネルキ保存サイクル合体機関。
【請求項１８９】
撥水鍍金や加熱高温で摩擦低減した弾み車タービン（８）を爆発力と霧吹きの原理により水噴射駆動して各種噴射推進戦闘飛行機に各種水タンクと共に搭載したｇ型エネルキ保存サイクル合体機関。
【請求項１９０】
撥水鍍金や加熱高温で摩擦低減した弾み車タービン（８）を爆発力と霧吹きの原理により水噴射駆動して各種超音速噴射推進飛行機に各種水タンクと共に搭載したｇ型エネルキ保存サイクル合体機関。
【請求項１９１】
撥水鍍金や加熱高温で摩擦低減した弾み車タービン（８）を爆発力と霧吹きの原理により水噴射駆動して各種超音速噴射推進戦闘飛行機に各種水タンクと共に搭載したｇ型エネルキ保存サイクル合体機関。
【請求項１９２】
撥水鍍金や加熱高温で摩擦低減した弾み車タービン（８）を爆発力と霧吹きの原理により水噴射駆動して各種空気吸引噴射推進船舶に各種水タンクと共に搭載したｇ型エネルキ保存サイクル合体機関。
【請求項１９３】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｇ型エネルキ保存サイクル合体機関。
【請求項１９４】
撥水鍍金や加熱高温で摩擦低減した弾み車タービン（８）を爆発力と霧吹きの原理により水噴射駆動して各種プロペラ船舶に各種水タンクと共に搭載したｇ型エネルキ保存サイクル合体機関。
【請求項１９５】
撥水鍍金や加熱高温で摩擦低減した弾み車タービン（８）を爆発力と霧吹きの原理により水噴射駆動して各種プロペラ推進戦闘船舶に各種水タンクと共に搭載したｇ型エネルキ保存サイクル合体機関。
【請求項１９６】
撥水鍍金や加熱高温で摩擦低減した弾み車タービン（８）を爆発力と霧吹きの原理により水噴射駆動して各種水噴射推進船舶に各種水タンクと共に搭載したｇ型エネルキ保存サイクル合体機関。
【請求項１９７】
撥水鍍金や加熱高温で摩擦低減した弾み車タービン（８）を爆発力と霧吹きの原理により水噴射駆動して各種水噴射推進戦闘船舶に各種水タンクと共に搭載したｇ型エネルキ保存サイクル合体機関。
【請求項１９８】
撥水鍍金や加熱高温で摩擦低減した弾み車タービン（８）を爆発力と霧吹きの原理により水噴射駆動して各種水噴射推進漁業用船舶に各種水タンクと共に搭載したｇ型エネルキ保存サイクル合体機関。
【請求項１９９】
撥水鍍金や加熱高温で摩擦低減した弾み車タービン（８）を爆発力と霧吹きの原理により水噴射駆動して各種水噴射推進貨物船舶に各種水タンクと共に搭載したｇ型エネルキ保存サイクル合体機関。
【請求項２００】
撥水鍍金や加熱高温で摩擦低減した弾み車タービン（８）を爆発力と霧吹きの原理により水噴射駆動して各種水噴射推進旅客船舶に各種水タンクと共に搭載したｇ型エネルキ保存サイクル合体機関。
【請求項２０１】
撥水鍍金や加熱高温で摩擦低減した弾み車タービン（８）を爆発力と霧吹きの原理により水噴射駆動して各種自動車に各種水タンクと共に搭載したｈ型エネルキ保存サイクル合体機関。
【請求項２０２】
撥水鍍金や加熱高温で摩擦低減した弾み車タービン（８）を爆発力と霧吹きの原理により水噴射駆動して各種電車に各種水タンクと共に搭載したｈ型エネルキ保存サイクル合体機関。
【請求項２０３】
撥水鍍金や加熱高温で摩擦低減した弾み車タービン（８）を爆発力と霧吹きの原理により水噴射駆動して各種貨物自動車に各種水タンクと共に搭載したｈ型エネルキ保存サイクル合体機関。
【請求項２０４】
撥水鍍金や加熱高温で摩擦低減した弾み車タービン（８）を爆発力と霧吹きの原理により水噴射駆動して各種乗用自動車に各種水タンクと共に搭載したｈ型エネルキ保存サイクル合体機関。
【請求項２０５】
撥水鍍金や加熱高温で摩擦低減した弾み車タービン（８）を爆発力と霧吹きの原理により水噴射駆動して各種農業機械に各種水タンクと共に搭載したｈ型エネルキ保存サイクル合体機関。
【請求項２０６】
撥水鍍金や加熱高温で摩擦低減した弾み車タービン（８）を爆発力と霧吹きの原理により水噴射駆動して各種機関車に各種水タンクと共に搭載したｈ型エネルキ保存サイクル合体機関。
【請求項２０７】
撥水鍍金や加熱高温で摩擦低減した弾み車タービン（８）を爆発力と霧吹きの原理により水噴射駆動して各種作業車に各種水タンクと共に搭載したｈ型エネルキ保存サイクル合体機関。
【請求項２０８】
撥水鍍金や加熱高温で摩擦低減した弾み車タービン（８）を爆発力と霧吹きの原理により水噴射駆動して各種逆電車に各種水タンクと共に搭載したｈ型エネルキ保存サイクル合体機関。
【請求項２０９】
撥水鍍金や加熱高温で摩擦低減した弾み車タービン（８）を爆発力と霧吹きの原理により水噴射駆動して各種戦闘車両に各種水タンクと共に搭載したｈ型エネルキ保存サイクル合体機関。
【請求項２１０】
撥水鍍金や加熱高温で摩擦低減した弾み車タービン（８）を爆発力と霧吹きの原理により水噴射駆動して各種プロペラ飛行機に各種水タンクと共に搭載したｈ型エネルキ保存サイクル合体機関。
【請求項２１１】
撥水鍍金や加熱高温で摩擦低減した弾み車タービン（８）を爆発力と霧吹きの原理により水噴射駆動して各種ヘリコプターに各種水タンクと共に搭載したｈ型エネルキ保存サイクル合体機関。
【請求項２１２】
撥水鍍金や加熱高温で摩擦低減した弾み車タービン（８）を爆発力と霧吹きの原理により水噴射駆動して各種戦闘ヘリコプターに各種水タンクと共に搭載したｈ型エネルキ保存サイクル合体機関。
【請求項２１３】
撥水鍍金や加熱高温で摩擦低減した弾み車タービン（８）を爆発力と霧吹きの原理により水噴射駆動して各種噴射推進飛行機に各種水タンクと共に搭載したｈ型エネルキ保存サイクル合体機関。
【請求項２１４】
撥水鍍金や加熱高温で摩擦低減した弾み車タービン（８）を爆発力と霧吹きの原理により水噴射駆動して各種噴射推進戦闘飛行機に各種水タンクと共に搭載したｈ型エネルキ保存サイクル合体機関。
【請求項２１５】
撥水鍍金や加熱高温で摩擦低減した弾み車タービン（８）を爆発力と霧吹きの原理により水噴射駆動して各種超音速噴射推進飛行機に各種水タンクと共に搭載したｈ型エネルキ保存サイクル合体機関。
【請求項２１６】
撥水鍍金や加熱高温で摩擦低減した弾み車タービン（８）を爆発力と霧吹きの原理により水噴射駆動して各種超音速噴射推進戦闘飛行機に各種水タンクと共に搭載したｈ型エネルキ保存サイクル合体機関。
【請求項２１７】
撥水鍍金や加熱高温で摩擦低減した弾み車タービン（８）を爆発力と霧吹きの原理により水噴射駆動して各種空気吸引噴射推進船舶に各種水タンクと共に搭載したｈ型エネルキ保存サイクル合体機関。
【請求項２１８】
撥水鍍金や加熱高温で摩擦低減した弾み車タービン（８）を爆発力と霧吹きの原理により水噴射駆動して各種空気吸引噴射推進戦闘船舶に各種水タンクと共に搭載したｈ型エネルキ保存サイクル合体機関。
【請求項２１９】
撥水鍍金や加熱高温で摩擦低減した弾み車タービン（８）を爆発力と霧吹きの原理により水噴射駆動して各種プロペラ船舶に各種水タンクと共に搭載したｈ型エネルキ保存サイクル合体機関。
【請求項２２０】
撥水鍍金や加熱高温で摩擦低減した弾み車タービン（８）を爆発力と霧吹きの原理により水噴射駆動して各種プロペラ推進戦闘船舶に各種水タンクと共に搭載したｈ型エネルキ保存サイクル合体機関。
【請求項２２１】
撥水鍍金や加熱高温で摩擦低減した弾み車タービン（８）を爆発力と霧吹きの原理により水噴射駆動して各種水噴射推進船舶に各種水タンクと共に搭載したｈ型エネルキ保存サイクル合体機関。
【請求項２２２】
撥水鍍金や加熱高温で摩擦低減した弾み車タービン（８）を爆発力と霧吹きの原理により水噴射駆動して各種水噴射推進戦闘船舶に各種水タンクと共に搭載したｈ型エネルキ保存サイクル合体機関。
【請求項２２３】
撥水鍍金や加熱高温で摩擦低減した弾み車タービン（８）を爆発力と霧吹きの原理により水噴射駆動して各種水噴射推進漁業用船舶に各種水タンクと共に搭載したｈ型エネルキ保存サイクル合体機関。
【請求項２２４】
撥水鍍金や加熱高温で摩擦低減した弾み車タービン（８）を爆発力と霧吹きの原理により水噴射駆動して各種水噴射推進貨物船舶に各種水タンクと共に搭載したｈ型エネルキ保存サイクル合体機関。
【請求項２２５】
撥水鍍金や加熱高温で摩擦低減した弾み車タービン（８）を爆発力と霧吹きの原理により水噴射駆動して各種水噴射推進旅客船舶に各種水タンクと共に搭載したｈ型エネルキ保存サイクル合体機関。
【請求項２２６】
撥水鍍金や加熱高温で摩擦低減した弾み車ガスタービン（８ａ）を爆発力と霧吹きの原理により水噴射駆動して各種自動車に各種水タンクと共に搭載したエネルギ保存サイクル合体機関。
【請求項２２７】
撥水鍍金や加熱高温で摩擦低減した弾み車ガスタービン（８ａ）を爆発力と霧吹きの原理により水噴射駆動して各種電車に各種水タンクと共に搭載したエネルギ保存サイクル合体機関。
【請求項２２８】
撥水鍍金や加熱高温で摩擦低減した弾み車ガスタービン（８ａ）を爆発力と霧吹きの原理により水噴射駆動して各種貨物自動車に各種水タンクと共に搭載したエネルギ保存サイクル合体機関。
【請求項２２９】
撥水鍍金や加熱高温で摩擦低減した弾み車ガスタービン（８ａ）を爆発力と霧吹きの原理により水噴射駆動して各種乗用自動車に各種水タンクと共に搭載したエネルギ保存サイクル合体機関。
【請求項２３０】
撥水鍍金や加熱高温で摩擦低減した弾み車ガスタービン（８ａ）を爆発力と霧吹きの原理により水噴射駆動して各種農業機械に各種水タンクと共に搭載したエネルギ保存サイクル合体機関。
【請求項２３１】
撥水鍍金や加熱高温で摩擦低減した弾み車ガスタービン（８ａ）を爆発力と霧吹きの原理により水噴射駆動して各種機関車に各種水タンクと共に搭載したエネルギ保存サイクル合体機関。
【請求項２３２】
撥水鍍金や加熱高温で摩擦低減した弾み車ガスタービン（８ａ）を爆発力と霧吹きの原理により水噴射駆動して各種作業車に各種水タンクと共に搭載したエネルギ保存サイクル合体機関。
【請求項２３３】
撥水鍍金や加熱高温で摩擦低減した弾み車ガスタービン（８ａ）を爆発力と霧吹きの原理により水噴射駆動して各種逆電車に各種水タンクと共に搭載したエネルギ保存サイクル合体機関。
【請求項２３４】
撥水鍍金や加熱高温で摩擦低減した弾み車ガスタービン（８ａ）を爆発力と霧吹きの原理により水噴射駆動して各種戦闘車両に各種水タンクと共に搭載したエネルギ保存サイクル合体機関。
【請求項２３５】
撥水鍍金や加熱高温で摩擦低減した弾み車ガスタービン（８ａ）を爆発力と霧吹きの原理により水噴射駆動して各種プロペラ飛行機に各種水タンクと共に搭載したエネルギ保存サイクル合体機関。
【請求項２３６】
撥水鍍金や加熱高温で摩擦低減した弾み車ガスタービン（８ａ）を爆発力と霧吹きの原理により水噴射駆動して各種ヘリコプターに各種水タンクと共に搭載したエネルギ保存サイクル合体機関。
【請求項２３７】
撥水鍍金や加熱高温で摩擦低減した弾み車ガスタービン（８ａ）を爆発力と霧吹きの原理により水噴射駆動して各種戦闘ヘリコプターに各種水タンクと共に搭載したエネルギ保存サイクル合体機関。
【請求項２３８】
撥水鍍金や加熱高温で摩擦低減した弾み車ガスタービン（８ａ）を爆発力と霧吹きの原理により水噴射駆動して各種噴射推進飛行機に各種水タンクと共に搭載したエネルギ保存サイクル合体機関。
【請求項２３９】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したエネルギ保存サイクル合体機関。
【請求項２４０】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したエネルギ保存サイクル合体機関。
【請求項２４１】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したエネルギ保存サイクル合体機関。
【請求項２４２】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したエネルギ保存サイクル合体機関。
【請求項２４３】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したエネルギ保存サイクル合体機関。
【請求項２４４】
撥水鍍金や加熱高温で摩擦低減した弾み車ガスタービン（８ａ）を爆発力と霧吹きの原理により水噴射駆動して各種プロペラ船舶に各種水タンクと共に搭載したエネルギ保存サイクル合体機関。
【請求項２４５】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したエネルギ保存サイクル合体機関。
【請求項２４６】
撥水鍍金や加熱高温で摩擦低減した弾み車ガスタービン（８ａ）を爆発力と霧吹きの原理により水噴射駆動して各種水噴射推進船舶に各種水タンクと共に搭載したエネルギ保存サイクル合体機関。
【請求項２４７】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したエネルギ保存サイクル合体機関。
【請求項２４８】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したエネルギ保存サイクル合体機関。
【請求項２４９】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したエネルギ保存サイクル合体機関。
【請求項２５０】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したエネルギ保存サイクル合体機関。
【請求項２５１】
撥水鍍金や加熱高温で摩擦低減した弾み車ガスタービン（８ａ）を爆発力と霧吹きの原理により水噴射駆動して各種自動車に各種水タンクと共に搭載したａ型エネルキ保存サイクル合体機関。
【請求項２５２】
撥水鍍金や加熱高温で摩擦低減した弾み車ガスタービン（８ａ）を爆発力と霧吹きの原理により水噴射駆動して各種電車に各種水タンクと共に搭載したａ型エネルキ保存サイクル合体機関。
【請求項２５３】
撥水鍍金や加熱高温で摩擦低減した弾み車ガスタービン（８ａ）を爆発力と霧吹きの原理により水噴射駆動して各種貨物自動車に各種水タンクと共に搭載したａ型エネルキ保存サイクル合体機関。
【請求項２５４】
撥水鍍金や加熱高温で摩擦低減した弾み車ガスタービン（８ａ）を爆発力と霧吹きの原理により水噴射駆動して各種乗用自動車に各種水タンクと共に搭載したａ型エネルキ保存サイクル合体機関。
【請求項２５５】
撥水鍍金や加熱高温で摩擦低減した弾み車ガスタービン（８ａ）を爆発力と霧吹きの原理により水噴射駆動して各種農業機械に各種水タンクと共に搭載したａ型エネルキ保存サイクル合体機関。
【請求項２５６】
撥水鍍金や加熱高温で摩擦低減した弾み車ガスタービン（８ａ）を爆発力と霧吹きの原理により水噴射駆動して各種機関車に各種水タンクと共に搭載したａ型エネルキ保存サイクル合体機関。
【請求項２５７】
撥水鍍金や加熱高温で摩擦低減した弾み車ガスタービン（８ａ）を爆発力と霧吹きの原理により水噴射駆動して各種作業車に各種水タンクと共に搭載したａ型エネルキ保存サイクル合体機関。
【請求項２５８】
撥水鍍金や加熱高温で摩擦低減した弾み車ガスタービン（８ａ）を爆発力と霧吹きの原理により水噴射駆動して各種逆電車に各種水タンクと共に搭載したａ型エネルキ保存サイクル合体機関。
【請求項２５９】
撥水鍍金や加熱高温で摩擦低減した弾み車ガスタービン（８ａ）を爆発力と霧吹きの原理により水噴射駆動して各種戦闘車両に各種水タンクと共に搭載したａ型エネルキ保存サイクル合体機関。
【請求項２６０】
撥水鍍金や加熱高温で摩擦低減した弾み車ガスタービン（８ａ）を爆発力と霧吹きの原理により水噴射駆動して各種プロペラ飛行機に各種水タンクと共に搭載したａ型エネルキ保存サイクル合体機関。
【請求項２６１】
撥水鍍金や加熱高温で摩擦低減した弾み車ガスタービン（８ａ）を爆発力と霧吹きの原理により水噴射駆動して各種ヘリコプターに各種水タンクと共に搭載したａ型エネルキ保存サイクル合体機関。
【請求項２６２】
撥水鍍金や加熱高温で摩擦低減した弾み車ガスタービン（８ａ）を爆発力と霧吹きの原理により水噴射駆動して各種戦闘ヘリコプターに各種水タンクと共に搭載したａ型エネルキ保存サイクル合体機関。
【請求項２６３】
撥水鍍金や加熱高温で摩擦低減した弾み車ガスタービン（８ａ）を爆発力と霧吹きの原理により水噴射駆動して各種噴射推進飛行機に各種水タンクと共に搭載したａ型エネルキ保存サイクル合体機関。
【請求項２６４】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したａ型エネルキ保存サイクル合体機関。
【請求項２６５】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したａ型エネルキ保存サイクル合体機関。
【請求項２６６】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したａ型エネルキ保存サイクル合体機関。
【請求項２６７】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したａ型エネルキ保存サイクル合体機関。
【請求項２６８】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したａ型エネルキ保存サイクル合体機関。
【請求項２６９】
撥水鍍金や加熱高温で摩擦低減した弾み車ガスタービン（８ａ）を爆発力と霧吹きの原理により水噴射駆動して各種プロペラ船舶に各種水タンクと共に搭載したａ型エネルキ保存サイクル合体機関。
【請求項２７０】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したａ型エネルキ保存サイクル合体機関。
【請求項２７１】
撥水鍍金や加熱高温で摩擦低減した弾み車ガスタービン（８ａ）を爆発力と霧吹きの原理により水噴射駆動して各種水噴射推進船舶に各種水タンクと共に搭載したａ型エネルキ保存サイクル合体機関。
【請求項２７２】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したａ型エネルキ保存サイクル合体機関。
【請求項２７３】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したａ型エネルキ保存サイクル合体機関。
【請求項２７４】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したａ型エネルキ保存サイクル合体機関。
【請求項２７５】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したａ型エネルキ保存サイクル合体機関。
【請求項２７６】
撥水鍍金や加熱高温で摩擦低減した弾み車ガスタービン（８ａ）を爆発力と霧吹きの原理により水噴射駆動して各種自動車に各種水タンクと共に搭載したｂ型エネルキ保存サイクル合体機関。
【請求項２７７】
撥水鍍金や加熱高温で摩擦低減した弾み車ガスタービン（８ａ）を爆発力と霧吹きの原理により水噴射駆動して各種電車に各種水タンクと共に搭載したｂ型エネルキ保存サイクル合体機関。
【請求項２７８】
撥水鍍金や加熱高温で摩擦低減した弾み車ガスタービン（８ａ）を爆発力と霧吹きの原理により水噴射駆動して各種貨物自動車に各種水タンクと共に搭載したｂ型エネルキ保存サイクル合体機関。
【請求項２７９】
撥水鍍金や加熱高温で摩擦低減した弾み車ガスタービン（８ａ）を爆発力と霧吹きの原理により水噴射駆動して各種乗用自動車に各種水タンクと共に搭載したｂ型エネルキ保存サイクル合体機関。
【請求項２８０】
撥水鍍金や加熱高温で摩擦低減した弾み車ガスタービン（８ａ）を爆発力と霧吹きの原理により水噴射駆動して各種農業機械に各種水タンクと共に搭載したｂ型エネルキ保存サイクル合体機関。
【請求項２８１】
撥水鍍金や加熱高温で摩擦低減した弾み車ガスタービン（８ａ）を爆発力と霧吹きの原理により水噴射駆動して各種機関車に各種水タンクと共に搭載したｂ型エネルキ保存サイクル合体機関。
【請求項２８２】
撥水鍍金や加熱高温で摩擦低減した弾み車ガスタービン（８ａ）を爆発力と霧吹きの原理により水噴射駆動して各種作業車に各種水タンクと共に搭載したｂ型エネルキ保存サイクル合体機関。
【請求項２８３】
撥水鍍金や加熱高温で摩擦低減した弾み車ガスタービン（８ａ）を爆発力と霧吹きの原理により水噴射駆動して各種逆電車に各種水タンクと共に搭載したｂ型エネルキ保存サイクル合体機関。
【請求項２８４】
撥水鍍金や加熱高温で摩擦低減した弾み車ガスタービン（８ａ）を爆発力と霧吹きの原理により水噴射駆動して各種戦闘車両に各種水タンクと共に搭載したｂ型エネルキ保存サイクル合体機関。
【請求項２８５】
撥水鍍金や加熱高温で摩擦低減した弾み車ガスタービン（８ａ）を爆発力と霧吹きの原理により水噴射駆動して各種プロペラ飛行機に各種水タンクと共に搭載したｂ型エネルキ保存サイクル合体機関。
【請求項２８６】
撥水鍍金や加熱高温で摩擦低減した弾み車ガスタービン（８ａ）を爆発力と霧吹きの原理により水噴射駆動して各種ヘリコプターに各種水タンクと共に搭載したｂ型エネルキ保存サイクル合体機関。
【請求項２８７】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｂ型エネルキ保存サイクル合体機関。
【請求項２８８】
撥水鍍金や加熱高温で摩擦低減した弾み車ガスタービン（８ａ）を爆発力と霧吹きの原理により水噴射駆動して各種噴射推進飛行機に各種水タンクと共に搭載したｂ型エネルキ保存サイクル合体機関。
【請求項２８９】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｂ型エネルキ保存サイクル合体機関。
【請求項２９０】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｂ型エネルキ保存サイクル合体機関。
【請求項２９１】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｂ型エネルキ保存サイクル合体機関。
【請求項２９２】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｂ型エネルキ保存サイクル合体機関。
【請求項２９３】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｂ型エネルキ保存サイクル合体機関。
【請求項２９４】
撥水鍍金や加熱高温で摩擦低減した弾み車ガスタービン（８ａ）を爆発力と霧吹きの原理により水噴射駆動して各種プロペラ船舶に各種水タンクと共に搭載したｂ型エネルキ保存サイクル合体機関。
【請求項２９５】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｂ型エネルキ保存サイクル合体機関。
【請求項２９６】
撥水鍍金や加熱高温で摩擦低減した弾み車ガスタービン（８ａ）を爆発力と霧吹きの原理により水噴射駆動して各種水噴射推進船舶に各種水タンクと共に搭載したｂ型エネルキ保存サイクル合体機関。
【請求項２９７】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｂ型エネルキ保存サイクル合体機関。
【請求項２９８】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｂ型エネルキ保存サイクル合体機関。
【請求項２９９】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｂ型エネルキ保存サイクル合体機関。
【請求項３００】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｂ型エネルキ保存サイクル合体機関。
【請求項３０１】
撥水鍍金や加熱高温で摩擦低減した弾み車ガスタービン（８ａ）を爆発力と霧吹きの原理により水噴射駆動して各種自動車に各種水タンクと共に搭載したｃ型エネルキ保存サイクル合体機関。
【請求項３０２】
撥水鍍金や加熱高温で摩擦低減した弾み車ガスタービン（８ａ）を爆発力と霧吹きの原理により水噴射駆動して各種電車に各種水タンクと共に搭載したｃ型エネルキ保存サイクル合体機関。
【請求項３０３】
撥水鍍金や加熱高温で摩擦低減した弾み車ガスタービン（８ａ）を爆発力と霧吹きの原理により水噴射駆動して各種貨物自動車に各種水タンクと共に搭載したｃ型エネルキ保存サイクル合体機関。
【請求項３０４】
撥水鍍金や加熱高温で摩擦低減した弾み車ガスタービン（８ａ）を爆発力と霧吹きの原理により水噴射駆動して各種乗用自動車に各種水タンクと共に搭載したｃ型エネルキ保存サイクル合体機関。
【請求項３０５】
撥水鍍金や加熱高温で摩擦低減した弾み車ガスタービン（８ａ）を爆発力と霧吹きの原理により水噴射駆動して各種農業機械に各種水タンクと共に搭載したｃ型エネルキ保存サイクル合体機関。
【請求項３０６】
撥水鍍金や加熱高温で摩擦低減した弾み車ガスタービン（８ａ）を爆発力と霧吹きの原理により水噴射駆動して各種機関車に各種水タンクと共に搭載したｃ型エネルキ保存サイクル合体機関。
【請求項３０７】
撥水鍍金や加熱高温で摩擦低減した弾み車ガスタービン（８ａ）を爆発力と霧吹きの原理により水噴射駆動して各種作業車に各種水タンクと共に搭載したｃ型エネルキ保存サイクル合体機関。
【請求項３０８】
撥水鍍金や加熱高温で摩擦低減した弾み車ガスタービン（８ａ）を爆発力と霧吹きの原理により水噴射駆動して各種逆電車に各種水タンクと共に搭載したｃ型エネルキ保存サイクル合体機関。
【請求項３０９】
撥水鍍金や加熱高温で摩擦低減した弾み車ガスタービン（８ａ）を爆発力と霧吹きの原理により水噴射駆動して各種戦闘車両に各種水タンクと共に搭載したｃ型エネルキ保存サイクル合体機関。
【請求項３１０】
撥水鍍金や加熱高温で摩擦低減した弾み車ガスタービン（８ａ）を爆発力と霧吹きの原理により水噴射駆動して各種プロペラ飛行機に各種水タンクと共に搭載したｃ型エネルキ保存サイクル合体機関。
【請求項３１１】
撥水鍍金や加熱高温で摩擦低減した弾み車ガスタービン（８ａ）を爆発力と霧吹きの原理により水噴射駆動して各種ヘリコプターに各種水タンクと共に搭載したｃ型エネルキ保存サイクル合体機関。
【請求項３１２】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｃ型エネルキ保存サイクル合体機関。
【請求項３１３】
撥水鍍金や加熱高温で摩擦低減した弾み車ガスタービン（８ａ）を爆発力と霧吹きの原理により水噴射駆動して各種噴射推進飛行機に各種水タンクと共に搭載したｃ型エネルキ保存サイクル合体機関。
【請求項３１４】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｃ型エネルキ保存サイクル合体機関。
【請求項３１５】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｃ型エネルキ保存サイクル合体機関。
【請求項３１６】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｃ型エネルキ保存サイクル合体機関。
【請求項３１７】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｃ型エネルキ保存サイクル合体機関。
【請求項３１８】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｃ型エネルキ保存サイクル合体機関。
【請求項３１９】
撥水鍍金や加熱高温で摩擦低減した弾み車ガスタービン（８ａ）を爆発力と霧吹きの原理により水噴射駆動して各種プロペラ船舶に各種水タンクと共に搭載したｃ型エネルキ保存サイクル合体機関。
【請求項３２０】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｃ型エネルキ保存サイクル合体機関。
【請求項３２１】
撥水鍍金や加熱高温で摩擦低減した弾み車ガスタービン（８ａ）を爆発力と霧吹きの原理により水噴射駆動して各種水噴射推進船舶に各種水タンクと共に搭載したｃ型エネルキ保存サイクル合体機関。
【請求項３２２】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｃ型エネルキ保存サイクル合体機関。
【請求項３２３】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｃ型エネルキ保存サイクル合体機関。
【請求項３２４】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｃ型エネルキ保存サイクル合体機関。
【請求項３２５】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｃ型エネルキ保存サイクル合体機関。
【請求項３２６】
撥水鍍金や加熱高温で摩擦低減した弾み車ガスタービン（８ａ）を爆発力と霧吹きの原理により水噴射駆動して各種自動車に各種水タンクと共に搭載したｄ型エネルキ保存サイクル合体機関。
【請求項３２７】
撥水鍍金や加熱高温で摩擦低減した弾み車ガスタービン（８ａ）を爆発力と霧吹きの原理により水噴射駆動して各種電車に各種水タンクと共に搭載したｄ型エネルキ保存サイクル合体機関。
【請求項３２８】
撥水鍍金や加熱高温で摩擦低減した弾み車ガスタービン（８ａ）を爆発力と霧吹きの原理により水噴射駆動して各種貨物自動車に各種水タンクと共に搭載したｄ型エネルキ保存サイクル合体機関。
【請求項３２９】
撥水鍍金や加熱高温で摩擦低減した弾み車ガスタービン（８ａ）を爆発力と霧吹きの原理により水噴射駆動して各種乗用自動車に各種水タンクと共に搭載したｄ型エネルキ保存サイクル合体機関。
【請求項３３０】
撥水鍍金や加熱高温で摩擦低減した弾み車ガスタービン（８ａ）を爆発力と霧吹きの原理により水噴射駆動して各種農業機械に各種水タンクと共に搭載したｄ型エネルキ保存サイクル合体機関。
【請求項３３１】
撥水鍍金や加熱高温で摩擦低減した弾み車ガスタービン（８ａ）を爆発力と霧吹きの原理により水噴射駆動して各種機関車に各種水タンクと共に搭載したｄ型エネルキ保存サイクル合体機関。
【請求項３３２】
撥水鍍金や加熱高温で摩擦低減した弾み車ガスタービン（８ａ）を爆発力と霧吹きの原理により水噴射駆動して各種作業車に各種水タンクと共に搭載したｄ型エネルキ保存サイクル合体機関。
【請求項３３３】
撥水鍍金や加熱高温で摩擦低減した弾み車ガスタービン（８ａ）を爆発力と霧吹きの原理により水噴射駆動して各種逆電車に各種水タンクと共に搭載したｄ型エネルキ保存サイクル合体機関。
【請求項３３４】
撥水鍍金や加熱高温で摩擦低減した弾み車ガスタービン（８ａ）を爆発力と霧吹きの原理により水噴射駆動して各種戦闘車両に各種水タンクと共に搭載したｄ型エネルキ保存サイクル合体機関。
【請求項３３５】
撥水鍍金や加熱高温で摩擦低減した弾み車ガスタービン（８ａ）を爆発力と霧吹きの原理により水噴射駆動して各種プロペラ飛行機に各種水タンクと共に搭載したｄ型エネルキ保存サイクル合体機関。
【請求項３３６】
撥水鍍金や加熱高温で摩擦低減した弾み車ガスタービン（８ａ）を爆発力と霧吹きの原理により水噴射駆動して各種ヘリコプターに各種水タンクと共に搭載したｄ型エネルキ保存サイクル合体機関。
【請求項３３７】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｄ型エネルキ保存サイクル合体機関。
【請求項３３８】
撥水鍍金や加熱高温で摩擦低減した弾み車ガスタービン（８ａ）を爆発力と霧吹きの原理により水噴射駆動して各種噴射推進飛行機に各種水タンクと共に搭載したｄ型エネルキ保存サイクル合体機関。
【請求項３３９】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｄ型エネルキ保存サイクル合体機関。
【請求項３４０】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｄ型エネルキ保存サイクル合体機関。
【請求項３４１】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｄ型エネルキ保存サイクル合体機関。
【請求項３４２】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｄ型エネルキ保存サイクル合体機関。
【請求項３４３】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｄ型エネルキ保存サイクル合体機関。
【請求項３４４】
撥水鍍金や加熱高温で摩擦低減した弾み車ガスタービン（８ａ）を爆発力と霧吹きの原理により水噴射駆動して各種プロペラ船舶に各種水タンクと共に搭載したｄ型エネルキ保存サイクル合体機関。
【請求項３４５】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｄ型エネルキ保存サイクル合体機関。
【請求項３４６】
撥水鍍金や加熱高温で摩擦低減した弾み車ガスタービン（８ａ）を爆発力と霧吹きの原理により水噴射駆動して各種水噴射推進船舶に各種水タンクと共に搭載したｄ型エネルキ保存サイクル合体機関。
【請求項３４７】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｄ型エネルキ保存サイクル合体機関。
【請求項３４８】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｄ型エネルキ保存サイクル合体機関。
【請求項３４９】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｄ型エネルキ保存サイクル合体機関。
【請求項３５０】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｄ型エネルキ保存サイクル合体機関。
【請求項３５１】
撥水鍍金や加熱高温で摩擦低減した弾み車ガスタービン（８ａ）を爆発力と霧吹きの原理により水噴射駆動して各種自動車に各種水タンクと共に搭載したｅ型エネルキ保存サイクル合体機関。
【請求項３５２】
撥水鍍金や加熱高温で摩擦低減した弾み車ガスタービン（８ａ）を爆発力と霧吹きの原理により水噴射駆動して各種電車に各種水タンクと共に搭載したｅ型エネルキ保存サイクル合体機関。
【請求項３５３】
撥水鍍金や加熱高温で摩擦低減した弾み車ガスタービン（８ａ）を爆発力と霧吹きの原理により水噴射駆動して各種貨物自動車に各種水タンクと共に搭載したｅ型エネルキ保存サイクル合体機関。
【請求項３５４】
撥水鍍金や加熱高温で摩擦低減した弾み車ガスタービン（８ａ）を爆発力と霧吹きの原理により水噴射駆動して各種乗用自動車に各種水タンクと共に搭載したｅ型エネルキ保存サイクル合体機関。
【請求項３５５】
撥水鍍金や加熱高温で摩擦低減した弾み車ガスタービン（８ａ）を爆発力と霧吹きの原理により水噴射駆動して各種農業機械に各種水タンクと共に搭載したｅ型エネルキ保存サイクル合体機関。
【請求項３５６】
撥水鍍金や加熱高温で摩擦低減した弾み車ガスタービン（８ａ）を爆発力と霧吹きの原理により水噴射駆動して各種機関車に各種水タンクと共に搭載したｅ型エネルキ保存サイクル合体機関。
【請求項３５７】
撥水鍍金や加熱高温で摩擦低減した弾み車ガスタービン（８ａ）を爆発力と霧吹きの原理により水噴射駆動して各種作業車に各種水タンクと共に搭載したｅ型エネルキ保存サイクル合体機関。
【請求項３５８】
撥水鍍金や加熱高温で摩擦低減した弾み車ガスタービン（８ａ）を爆発力と霧吹きの原理により水噴射駆動して各種逆電車に各種水タンクと共に搭載したｅ型エネルキ保存サイクル合体機関。
【請求項３５９】
撥水鍍金や加熱高温で摩擦低減した弾み車ガスタービン（８ａ）を爆発力と霧吹きの原理により水噴射駆動して各種戦闘車両に各種水タンクと共に搭載したｅ型エネルキ保存サイクル合体機関。
【請求項３６０】
撥水鍍金や加熱高温で摩擦低減した弾み車ガスタービン（８ａ）を爆発力と霧吹きの原理により水噴射駆動して各種プロペラ飛行機に各種水タンクと共に搭載したｅ型エネルキ保存サイクル合体機関。
【請求項３６１】
撥水鍍金や加熱高温で摩擦低減した弾み車ガスタービン（８ａ）を爆発力と霧吹きの原理により水噴射駆動して各種ヘリコプターに各種水タンクと共に搭載したｅ型エネルキ保存サイクル合体機関。
【請求項３６２】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｅ型エネルキ保存サイクル合体機関。
【請求項３６３】
撥水鍍金や加熱高温で摩擦低減した弾み車ガスタービン（８ａ）を爆発力と霧吹きの原理により水噴射駆動して各種噴射推進飛行機に各種水タンクと共に搭載したｅ型エネルキ保存サイクル合体機関。
【請求項３６４】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｅ型エネルキ保存サイクル合体機関。
【請求項３６５】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｅ型エネルキ保存サイクル合体機関。
【請求項３６６】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｅ型エネルキ保存サイクル合体機関。
【請求項３６７】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｅ型エネルキ保存サイクル合体機関。
【請求項３６８】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｅ型エネルキ保存サイクル合体機関。
【請求項３６９】
撥水鍍金や加熱高温で摩擦低減した弾み車ガスタービン（８ａ）を爆発力と霧吹きの原理により水噴射駆動して各種プロペラ船舶に各種水タンクと共に搭載したｅ型エネルキ保存サイクル合体機関。
【請求項３７０】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｅ型エネルキ保存サイクル合体機関。
【請求項３７１】
撥水鍍金や加熱高温で摩擦低減した弾み車ガスタービン（８ａ）を爆発力と霧吹きの原理により水噴射駆動して各種水噴射推進船舶に各種水タンクと共に搭載したｅ型エネルキ保存サイクル合体機関。
【請求項３７２】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｅ型エネルキ保存サイクル合体機関。
【請求項３７３】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｅ型エネルキ保存サイクル合体機関。
【請求項３７４】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｅ型エネルキ保存サイクル合体機関。
【請求項３７５】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｅ型エネルキ保存サイクル合体機関。
【請求項３７６】
撥水鍍金や加熱高温で摩擦低減した弾み車ガスタービン（８ａ）を爆発力と霧吹きの原理により水噴射駆動して各種自動車に各種水タンクと共に搭載したｆ型エネルキ保存サイクル合体機関。
【請求項３７７】
撥水鍍金や加熱高温で摩擦低減した弾み車ガスタービン（８ａ）を爆発力と霧吹きの原理により水噴射駆動して各種電車に各種水タンクと共に搭載したｆ型エネルキ保存サイクル合体機関。
【請求項３７８】
撥水鍍金や加熱高温で摩擦低減した弾み車ガスタービン（８ａ）を爆発力と霧吹きの原理により水噴射駆動して各種貨物自動車に各種水タンクと共に搭載したｆ型エネルキ保存サイクル合体機関。
【請求項３７９】
撥水鍍金や加熱高温で摩擦低減した弾み車ガスタービン（８ａ）を爆発力と霧吹きの原理により水噴射駆動して各種乗用自動車に各種水タンクと共に搭載したｆ型エネルキ保存サイクル合体機関。
【請求項３８０】
撥水鍍金や加熱高温で摩擦低減した弾み車ガスタービン（８ａ）を爆発力と霧吹きの原理により水噴射駆動して各種農業機械に各種水タンクと共に搭載したｆ型エネルキ保存サイクル合体機関。
【請求項３８１】
撥水鍍金や加熱高温で摩擦低減した弾み車ガスタービン（８ａ）を爆発力と霧吹きの原理により水噴射駆動して各種機関車に各種水タンクと共に搭載したｆ型エネルキ保存サイクル合体機関。
【請求項３８２】
撥水鍍金や加熱高温で摩擦低減した弾み車ガスタービン（８ａ）を爆発力と霧吹きの原理により水噴射駆動して各種作業車に各種水タンクと共に搭載したｆ型エネルキ保存サイクル合体機関。
【請求項３８３】
撥水鍍金や加熱高温で摩擦低減した弾み車ガスタービン（８ａ）を爆発力と霧吹きの原理により水噴射駆動して各種逆電車に各種水タンクと共に搭載したｆ型エネルキ保存サイクル合体機関。
【請求項３８４】
撥水鍍金や加熱高温で摩擦低減した弾み車ガスタービン（８ａ）を爆発力と霧吹きの原理により水噴射駆動して各種戦闘車両に各種水タンクと共に搭載したｆ型エネルキ保存サイクル合体機関。
【請求項３８５】
撥水鍍金や加熱高温で摩擦低減した弾み車ガスタービン（８ａ）を爆発力と霧吹きの原理により水噴射駆動して各種プロペラ飛行機に各種水タンクと共に搭載したｆ型エネルキ保存サイクル合体機関。
【請求項３８６】
撥水鍍金や加熱高温で摩擦低減した弾み車ガスタービン（８ａ）を爆発力と霧吹きの原理により水噴射駆動して各種ヘリコプターに各種水タンクと共に搭載したｆ型エネルキ保存サイクル合体機関。
【請求項３８７】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｆ型エネルキ保存サイクル合体機関。
【請求項３８８】
撥水鍍金や加熱高温で摩擦低減した弾み車ガスタービン（８ａ）を爆発力と霧吹きの原理により水噴射駆動して各種噴射推進飛行機に各種水タンクと共に搭載したｆ型エネルキ保存サイクル合体機関。
【請求項３８９】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｆ型エネルキ保存サイクル合体機関。
【請求項３９０】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｆ型エネルキ保存サイクル合体機関。
【請求項３９１】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｆ型エネルキ保存サイクル合体機関。
【請求項３９２】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｆ型エネルキ保存サイクル合体機関。
【請求項３９３】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｆ型エネルキ保存サイクル合体機関。
【請求項３９４】
撥水鍍金や加熱高温で摩擦低減した弾み車ガスタービン（８ａ）を爆発力と霧吹きの原理により水噴射駆動して各種プロペラ船舶に各種水タンクと共に搭載したｆ型エネルキ保存サイクル合体機関。
【請求項３９５】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｆ型エネルキ保存サイクル合体機関。
【請求項３９６】
撥水鍍金や加熱高温で摩擦低減した弾み車ガスタービン（８ａ）を爆発力と霧吹きの原理により水噴射駆動して各種水噴射推進船舶に各種水タンクと共に搭載したｆ型エネルキ保存サイクル合体機関。
【請求項３９７】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｆ型エネルキ保存サイクル合体機関。
【請求項３９８】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｆ型エネルキ保存サイクル合体機関。
【請求項３９９】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｆ型エネルキ保存サイクル合体機関。
【請求項４００】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｆ型エネルキ保存サイクル合体機関。
【請求項４０１】
撥水鍍金や加熱高温で摩擦低減した弾み車ガスタービン（８ａ）を爆発力と霧吹きの原理により水噴射駆動して各種自動車に各種水タンクと共に搭載したｇ型エネルキ保存サイクル合体機関。
【請求項４０２】
撥水鍍金や加熱高温で摩擦低減した弾み車ガスタービン（８ａ）を爆発力と霧吹きの原理により水噴射駆動して各種電車に各種水タンクと共に搭載したｇ型エネルキ保存サイクル合体機関。
【請求項４０３】
撥水鍍金や加熱高温で摩擦低減した弾み車ガスタービン（８ａ）を爆発力と霧吹きの原理により水噴射駆動して各種貨物自動車に各種水タンクと共に搭載したｇ型エネルキ保存サイクル合体機関。
【請求項４０４】
撥水鍍金や加熱高温で摩擦低減した弾み車ガスタービン（８ａ）を爆発力と霧吹きの原理により水噴射駆動して各種乗用自動車に各種水タンクと共に搭載したｇ型エネルキ保存サイクル合体機関。
【請求項４０５】
撥水鍍金や加熱高温で摩擦低減した弾み車ガスタービン（８ａ）を爆発力と霧吹きの原理により水噴射駆動して各種農業機械に各種水タンクと共に搭載したｇ型エネルキ保存サイクル合体機関。
【請求項４０６】
撥水鍍金や加熱高温で摩擦低減した弾み車ガスタービン（８ａ）を爆発力と霧吹きの原理により水噴射駆動して各種機関車に各種水タンクと共に搭載したｇ型エネルキ保存サイクル合体機関。
【請求項４０７】
撥水鍍金や加熱高温で摩擦低減した弾み車ガスタービン（８ａ）を爆発力と霧吹きの原理により水噴射駆動して各種作業車に各種水タンクと共に搭載したｇ型エネルキ保存サイクル合体機関。
【請求項４０８】
撥水鍍金や加熱高温で摩擦低減した弾み車ガスタービン（８ａ）を爆発力と霧吹きの原理により水噴射駆動して各種逆電車に各種水タンクと共に搭載したｇ型エネルキ保存サイクル合体機関。
【請求項４０９】
撥水鍍金や加熱高温で摩擦低減した弾み車ガスタービン（８ａ）を爆発力と霧吹きの原理により水噴射駆動して各種戦闘車両に各種水タンクと共に搭載したｇ型エネルキ保存サイクル合体機関。
【請求項４１０】
撥水鍍金や加熱高温で摩擦低減した弾み車ガスタービン（８ａ）を爆発力と霧吹きの原理により水噴射駆動して各種プロペラ飛行機に各種水タンクと共に搭載したｇ型エネルキ保存サイクル合体機関。
【請求項４１１】
撥水鍍金や加熱高温で摩擦低減した弾み車ガスタービン（８ａ）を爆発力と霧吹きの原理により水噴射駆動して各種ヘリコプターに各種水タンクと共に搭載したｇ型エネルキ保存サイクル合体機関。
【請求項４１２】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｇ型エネルキ保存サイクル合体機関。
【請求項４１３】
撥水鍍金や加熱高温で摩擦低減した弾み車ガスタービン（８ａ）を爆発力と霧吹きの原理により水噴射駆動して各種噴射推進飛行機に各種水タンクと共に搭載したｇ型エネルキ保存サイクル合体機関。
【請求項４１４】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｇ型エネルキ保存サイクル合体機関。
【請求項４１５】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｇ型エネルキ保存サイクル合体機関。
【請求項４１６】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｇ型エネルキ保存サイクル合体機関。
【請求項４１７】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｇ型エネルキ保存サイクル合体機関。
【請求項４１８】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｇ型エネルキ保存サイクル合体機関。
【請求項４１９】
撥水鍍金や加熱高温で摩擦低減した弾み車ガスタービン（８ａ）を爆発力と霧吹きの原理により水噴射駆動して各種プロペラ船舶に各種水タンクと共に搭載したｇ型エネルキ保存サイクル合体機関。
【請求項４２０】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｇ型エネルキ保存サイクル合体機関。
【請求項４２１】
撥水鍍金や加熱高温で摩擦低減した弾み車ガスタービン（８ａ）を爆発力と霧吹きの原理により水噴射駆動して各種水噴射推進船舶に各種水タンクと共に搭載したｇ型エネルキ保存サイクル合体機関。
【請求項４２２】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｇ型エネルキ保存サイクル合体機関。
【請求項４２３】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｇ型エネルキ保存サイクル合体機関。
【請求項４２４】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｇ型エネルキ保存サイクル合体機関。
【請求項４２５】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｇ型エネルキ保存サイクル合体機関。
【請求項４２６】
撥水鍍金や加熱高温で摩擦低減した弾み車ガスタービン（８ａ）を爆発力と霧吹きの原理により水噴射駆動して各種自動車に各種水タンクと共に搭載したｈ型エネルキ保存サイクル合体機関。
【請求項４２７】
撥水鍍金や加熱高温で摩擦低減した弾み車ガスタービン（８ａ）を爆発力と霧吹きの原理により水噴射駆動して各種電車に各種水タンクと共に搭載したｈ型エネルキ保存サイクル合体機関。
【請求項４２８】
撥水鍍金や加熱高温で摩擦低減した弾み車ガスタービン（８ａ）を爆発力と霧吹きの原理により水噴射駆動して各種貨物自動車に各種水タンクと共に搭載したｈ型エネルキ保存サイクル合体機関。
【請求項４２９】
撥水鍍金や加熱高温で摩擦低減した弾み車ガスタービン（８ａ）を爆発力と霧吹きの原理により水噴射駆動して各種乗用自動車に各種水タンクと共に搭載したｈ型エネルキ保存サイクル合体機関。
【請求項４３０】
撥水鍍金や加熱高温で摩擦低減した弾み車ガスタービン（８ａ）を爆発力と霧吹きの原理により水噴射駆動して各種農業機械に各種水タンクと共に搭載したｈ型エネルキ保存サイクル合体機関。
【請求項４３１】
撥水鍍金や加熱高温で摩擦低減した弾み車ガスタービン（８ａ）を爆発力と霧吹きの原理により水噴射駆動して各種機関車に各種水タンクと共に搭載したｈ型エネルキ保存サイクル合体機関。
【請求項４３２】
撥水鍍金や加熱高温で摩擦低減した弾み車ガスタービン（８ａ）を爆発力と霧吹きの原理により水噴射駆動して各種作業車に各種水タンクと共に搭載したｈ型エネルキ保存サイクル合体機関。
【請求項４３３】
撥水鍍金や加熱高温で摩擦低減した弾み車ガスタービン（８ａ）を爆発力と霧吹きの原理により水噴射駆動して各種逆電車に各種水タンクと共に搭載したｈ型エネルキ保存サイクル合体機関。
【請求項４３４】
撥水鍍金や加熱高温で摩擦低減した弾み車ガスタービン（８ａ）を爆発力と霧吹きの原理により水噴射駆動して各種戦闘車両に各種水タンクと共に搭載したｈ型エネルキ保存サイクル合体機関。
【請求項４３５】
撥水鍍金や加熱高温で摩擦低減した弾み車ガスタービン（８ａ）を爆発力と霧吹きの原理により水噴射駆動して各種プロペラ飛行機に各種水タンクと共に搭載したｈ型エネルキ保存サイクル合体機関。
【請求項４３６】
撥水鍍金や加熱高温で摩擦低減した弾み車ガスタービン（８ａ）を爆発力と霧吹きの原理により水噴射駆動して各種ヘリコプターに各種水タンクと共に搭載したｈ型エネルキ保存サイクル合体機関。
【請求項４３７】
撥水鍍金や加熱高温で摩擦低減した弾み車ガスタービン（８ａ）を爆発力と霧吹きの原理により水噴射駆動して各種戦闘ヘリコプターに各種水タンクと共に搭載したｈ型エネルキ保存サイクル合体機関。
【請求項４３８】
撥水鍍金や加熱高温で摩擦低減した弾み車ガスタービン（８ａ）を爆発力と霧吹きの原理により水噴射駆動して各種噴射推進飛行機に各種水タンクと共に搭載したｈ型エネルキ保存サイクル合体機関。
【請求項４３９】
撥水鍍金や加熱高温で摩擦低減した弾み車ガスタービン（８ａ）を爆発力と霧吹きの原理により水噴射駆動して各種噴射推進戦闘飛行機に各種水タンクと共に搭載したｈ型エネルキ保存サイクル合体機関。
【請求項４４０】
撥水鍍金や加熱高温で摩擦低減した弾み車ガスタービン（８ａ）を爆発力と霧吹きの原理により水噴射駆動して各種超音速噴射推進飛行機に各種水タンクと共に搭載したｈ型エネルキ保存サイクル合体機関。
【請求項４４１】
撥水鍍金や加熱高温で摩擦低減した弾み車ガスタービン（８ａ）を爆発力と霧吹きの原理により水噴射駆動して各種超音速噴射推進戦闘飛行機に各種水タンクと共に搭載したｈ型エネルキ保存サイクル合体機関。
【請求項４４２】
撥水鍍金や加熱高温で摩擦低減した弾み車ガスタービン（８ａ）を爆発力と霧吹きの原理により水噴射駆動して各種空気吸引噴射推進船舶に各種水タンクと共に搭載したｈ型エネルキ保存サイクル合体機関。
【請求項４４３】
撥水鍍金や加熱高温で摩擦低減した弾み車ガスタービン（８ａ）を爆発力と霧吹きの原理により水噴射駆動して各種空気吸引噴射推進戦闘船舶に各種水タンクと共に搭載したｈ型エネルキ保存サイクル合体機関。
【請求項４４４】
撥水鍍金や加熱高温で摩擦低減した弾み車ガスタービン（８ａ）を爆発力と霧吹きの原理により水噴射駆動して各種プロペラ船舶に各種水タンクと共に搭載したｈ型エネルキ保存サイクル合体機関。
【請求項４４５】
撥水鍍金や加熱高温で摩擦低減した弾み車ガスタービン（８ａ）を爆発力と霧吹きの原理により水噴射駆動して各種プロペラ推進戦闘船舶に各種水タンクと共に搭載したｈ型エネルキ保存サイクル合体機関。
【請求項４４６】
撥水鍍金や加熱高温で摩擦低減した弾み車ガスタービン（８ａ）を爆発力と霧吹きの原理により水噴射駆動して各種水噴射推進船舶に各種水タンクと共に搭載したｈ型エネルキ保存サイクル合体機関。
【請求項４４７】
撥水鍍金や加熱高温で摩擦低減した弾み車ガスタービン（８ａ）を爆発力と霧吹きの原理により水噴射駆動して各種水噴射推進戦闘船舶に各種水タンクと共に搭載したｈ型エネルキ保存サイクル合体機関。
【請求項４４８】
撥水鍍金や加熱高温で摩擦低減した弾み車ガスタービン（８ａ）を爆発力と霧吹きの原理により水噴射駆動して各種水噴射推進漁業用船舶に各種水タンクと共に搭載したｈ型エネルキ保存サイクル合体機関。
【請求項４４９】
撥水鍍金や加熱高温で摩擦低減した弾み車ガスタービン（８ａ）を爆発力と霧吹きの原理により水噴射駆動して各種水噴射推進貨物船舶に各種水タンクと共に搭載したｈ型エネルキ保存サイクル合体機関。
【請求項４５０】
撥水鍍金や加熱高温で摩擦低減した弾み車ガスタービン（８ａ）を爆発力と霧吹きの原理により水噴射駆動して各種水噴射推進旅客船舶に各種水タンクと共に搭載したｈ型エネルキ保存サイクル合体機関。
【請求項４５１】
撥水鍍金や加熱高温で摩擦低減した弾み車蒸気タービン（８ｂ）を爆発力と霧吹きの原理により水噴射駆動して各種自動車に各種水タンクと共に搭載したエネルギ保存サイクル合体機関。
【請求項４５２】
撥水鍍金や加熱高温で摩擦低減した弾み車蒸気タービン（８ｂ）を爆発力と霧吹きの原理により水噴射駆動して各種電車に各種水タンクと共に搭載したエネルギ保存サイクル合体機関。
【請求項４５３】
撥水鍍金や加熱高温で摩擦低減した弾み車蒸気タービン（８ｂ）を爆発力と霧吹きの原理により水噴射駆動して各種貨物自動車に各種水タンクと共に搭載したエネルギ保存サイクル合体機関。
【請求項４５４】
撥水鍍金や加熱高温で摩擦低減した弾み車蒸気タービン（８ｂ）を爆発力と霧吹きの原理により水噴射駆動して各種乗用自動車に各種水タンクと共に搭載したエネルギ保存サイクル合体機関。
【請求項４５５】
撥水鍍金や加熱高温で摩擦低減した弾み車蒸気タービン（８ｂ）を爆発力と霧吹きの原理により水噴射駆動して各種農業機械に各種水タンクと共に搭載したエネルギ保存サイクル合体機関。
【請求項４５６】
撥水鍍金や加熱高温で摩擦低減した弾み車蒸気タービン（８ｂ）を爆発力と霧吹きの原理により水噴射駆動して各種機関車に各種水タンクと共に搭載したエネルギ保存サイクル合体機関。
【請求項４５７】
撥水鍍金や加熱高温で摩擦低減した弾み車蒸気タービン（８ｂ）を爆発力と霧吹きの原理により水噴射駆動して各種作業車に各種水タンクと共に搭載したエネルギ保存サイクル合体機関。
【請求項４５８】
撥水鍍金や加熱高温で摩擦低減した弾み車蒸気タービン（８ｂ）を爆発力と霧吹きの原理により水噴射駆動して各種逆電車に各種水タンクと共に搭載したエネルギ保存サイクル合体機関。
【請求項４５９】
撥水鍍金や加熱高温で摩擦低減した弾み車蒸気タービン（８ｂ）を爆発力と霧吹きの原理により水噴射駆動して各種戦闘車両に各種水タンクと共に搭載したエネルギ保存サイクル合体機関。
【請求項４６０】
撥水鍍金や加熱高温で摩擦低減した弾み車蒸気タービン（８ｂ）を爆発力と霧吹きの原理により水噴射駆動して各種プロペラ飛行機に各種水タンクと共に搭載したエネルギ保存サイクル合体機関。
【請求項４６１】
撥水鍍金や加熱高温で摩擦低減した弾み車蒸気タービン（８ｂ）を爆発力と霧吹きの原理により水噴射駆動して各種ヘリコプターに各種水タンクと共に搭載したエネルギ保存サイクル合体機関。
【請求項４６２】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したエネルギ保存サイクル合体機関。
【請求項４６３】
撥水鍍金や加熱高温で摩擦低減した弾み車蒸気タービン（８ｂ）を爆発力と霧吹きの原理により水噴射駆動して各種噴射推進飛行機に各種水タンクと共に搭載したエネルギ保存サイクル合体機関。
【請求項４６４】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したエネルギ保存サイクル合体機関。
【請求項４６５】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したエネルギ保存サイクル合体機関。
【請求項４６６】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したエネルギ保存サイクル合体機関。
【請求項４６７】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したエネルギ保存サイクル合体機関。
【請求項４６８】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したエネルギ保存サイクル合体機関。
【請求項４６９】
撥水鍍金や加熱高温で摩擦低減した弾み車蒸気タービン（８ｂ）を爆発力と霧吹きの原理により水噴射駆動して各種プロペラ船舶に各種水タンクと共に搭載したエネルギ保存サイクル合体機関。
【請求項４７０】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したエネルギ保存サイクル合体機関。
【請求項４７１】
撥水鍍金や加熱高温で摩擦低減した弾み車蒸気タービン（８ｂ）を爆発力と霧吹きの原理により水噴射駆動して各種水噴射推進船舶に各種水タンクと共に搭載したエネルギ保存サイクル合体機関。
【請求項４７２】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したエネルギ保存サイクル合体機関。
【請求項４７３】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したエネルギ保存サイクル合体機関。
【請求項４７４】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したエネルギ保存サイクル合体機関。
【請求項４７５】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したエネルギ保存サイクル合体機関。
【請求項４７６】
撥水鍍金や加熱高温で摩擦低減した弾み車蒸気タービン（８ｂ）を爆発力と霧吹きの原理により水噴射駆動して各種自動車に各種水タンクと共に搭載したａ型エネルキ保存サイクル合体機関。
【請求項４７７】
撥水鍍金や加熱高温で摩擦低減した弾み車蒸気タービン（８ｂ）を爆発力と霧吹きの原理により水噴射駆動して各種電車に各種水タンクと共に搭載したａ型エネルキ保存サイクル合体機関。
【請求項４７８】
撥水鍍金や加熱高温で摩擦低減した弾み車蒸気タービン（８ｂ）を爆発力と霧吹きの原理により水噴射駆動して各種貨物自動車に各種水タンクと共に搭載したａ型エネルキ保存サイクル合体機関。
【請求項４７９】
撥水鍍金や加熱高温で摩擦低減した弾み車蒸気タービン（８ｂ）を爆発力と霧吹きの原理により水噴射駆動して各種乗用自動車に各種水タンクと共に搭載したａ型エネルキ保存サイクル合体機関。
【請求項４８０】
撥水鍍金や加熱高温で摩擦低減した弾み車蒸気タービン（８ｂ）を爆発力と霧吹きの原理により水噴射駆動して各種農業機械に各種水タンクと共に搭載したａ型エネルキ保存サイクル合体機関。
【請求項４８１】
撥水鍍金や加熱高温で摩擦低減した弾み車蒸気タービン（８ｂ）を爆発力と霧吹きの原理により水噴射駆動して各種機関車に各種水タンクと共に搭載したａ型エネルキ保存サイクル合体機関。
【請求項４８２】
撥水鍍金や加熱高温で摩擦低減した弾み車蒸気タービン（８ｂ）を爆発力と霧吹きの原理により水噴射駆動して各種作業車に各種水タンクと共に搭載したａ型エネルキ保存サイクル合体機関。
【請求項４８３】
撥水鍍金や加熱高温で摩擦低減した弾み車蒸気タービン（８ｂ）を爆発力と霧吹きの原理により水噴射駆動して各種逆電車に各種水タンクと共に搭載したａ型エネルキ保存サイクル合体機関。
【請求項４８４】
撥水鍍金や加熱高温で摩擦低減した弾み車蒸気タービン（８ｂ）を爆発力と霧吹きの原理により水噴射駆動して各種戦闘車両に各種水タンクと共に搭載したａ型エネルキ保存サイクル合体機関。
【請求項４８５】
撥水鍍金や加熱高温で摩擦低減した弾み車蒸気タービン（８ｂ）を爆発力と霧吹きの原理により水噴射駆動して各種プロペラ飛行機に各種水タンクと共に搭載したａ型エネルキ保存サイクル合体機関。
【請求項４８６】
撥水鍍金や加熱高温で摩擦低減した弾み車蒸気タービン（８ｂ）を爆発力と霧吹きの原理により水噴射駆動して各種ヘリコプターに各種水タンクと共に搭載したａ型エネルキ保存サイクル合体機関。
【請求項４８７】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したａ型エネルキ保存サイクル合体機関。
【請求項４８８】
撥水鍍金や加熱高温で摩擦低減した弾み車蒸気タービン（８ｂ）を爆発力と霧吹きの原理により水噴射駆動して各種噴射推進飛行機に各種水タンクと共に搭載したａ型エネルキ保存サイクル合体機関。
【請求項４８９】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したａ型エネルキ保存サイクル合体機関。
【請求項４９０】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したａ型エネルキ保存サイクル合体機関。
【請求項４９１】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したａ型エネルキ保存サイクル合体機関。
【請求項４９２】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したａ型エネルキ保存サイクル合体機関。
【請求項４９３】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したａ型エネルキ保存サイクル合体機関。
【請求項４９４】
撥水鍍金や加熱高温で摩擦低減した弾み車蒸気タービン（８ｂ）を爆発力と霧吹きの原理により水噴射駆動して各種プロペラ船舶に各種水タンクと共に搭載したａ型エネルキ保存サイクル合体機関。
【請求項４９５】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したａ型エネルキ保存サイクル合体機関。
【請求項４９６】
撥水鍍金や加熱高温で摩擦低減した弾み車蒸気タービン（８ｂ）を爆発力と霧吹きの原理により水噴射駆動して各種水噴射推進船舶に各種水タンクと共に搭載したａ型エネルキ保存サイクル合体機関。
【請求項４９７】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したａ型エネルキ保存サイクル合体機関。
【請求項４９８】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したａ型エネルキ保存サイクル合体機関。
【請求項４９９】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したａ型エネルキ保存サイクル合体機関。
【請求項５００】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したａ型エネルキ保存サイクル合体機関。
【請求項５０１】
撥水鍍金や加熱高温で摩擦低減した弾み車蒸気タービン（８ｂ）を爆発力と霧吹きの原理により水噴射駆動して各種自動車に各種水タンクと共に搭載したｂ型エネルキ保存サイクル合体機関。
【請求項５０２】
撥水鍍金や加熱高温で摩擦低減した弾み車蒸気タービン（８ｂ）を爆発力と霧吹きの原理により水噴射駆動して各種電車に各種水タンクと共に搭載したｂ型エネルキ保存サイクル合体機関。
【請求項５０３】
撥水鍍金や加熱高温で摩擦低減した弾み車蒸気タービン（８ｂ）を爆発力と霧吹きの原理により水噴射駆動して各種貨物自動車に各種水タンクと共に搭載したｂ型エネルキ保存サイクル合体機関。
【請求項５０４】
撥水鍍金や加熱高温で摩擦低減した弾み車蒸気タービン（８ｂ）を爆発力と霧吹きの原理により水噴射駆動して各種乗用自動車に各種水タンクと共に搭載したｂ型エネルキ保存サイクル合体機関。
【請求項５０５】
撥水鍍金や加熱高温で摩擦低減した弾み車蒸気タービン（８ｂ）を爆発力と霧吹きの原理により水噴射駆動して各種農業機械に各種水タンクと共に搭載したｂ型エネルキ保存サイクル合体機関。
【請求項５０６】
撥水鍍金や加熱高温で摩擦低減した弾み車蒸気タービン（８ｂ）を爆発力と霧吹きの原理により水噴射駆動して各種機関車に各種水タンクと共に搭載したｂ型エネルキ保存サイクル合体機関。
【請求項５０７】
撥水鍍金や加熱高温で摩擦低減した弾み車蒸気タービン（８ｂ）を爆発力と霧吹きの原理により水噴射駆動して各種作業車に各種水タンクと共に搭載したｂ型エネルキ保存サイクル合体機関。
【請求項５０８】
撥水鍍金や加熱高温で摩擦低減した弾み車蒸気タービン（８ｂ）を爆発力と霧吹きの原理により水噴射駆動して各種逆電車に各種水タンクと共に搭載したｂ型エネルキ保存サイクル合体機関。
【請求項５０９】
撥水鍍金や加熱高温で摩擦低減した弾み車蒸気タービン（８ｂ）を爆発力と霧吹きの原理により水噴射駆動して各種戦闘車両に各種水タンクと共に搭載したｂ型エネルキ保存サイクル合体機関。
【請求項５１０】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｂ型エネルキ保存サイクル合体機関。
【請求項５１１】
撥水鍍金や加熱高温で摩擦低減した弾み車蒸気タービン（８ｂ）を爆発力と霧吹きの原理により水噴射駆動して各種ヘリコプターに各種水タンクと共に搭載したｂ型エネルキ保存サイクル合体機関。
【請求項５１２】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｂ型エネルキ保存サイクル合体機関。
【請求項５１３】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｂ型エネルキ保存サイクル合体機関。
【請求項５１４】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｂ型エネルキ保存サイクル合体機関。
【請求項５１５】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｂ型エネルキ保存サイクル合体機関。
【請求項５１６】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｂ型エネルキ保存サイクル合体機関。
【請求項５１７】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｂ型エネルキ保存サイクル合体機関。
【請求項５１８】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｂ型エネルキ保存サイクル合体機関。
【請求項５１９】
撥水鍍金や加熱高温で摩擦低減した弾み車蒸気タービン（８ｂ）を爆発力と霧吹きの原理により水噴射駆動して各種プロペラ船舶に各種水タンクと共に搭載したｂ型エネルキ保存サイクル合体機関。
【請求項５２０】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｂ型エネルキ保存サイクル合体機関。
【請求項５２１】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｂ型エネルキ保存サイクル合体機関。
【請求項５２２】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｂ型エネルキ保存サイクル合体機関。
【請求項５２３】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｂ型エネルキ保存サイクル合体機関。
【請求項５２４】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｂ型エネルキ保存サイクル合体機関。
【請求項５２５】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｂ型エネルキ保存サイクル合体機関。
【請求項５２６】
撥水鍍金や加熱高温で摩擦低減した弾み車蒸気タービン（８ｂ）を爆発力と霧吹きの原理により水噴射駆動して各種自動車に各種水タンクと共に搭載したｃ型エネルキ保存サイクル合体機関。
【請求項５２７】
撥水鍍金や加熱高温で摩擦低減した弾み車蒸気タービン（８ｂ）を爆発力と霧吹きの原理により水噴射駆動して各種電車に各種水タンクと共に搭載したｃ型エネルキ保存サイクル合体機関。
【請求項５２８】
撥水鍍金や加熱高温で摩擦低減した弾み車蒸気タービン（８ｂ）を爆発力と霧吹きの原理により水噴射駆動して各種貨物自動車に各種水タンクと共に搭載したｃ型エネルキ保存サイクル合体機関。
【請求項５２９】
撥水鍍金や加熱高温で摩擦低減した弾み車蒸気タービン（８ｂ）を爆発力と霧吹きの原理により水噴射駆動して各種乗用自動車に各種水タンクと共に搭載したｃ型エネルキ保存サイクル合体機関。
【請求項５３０】
撥水鍍金や加熱高温で摩擦低減した弾み車蒸気タービン（８ｂ）を爆発力と霧吹きの原理により水噴射駆動して各種農業機械に各種水タンクと共に搭載したｃ型エネルキ保存サイクル合体機関。
【請求項５３１】
撥水鍍金や加熱高温で摩擦低減した弾み車蒸気タービン（８ｂ）を爆発力と霧吹きの原理により水噴射駆動して各種機関車に各種水タンクと共に搭載したｃ型エネルキ保存サイクル合体機関。
【請求項５３２】
撥水鍍金や加熱高温で摩擦低減した弾み車蒸気タービン（８ｂ）を爆発力と霧吹きの原理により水噴射駆動して各種作業車に各種水タンクと共に搭載したｃ型エネルキ保存サイクル合体機関。
【請求項５３３】
撥水鍍金や加熱高温で摩擦低減した弾み車蒸気タービン（８ｂ）を爆発力と霧吹きの原理により水噴射駆動して各種逆電車に各種水タンクと共に搭載したｃ型エネルキ保存サイクル合体機関。
【請求項５３４】
撥水鍍金や加熱高温で摩擦低減した弾み車蒸気タービン（８ｂ）を爆発力と霧吹きの原理により水噴射駆動して各種戦闘車両に各種水タンクと共に搭載したｃ型エネルキ保存サイクル合体機関。
【請求項５３５】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｃ型エネルキ保存サイクル合体機関。
【請求項５３６】
撥水鍍金や加熱高温で摩擦低減した弾み車蒸気タービン（８ｂ）を爆発力と霧吹きの原理により水噴射駆動して各種ヘリコプターに各種水タンクと共に搭載したｃ型エネルキ保存サイクル合体機関。
【請求項５３７】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｃ型エネルキ保存サイクル合体機関。
【請求項５３８】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｃ型エネルキ保存サイクル合体機関。
【請求項５３９】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｃ型エネルキ保存サイクル合体機関。
【請求項５４０】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｃ型エネルキ保存サイクル合体機関。
【請求項５４１】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｃ型エネルキ保存サイクル合体機関。
【請求項５４２】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｃ型エネルキ保存サイクル合体機関。
【請求項５４３】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｃ型エネルキ保存サイクル合体機関。
【請求項５４４】
撥水鍍金や加熱高温で摩擦低減した弾み車蒸気タービン（８ｂ）を爆発力と霧吹きの原理により水噴射駆動して各種プロペラ船舶に各種水タンクと共に搭載したｃ型エネルキ保存サイクル合体機関。
【請求項５４５】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｃ型エネルキ保存サイクル合体機関。
【請求項５４６】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｃ型エネルキ保存サイクル合体機関。
【請求項５４７】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｃ型エネルキ保存サイクル合体機関。
【請求項５４８】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｃ型エネルキ保存サイクル合体機関。
【請求項５４９】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｃ型エネルキ保存サイクル合体機関。
【請求項５５０】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｃ型エネルキ保存サイクル合体機関。
【請求項５５１】
撥水鍍金や加熱高温で摩擦低減した弾み車蒸気タービン（８ｂ）を爆発力と霧吹きの原理により水噴射駆動して各種自動車に各種水タンクと共に搭載したｄ型エネルキ保存サイクル合体機関。
【請求項５５２】
撥水鍍金や加熱高温で摩擦低減した弾み車蒸気タービン（８ｂ）を爆発力と霧吹きの原理により水噴射駆動して各種電車に各種水タンクと共に搭載したｄ型エネルキ保存サイクル合体機関。
【請求項５５３】
撥水鍍金や加熱高温で摩擦低減した弾み車蒸気タービン（８ｂ）を爆発力と霧吹きの原理により水噴射駆動して各種貨物自動車に各種水タンクと共に搭載したｄ型エネルキ保存サイクル合体機関。
【請求項５５４】
撥水鍍金や加熱高温で摩擦低減した弾み車蒸気タービン（８ｂ）を爆発力と霧吹きの原理により水噴射駆動して各種乗用自動車に各種水タンクと共に搭載したｄ型エネルキ保存サイクル合体機関。
【請求項５５５】
撥水鍍金や加熱高温で摩擦低減した弾み車蒸気タービン（８ｂ）を爆発力と霧吹きの原理により水噴射駆動して各種農業機械に各種水タンクと共に搭載したｄ型エネルキ保存サイクル合体機関。
【請求項５５６】
撥水鍍金や加熱高温で摩擦低減した弾み車蒸気タービン（８ｂ）を爆発力と霧吹きの原理により水噴射駆動して各種機関車に各種水タンクと共に搭載したｄ型エネルキ保存サイクル合体機関。
【請求項５５７】
撥水鍍金や加熱高温で摩擦低減した弾み車蒸気タービン（８ｂ）を爆発力と霧吹きの原理により水噴射駆動して各種作業車に各種水タンクと共に搭載したｄ型エネルキ保存サイクル合体機関。
【請求項５５８】
撥水鍍金や加熱高温で摩擦低減した弾み車蒸気タービン（８ｂ）を爆発力と霧吹きの原理により水噴射駆動して各種逆電車に各種水タンクと共に搭載したｄ型エネルキ保存サイクル合体機関。
【請求項５５９】
撥水鍍金や加熱高温で摩擦低減した弾み車蒸気タービン（８ｂ）を爆発力と霧吹きの原理により水噴射駆動して各種戦闘車両に各種水タンクと共に搭載したｄ型エネルキ保存サイクル合体機関。
【請求項５６０】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｄ型エネルキ保存サイクル合体機関。
【請求項５６１】
撥水鍍金や加熱高温で摩擦低減した弾み車蒸気タービン（８ｂ）を爆発力と霧吹きの原理により水噴射駆動して各種ヘリコプターに各種水タンクと共に搭載したｄ型エネルキ保存サイクル合体機関。
【請求項５６２】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｄ型エネルキ保存サイクル合体機関。
【請求項５６３】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｄ型エネルキ保存サイクル合体機関。
【請求項５６４】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｄ型エネルキ保存サイクル合体機関。
【請求項５６５】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｄ型エネルキ保存サイクル合体機関。
【請求項５６６】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｄ型エネルキ保存サイクル合体機関。
【請求項５６７】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｄ型エネルキ保存サイクル合体機関。
【請求項５６８】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｄ型エネルキ保存サイクル合体機関。
【請求項５６９】
撥水鍍金や加熱高温で摩擦低減した弾み車蒸気タービン（８ｂ）を爆発力と霧吹きの原理により水噴射駆動して各種プロペラ船舶に各種水タンクと共に搭載したｄ型エネルキ保存サイクル合体機関。
【請求項５７０】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｄ型エネルキ保存サイクル合体機関。
【請求項５７１】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｄ型エネルキ保存サイクル合体機関。
【請求項５７２】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｄ型エネルキ保存サイクル合体機関。
【請求項５７３】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｄ型エネルキ保存サイクル合体機関。
【請求項５７４】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｄ型エネルキ保存サイクル合体機関。
【請求項５７５】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｄ型エネルキ保存サイクル合体機関。
【請求項５７６】
撥水鍍金や加熱高温で摩擦低減した弾み車蒸気タービン（８ｂ）を爆発力と霧吹きの原理により水噴射駆動して各種自動車に各種水タンクと共に搭載したｅ型エネルキ保存サイクル合体機関。
【請求項５７７】
撥水鍍金や加熱高温で摩擦低減した弾み車蒸気タービン（８ｂ）を爆発力と霧吹きの原理により水噴射駆動して各種電車に各種水タンクと共に搭載したｅ型エネルキ保存サイクル合体機関。
【請求項５７８】
撥水鍍金や加熱高温で摩擦低減した弾み車蒸気タービン（８ｂ）を爆発力と霧吹きの原理により水噴射駆動して各種貨物自動車に各種水タンクと共に搭載したｅ型エネルキ保存サイクル合体機関。
【請求項５７９】
撥水鍍金や加熱高温で摩擦低減した弾み車蒸気タービン（８ｂ）を爆発力と霧吹きの原理により水噴射駆動して各種乗用自動車に各種水タンクと共に搭載したｅ型エネルキ保存サイクル合体機関。
【請求項５８０】
撥水鍍金や加熱高温で摩擦低減した弾み車蒸気タービン（８ｂ）を爆発力と霧吹きの原理により水噴射駆動して各種農業機械に各種水タンクと共に搭載したｅ型エネルキ保存サイクル合体機関。
【請求項５８１】
撥水鍍金や加熱高温で摩擦低減した弾み車蒸気タービン（８ｂ）を爆発力と霧吹きの原理により水噴射駆動して各種機関車に各種水タンクと共に搭載したｅ型エネルキ保存サイクル合体機関。
【請求項５８２】
撥水鍍金や加熱高温で摩擦低減した弾み車蒸気タービン（８ｂ）を爆発力と霧吹きの原理により水噴射駆動して各種作業車に各種水タンクと共に搭載したｅ型エネルキ保存サイクル合体機関。
【請求項５８３】
撥水鍍金や加熱高温で摩擦低減した弾み車蒸気タービン（８ｂ）を爆発力と霧吹きの原理により水噴射駆動して各種逆電車に各種水タンクと共に搭載したｅ型エネルキ保存サイクル合体機関。
【請求項５８４】
撥水鍍金や加熱高温で摩擦低減した弾み車蒸気タービン（８ｂ）を爆発力と霧吹きの原理により水噴射駆動して各種戦闘車両に各種水タンクと共に搭載したｅ型エネルキ保存サイクル合体機関。
【請求項５８５】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｅ型エネルキ保存サイクル合体機関。
【請求項５８６】
撥水鍍金や加熱高温で摩擦低減した弾み車蒸気タービン（８ｂ）を爆発力と霧吹きの原理により水噴射駆動して各種ヘリコプターに各種水タンクと共に搭載したｅ型エネルキ保存サイクル合体機関。
【請求項５８７】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｅ型エネルキ保存サイクル合体機関。
【請求項５８８】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｅ型エネルキ保存サイクル合体機関。
【請求項５８９】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｅ型エネルキ保存サイクル合体機関。
【請求項５９０】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｅ型エネルキ保存サイクル合体機関。
【請求項５９１】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｅ型エネルキ保存サイクル合体機関。
【請求項５９２】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｅ型エネルキ保存サイクル合体機関。
【請求項５９３】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｅ型エネルキ保存サイクル合体機関。
【請求項５９４】
撥水鍍金や加熱高温で摩擦低減した弾み車蒸気タービン（８ｂ）を爆発力と霧吹きの原理により水噴射駆動して各種プロペラ船舶に各種水タンクと共に搭載したｅ型エネルキ保存サイクル合体機関。
【請求項５９５】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｅ型エネルキ保存サイクル合体機関。
【請求項５９６】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｅ型エネルキ保存サイクル合体機関。
【請求項５９７】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｅ型エネルキ保存サイクル合体機関。
【請求項５９８】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｅ型エネルキ保存サイクル合体機関。
【請求項５９９】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｅ型エネルキ保存サイクル合体機関。
【請求項６００】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｅ型エネルキ保存サイクル合体機関。
【請求項６０１】
撥水鍍金や加熱高温で摩擦低減した弾み車蒸気タービン（８ｂ）を爆発力と霧吹きの原理により水噴射駆動して各種自動車に各種水タンクと共に搭載したｆ型エネルキ保存サイクル合体機関。
【請求項６０２】
撥水鍍金や加熱高温で摩擦低減した弾み車蒸気タービン（８ｂ）を爆発力と霧吹きの原理により水噴射駆動して各種電車に各種水タンクと共に搭載したｆ型エネルキ保存サイクル合体機関。
【請求項６０３】
撥水鍍金や加熱高温で摩擦低減した弾み車蒸気タービン（８ｂ）を爆発力と霧吹きの原理により水噴射駆動して各種貨物自動車に各種水タンクと共に搭載したｆ型エネルキ保存サイクル合体機関。
【請求項６０４】
撥水鍍金や加熱高温で摩擦低減した弾み車蒸気タービン（８ｂ）を爆発力と霧吹きの原理により水噴射駆動して各種乗用自動車に各種水タンクと共に搭載したｆ型エネルキ保存サイクル合体機関。
【請求項６０５】
撥水鍍金や加熱高温で摩擦低減した弾み車蒸気タービン（８ｂ）を爆発力と霧吹きの原理により水噴射駆動して各種農業機械に各種水タンクと共に搭載したｆ型エネルキ保存サイクル合体機関。
【請求項６０６】
撥水鍍金や加熱高温で摩擦低減した弾み車蒸気タービン（８ｂ）を爆発力と霧吹きの原理により水噴射駆動して各種機関車に各種水タンクと共に搭載したｆ型エネルキ保存サイクル合体機関。
【請求項６０７】
撥水鍍金や加熱高温で摩擦低減した弾み車蒸気タービン（８ｂ）を爆発力と霧吹きの原理により水噴射駆動して各種作業車に各種水タンクと共に搭載したｆ型エネルキ保存サイクル合体機関。
【請求項６０８】
撥水鍍金や加熱高温で摩擦低減した弾み車蒸気タービン（８ｂ）を爆発力と霧吹きの原理により水噴射駆動して各種逆電車に各種水タンクと共に搭載したｆ型エネルキ保存サイクル合体機関。
【請求項６０９】
撥水鍍金や加熱高温で摩擦低減した弾み車蒸気タービン（８ｂ）を爆発力と霧吹きの原理により水噴射駆動して各種戦闘車両に各種水タンクと共に搭載したｆ型エネルキ保存サイクル合体機関。
【請求項６１０】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｆ型エネルキ保存サイクル合体機関。
【請求項６１１】
撥水鍍金や加熱高温で摩擦低減した弾み車蒸気タービン（８ｂ）を爆発力と霧吹きの原理により水噴射駆動して各種ヘリコプターに各種水タンクと共に搭載したｆ型エネルキ保存サイクル合体機関。
【請求項６１２】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｆ型エネルキ保存サイクル合体機関。
【請求項６１３】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｆ型エネルキ保存サイクル合体機関。
【請求項６１４】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｆ型エネルキ保存サイクル合体機関。
【請求項６１５】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｆ型エネルキ保存サイクル合体機関。
【請求項６１６】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｆ型エネルキ保存サイクル合体機関。
【請求項６１７】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｆ型エネルキ保存サイクル合体機関。
【請求項６１８】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｆ型エネルキ保存サイクル合体機関。
【請求項６１９】
撥水鍍金や加熱高温で摩擦低減した弾み車蒸気タービン（８ｂ）を爆発力と霧吹きの原理により水噴射駆動して各種プロペラ船舶に各種水タンクと共に搭載したｆ型エネルキ保存サイクル合体機関。
【請求項６２０】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｆ型エネルキ保存サイクル合体機関。
【請求項６２１】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｆ型エネルキ保存サイクル合体機関。
【請求項６２２】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｆ型エネルキ保存サイクル合体機関。
【請求項６２３】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｆ型エネルキ保存サイクル合体機関。
【請求項６２４】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｆ型エネルキ保存サイクル合体機関。
【請求項６２５】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｆ型エネルキ保存サイクル合体機関。
【請求項６２６】
撥水鍍金や加熱高温で摩擦低減した弾み車蒸気タービン（８ｂ）を爆発力と霧吹きの原理により水噴射駆動して各種自動車に各種水タンクと共に搭載したｇ型エネルキ保存サイクル合体機関。
【請求項６２７】
撥水鍍金や加熱高温で摩擦低減した弾み車蒸気タービン（８ｂ）を爆発力と霧吹きの原理により水噴射駆動して各種電車に各種水タンクと共に搭載したｇ型エネルキ保存サイクル合体機関。
【請求項６２８】
撥水鍍金や加熱高温で摩擦低減した弾み車蒸気タービン（８ｂ）を爆発力と霧吹きの原理により水噴射駆動して各種貨物自動車に各種水タンクと共に搭載したｇ型エネルキ保存サイクル合体機関。
【請求項６２９】
撥水鍍金や加熱高温で摩擦低減した弾み車蒸気タービン（８ｂ）を爆発力と霧吹きの原理により水噴射駆動して各種乗用自動車に各種水タンクと共に搭載したｇ型エネルキ保存サイクル合体機関。
【請求項６３０】
撥水鍍金や加熱高温で摩擦低減した弾み車蒸気タービン（８ｂ）を爆発力と霧吹きの原理により水噴射駆動して各種農業機械に各種水タンクと共に搭載したｇ型エネルキ保存サイクル合体機関。
【請求項６３１】
撥水鍍金や加熱高温で摩擦低減した弾み車蒸気タービン（８ｂ）を爆発力と霧吹きの原理により水噴射駆動して各種機関車に各種水タンクと共に搭載したｇ型エネルキ保存サイクル合体機関。
【請求項６３２】
撥水鍍金や加熱高温で摩擦低減した弾み車蒸気タービン（８ｂ）を爆発力と霧吹きの原理により水噴射駆動して各種作業車に各種水タンクと共に搭載したｇ型エネルキ保存サイクル合体機関。
【請求項６３３】
撥水鍍金や加熱高温で摩擦低減した弾み車蒸気タービン（８ｂ）を爆発力と霧吹きの原理により水噴射駆動して各種逆電車に各種水タンクと共に搭載したｇ型エネルキ保存サイクル合体機関。
【請求項６３４】
撥水鍍金や加熱高温で摩擦低減した弾み車蒸気タービン（８ｂ）を爆発力と霧吹きの原理により水噴射駆動して各種戦闘車両に各種水タンクと共に搭載したｇ型エネルキ保存サイクル合体機関。
【請求項６３５】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｇ型エネルキ保存サイクル合体機関。
【請求項６３６】
撥水鍍金や加熱高温で摩擦低減した弾み車蒸気タービン（８ｂ）を爆発力と霧吹きの原理により水噴射駆動して各種ヘリコプターに各種水タンクと共に搭載したｇ型エネルキ保存サイクル合体機関。
【請求項６３７】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｇ型エネルキ保存サイクル合体機関。
【請求項６３８】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｇ型エネルキ保存サイクル合体機関。
【請求項６３９】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｇ型エネルキ保存サイクル合体機関。
【請求項６４０】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｇ型エネルキ保存サイクル合体機関。
【請求項６４１】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｇ型エネルキ保存サイクル合体機関。
【請求項６４２】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｇ型エネルキ保存サイクル合体機関。
【請求項６４３】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｇ型エネルキ保存サイクル合体機関。
【請求項６４４】
撥水鍍金や加熱高温で摩擦低減した弾み車蒸気タービン（８ｂ）を爆発力と霧吹きの原理により水噴射駆動して各種プロペラ船舶に各種水タンクと共に搭載したｇ型エネルキ保存サイクル合体機関。
【請求項６４５】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｇ型エネルキ保存サイクル合体機関。
【請求項６４６】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｇ型エネルキ保存サイクル合体機関。
【請求項６４７】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｇ型エネルキ保存サイクル合体機関。
【請求項６４８】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｇ型エネルキ保存サイクル合体機関。
【請求項６４９】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｇ型エネルキ保存サイクル合体機関。
【請求項６５０】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｇ型エネルキ保存サイクル合体機関。
【請求項６５１】
撥水鍍金や加熱高温で摩擦低減した弾み車蒸気タービン（８ｂ）を爆発力と霧吹きの原理により水噴射駆動して各種自動車に各種水タンクと共に搭載したｈ型エネルキ保存サイクル合体機関。
【請求項６５２】
撥水鍍金や加熱高温で摩擦低減した弾み車蒸気タービン（８ｂ）を爆発力と霧吹きの原理により水噴射駆動して各種電車に各種水タンクと共に搭載したｈ型エネルキ保存サイクル合体機関。
【請求項６５３】
撥水鍍金や加熱高温で摩擦低減した弾み車蒸気タービン（８ｂ）を爆発力と霧吹きの原理により水噴射駆動して各種貨物自動車に各種水タンクと共に搭載したｈ型エネルキ保存サイクル合体機関。
【請求項６５４】
撥水鍍金や加熱高温で摩擦低減した弾み車蒸気タービン（８ｂ）を爆発力と霧吹きの原理により水噴射駆動して各種乗用自動車に各種水タンクと共に搭載したｈ型エネルキ保存サイクル合体機関。
【請求項６５５】
撥水鍍金や加熱高温で摩擦低減した弾み車蒸気タービン（８ｂ）を爆発力と霧吹きの原理により水噴射駆動して各種農業機械に各種水タンクと共に搭載したｈ型エネルキ保存サイクル合体機関。
【請求項６５６】
撥水鍍金や加熱高温で摩擦低減した弾み車蒸気タービン（８ｂ）を爆発力と霧吹きの原理により水噴射駆動して各種機関車に各種水タンクと共に搭載したｈ型エネルキ保存サイクル合体機関。
【請求項６５７】
撥水鍍金や加熱高温で摩擦低減した弾み車蒸気タービン（８ｂ）を爆発力と霧吹きの原理により水噴射駆動して各種作業車に各種水タンクと共に搭載したｈ型エネルキ保存サイクル合体機関。
【請求項６５８】
撥水鍍金や加熱高温で摩擦低減した弾み車蒸気タービン（８ｂ）を爆発力と霧吹きの原理により水噴射駆動して各種逆電車に各種水タンクと共に搭載したｈ型エネルキ保存サイクル合体機関。
【請求項６５９】
撥水鍍金や加熱高温で摩擦低減した弾み車蒸気タービン（８ｂ）を爆発力と霧吹きの原理により水噴射駆動して各種戦闘車両に各種水タンクと共に搭載したｈ型エネルキ保存サイクル合体機関。
【請求項６６０】
撥水鍍金や加熱高温で摩擦低減した弾み車蒸気タービン（８ｂ）を爆発力と霧吹きの原理により水噴射駆動して各種プロペラ飛行機に各種水タンクと共に搭載したｈ型エネルキ保存サイクル合体機関。
【請求項６６１】
撥水鍍金や加熱高温で摩擦低減した弾み車蒸気タービン（８ｂ）を爆発力と霧吹きの原理により水噴射駆動して各種ヘリコプターに各種水タンクと共に搭載したｈ型エネルキ保存サイクル合体機関。
【請求項６６２】
撥水鍍金や加熱高温で摩擦低減した弾み車蒸気タービン（８ｂ）を爆発力と霧吹きの原理により水噴射駆動して各種戦闘ヘリコプターに各種水タンクと共に搭載したｈ型エネルキ保存サイクル合体機関。
【請求項６６３】
撥水鍍金や加熱高温で摩擦低減した弾み車蒸気タービン（８ｂ）を爆発力と霧吹きの原理により水噴射駆動して各種噴射推進飛行機に各種水タンクと共に搭載したｈ型エネルキ保存サイクル合体機関。
【請求項６６４】
撥水鍍金や加熱高温で摩擦低減した弾み車蒸気タービン（８ｂ）を爆発力と霧吹きの原理により水噴射駆動して各種噴射推進戦闘飛行機に各種水タンクと共に搭載したｈ型エネルキ保存サイクル合体機関。
【請求項６６５】
撥水鍍金や加熱高温で摩擦低減した弾み車蒸気タービン（８ｂ）を爆発力と霧吹きの原理により水噴射駆動して各種超音速噴射推進飛行機に各種水タンクと共に搭載したｈ型エネルキ保存サイクル合体機関。
【請求項６６６】
撥水鍍金や加熱高温で摩擦低減した弾み車蒸気タービン（８ｂ）を爆発力と霧吹きの原理により水噴射駆動して各種超音速噴射推進戦闘飛行機に各種水タンクと共に搭載したｈ型エネルキ保存サイクル合体機関。
【請求項６６７】
撥水鍍金や加熱高温で摩擦低減した弾み車蒸気タービン（８ｂ）を爆発力と霧吹きの原理により水噴射駆動して各種空気吸引噴射推進船舶に各種水タンクと共に搭載したｈ型エネルキ保存サイクル合体機関。
【請求項６６８】
撥水鍍金や加熱高温で摩擦低減した弾み車蒸気タービン（８ｂ）を爆発力と霧吹きの原理により水噴射駆動して各種空気吸引噴射推進戦闘船舶に各種水タンクと共に搭載したｈ型エネルキ保存サイクル合体機関。
【請求項６６９】
撥水鍍金や加熱高温で摩擦低減した弾み車蒸気タービン（８ｂ）を爆発力と霧吹きの原理により水噴射駆動して各種プロペラ船舶に各種水タンクと共に搭載したｈ型エネルキ保存サイクル合体機関。
【請求項６７０】
撥水鍍金や加熱高温で摩擦低減した弾み車蒸気タービン（８ｂ）を爆発力と霧吹きの原理により水噴射駆動して各種プロペラ推進戦闘船舶に各種水タンクと共に搭載したｈ型エネルキ保存サイクル合体機関。
【請求項６７１】
撥水鍍金や加熱高温で摩擦低減した弾み車蒸気タービン（８ｂ）を爆発力と霧吹きの原理により水噴射駆動して各種水噴射推進船舶に各種水タンクと共に搭載したｈ型エネルキ保存サイクル合体機関。
【請求項６７２】
撥水鍍金や加熱高温で摩擦低減した弾み車蒸気タービン（８ｂ）を爆発力と霧吹きの原理により水噴射駆動して各種水噴射推進戦闘船舶に各種水タンクと共に搭載したｈ型エネルキ保存サイクル合体機関。
【請求項６７３】
撥水鍍金や加熱高温で摩擦低減した弾み車蒸気タービン（８ｂ）を爆発力と霧吹きの原理により水噴射駆動して各種水噴射推進漁業用船舶に各種水タンクと共に搭載したｈ型エネルキ保存サイクル合体機関。
【請求項６７４】
撥水鍍金や加熱高温で摩擦低減した弾み車蒸気タービン（８ｂ）を爆発力と霧吹きの原理により水噴射駆動して各種水噴射推進貨物船舶に各種水タンクと共に搭載したｈ型エネルキ保存サイクル合体機関。
【請求項６７５】
撥水鍍金や加熱高温で摩擦低減した弾み車蒸気タービン（８ｂ）を爆発力と霧吹きの原理により水噴射駆動して各種水噴射推進旅客船舶に各種水タンクと共に搭載したｈ型エネルキ保存サイクル合体機関。
【請求項６７６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したエネルギ保存サイクル合体機関。
【請求項６７７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したエネルギ保存サイクル合体機関。
【請求項６７８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したエネルギ保存サイクル合体機関。
【請求項６７９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したエネルギ保存サイクル合体機関。
【請求項６８０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したエネルギ保存サイクル合体機関。
【請求項６８１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したエネルギ保存サイクル合体機関。
【請求項６８２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したエネルギ保存サイクル合体機関。
【請求項６８３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したエネルギ保存サイクル合体機関。
【請求項６８４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したエネルギ保存サイクル合体機関。
【請求項６８５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したエネルギ保存サイクル合体機関。
【請求項６８６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したエネルギ保存サイクル合体機関。
【請求項６８７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したａ型エネルキ保存サイクル合体機関。
【請求項６８８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したａ型エネルキ保存サイクル合体機関。
【請求項６８９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したａ型エネルキ保存サイクル合体機関。
【請求項６９０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したａ型エネルキ保存サイクル合体機関。
【請求項６９１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したａ型エネルキ保存サイクル合体機関。
【請求項６９２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したａ型エネルキ保存サイクル合体機関。
【請求項６９３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したａ型エネルキ保存サイクル合体機関。
【請求項６９４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したａ型エネルキ保存サイクル合体機関。
【請求項６９５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したａ型エネルキ保存サイクル合体機関。
【請求項６９６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したａ型エネルキ保存サイクル合体機関。
【請求項６９７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したａ型エネルキ保存サイクル合体機関。
【請求項６９８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｂ型エネルキ保存サイクル合体機関。
【請求項６９９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｂ型エネルキ保存サイクル合体機関。
【請求項７００】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｂ型エネルキ保存サイクル合体機関。
【請求項７０１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｂ型エネルキ保存サイクル合体機関。
【請求項７０２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｂ型エネルキ保存サイクル合体機関。
【請求項７０３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｂ型エネルキ保存サイクル合体機関。
【請求項７０４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｂ型エネルキ保存サイクル合体機関。
【請求項７０５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｂ型エネルキ保存サイクル合体機関。
【請求項７０６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｂ型エネルキ保存サイクル合体機関。
【請求項７０７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｂ型エネルキ保存サイクル合体機関。
【請求項７０８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｂ型エネルキ保存サイクル合体機関。
【請求項７０９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｃ型エネルキ保存サイクル合体機関。
【請求項７１０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｃ型エネルキ保存サイクル合体機関。
【請求項７１１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｃ型エネルキ保存サイクル合体機関。
【請求項７１２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｃ型エネルキ保存サイクル合体機関。
【請求項７１３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｃ型エネルキ保存サイクル合体機関。
【請求項７１４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｃ型エネルキ保存サイクル合体機関。
【請求項７１５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｃ型エネルキ保存サイクル合体機関。
【請求項７１６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｃ型エネルキ保存サイクル合体機関。
【請求項７１７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｃ型エネルキ保存サイクル合体機関。
【請求項７１８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｃ型エネルキ保存サイクル合体機関。
【請求項７１９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｃ型エネルキ保存サイクル合体機関。
【請求項７２０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｄ型エネルキ保存サイクル合体機関。
【請求項７２１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｄ型エネルキ保存サイクル合体機関。
【請求項７２２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｄ型エネルキ保存サイクル合体機関。
【請求項７２３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｄ型エネルキ保存サイクル合体機関。
【請求項７２４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｄ型エネルキ保存サイクル合体機関。
【請求項７２５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｄ型エネルキ保存サイクル合体機関。
【請求項７２６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｄ型エネルキ保存サイクル合体機関。
【請求項７２７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｄ型エネルキ保存サイクル合体機関。
【請求項７２８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｄ型エネルキ保存サイクル合体機関。
【請求項７２９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｄ型エネルキ保存サイクル合体機関。
【請求項７３０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｄ型エネルキ保存サイクル合体機関。
【請求項７３１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｅ型エネルキ保存サイクル合体機関。
【請求項７３２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｅ型エネルキ保存サイクル合体機関。
【請求項７３３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｅ型エネルキ保存サイクル合体機関。
【請求項７３４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｅ型エネルキ保存サイクル合体機関。
【請求項７３５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｅ型エネルキ保存サイクル合体機関。
【請求項７３６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｅ型エネルキ保存サイクル合体機関。
【請求項７３７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｅ型エネルキ保存サイクル合体機関。
【請求項７３８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｅ型エネルキ保存サイクル合体機関。
【請求項７３９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｅ型エネルキ保存サイクル合体機関。
【請求項７４０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｅ型エネルキ保存サイクル合体機関。
【請求項７４１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｅ型エネルキ保存サイクル合体機関。
【請求項７４２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｆ型エネルキ保存サイクル合体機関。
【請求項７４３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｆ型エネルキ保存サイクル合体機関。
【請求項７４４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｆ型エネルキ保存サイクル合体機関。
【請求項７４５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｆ型エネルキ保存サイクル合体機関。
【請求項７４６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｆ型エネルキ保存サイクル合体機関。
【請求項７４７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｆ型エネルキ保存サイクル合体機関。
【請求項７４８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｆ型エネルキ保存サイクル合体機関。
【請求項７４９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｆ型エネルキ保存サイクル合体機関。
【請求項７５０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｆ型エネルキ保存サイクル合体機関。
【請求項７５１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｆ型エネルキ保存サイクル合体機関。
【請求項７５２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｆ型エネルキ保存サイクル合体機関。
【請求項７５３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｇ型エネルキ保存サイクル合体機関。
【請求項７５４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｇ型エネルキ保存サイクル合体機関。
【請求項７５５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｇ型エネルキ保存サイクル合体機関。
【請求項７５６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｇ型エネルキ保存サイクル合体機関。
【請求項７５７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｇ型エネルキ保存サイクル合体機関。
【請求項７５８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｇ型エネルキ保存サイクル合体機関。
【請求項７５９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｇ型エネルキ保存サイクル合体機関。
【請求項７６０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｇ型エネルキ保存サイクル合体機関。
【請求項７６１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｇ型エネルキ保存サイクル合体機関。
【請求項７６２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｇ型エネルキ保存サイクル合体機関。
【請求項７６３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｇ型エネルキ保存サイクル合体機関。
【請求項７６４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｈ型エネルキ保存サイクル合体機関。
【請求項７６５】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｈ型エネルキ保存サイクル合体機関。
【請求項７６６】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｈ型エネルキ保存サイクル合体機関。
【請求項７６７】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｈ型エネルキ保存サイクル合体機関。
【請求項７６８】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｈ型エネルキ保存サイクル合体機関。
【請求項７６９】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｈ型エネルキ保存サイクル合体機関。
【請求項７７０】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｈ型エネルキ保存サイクル合体機関。
【請求項７７１】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｈ型エネルキ保存サイクル合体機関。
【請求項７７２】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｈ型エネルキ保存サイクル合体機関。
【請求項７７３】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｈ型エネルキ保存サイクル合体機関。
【請求項７７４】
撥水鍍金や加熱高温で摩擦低減した弾み車タービン（８）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｈ型エネルキ保存サイクル合体機関。
【請求項７７５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したエネルギ保存サイクル合体機関。
【請求項７７６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したエネルギ保存サイクル合体機関。
【請求項７７７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したエネルギ保存サイクル合体機関。
【請求項７７８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したエネルギ保存サイクル合体機関。
【請求項７７９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したエネルギ保存サイクル合体機関。
【請求項７８０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したエネルギ保存サイクル合体機関。
【請求項７８１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したエネルギ保存サイクル合体機関。
【請求項７８２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したエネルギ保存サイクル合体機関。
【請求項７８３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したエネルギ保存サイクル合体機関。
【請求項７８４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したエネルギ保存サイクル合体機関。
【請求項７８５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したエネルギ保存サイクル合体機関。
【請求項７８６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したａ型エネルキ保存サイクル合体機関。
【請求項７８７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したａ型エネルキ保存サイクル合体機関。
【請求項７８８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したａ型エネルキ保存サイクル合体機関。
【請求項７８９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したａ型エネルキ保存サイクル合体機関。
【請求項７９０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したａ型エネルキ保存サイクル合体機関。
【請求項７９１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したａ型エネルキ保存サイクル合体機関。
【請求項７９２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したａ型エネルキ保存サイクル合体機関。
【請求項７９３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したａ型エネルキ保存サイクル合体機関。
【請求項７９４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したａ型エネルキ保存サイクル合体機関。
【請求項７９５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したａ型エネルキ保存サイクル合体機関。
【請求項７９６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したａ型エネルキ保存サイクル合体機関。
【請求項７９７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｂ型エネルキ保存サイクル合体機関。
【請求項７９８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｂ型エネルキ保存サイクル合体機関。
【請求項７９９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｂ型エネルキ保存サイクル合体機関。
【請求項８００】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｂ型エネルキ保存サイクル合体機関。
【請求項８０１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｂ型エネルキ保存サイクル合体機関。
【請求項８０２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｂ型エネルキ保存サイクル合体機関。
【請求項８０３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｂ型エネルキ保存サイクル合体機関。
【請求項８０４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｂ型エネルキ保存サイクル合体機関。
【請求項８０５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｂ型エネルキ保存サイクル合体機関。
【請求項８０６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｂ型エネルキ保存サイクル合体機関。
【請求項８０７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｂ型エネルキ保存サイクル合体機関。
【請求項８０８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｃ型エネルキ保存サイクル合体機関。
【請求項８０９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｃ型エネルキ保存サイクル合体機関。
【請求項８１０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｃ型エネルキ保存サイクル合体機関。
【請求項８１１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｃ型エネルキ保存サイクル合体機関。
【請求項８１２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｃ型エネルキ保存サイクル合体機関。
【請求項８１３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｃ型エネルキ保存サイクル合体機関。
【請求項８１４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｃ型エネルキ保存サイクル合体機関。
【請求項８１５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｃ型エネルキ保存サイクル合体機関。
【請求項８１６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｃ型エネルキ保存サイクル合体機関。
【請求項８１７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｃ型エネルキ保存サイクル合体機関。
【請求項８１８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｃ型エネルキ保存サイクル合体機関。
【請求項８１９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｄ型エネルキ保存サイクル合体機関。
【請求項８２０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｄ型エネルキ保存サイクル合体機関。
【請求項８２１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｄ型エネルキ保存サイクル合体機関。
【請求項８２２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｄ型エネルキ保存サイクル合体機関。
【請求項８２３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｄ型エネルキ保存サイクル合体機関。
【請求項８２４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｄ型エネルキ保存サイクル合体機関。
【請求項８２５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｄ型エネルキ保存サイクル合体機関。
【請求項８２６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｄ型エネルキ保存サイクル合体機関。
【請求項８２７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｄ型エネルキ保存サイクル合体機関。
【請求項８２８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｄ型エネルキ保存サイクル合体機関。
【請求項８２９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｄ型エネルキ保存サイクル合体機関。
【請求項８３０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｅ型エネルキ保存サイクル合体機関。
【請求項８３１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｅ型エネルキ保存サイクル合体機関。
【請求項８３２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｅ型エネルキ保存サイクル合体機関。
【請求項８３３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｅ型エネルキ保存サイクル合体機関。
【請求項８３４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｅ型エネルキ保存サイクル合体機関。
【請求項８３５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｅ型エネルキ保存サイクル合体機関。
【請求項８３６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｅ型エネルキ保存サイクル合体機関。
【請求項８３７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｅ型エネルキ保存サイクル合体機関。
【請求項８３８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｅ型エネルキ保存サイクル合体機関。
【請求項８３９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｅ型エネルキ保存サイクル合体機関。
【請求項８４０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｅ型エネルキ保存サイクル合体機関。
【請求項８４１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｆ型エネルキ保存サイクル合体機関。
【請求項８４２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｆ型エネルキ保存サイクル合体機関。
【請求項８４３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｆ型エネルキ保存サイクル合体機関。
【請求項８４４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｆ型エネルキ保存サイクル合体機関。
【請求項８４５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｆ型エネルキ保存サイクル合体機関。
【請求項８４６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｆ型エネルキ保存サイクル合体機関。
【請求項８４７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｆ型エネルキ保存サイクル合体機関。
【請求項８４８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｆ型エネルキ保存サイクル合体機関。
【請求項８４９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｆ型エネルキ保存サイクル合体機関。
【請求項８５０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｆ型エネルキ保存サイクル合体機関。
【請求項８５１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｆ型エネルキ保存サイクル合体機関。
【請求項８５２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｇ型エネルキ保存サイクル合体機関。
【請求項８５３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｇ型エネルキ保存サイクル合体機関。
【請求項８５４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｇ型エネルキ保存サイクル合体機関。
【請求項８５５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｇ型エネルキ保存サイクル合体機関。
【請求項８５６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｇ型エネルキ保存サイクル合体機関。
【請求項８５７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｇ型エネルキ保存サイクル合体機関。
【請求項８５８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｇ型エネルキ保存サイクル合体機関。
【請求項８５９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｇ型エネルキ保存サイクル合体機関。
【請求項８６０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｇ型エネルキ保存サイクル合体機関。
【請求項８６１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｇ型エネルキ保存サイクル合体機関。
【請求項８６２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｇ型エネルキ保存サイクル合体機関。
【請求項８６３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｈ型エネルキ保存サイクル合体機関。
【請求項８６４】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｈ型エネルキ保存サイクル合体機関。
【請求項８６５】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｈ型エネルキ保存サイクル合体機関。
【請求項８６６】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したh型エネルキ保存サイクル合体機関。
【請求項８６７】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｈ型エネルキ保存サイクル合体機関。
【請求項８６８】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｈ型エネルキ保存サイクル合体機関。
【請求項８６９】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｈ型エネルキ保存サイクル合体機関。
【請求項８７０】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｈ型エネルキ保存サイクル合体機関。
【請求項８７１】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｈ型エネルキ保存サイクル合体機関。
【請求項８７２】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｈ型エネルキ保存サイクル合体機関。
【請求項８７３】
撥水鍍金や加熱高温で摩擦低減した弾み車ガスタービン（８ａ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｈ型エネルキ保存サイクル合体機関。
【請求項８７４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したエネルギ保存サイクル合体機関。
【請求項８７５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したエネルギ保存サイクル合体機関。
【請求項８７６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したエネルギ保存サイクル合体機関。
【請求項８７７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したエネルギ保存サイクル合体機関。
【請求項８７８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したエネルギ保存サイクル合体機関。
【請求項８７９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したエネルギ保存サイクル合体機関。
【請求項８８０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したエネルギ保存サイクル合体機関。
【請求項８８１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したエネルギ保存サイクル合体機関。
【請求項８８２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したエネルギ保存サイクル合体機関。
【請求項８８３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したエネルギ保存サイクル合体機関。
【請求項８８４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したエネルギ保存サイクル合体機関。
【請求項８８５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したａ型エネルキ保存サイクル合体機関。
【請求項８８６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したａ型エネルキ保存サイクル合体機関。
【請求項８８７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したａ型エネルキ保存サイクル合体機関。
【請求項８８８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したａ型エネルキ保存サイクル合体機関。
【請求項８８９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したａ型エネルキ保存サイクル合体機関。
【請求項８９０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したａ型エネルキ保存サイクル合体機関。
【請求項８９１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したａ型エネルキ保存サイクル合体機関。
【請求項８９２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したａ型エネルキ保存サイクル合体機関。
【請求項８９３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したａ型エネルキ保存サイクル合体機関。
【請求項８９４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したａ型エネルキ保存サイクル合体機関。
【請求項８９５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したａ型エネルキ保存サイクル合体機関。
【請求項８９６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｂ型エネルキ保存サイクル合体機関。
【請求項８９７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｂ型エネルキ保存サイクル合体機関。
【請求項８９８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｂ型エネルキ保存サイクル合体機関。
【請求項８９９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｂ型エネルキ保存サイクル合体機関。
【請求項９００】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｂ型エネルキ保存サイクル合体機関。
【請求項９０１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｂ型エネルキ保存サイクル合体機関。
【請求項９０２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｂ型エネルキ保存サイクル合体機関。
【請求項９０３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｂ型エネルキ保存サイクル合体機関。
【請求項９０４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｂ型エネルキ保存サイクル合体機関。
【請求項９０５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｂ型エネルキ保存サイクル合体機関。
【請求項９０６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｂ型エネルキ保存サイクル合体機関。
【請求項９０７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｃ型エネルキ保存サイクル合体機関。
【請求項９０８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｃ型エネルキ保存サイクル合体機関。
【請求項９０９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｃ型エネルキ保存サイクル合体機関。
【請求項９１０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｃ型エネルキ保存サイクル合体機関。
【請求項９１１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｃ型エネルキ保存サイクル合体機関。
【請求項９１２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｃ型エネルキ保存サイクル合体機関。
【請求項９１３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｃ型エネルキ保存サイクル合体機関。
【請求項９１４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｃ型エネルキ保存サイクル合体機関。
【請求項９１５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｃ型エネルキ保存サイクル合体機関。
【請求項９１６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｃ型エネルキ保存サイクル合体機関。
【請求項９１７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｃ型エネルキ保存サイクル合体機関。
【請求項９１８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｄ型エネルキ保存サイクル合体機関。
【請求項９１９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｄ型エネルキ保存サイクル合体機関。
【請求項９２０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｄ型エネルキ保存サイクル合体機関。
【請求項９２１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｄ型エネルキ保存サイクル合体機関。
【請求項９２２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｄ型エネルキ保存サイクル合体機関。
【請求項９２３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｄ型エネルキ保存サイクル合体機関。
【請求項９２４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｄ型エネルキ保存サイクル合体機関。
【請求項９２５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｄ型エネルキ保存サイクル合体機関。
【請求項９２６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｄ型エネルキ保存サイクル合体機関。
【請求項９２７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｄ型エネルキ保存サイクル合体機関。
【請求項９２８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｄ型エネルキ保存サイクル合体機関。
【請求項９２９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｅ型エネルキ保存サイクル合体機関。
【請求項９３０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｅ型エネルキ保存サイクル合体機関。
【請求項９３１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｅ型エネルキ保存サイクル合体機関。
【請求項９３２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｅ型エネルキ保存サイクル合体機関。
【請求項９３３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｅ型エネルキ保存サイクル合体機関。
【請求項９３４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｅ型エネルキ保存サイクル合体機関。
【請求項９３５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｅ型エネルキ保存サイクル合体機関。
【請求項９３６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｅ型エネルキ保存サイクル合体機関。
【請求項９３７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｅ型エネルキ保存サイクル合体機関。
【請求項９３８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｅ型エネルキ保存サイクル合体機関。
【請求項９３９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｅ型エネルキ保存サイクル合体機関。
【請求項９４０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｆ型エネルキ保存サイクル合体機関。
【請求項９４１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｆ型エネルキ保存サイクル合体機関。
【請求項９４２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｆ型エネルキ保存サイクル合体機関。
【請求項９４３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｆ型エネルキ保存サイクル合体機関。
【請求項９４４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｆ型エネルキ保存サイクル合体機関。
【請求項９４５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｆ型エネルキ保存サイクル合体機関。
【請求項９４６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｆ型エネルキ保存サイクル合体機関。
【請求項９４７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｆ型エネルキ保存サイクル合体機関。
【請求項９４８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｆ型エネルキ保存サイクル合体機関。
【請求項９４９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｆ型エネルキ保存サイクル合体機関。
【請求項９５０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｆ型エネルキ保存サイクル合体機関。
【請求項９５１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｇ型エネルキ保存サイクル合体機関。
【請求項９５２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｇ型エネルキ保存サイクル合体機関。
【請求項９５３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｇ型エネルキ保存サイクル合体機関。
【請求項９５４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｇ型エネルキ保存サイクル合体機関。
【請求項９５５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｇ型エネルキ保存サイクル合体機関。
【請求項９５６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｇ型エネルキ保存サイクル合体機関。
【請求項９５７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｇ型エネルキ保存サイクル合体機関。
【請求項９５８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｇ型エネルキ保存サイクル合体機関。
【請求項９５９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｇ型エネルキ保存サイクル合体機関。
【請求項９６０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｇ型エネルキ保存サイクル合体機関。
【請求項９６１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｇ型エネルキ保存サイクル合体機関。
【請求項９６２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進飛行機に各種水タンクと共に搭載したｈ型エネルキ保存サイクル合体機関。
【請求項９６３】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種噴射推進戦闘飛行機に各種水タンクと共に搭載したｈ型エネルキ保存サイクル合体機関。
【請求項９６４】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進飛行機に各種水タンクと共に搭載したｈ型エネルキ保存サイクル合体機関。
【請求項９６５】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種超音速噴射推進戦闘飛行機に各種水タンクと共に搭載したｈ型エネルキ保存サイクル合体機関。
【請求項９６６】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進船舶に各種水タンクと共に搭載したｈ型エネルキ保存サイクル合体機関。
【請求項９６７】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により空気を吸引噴射して各種空気吸引噴射推進戦闘船舶に各種水タンクと共に搭載したｈ型エネルキ保存サイクル合体機関。
【請求項９６８】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進船舶に各種水タンクと共に搭載したｈ型エネルキ保存サイクル合体機関。
【請求項９６９】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進戦闘船舶に各種水タンクと共に搭載したｈ型エネルキ保存サイクル合体機関。
【請求項９７０】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進漁業用船舶に各種水タンクと共に搭載したｈ型エネルキ保存サイクル合体機関。
【請求項９７１】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進貨物船舶に各種水タンクと共に搭載したｈ型エネルキ保存サイクル合体機関。
【請求項９７２】
撥水鍍金や加熱高温で摩擦低減した弾み車蒸気タービン（８ｂ）を爆発力と霧吹きの原理により水噴射駆動し、爆発力と撥水鍍金や加熱高温で摩擦低減した霧吹きの原理（１１１）により水を吸引噴射して各種水噴射推進旅客船舶に各種水タンクと共に搭載したｈ型エネルキ保存サイクル合体機関。
【請求項９７３】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したエネルギ保存サイクル合体機関。
【請求項９７４】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したエネルギ保存サイクル合体機関。
【請求項９７５】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したエネルギ保存サイクル合体機関。
【請求項９７６】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したエネルギ保存サイクル合体機関。
【請求項９７７】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したエネルギ保存サイクル合体機関。
【請求項９７８】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したエネルギ保存サイクル合体機関。
【請求項９７９】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したエネルギ保存サイクル合体機関。
【請求項９８０】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したエネルギ保存サイクル合体機関。
【請求項９８１】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したエネルギ保存サイクル合体機関。
【請求項９８２】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したエネルギ保存サイクル合体機関。
【請求項９８３】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したエネルギ保存サイクル合体機関。
【請求項９８４】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したａ型エネルキ保存サイクル合体機関。
【請求項９８５】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したａ型エネルキ保存サイクル合体機関。
【請求項９８６】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したａ型エネルキ保存サイクル合体機関。
【請求項９８７】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したａ型エネルキ保存サイクル合体機関。
【請求項９８８】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したａ型エネルキ保存サイクル合体機関。
【請求項９８９】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したａ型エネルキ保存サイクル合体機関。
【請求項９９０】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したａ型エネルキ保存サイクル合体機関。
【請求項９９１】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したａ型エネルキ保存サイクル合体機関。
【請求項９９２】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したａ型エネルキ保存サイクル合体機関。
【請求項９９３】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したａ型エネルキ保存サイクル合体機関。
【請求項９９４】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したａ型エネルキ保存サイクル合体機関。
【請求項９９５】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｂ型エネルキ保存サイクル合体機関。
【請求項９９６】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｂ型エネルキ保存サイクル合体機関。
【請求項９９７】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｂ型エネルキ保存サイクル合体機関。
【請求項９９８】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｂ型エネルキ保存サイクル合体機関。
【請求項９９９】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｂ型エネルキ保存サイクル合体機関。
【請求項１０００】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｂ型エネルキ保存サイクル合体機関。
【請求項１００１】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｂ型エネルキ保存サイクル合体機関。
【請求項１００２】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｂ型エネルキ保存サイクル合体機関。
【請求項１００３】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｂ型エネルキ保存サイクル合体機関。
【請求項１００４】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｂ型エネルキ保存サイクル合体機関。
【請求項１００５】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｂ型エネルキ保存サイクル合体機関。
【請求項１００６】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｃ型エネルキ保存サイクル合体機関。
【請求項１００７】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｃ型エネルキ保存サイクル合体機関。
【請求項１００８】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｃ型エネルキ保存サイクル合体機関。
【請求項１００９】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｃ型エネルキ保存サイクル合体機関。
【請求項１０１０】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｃ型エネルキ保存サイクル合体機関。
【請求項１０１１】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｃ型エネルキ保存サイクル合体機関。
【請求項１０１２】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｃ型エネルキ保存サイクル合体機関。
【請求項１０１３】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｃ型エネルキ保存サイクル合体機関。
【請求項１０１４】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｃ型エネルキ保存サイクル合体機関。
【請求項１０１５】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｃ型エネルキ保存サイクル合体機関。
【請求項１０１６】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｃ型エネルキ保存サイクル合体機関。
【請求項１０１７】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｄ型エネルキ保存サイクル合体機関。
【請求項１０１８】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｄ型エネルキ保存サイクル合体機関。
【請求項１０１９】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｄ型エネルキ保存サイクル合体機関。
【請求項１０２０】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｄ型エネルキ保存サイクル合体機関。
【請求項１０２１】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｄ型エネルキ保存サイクル合体機関。
【請求項１０２２】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｄ型エネルキ保存サイクル合体機関。
【請求項１０２３】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｄ型エネルキ保存サイクル合体機関。
【請求項１０２４】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｄ型エネルキ保存サイクル合体機関。
【請求項１０２５】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｄ型エネルキ保存サイクル合体機関。
【請求項１０２６】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｄ型エネルキ保存サイクル合体機関。
【請求項１０２７】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｄ型エネルキ保存サイクル合体機関。
【請求項１０２８】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｅ型エネルキ保存サイクル合体機関。
【請求項１０２９】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｅ型エネルキ保存サイクル合体機関。
【請求項１０３０】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｅ型エネルキ保存サイクル合体機関。
【請求項１０３１】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｅ型エネルキ保存サイクル合体機関。
【請求項１０３２】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｅ型エネルキ保存サイクル合体機関。
【請求項１０３３】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｅ型エネルキ保存サイクル合体機関。
【請求項１０３４】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｅ型エネルキ保存サイクル合体機関。
【請求項１０３５】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｅ型エネルキ保存サイクル合体機関。
【請求項１０３６】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｅ型エネルキ保存サイクル合体機関。
【請求項１０３７】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｅ型エネルキ保存サイクル合体機関。
【請求項１０３８】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｅ型エネルキ保存サイクル合体機関。
【請求項１０３９】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｆ型エネルキ保存サイクル合体機関。
【請求項１０４０】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｆ型エネルキ保存サイクル合体機関。
【請求項１０４１】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｆ型エネルキ保存サイクル合体機関。
【請求項１０４２】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｆ型エネルキ保存サイクル合体機関。
【請求項１０４３】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｆ型エネルキ保存サイクル合体機関。
【請求項１０４４】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｆ型エネルキ保存サイクル合体機関。
【請求項１０４５】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｆ型エネルキ保存サイクル合体機関。
【請求項１０４６】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｆ型エネルキ保存サイクル合体機関。
【請求項１０４７】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｆ型エネルキ保存サイクル合体機関。
【請求項１０４８】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｆ型エネルキ保存サイクル合体機関。
【請求項１０４９】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｆ型エネルキ保存サイクル合体機関。
【請求項１０５０】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｇ型エネルキ保存サイクル合体機関。
【請求項１０５１】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｇ型エネルキ保存サイクル合体機関。
【請求項１０５２】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｇ型エネルキ保存サイクル合体機関。
【請求項１０５３】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｇ型エネルキ保存サイクル合体機関。
【請求項１０５４】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｇ型エネルキ保存サイクル合体機関。
【請求項１０５５】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｇ型エネルキ保存サイクル合体機関。
【請求項１０５６】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｇ型エネルキ保存サイクル合体機関。
【請求項１０５７】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｇ型エネルキ保存サイクル合体機関。
【請求項１０５８】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｇ型エネルキ保存サイクル合体機関。
【請求項１０５９】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｇ型エネルキ保存サイクル合体機関。
【請求項１０６０】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｇ型エネルキ保存サイクル合体機関。
【請求項１０６１】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｈ型エネルキ保存サイクル合体機関。
【請求項１０６２】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｈ型エネルキ保存サイクル合体機関。
【請求項１０６３】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｈ型エネルキ保存サイクル合体機関。
【請求項１０６４】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｈ型エネルキ保存サイクル合体機関。
【請求項１０６５】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｈ型エネルキ保存サイクル合体機関。
【請求項１０６６】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｈ型エネルキ保存サイクル合体機関。
【請求項１０６７】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｈ型エネルキ保存サイクル合体機関。
【請求項１０６８】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｈ型エネルキ保存サイクル合体機関。
【請求項１０６９】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｈ型エネルキ保存サイクル合体機関。
【請求項１０７０】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｈ型エネルキ保存サイクル合体機関。
【請求項１０７１】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｈ型エネルキ保存サイクル合体機関。
【請求項１０７２】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したエネルギ保存サイクル合体機関。
【請求項１０７３】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したエネルギ保存サイクル合体機関。
【請求項１０７４】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したエネルギ保存サイクル合体機関。
【請求項１０７５】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したエネルギ保存サイクル合体機関。
【請求項１０７６】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したエネルギ保存サイクル合体機関。
【請求項１０７７】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したエネルギ保存サイクル合体機関。
【請求項１０７８】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したエネルギ保存サイクル合体機関。
【請求項１０７９】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したエネルギ保存サイクル合体機関。
【請求項１０８０】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したエネルギ保存サイクル合体機関。
【請求項１０８１】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したエネルギ保存サイクル合体機関。
【請求項１０８２】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したエネルギ保存サイクル合体機関。
【請求項１０８３】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したａ型エネルキ保存サイクル合体機関。
【請求項１０８４】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したａ型エネルキ保存サイクル合体機関。
【請求項１０８５】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したａ型エネルキ保存サイクル合体機関。
【請求項１０８６】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したａ型エネルキ保存サイクル合体機関。
【請求項１０８７】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したａ型エネルキ保存サイクル合体機関。
【請求項１０８８】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したａ型エネルキ保存サイクル合体機関。
【請求項１０８９】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したａ型エネルキ保存サイクル合体機関。
【請求項１０９０】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したａ型エネルキ保存サイクル合体機関。
【請求項１０９１】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したａ型エネルキ保存サイクル合体機関。
【請求項１０９２】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したａ型エネルキ保存サイクル合体機関。
【請求項１０９３】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したａ型エネルキ保存サイクル合体機関。
【請求項１０９４】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｂ型エネルキ保存サイクル合体機関。
【請求項１０９５】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｂ型エネルキ保存サイクル合体機関。
【請求項１０９６】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｂ型エネルキ保存サイクル合体機関。
【請求項１０９７】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｂ型エネルキ保存サイクル合体機関。
【請求項１０９８】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｂ型エネルキ保存サイクル合体機関。
【請求項１０９９】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｂ型エネルキ保存サイクル合体機関。
【請求項１１００】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｂ型エネルキ保存サイクル合体機関。
【請求項１１０１】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｂ型エネルキ保存サイクル合体機関。
【請求項１１０２】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｂ型エネルキ保存サイクル合体機関。
【請求項１１０３】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｂ型エネルキ保存サイクル合体機関。
【請求項１１０４】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｂ型エネルキ保存サイクル合体機関。
【請求項１１０５】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｃ型エネルキ保存サイクル合体機関。
【請求項１１０６】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｃ型エネルキ保存サイクル合体機関。
【請求項１１０７】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｃ型エネルキ保存サイクル合体機関。
【請求項１１０８】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｃ型エネルキ保存サイクル合体機関。
【請求項１１０９】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｃ型エネルキ保存サイクル合体機関。
【請求項１１１０】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｃ型エネルキ保存サイクル合体機関。
【請求項１１１１】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｃ型エネルキ保存サイクル合体機関。
【請求項１１１２】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｃ型エネルキ保存サイクル合体機関。
【請求項１１１３】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｃ型エネルキ保存サイクル合体機関。
【請求項１１１４】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｃ型エネルキ保存サイクル合体機関。
【請求項１１１５】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｃ型エネルキ保存サイクル合体機関。
【請求項１１１６】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｄ型エネルキ保存サイクル合体機関。
【請求項１１１７】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｄ型エネルキ保存サイクル合体機関。
【請求項１１１８】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｄ型エネルキ保存サイクル合体機関。
【請求項１１１９】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｄ型エネルキ保存サイクル合体機関。
【請求項１１２０】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｄ型エネルキ保存サイクル合体機関。
【請求項１１２１】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｄ型エネルキ保存サイクル合体機関。
【請求項１１２２】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｄ型エネルキ保存サイクル合体機関。
【請求項１１２３】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｄ型エネルキ保存サイクル合体機関。
【請求項１１２４】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｄ型エネルキ保存サイクル合体機関。
【請求項１１２５】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｄ型エネルキ保存サイクル合体機関。
【請求項１１２６】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｄ型エネルキ保存サイクル合体機関。
【請求項１１２７】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｅ型エネルキ保存サイクル合体機関。
【請求項１１２８】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｅ型エネルキ保存サイクル合体機関。
【請求項１１２９】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｅ型エネルキ保存サイクル合体機関。
【請求項１１３０】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｅ型エネルキ保存サイクル合体機関。
【請求項１１３１】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｅ型エネルキ保存サイクル合体機関。
【請求項１１３２】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｅ型エネルキ保存サイクル合体機関。
【請求項１１３３】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｅ型エネルキ保存サイクル合体機関。
【請求項１１３４】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｅ型エネルキ保存サイクル合体機関。
【請求項１１３５】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｅ型エネルキ保存サイクル合体機関。
【請求項１１３６】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｅ型エネルキ保存サイクル合体機関。
【請求項１１３７】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｅ型エネルキ保存サイクル合体機関。
【請求項１１３８】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｆ型エネルキ保存サイクル合体機関。
【請求項１１３９】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｆ型エネルキ保存サイクル合体機関。
【請求項１１４０】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｆ型エネルキ保存サイクル合体機関。
【請求項１１４１】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｆ型エネルキ保存サイクル合体機関。
【請求項１１４２】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｆ型エネルキ保存サイクル合体機関。
【請求項１１４３】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｆ型エネルキ保存サイクル合体機関。
【請求項１１４４】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｆ型エネルキ保存サイクル合体機関。
【請求項１１４５】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｆ型エネルキ保存サイクル合体機関。
【請求項１１４６】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｆ型エネルキ保存サイクル合体機関。
【請求項１１４７】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｆ型エネルキ保存サイクル合体機関。
【請求項１１４８】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｆ型エネルキ保存サイクル合体機関。
【請求項１１４９】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｇ型エネルキ保存サイクル合体機関。
【請求項１１５０】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｇ型エネルキ保存サイクル合体機関。
【請求項１１５１】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｇ型エネルキ保存サイクル合体機関。
【請求項１１５２】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｇ型エネルキ保存サイクル合体機関。
【請求項１１５３】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｇ型エネルキ保存サイクル合体機関。
【請求項１１５４】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｇ型エネルキ保存サイクル合体機関。
【請求項１１５５】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｇ型エネルキ保存サイクル合体機関。
【請求項１１５６】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｇ型エネルキ保存サイクル合体機関。
【請求項１１５７】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｇ型エネルキ保存サイクル合体機関。
【請求項１１５８】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｇ型エネルキ保存サイクル合体機関。
【請求項１１５９】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｇ型エネルキ保存サイクル合体機関。
【請求項１１６０】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｈ型エネルキ保存サイクル合体機関。
【請求項１１６１】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｈ型エネルキ保存サイクル合体機関。
【請求項１１６２】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｈ型エネルキ保存サイクル合体機関。
【請求項１１６３】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｈ型エネルキ保存サイクル合体機関。
【請求項１１６４】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｈ型エネルキ保存サイクル合体機関。
【請求項１１６５】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｈ型エネルキ保存サイクル合体機関。
【請求項１１６６】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｈ型エネルキ保存サイクル合体機関。
【請求項１１６７】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｈ型エネルキ保存サイクル合体機関。
【請求項１１６８】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｈ型エネルキ保存サイクル合体機関。
【請求項１１６９】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｈ型エネルキ保存サイクル合体機関。
【請求項１１７０】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｈ型エネルキ保存サイクル合体機関。
【請求項１１７１】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したエネルギ保存サイクル合体機関。
【請求項１１７２】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したエネルギ保存サイクル合体機関。
【請求項１１７３】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したエネルギ保存サイクル合体機関。
【請求項１１７４】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したエネルギ保存サイクル合体機関。
【請求項１１７５】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したエネルギ保存サイクル合体機関。
【請求項１１７６】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したエネルギ保存サイクル合体機関。
【請求項１１７７】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したエネルギ保存サイクル合体機関。
【請求項１１７８】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したエネルギ保存サイクル合体機関。
【請求項１１７９】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したエネルギ保存サイクル合体機関。
【請求項１１８０】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したエネルギ保存サイクル合体機関。
【請求項１１８１】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したエネルギ保存サイクル合体機関。
【請求項１１８２】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したａ型エネルキ保存サイクル合体機関。
【請求項１１８３】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したａ型エネルキ保存サイクル合体機関。
【請求項１１８４】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したａ型エネルキ保存サイクル合体機関。
【請求項１１８５】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したａ型エネルキ保存サイクル合体機関。
【請求項１１８６】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したａ型エネルキ保存サイクル合体機関。
【請求項１１８７】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したａ型エネルキ保存サイクル合体機関。
【請求項１１８８】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したａ型エネルキ保存サイクル合体機関。
【請求項１１８９】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したａ型エネルキ保存サイクル合体機関。
【請求項１１９０】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したａ型エネルキ保存サイクル合体機関。
【請求項１１９１】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したａ型エネルキ保存サイクル合体機関。
【請求項１１９２】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したａ型エネルキ保存サイクル合体機関。
【請求項１１９３】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｂ型エネルキ保存サイクル合体機関。
【請求項１１９４】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｂ型エネルキ保存サイクル合体機関。
【請求項１１９５】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｂ型エネルキ保存サイクル合体機関。
【請求項１１９６】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｂ型エネルキ保存サイクル合体機関。
【請求項１１９７】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｂ型エネルキ保存サイクル合体機関。
【請求項１１９８】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｂ型エネルキ保存サイクル合体機関。
【請求項１１９９】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｂ型エネルキ保存サイクル合体機関。
【請求項１２００】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｂ型エネルキ保存サイクル合体機関。
【請求項１２０１】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｂ型エネルキ保存サイクル合体機関。
【請求項１２０２】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｂ型エネルキ保存サイクル合体機関。
【請求項１２０３】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｂ型エネルキ保存サイクル合体機関。
【請求項１２０４】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｃ型エネルキ保存サイクル合体機関。
【請求項１２０５】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｃ型エネルキ保存サイクル合体機関。
【請求項１２０６】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｃ型エネルキ保存サイクル合体機関。
【請求項１２０７】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｃ型エネルキ保存サイクル合体機関。
【請求項１２０８】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｃ型エネルキ保存サイクル合体機関。
【請求項１２０９】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｃ型エネルキ保存サイクル合体機関。
【請求項１２１０】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｃ型エネルキ保存サイクル合体機関。
【請求項１２１１】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｃ型エネルキ保存サイクル合体機関。
【請求項１２１２】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｃ型エネルキ保存サイクル合体機関。
【請求項１２１３】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｃ型エネルキ保存サイクル合体機関。
【請求項１２１４】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｃ型エネルキ保存サイクル合体機関。
【請求項１２１５】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｄ型エネルキ保存サイクル合体機関。
【請求項１２１６】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｄ型エネルキ保存サイクル合体機関。
【請求項１２１７】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｄ型エネルキ保存サイクル合体機関。
【請求項１２１８】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｄ型エネルキ保存サイクル合体機関。
【請求項１２１９】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｄ型エネルキ保存サイクル合体機関。
【請求項１２２０】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｄ型エネルキ保存サイクル合体機関。
【請求項１２２１】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｄ型エネルキ保存サイクル合体機関。
【請求項１２２２】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｄ型エネルキ保存サイクル合体機関。
【請求項１２２３】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｄ型エネルキ保存サイクル合体機関。
【請求項１２２４】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｄ型エネルキ保存サイクル合体機関。
【請求項１２２５】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｄ型エネルキ保存サイクル合体機関。
【請求項１２２６】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｅ型エネルキ保存サイクル合体機関。
【請求項１２２７】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｅ型エネルキ保存サイクル合体機関。
【請求項１２２８】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｅ型エネルキ保存サイクル合体機関。
【請求項１２２９】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｅ型エネルキ保存サイクル合体機関。
【請求項１２３０】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｅ型エネルキ保存サイクル合体機関。
【請求項１２３１】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｅ型エネルキ保存サイクル合体機関。
【請求項１２３２】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｅ型エネルキ保存サイクル合体機関。
【請求項１２３３】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｅ型エネルキ保存サイクル合体機関。
【請求項１２３４】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｅ型エネルキ保存サイクル合体機関。
【請求項１２３５】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｅ型エネルキ保存サイクル合体機関。
【請求項１２３６】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｅ型エネルキ保存サイクル合体機関。
【請求項１２３７】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｆ型エネルキ保存サイクル合体機関。
【請求項１２３８】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｆ型エネルキ保存サイクル合体機関。
【請求項１２３９】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｆ型エネルキ保存サイクル合体機関。
【請求項１２４０】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｆ型エネルキ保存サイクル合体機関。
【請求項１２４１】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｆ型エネルキ保存サイクル合体機関。
【請求項１２４２】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｆ型エネルキ保存サイクル合体機関。
【請求項１２４３】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｆ型エネルキ保存サイクル合体機関。
【請求項１２４４】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｆ型エネルキ保存サイクル合体機関。
【請求項１２４５】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｆ型エネルキ保存サイクル合体機関。
【請求項１２４６】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｆ型エネルキ保存サイクル合体機関。
【請求項１２４７】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｆ型エネルキ保存サイクル合体機関。
【請求項１２４８】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｇ型エネルキ保存サイクル合体機関。
【請求項１２４９】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｇ型エネルキ保存サイクル合体機関。
【請求項１２５０】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｇ型エネルキ保存サイクル合体機関。
【請求項１２５１】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｇ型エネルキ保存サイクル合体機関。
【請求項１２５２】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｇ型エネルキ保存サイクル合体機関。
【請求項１２５３】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｇ型エネルキ保存サイクル合体機関。
【請求項１２５４】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｇ型エネルキ保存サイクル合体機関。
【請求項１２５５】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｇ型エネルキ保存サイクル合体機関。
【請求項１２５６】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｇ型エネルキ保存サイクル合体機関。
【請求項１２５７】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｇ型エネルキ保存サイクル合体機関。
【請求項１２５８】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｇ型エネルキ保存サイクル合体機関。
【請求項１２５９】
爆発力と撥水鍍金や加熱高温で摩擦低減した合体機関噴射部（７７Ｋ）の霧吹きの原理（１１１）により空気を吸引噴射して各種噴射推進飛行機に各種水タンクと共に搭載したｈ型エネルキ保存サイクル合体機関。
【請求項１２６０】
爆発力と撥水鍍金や加熱高温で摩擦低減した合体機関噴射部（７７Ｋ）の霧吹きの原理（１１１）により空気を吸引噴射して各種噴射推進戦闘飛行機に各種水タンクと共に搭載したｈ型エネルキ保存サイクル合体機関。
【請求項１２６１】
爆発力と撥水鍍金や加熱高温で摩擦低減した合体機関噴射部（７７Ｋ）の霧吹きの原理（１１１）により空気を吸引噴射して各種超音速噴射推進飛行機に各種水タンクと共に搭載したｈ型エネルキ保存サイクル合体機関。
【請求項１２６２】
爆発力と撥水鍍金や加熱高温で摩擦低減した合体機関噴射部（７７Ｋ）の霧吹きの原理（１１１）により空気を吸引噴射して各種超音速噴射推進戦闘飛行機に各種水タンクと共に搭載したｈ型エネルキ保存サイクル合体機関。
【請求項１２６３】
爆発力と撥水鍍金や加熱高温で摩擦低減した合体機関噴射部（７７Ｋ）の霧吹きの原理（１１１）により空気を吸引噴射して各種空気吸引噴射推進船舶に各種水タンクと共に搭載したｈ型エネルキ保存サイクル合体機関。
【請求項１２６４】
爆発力と撥水鍍金や加熱高温で摩擦低減した合体機関噴射部（７７Ｋ）の霧吹きの原理（１１１）により空気を吸引噴射して各種空気吸引噴射推進戦闘船舶に各種水タンクと共に搭載したｈ型エネルキ保存サイクル合体機関。
【請求項１２６５】
爆発力と撥水鍍金や加熱高温で摩擦低減したウォータージェット噴射部（７７Ｍ）の霧吹きの原理（１１１）により水を吸引噴射して各種水噴射推進船舶に各種水タンクと共に搭載したｈ型エネルキ保存サイクル合体機関。
【請求項１２６６】
爆発力と撥水鍍金や加熱高温で摩擦低減したウォータージェット噴射部（７７Ｍ）の霧吹きの原理（１１１）により水を吸引噴射して各種水噴射推進戦闘船舶に各種水タンクと共に搭載したｈ型エネルキ保存サイクル合体機関。
【請求項１２６７】
爆発力と撥水鍍金や加熱高温で摩擦低減したウォータージェット噴射部（７７Ｍ）の霧吹きの原理（１１１）により水を吸引噴射して各種水噴射推進漁業用船舶に各種水タンクと共に搭載したｈ型エネルキ保存サイクル合体機関。
【請求項１２６８】
爆発力と撥水鍍金や加熱高温で摩擦低減したウォータージェット噴射部（７７Ｍ）の霧吹きの原理（１１１）により水を吸引噴射して各種水噴射推進貨物船舶に各種水タンクと共に搭載したｈ型エネルキ保存サイクル合体機関。
【請求項１２６９】
爆発力と撥水鍍金や加熱高温で摩擦低減したウォータージェット噴射部（７７Ｍ）の霧吹きの原理（１１１）により水を吸引噴射して各種水噴射推進旅客船舶に各種水タンクと共に搭載したｈ型エネルキ保存サイクル合体機関。
【請求項１２７０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したエネルギ保存サイクル合体機関。
【請求項１２７１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したエネルギ保存サイクル合体機関。
【請求項１２７２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したエネルギ保存サイクル合体機関。
【請求項１２７３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したエネルギ保存サイクル合体機関。
【請求項１２７４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種空気吸引噴射推進船舶に各種水タンクと共に搭載したエネルギ保存サイクル合体機関。
【請求項１２７５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種空気吸引噴射推進戦闘船舶に各種水タンクと共に搭載したエネルギ保存サイクル合体機関。
【請求項１２７６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したａ型エネルキ保存サイクル合体機関。
【請求項１２７７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したａ型エネルキ保存サイクル合体機関。
【請求項１２７８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したａ型エネルキ保存サイクル合体機関。
【請求項１２７９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したａ型エネルキ保存サイクル合体機関。
【請求項１２８０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｂ型エネルキ保存サイクル合体機関。
【請求項１２８１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｂ型エネルキ保存サイクル合体機関。
【請求項１２８２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｂ型エネルキ保存サイクル合体機関。
【請求項１２８３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｂ型エネルキ保存サイクル合体機関。
【請求項１２８４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｃ型エネルキ保存サイクル合体機関。
【請求項１２８５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｃ型エネルキ保存サイクル合体機関。
【請求項１２８６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｃ型エネルキ保存サイクル合体機関。
【請求項１２８７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｃ型エネルキ保存サイクル合体機関。
【請求項１２８８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｄ型エネルキ保存サイクル合体機関。
【請求項１２８９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｄ型エネルキ保存サイクル合体機関。
【請求項１２９０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｄ型エネルキ保存サイクル合体機関。
【請求項１２９１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｄ型エネルキ保存サイクル合体機関。
【請求項１２９２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｅ型エネルキ保存サイクル合体機関。
【請求項１２９３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｅ型エネルキ保存サイクル合体機関。
【請求項１２９４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｅ型エネルキ保存サイクル合体機関。
【請求項１２９５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｅ型エネルキ保存サイクル合体機関。
【請求項１２９６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｆ型エネルキ保存サイクル合体機関。
【請求項１２９７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｆ型エネルキ保存サイクル合体機関。
【請求項１２９８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｆ型エネルキ保存サイクル合体機関。
【請求項１２９９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｆ型エネルキ保存サイクル合体機関。
【請求項１３００】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｇ型エネルキ保存サイクル合体機関。
【請求項１３０１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｇ型エネルキ保存サイクル合体機関。
【請求項１３０２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｇ型エネルキ保存サイクル合体機関。
【請求項１３０３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｇ型エネルキ保存サイクル合体機関。
【請求項１３０４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｈ型エネルキ保存サイクル合体機関。
【請求項１３０５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｈ型エネルキ保存サイクル合体機関。
【請求項１３０６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｈ型エネルキ保存サイクル合体機関。
【請求項１３０７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｈ型エネルキ保存サイクル合体機関。
【請求項１３０８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したエネルギ保存サイクル合体機関。
【請求項１３０９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したエネルギ保存サイクル合体機関。
【請求項１３１０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したエネルギ保存サイクル合体機関。
【請求項１３１１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したエネルギ保存サイクル合体機関。
【請求項１３１２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したａ型エネルキ保存サイクル合体機関。
【請求項１３１３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したａ型エネルキ保存サイクル合体機関。
【請求項１３１４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したａ型エネルキ保存サイクル合体機関。
【請求項１３１５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したａ型エネルキ保存サイクル合体機関。
【請求項１３１６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｂ型エネルキ保存サイクル合体機関。
【請求項１３１７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｂ型エネルキ保存サイクル合体機関。
【請求項１３１８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｂ型エネルキ保存サイクル合体機関。
【請求項１３１９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｂ型エネルキ保存サイクル合体機関。
【請求項１３２０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｃ型エネルキ保存サイクル合体機関。
【請求項１３２１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｃ型エネルキ保存サイクル合体機関。
【請求項１３２２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｃ型エネルキ保存サイクル合体機関。
【請求項１３２３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｃ型エネルキ保存サイクル合体機関。
【請求項１３２４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｄ型エネルキ保存サイクル合体機関。
【請求項１３２５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｄ型エネルキ保存サイクル合体機関。
【請求項１３２６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｄ型エネルキ保存サイクル合体機関。
【請求項１３２７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｄ型エネルキ保存サイクル合体機関。
【請求項１３２８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｅ型エネルキ保存サイクル合体機関。
【請求項１３２９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｅ型エネルキ保存サイクル合体機関。
【請求項１３３０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｅ型エネルキ保存サイクル合体機関。
【請求項１３３１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｅ型エネルキ保存サイクル合体機関。
【請求項１３３２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｆ型エネルキ保存サイクル合体機関。
【請求項１３３３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｆ型エネルキ保存サイクル合体機関。
【請求項１３３４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｆ型エネルキ保存サイクル合体機関。
【請求項１３３５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｆ型エネルキ保存サイクル合体機関。
【請求項１３３６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｇ型エネルキ保存サイクル合体機関。
【請求項１３３７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｇ型エネルキ保存サイクル合体機関。
【請求項１３３８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｇ型エネルキ保存サイクル合体機関。
【請求項１３３９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｇ型エネルキ保存サイクル合体機関。
【請求項１３４０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｈ型エネルキ保存サイクル合体機関。
【請求項１３４１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｈ型エネルキ保存サイクル合体機関。
【請求項１３４２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｈ型エネルキ保存サイクル合体機関。
【請求項１３４３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｈ型エネルキ保存サイクル合体機関。
【請求項１３４４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したエネルギ保存サイクル合体機関。
【請求項１３４５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したエネルギ保存サイクル合体機関。
【請求項１３４６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したエネルギ保存サイクル合体機関。
【請求項１３４７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したエネルギ保存サイクル合体機関。
【請求項１３４８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したａ型エネルキ保存サイクル合体機関。
【請求項１３４９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したａ型エネルキ保存サイクル合体機関。
【請求項１３５０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したａ型エネルキ保存サイクル合体機関。
【請求項１３５１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したａ型エネルキ保存サイクル合体機関。
【請求項１３５２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｂ型エネルキ保存サイクル合体機関。
【請求項１３５３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｂ型エネルキ保存サイクル合体機関。
【請求項１３５４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｂ型エネルキ保存サイクル合体機関。
【請求項１３５５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｂ型エネルキ保存サイクル合体機関。
【請求項１３５６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｃ型エネルキ保存サイクル合体機関。
【請求項１３５７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｃ型エネルキ保存サイクル合体機関。
【請求項１３５８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｃ型エネルキ保存サイクル合体機関。
【請求項１３５９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｃ型エネルキ保存サイクル合体機関。
【請求項１３６０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｄ型エネルキ保存サイクル合体機関。
【請求項１３６１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｄ型エネルキ保存サイクル合体機関。
【請求項１３６２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｄ型エネルキ保存サイクル合体機関。
【請求項１３６３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｄ型エネルキ保存サイクル合体機関。
【請求項１３６４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｅ型エネルキ保存サイクル合体機関。
【請求項１３６５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｅ型エネルキ保存サイクル合体機関。
【請求項１３６６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｅ型エネルキ保存サイクル合体機関。
【請求項１３６７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｅ型エネルキ保存サイクル合体機関。
【請求項１３６８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｆ型エネルキ保存サイクル合体機関。
【請求項１３６９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｆ型エネルキ保存サイクル合体機関。
【請求項１３７０】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｆ型エネルキ保存サイクル合体機関。
【請求項１３７１】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｆ型エネルキ保存サイクル合体機関。
【請求項１３７２】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｇ型エネルキ保存サイクル合体機関。
【請求項１３７３】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｇ型エネルキ保存サイクル合体機関。
【請求項１３７４】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｇ型エネルキ保存サイクル合体機関。
【請求項１３７５】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｇ型エネルキ保存サイクル合体機関。
【請求項１３７６】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進飛行機に各種水タンクと共に搭載したｈ型エネルキ保存サイクル合体機関。
【請求項１３７７】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種噴射推進戦闘飛行機に各種水タンクと共に搭載したｈ型エネルキ保存サイクル合体機関。
【請求項１３７８】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進飛行機に各種水タンクと共に搭載したｈ型エネルキ保存サイクル合体機関。
【請求項１３７９】
爆発力と撥水鍍金や加熱高温で摩擦低減した合体機関噴射部（７７Ｋ）により空気を吸引噴射し、円筒回転部（７７Ｇ）で回転して逆噴射や垂直上昇降下する各種超音速噴射推進戦闘飛行機に各種水タンクと共に搭載したｈ型エネルキ保存サイクル合体機関。
【請求項１３８０】
合体機関噴射部（７７Ｋ）を合体機関噴射部外箱（７７Ｆ）内に構成した各種エネルギ保存サイクル合体機関。
【請求項１３８１】
合体機関噴射部（７７Ｌ）を合体機関噴射部外箱（７７Ｆ）内に構成した各種エネルギ保存サイクル合体機関。
【請求項１３８２】
合体機関噴射部（７７Ｋ）を合体機関噴射部外箱（７７Ｆ）内に構成して円筒回転部（７７Ｇ）で回転可能にした各種エネルギ保存サイクル合体機関。
【請求項１３８３】
合体機関噴射部（７７Ｌ）を合体機関噴射部外箱（７７Ｆ）内に構成して円筒回転部（７７Ｇ）で回転可能にした各種エネルギ保存サイクル合体機関。
【請求項１３８４】
合体機関噴射部（７７Ｋ）を合体機関噴射部外箱（７７Ｆ）内に構成して円筒回転部（７７Ｇ）で９０度以上回転可能にした各種エネルギ保存サイクル合体機関。
【請求項１３８５】
合体機関噴射部（７７Ｌ）を合体機関噴射部外箱（７７Ｆ）内に構成して円筒回転部（７７Ｇ）で９０度以上回転可能にした各種エネルギ保存サイクル合体機関。
【請求項１３８６】
合体機関噴射部（７７Ｋ）を合体機関噴射部外箱（７７Ｆ）内に構成して円筒回転部（７７Ｇ）で１８０度以上回転可能にした各種エネルギ保存サイクル合体機関。
【請求項１３８７】
合体機関噴射部（７７Ｌ）を合体機関噴射部外箱（７７Ｆ）内に構成して円筒回転部（７７Ｇ）で１８０度以上回転可能にした各種エネルギ保存サイクル合体機関。
【請求項１３８８】
合体機関噴射部（７７Ｋ）を合体機関噴射部外箱（７７Ｆ）内に構成して円筒回転部（７７Ｇ）で９０度以上回転可能にして、垂直上昇垂直降下を可能にした各種エネルギ保存サイクル合体機関。
【請求項１３８９】
合体機関噴射部（７７Ｌ）を合体機関噴射部外箱（７７Ｆ）内に構成して円筒回転部（７７Ｇ）で９０度以上回転可能にして、垂直上昇垂直降下を可能にした各種エネルギ保存サイクル合体機関。
【請求項１３９０】
合体機関噴射部（７７Ｋ）を合体機関噴射部外箱（７７Ｆ）内に構成して円筒回転部（７７Ｇ）で１８０度以上回転可能にして、垂直上昇垂直降下を可能にした各種エネルギ保存サイクル合体機関。
【請求項１３９１】
合体機関噴射部（７７Ｌ）を合体機関噴射部外箱（７７Ｆ）内に構成して円筒回転部（７７Ｇ）で１８０度以上回転可能にして、垂直上昇垂直降下を可能にした各種エネルギ保存サイクル合体機関。
【請求項１３９２】
合体機関噴射部（７７Ｋ）を合体機関噴射部外箱（７７Ｆ）内に構成して円筒回転部（７７Ｇ）で９０度以上回転可能にして、逆噴射及び垂直上昇垂直降下を可能にした各種エネルギ保存サイクル合体機関。
【請求項１３９３】
合体機関噴射部（７７Ｌ）を合体機関噴射部外箱（７７Ｆ）内に構成して円筒回転部（７７Ｇ）で９０度以上回転可能にして、逆噴射及び垂直上昇垂直降下を可能にした各種エネルギ保存サイクル合体機関。
【請求項１３９４】
合体機関噴射部（７７Ｋ）を合体機関噴射部外箱（７７Ｆ）内に構成して円筒回転部（７７Ｇ）で１８０度以上回転可能にして、逆噴射及び垂直上昇垂直降下を可能にした各種エネルギ保存サイクル合体機関。
【請求項１３９５】
合体機関噴射部（７７Ｌ）を合体機関噴射部外箱（７７Ｆ）内に構成して円筒回転部（７７Ｇ）で１８０度以上回転可能にして、逆噴射及び垂直上昇垂直降下を可能にした各種エネルギ保存サイクル合体機関。
【請求項１３９６】
合体機関噴射部（７７Ｋ）を合体機関噴射部外箱（７７Ｆ）内の筒型外箱（７７ｂ）内に過熱蒸気噴射ノズル（６Ａ）を構成した各種エネルギ保存サイクル合体機関。
【請求項１３９７】
合体機関噴射部（７７Ｋ）を合体機関噴射部外箱（７７Ｆ）内の筒型外箱（７７ｂ）内に過熱蒸気噴射ノズル（６Ｂ）を構成した各種エネルギ保存サイクル合体機関。
【請求項１３９８】
合体機関噴射部（７７Ｋ）を合体機関噴射部外箱（７７Ｆ）内の筒型外箱（７７ｂ）内に過熱蒸気噴射ノズル（６Ｉ）を構成した各種エネルギ保存サイクル合体機関。
【請求項１３９９】
合体機関噴射部（７７Ｌ）を合体機関噴射部外箱（７７Ｆ）内の筒型外箱（７７ｂ）内に過熱蒸気噴射ノズル（６Ｈ）を構成した各種エネルギ保存サイクル合体機関。
【請求項１４００】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成した各種エネルギ保存サイクル合体機関。
【請求項１４０１】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成した各種エネルギ保存サイクル合体機関。
【請求項１４０２】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成した各種エネルギ保存サイクル合体機関。
【請求項１４０３】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成した各種エネルギ保存サイクル合体機関。
【請求項１４０４】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、過熱蒸気爆発力及び燃焼ガス爆発力により夫々水を混合噴射加速する各種エネルギ保存サイクル合体機関。
【請求項１４０５】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、過熱蒸気爆発力及び燃焼ガス爆発力により夫々水を混合噴射加速する各種エネルギ保存サイクル合体機関。
【請求項１４０６】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、過熱蒸気爆発力及び燃焼ガス爆発力により夫々水を混合噴射加速する各種エネルギ保存サイクル合体機関。
【請求項１４０７】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、過熱蒸気爆発力及び燃焼ガス爆発力により含有水を混合噴射加速する各種エネルギ保存サイクル合体機関。
【請求項１４０８】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、過熱蒸気爆発力及び燃焼ガス爆発力により夫々水を混合噴射加速して前方の空気を吸引噴射する各種エネルギ保存サイクル合体機関。
【請求項１４０９】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、過熱蒸気爆発力及び燃焼ガス爆発力により夫々水を混合噴射加速して前方の空気を吸引噴射する各種エネルギ保存サイクル合体機関。
【請求項１４１０】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、過熱蒸気爆発力及び燃焼ガス爆発力により夫々水を混合噴射加速して前方の空気を吸引噴射する各種エネルギ保存サイクル合体機関。
【請求項１４１１】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、過熱蒸気爆発力及び燃焼ガス爆発力により含有水を混合噴射加速して前方の空気を吸引噴射する各種エネルギ保存サイクル合体機関。
【請求項１４１２】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、過熱蒸気爆発力及び燃焼ガス爆発力により夫々水を混合噴射加速して前方の真空を吸引噴射する各種エネルギ保存サイクル合体機関。
【請求項１４１３】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、過熱蒸気爆発力及び燃焼ガス爆発力により夫々水を混合噴射加速して前方の真空を吸引噴射する各種エネルギ保存サイクル合体機関。
【請求項１４１４】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、過熱蒸気爆発力及び燃焼ガス爆発力により夫々水を混合噴射加速して前方の真空を吸引噴射する各種エネルギ保存サイクル合体機関。
【請求項１４１５】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、過熱蒸気爆発力及び燃焼ガス爆発力により含有水を混合噴射加速して前方の真空を吸引噴射する各種エネルギ保存サイクル合体機関。
【請求項１４１６】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、１００ＭＰａ以下過熱蒸気爆発力及び５０ＭＰａ以下燃焼ガス爆発力により夫々水を混合噴射加速して前方の真空を吸引噴射する各種エネルギ保存サイクル合体機関。
【請求項１４１７】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、１００ＭＰａ以下過熱蒸気爆発力及び５０ＭＰａ以下燃焼ガス爆発力により夫々水を混合噴射加速して前方の真空を吸引噴射する各種エネルギ保存サイクル合体機関。
【請求項１４１８】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、１００ＭＰａ以下過熱蒸気爆発力及び５０ＭＰａ以下燃焼ガス爆発力により夫々水を混合噴射加速して前方の真空を吸引噴射する各種エネルギ保存サイクル合体機関。
【請求項１４１９】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、１００ＭＰａ以下過熱蒸気爆発力及び５０ＭＰａ以下燃焼ガス爆発力により含有水を混合噴射加速して前方の真空を吸引噴射する各種エネルギ保存サイクル合体機関。
【請求項１４２０】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、２００ＭＰａ以下過熱蒸気爆発力及び１００ＭＰａ以下燃焼ガス爆発力により夫々水を混合噴射加速して前方の真空を吸引噴射する各種エネルギ保存サイクル合体機関。
【請求項１４２１】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、２００ＭＰａ以下過熱蒸気爆発力及び１００ＭＰａ以下燃焼ガス爆発力により夫々水を混合噴射加速して前方の真空を吸引噴射する各種エネルギ保存サイクル合体機関。
【請求項１４２２】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、２００ＭＰａ以下過熱蒸気爆発力及び１００ＭＰａ以下燃焼ガス爆発力により夫々水を混合噴射加速して前方の真空を吸引噴射する各種エネルギ保存サイクル合体機関。
【請求項１４２３】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、２００ＭＰａ以下過熱蒸気爆発力及び１００ＭＰａ以下燃焼ガス爆発力により含有水を混合噴射加速して前方の真空を吸引噴射する各種エネルギ保存サイクル合体機関。
【請求項１４２４】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、３００ＭＰａ以下過熱蒸気爆発力及び１５０ＭＰａ以下燃焼ガス爆発力により夫々水を混合噴射加速して前方の真空を吸引噴射する各種エネルギ保存サイクル合体機関。
【請求項１４２５】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、３００ＭＰａ以下過熱蒸気爆発力及び１５０ＭＰａ以下燃焼ガス爆発力により夫々水を混合噴射加速して前方の真空を吸引噴射する各種エネルギ保存サイクル合体機関。
【請求項１４２６】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、３００ＭＰａ以下過熱蒸気爆発力及び１５０ＭＰａ以下燃焼ガス爆発力により夫々水を混合噴射加速して前方の真空を吸引噴射する各種エネルギ保存サイクル合体機関。
【請求項１４２７】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、３００ＭＰａ以下過熱蒸気爆発力及び１５０ＭＰａ以下燃焼ガス爆発力により含有水を混合噴射加速して前方の真空を吸引噴射する各種エネルギ保存サイクル合体機関。
【請求項１４２８】
合体機関噴射部（７７Ｋ）を合体機関噴射部外箱（７７Ｆ）内夫々の筒型外箱（７７ｂ）内に過熱蒸気噴射ノズル（６Ａ）及び燃焼ガス噴射ノズル（６Ｃ）及び霧吹きの原理（１１１）を夫々構成して、４００ＭＰａ以下過熱蒸気爆発力及び２００ＭＰａ以下燃焼ガス爆発力により夫々水を混合噴射加速して前方の真空を吸引噴射する各種エネルギ保存サイクル合体機関。
【請求項１４２９】
合体機関噴射部（７７Ｋ）を合体機関噴射部外箱（７７Ｆ）内夫々の筒型外箱（７７ｂ）内に過熱蒸気噴射ノズル（６Ｂ）及び燃焼ガス噴射ノズル（６Ｄ）及び霧吹きの原理（１１１）を夫々構成して、４００ＭＰａ以下過熱蒸気爆発力及び２００ＭＰａ以下燃焼ガス爆発力により夫々水を混合噴射加速して前方の真空を吸引噴射する各種エネルギ保存サイクル合体機関。
【請求項１４３０】
合体機関噴射部（７７Ｋ）を合体機関噴射部外箱（７７Ｆ）内夫々の筒型外箱（７７ｂ）内に過熱蒸気噴射ノズル（６Ｉ）及び燃焼ガス噴射ノズル（６Ｊ）及び霧吹きの原理（１１１）を夫々構成して、４００ＭＰａ以下過熱蒸気爆発力及び２００ＭＰａ以下燃焼ガス爆発力により夫々水を混合噴射加速して前方の真空を吸引噴射する各種エネルギ保存サイクル合体機関。
【請求項１４３１】
合体機関噴射部（７７Ｌ）を合体機関噴射部外箱（７７Ｆ）内の筒型外箱（７７ｂ）内に過熱蒸気噴射ノズル（６Ｈ）及び霧吹きの原理（１１１）を構成して、４００ＭＰａ以下過熱蒸気爆発力及び２００ＭＰａ以下燃焼ガス爆発力により含有水を混合噴射加速して前方の真空を吸引噴射する各種エネルギ保存サイクル合体機関。
【請求項１４３２】
合体機関噴射部（７７Ｋ）を合体機関燃焼部（２９）と分離して簡単高性能にした各種エネルギ保存サイクル合体機関。
【請求項１４３３】
合体機関噴射部（７７Ｋ）を合体機関燃焼部（２９）と分離して簡単高性能にして各種噴射推進飛行機に搭載した各種エネルギ保存サイクル合体機関。
【請求項１４３４】
合体機関噴射部（７７Ｋ）を合体機関燃焼部（２９）と分離して簡単高性能にして各種噴射推進戦闘飛行機に搭載した各種エネルギ保存サイクル合体機関。
【請求項１４３５】
合体機関噴射部（７７Ｋ）を合体機関燃焼部（２９）と分離して簡単高性能にして各種超音速噴射推進飛行機に搭載した各種エネルギ保存サイクル合体機関。
【請求項１４３６】
合体機関噴射部（７７Ｋ）を合体機関燃焼部（２９）と分離して簡単高性能にして各種超音速噴射推進戦闘飛行機に搭載した各種エネルギ保存サイクル合体機関。
【請求項１４３７】
合体機関噴射部（７７Ｋ）を合体機関燃焼部（２９）と分離して簡単高性能にして各種空気吸引噴射推進船舶に搭載した各種エネルギ保存サイクル合体機関。
【請求項１４３８】
合体機関噴射部（７７Ｋ）を合体機関燃焼部（２９）と分離して簡単高性能にして各種空気吸引噴射推進戦闘船舶に搭載した各種エネルギ保存サイクル合体機関。
【請求項１４３９】
ウォータージェット部（７７Ｍ）を合体機関燃焼部（２９）と分離して簡単高性能にして各種水噴射推進船舶に搭載した各種エネルギ保存サイクル合体機関。
【請求項１４４０】
ウォータージェット部（７７Ｍ）を合体機関燃焼部（２９）と分離して簡単高性能にして各種水噴射推進戦闘船舶に搭載した各種エネルギ保存サイクル合体機関。
【請求項１４４１】
ウォータージェット部（７７Ｍ）を合体機関燃焼部（２９）と分離して簡単高性能にして各種水噴射推進漁業用に搭載した各種エネルギ保存サイクル合体機関。
【請求項１４４２】
ウォータージェット部（７７Ｍ）を合体機関燃焼部（２９）と分離して簡単高性能にして各種水噴射推進船舶に搭載した各種エネルギ保存サイクル合体機関。
【請求項１４４３】
ウォータージェット部（７７Ｍ）を合体機関燃焼部（２９）と分離して簡単高性能にして各種水噴射推進貨物船舶に搭載した各種エネルギ保存サイクル合体機関。
【請求項１４４４】
ウォータージェット部（７７Ｍ）を合体機関燃焼部（２９）と分離して簡単高性能にして各種水噴射推進旅客船舶に搭載した各種エネルギ保存サイクル合体機関。
【請求項１４４５】
合体機関噴射部（７７Ｌ）を合体機関燃焼部（２９）と分離して簡単高性能にした各種エネルギ保存サイクル合体機関。
【請求項１４４６】
合体機関噴射部（７７Ｌ）を合体機関燃焼部（２９）と分離して簡単高性能にして各種噴射推進飛行機に搭載した各種エネルギ保存サイクル合体機関。
【請求項１４４７】
合体機関噴射部（７７Ｌ）を合体機関燃焼部（２９）と分離して簡単高性能にして各種噴射推進戦闘飛行機に搭載した各種エネルギ保存サイクル合体機関。
【請求項１４４８】
合体機関噴射部（７７Ｌ）を合体機関燃焼部（２９）と分離して簡単高性能にして各種超音速噴射推進飛行機に搭載した各種エネルギ保存サイクル合体機関。
【請求項１４４９】
合体機関噴射部（７７Ｌ）を合体機関燃焼部（２９）と分離して簡単高性能にして各種超音速噴射推進戦闘飛行機に搭載した各種エネルギ保存サイクル合体機関。
【請求項１４５０】
合体機関噴射部（７７Ｌ）を合体機関燃焼部（２９）と分離して簡単高性能にして各種空気吸引噴射推進船舶に搭載した各種エネルギ保存サイクル合体機関。
【請求項１４５１】
合体機関噴射部（７７Ｌ）を合体機関燃焼部（２９）と分離して簡単高性能にして各種空気吸引噴射推進戦闘船舶に搭載した各種エネルギ保存サイクル合体機関。
【請求項１４５２】
ウォータージェット部（７７Ｎ）を合体機関燃焼部（２９）と分離して簡単高性能にして各種水噴射推進船舶に搭載した各種エネルギ保存サイクル合体機関。
【請求項１４５３】
ウォータージェット部（７７Ｎ）を合体機関燃焼部（２９）と分離して簡単高性能にして各種水噴射推進戦闘船舶に搭載した各種エネルギ保存サイクル合体機関。
【請求項１４５４】
ウォータージェット部（７７Ｎ）を合体機関燃焼部（２９）と分離して簡単高性能にして各種水噴射推進漁業用に搭載した各種エネルギ保存サイクル合体機関。
【請求項１４５５】
ウォータージェット部（７７Ｎ）を合体機関燃焼部（２９）と分離して簡単高性能にして各種水噴射推進船舶に搭載した各種エネルギ保存サイクル合体機関。
【請求項１４５６】
ウォータージェット部（７７Ｎ）を合体機関燃焼部（２９）と分離して簡単高性能にして各種水噴射推進貨物船舶に搭載した各種エネルギ保存サイクル合体機関。
【請求項１４５７】
ウォータージェット部（７７Ｎ）を合体機関燃焼部（２９）と分離して簡単高性能にして各種水噴射推進旅客船舶に搭載した各種エネルギ保存サイクル合体機関。
【請求項１４５８】
ウォータージェット部（７７Ｍ）の過熱蒸気噴射ノズル（６Ｉ）及び燃焼ガス噴射ノズル（６Ｊ）を夫々の筒形外箱（７７ｂ）内に用途に合せた霧吹きの原理（１１１）と共に具備した各種エネルギ保存サイクル合体機関。
【請求項１４５９】
ウォータージェット部（７７Ｎ）の過熱蒸気噴射ノズル（６Ｂ）及び燃焼ガス噴射ノズル（６Ｄ）を夫々の筒形外箱（７７ｂ）内に用途に合せた霧吹きの原理（１１１）と共に具備した各種エネルギ保存サイクル合体機関。
【請求項１４６０】
合体機関噴射部（７７Ｋ）を合体機関燃焼部（２９Ａ）と分離して簡単高性能にした各種エネルギ保存サイクル合体機関。
【請求項１４６１】
合体機関噴射部（７７Ｋ）を合体機関燃焼部（２９Ａ）と分離して簡単高性能にして各種噴射推進飛行機に搭載した各種エネルギ保存サイクル合体機関。
【請求項１４６２】
合体機関噴射部（７７Ｋ）を合体機関燃焼部（２９Ａ）と分離して簡単高性能にして各種噴射推進戦闘飛行機に搭載した各種エネルギ保存サイクル合体機関。
【請求項１４６３】
合体機関噴射部（７７Ｋ）を合体機関燃焼部（２９Ａ）と分離して簡単高性能にして各種超音速噴射推進飛行機に搭載した各種エネルギ保存サイクル合体機関。
【請求項１４６４】
合体機関噴射部（７７Ｋ）を合体機関燃焼部（２９Ａ）と分離して簡単高性能にして各種超音速噴射推進戦闘飛行機に搭載した各種エネルギ保存サイクル合体機関。
【請求項１４６５】
合体機関噴射部（７７Ｋ）を合体機関燃焼部（２９Ａ）と分離して簡単高性能にして各種空気吸引噴射推進船舶に搭載した各種エネルギ保存サイクル合体機関。
【請求項１４６６】
合体機関噴射部（７７Ｋ）を合体機関燃焼部（２９Ａ）と分離して簡単高性能にして各種空気吸引噴射推進戦闘船舶に搭載した各種エネルギ保存サイクル合体機関。
【請求項１４６７】
ウォータージェット部（７７Ｍ）を合体機関燃焼部（２９Ａ）と分離して簡単高性能にして各種水噴射推進船舶に搭載した各種エネルギ保存サイクル合体機関。
【請求項１４６８】
ウォータージェット部（７７Ｍ）を合体機関燃焼部（２９Ａ）と分離して簡単高性能にして各種水噴射推進戦闘船舶に搭載した各種エネルギ保存サイクル合体機関。
【請求項１４６９】
ウォータージェット部（７７Ｍ）を合体機関燃焼部（２９Ａ）と分離して簡単高性能にして各種水噴射推進漁業用船舶に搭載した各種エネルギ保存サイクル合体機関。
【請求項１４７０】
ウォータージェット部（７７Ｍ）を合体機関燃焼部（２９Ａ）と分離して簡単高性能にして各種水噴射推進船舶に搭載した各種エネルギ保存サイクル合体機関。
【請求項１４７１】
ウォータージェット部（７７Ｍ）を合体機関燃焼部（２９Ａ）と分離して簡単高性能にして各種水噴射推進貨物船舶に搭載した各種エネルギ保存サイクル合体機関。
【請求項１４７２】
ウォータージェット部（７７Ｍ）を合体機関燃焼部（２９Ａ）と分離して簡単高性能にして各種水噴射推進旅客船舶に搭載した各種エネルギ保存サイクル合体機関。
【請求項１４７３】
合体機関噴射部（７７Ｌ）を合体機関燃焼部（２９Ａ）と分離して簡単高性能にした各種エネルギ保存サイクル合体機関。
【請求項１４７４】
合体機関噴射部（７７Ｌ）を合体機関燃焼部（２９Ａ）と分離して簡単高性能にして各種噴射推進飛行機に搭載した各種エネルギ保存サイクル合体機関。
【請求項１４７５】
合体機関噴射部（７７Ｌ）を合体機関燃焼部（２９Ａ）と分離して簡単高性能にして各種噴射推進戦闘飛行機に搭載した各種エネルギ保存サイクル合体機関。
【請求項１４７６】
合体機関噴射部（７７Ｌ）を合体機関燃焼部（２９Ａ）と分離して簡単高性能にして各種超音速噴射推進飛行機に搭載した各種エネルギ保存サイクル合体機関。
【請求項１４７７】
合体機関噴射部（７７Ｌ）を合体機関燃焼部（２９Ａ）と分離して簡単高性能にして各種超音速噴射推進戦闘飛行機に搭載した各種エネルギ保存サイクル合体機関。
【請求項１４７８】
合体機関噴射部（７７Ｌ）を合体機関燃焼部（２９Ａ）と分離して簡単高性能にして各種空気吸引噴射推進船舶に搭載した各種エネルギ保存サイクル合体機関。
【請求項１４７９】
合体機関噴射部（７７Ｌ）を合体機関燃焼部（２９Ａ）と分離して簡単高性能にして各種空気吸引噴射推進戦闘船舶に搭載した各種エネルギ保存サイクル合体機関。
【請求項１４８０】
ウォータージェット部（７７Ｎ）を合体機関燃焼部（２９Ａ）と分離して簡単高性能にして各種水噴射推進船舶に搭載した各種エネルギ保存サイクル合体機関。
【請求項１４８１】
ウォータージェット部（７７Ｎ）を合体機関燃焼部（２９Ａ）と分離して簡単高性能にして各種水噴射推進戦闘船舶に搭載した各種エネルギ保存サイクル合体機関。
【請求項１４８２】
ウォータージェット部（７７Ｎ）を合体機関燃焼部（２９Ａ）と分離して簡単高性能にして各種水噴射推進漁業用船舶に搭載した各種エネルギ保存サイクル合体機関。
【請求項１４８３】
ウォータージェット部（７７Ｎ）を合体機関燃焼部（２９Ａ）と分離して簡単高性能にして各種水噴射推進船舶に搭載した各種エネルギ保存サイクル合体機関。
【請求項１４８４】
ウォータージェット部（７７Ｎ）を合体機関燃焼部（２９Ａ）と分離して簡単高性能にして各種水噴射推進貨物船舶に搭載した各種エネルギ保存サイクル合体機関。
【請求項１４８５】
ウォータージェット部（７７Ｎ）を合体機関燃焼部（２９Ａ）と分離して簡単高性能にして各種水噴射推進旅客船舶に搭載した各種エネルギ保存サイクル合体機関。
【請求項１４８６】
合体機関噴射部（７７Ｋ）を合体機関燃焼部（２９Ｂ）と分離して簡単高性能にした各種エネルギ保存サイクル合体機関。
【請求項１４８７】
合体機関噴射部（７７Ｋ）を合体機関燃焼部（２９Ｂ）と分離して簡単高性能にして各種噴射推進飛行機に搭載した各種エネルギ保存サイクル合体機関。
【請求項１４８８】
合体機関噴射部（７７Ｋ）を合体機関燃焼部（２９Ｂ）と分離して簡単高性能にして各種噴射推進戦闘飛行機に搭載した各種エネルギ保存サイクル合体機関。
【請求項１４８９】
合体機関噴射部（７７Ｋ）を合体機関燃焼部（２９Ｂ）と分離して簡単高性能にして各種超音速噴射推進飛行機に搭載した各種エネルギ保存サイクル合体機関。
【請求項１４９０】
合体機関噴射部（７７Ｋ）を合体機関燃焼部（２９Ｂ）と分離して簡単高性能にして各種超音速噴射推進戦闘飛行機に搭載した各種エネルギ保存サイクル合体機関。
【請求項１４９１】
合体機関噴射部（７７Ｋ）を合体機関燃焼部（２９Ｂ）と分離して簡単高性能にして各種空気吸引噴射推進船舶に搭載した各種エネルギ保存サイクル合体機関。
【請求項１４９２】
合体機関噴射部（７７Ｋ）を合体機関燃焼部（２９Ｂ）と分離して簡単高性能にして各種空気吸引噴射推進戦闘船舶に搭載した各種エネルギ保存サイクル合体機関。
【請求項１４９３】
ウォータージェット部（７７Ｍ）を合体機関燃焼部（２９Ｂ）と分離して簡単高性能にして各種水噴射推進船舶に搭載した各種エネルギ保存サイクル合体機関。
【請求項１４９４】
ウォータージェット部（７７Ｍ）を合体機関燃焼部（２９Ｂ）と分離して簡単高性能にして各種水噴射推進戦闘船舶に搭載した各種エネルギ保存サイクル合体機関。
【請求項１４９５】
ウォータージェット部（７７Ｍ）を合体機関燃焼部（２９Ｂ）と分離して簡単高性能にして各種水噴射推進漁業用船舶に搭載した各種エネルギ保存サイクル合体機関。
【請求項１４９６】
ウォータージェット部（７７Ｍ）を合体機関燃焼部（２９Ｂ）と分離して簡単高性能にして各種水噴射推進船舶に搭載した各種エネルギ保存サイクル合体機関。
【請求項１４９７】
ウォータージェット部（７７Ｍ）を合体機関燃焼部（２９Ｂ）と分離して簡単高性能にして各種水噴射推進貨物船舶に搭載した各種エネルギ保存サイクル合体機関。
【請求項１４９８】
ウォータージェット部（７７Ｍ）を合体機関燃焼部（２９Ｂ）と分離して簡単高性能にして各種水噴射推進旅客船舶に搭載した各種エネルギ保存サイクル合体機関。
【請求項１４９９】
合体機関噴射部（７７Ｌ）を合体機関燃焼部（２９Ｂ）と分離して簡単高性能にした各種エネルギ保存サイクル合体機関。
【請求項１５００】
合体機関噴射部（７７Ｌ）を合体機関燃焼部（２９Ｂ）と分離して簡単高性能にして各種噴射推進飛行機に搭載した各種エネルギ保存サイクル合体機関。
【請求項１５０１】
合体機関噴射部（７７Ｌ）を合体機関燃焼部（２９Ｂ）と分離して簡単高性能にして各種噴射推進戦闘飛行機に搭載した各種エネルギ保存サイクル合体機関。
【請求項１５０２】
合体機関噴射部（７７Ｌ）を合体機関燃焼部（２９Ｂ）と分離して簡単高性能にして各種超音速噴射推進飛行機に搭載した各種エネルギ保存サイクル合体機関。
【請求項１５０３】
合体機関噴射部（７７Ｌ）を合体機関燃焼部（２９Ｂ）と分離して簡単高性能にして各種超音速噴射推進戦闘飛行機に搭載した各種エネルギ保存サイクル合体機関。
【請求項１５０４】
合体機関噴射部（７７Ｌ）を合体機関燃焼部（２９Ｂ）と分離して簡単高性能にして各種空気吸引噴射推進船舶に搭載した各種エネルギ保存サイクル合体機関。
【請求項１５０５】
合体機関噴射部（７７Ｌ）を合体機関燃焼部（２９Ｂ）と分離して簡単高性能にして各種空気吸引噴射推進戦闘船舶に搭載した各種エネルギ保存サイクル合体機関。
【請求項１５０６】
ウォータージェット部（７７Ｎ）を合体機関燃焼部（２９Ｂ）と分離して簡単高性能にして各種水噴射推進船舶に搭載した各種エネルギ保存サイクル合体機関。
【請求項１５０７】
ウォータージェット部（７７Ｎ）を合体機関燃焼部（２９Ｂ）と分離して簡単高性能にして各種水噴射推進戦闘船舶に搭載した各種エネルギ保存サイクル合体機関。
【請求項１５０８】
ウォータージェット部（７７Ｎ）を合体機関燃焼部（２９Ｂ）と分離して簡単高性能にして各種水噴射推進漁業用船舶に搭載した各種エネルギ保存サイクル合体機関。
【請求項１５０９】
ウォータージェット部（７７Ｎ）を合体機関燃焼部（２９Ｂ）と分離して簡単高性能にして各種水噴射推進船舶に搭載した各種エネルギ保存サイクル合体機関。
【請求項１５１０】
ウォータージェット部（７７Ｎ）を合体機関燃焼部（２９Ｂ）と分離して簡単高性能にして各種水噴射推進貨物船舶に搭載した各種エネルギ保存サイクル合体機関。
【請求項１５１１】
ウォータージェット部（７７Ｎ）を合体機関燃焼部（２９Ｂ）と分離して簡単高性能にして各種水噴射推進旅客船舶に搭載した各種エネルギ保存サイクル合体機関。
【請求項１５１２】
合体機関噴射部（７７Ｋ）を合体機関燃焼部（２９Ｃ）と分離して簡単高性能にした各種エネルギ保存サイクル合体機関。
【請求項１５１３】
合体機関噴射部（７７Ｋ）を合体機関燃焼部（２９Ｃ）と分離して簡単高性能にして各種噴射推進飛行機に搭載した各種エネルギ保存サイクル合体機関。
【請求項１５１４】
合体機関噴射部（７７Ｋ）を合体機関燃焼部（２９Ｃ）と分離して簡単高性能にして各種噴射推進戦闘飛行機に搭載した各種エネルギ保存サイクル合体機関。
【請求項１５１５】
合体機関噴射部（７７Ｋ）を合体機関燃焼部（２９Ｃ）と分離して簡単高性能にして各種超音速噴射推進飛行機に搭載した各種エネルギ保存サイクル合体機関。
【請求項１５１６】
合体機関噴射部（７７Ｋ）を合体機関燃焼部（２９Ｃ）と分離して簡単高性能にして各種超音速噴射推進戦闘飛行機に搭載した各種エネルギ保存サイクル合体機関。
【請求項１５１７】
合体機関噴射部（７７Ｋ）を合体機関燃焼部（２９Ｃ）と分離して簡単高性能にして各種空気吸引噴射推進船舶に搭載した各種エネルギ保存サイクル合体機関。
【請求項１５１８】
合体機関噴射部（７７Ｋ）を合体機関燃焼部（２９Ｃ）と分離して簡単高性能にして各種空気吸引噴射推進戦闘船舶に搭載した各種エネルギ保存サイクル合体機関。
【請求項１５１９】
ウォータージェット部（７７Ｍ）を合体機関燃焼部（２９Ｃ）と分離して簡単高性能にして各種水噴射推進船舶に搭載した各種エネルギ保存サイクル合体機関。
【請求項１５２０】
ウォータージェット部（７７Ｍ）を合体機関燃焼部（２９Ｃ）と分離して簡単高性能にして各種水噴射推進戦闘船舶に搭載した各種エネルギ保存サイクル合体機関。
【請求項１５２１】
ウォータージェット部（７７Ｍ）を合体機関燃焼部（２９Ｃ）と分離して簡単高性能にして各種水噴射推進漁業用船舶に搭載した各種エネルギ保存サイクル合体機関。
【請求項１５２２】
ウォータージェット部（７７Ｍ）を合体機関燃焼部（２９Ｃ）と分離して簡単高性能にして各種水噴射推進船舶に搭載した各種エネルギ保存サイクル合体機関。
【請求項１５２３】
ウォータージェット部（７７Ｍ）を合体機関燃焼部（２９Ｃ）と分離して簡単高性能にして各種水噴射推進貨物船舶に搭載した各種エネルギ保存サイクル合体機関。
【請求項１５２４】
ウォータージェット部（７７Ｍ）を合体機関燃焼部（２９Ｃ）と分離して簡単高性能にして各種水噴射推進旅客船舶に搭載した各種エネルギ保存サイクル合体機関。
【請求項１５２５】
合体機関噴射部（７７Ｌ）を合体機関燃焼部（２９Ｃ）と分離して簡単高性能にした各種エネルギ保存サイクル合体機関。
【請求項１５２６】
合体機関噴射部（７７Ｌ）を合体機関燃焼部（２９Ｃ）と分離して簡単高性能にして各種噴射推進飛行機に搭載した各種エネルギ保存サイクル合体機関。
【請求項１５２７】
合体機関噴射部（７７Ｌ）を合体機関燃焼部（２９Ｃ）と分離して簡単高性能にして各種噴射推進戦闘飛行機に搭載した各種エネルギ保存サイクル合体機関。
【請求項１５２８】
合体機関噴射部（７７Ｌ）を合体機関燃焼部（２９Ｃ）と分離して簡単高性能にして各種超音速噴射推進飛行機に搭載した各種エネルギ保存サイクル合体機関。
【請求項１５２９】
合体機関噴射部（７７Ｌ）を合体機関燃焼部（２９Ｃ）と分離して簡単高性能にして各種超音速噴射推進戦闘飛行機に搭載した各種エネルギ保存サイクル合体機関。
【請求項１５３０】
合体機関噴射部（７７Ｌ）を合体機関燃焼部（２９Ｃ）と分離して簡単高性能にして各種空気吸引噴射推進船舶に搭載した各種エネルギ保存サイクル合体機関。
【請求項１５３１】
合体機関噴射部（７７Ｌ）を合体機関燃焼部（２９Ｃ）と分離して簡単高性能にして各種空気吸引噴射推進戦闘船舶に搭載した各種エネルギ保存サイクル合体機関。
【請求項１５３２】
ウォータージェット部（７７Ｎ）を合体機関燃焼部（２９Ｃ）と分離して簡単高性能にして各種水噴射推進船舶に搭載した各種エネルギ保存サイクル合体機関。
【請求項１５３３】
ウォータージェット部（７７Ｎ）を合体機関燃焼部（２９Ｃ）と分離して簡単高性能にして各種水噴射推進戦闘船舶に搭載した各種エネルギ保存サイクル合体機関。
【請求項１５３４】
ウォータージェット部（７７Ｎ）を合体機関燃焼部（２９Ｃ）と分離して簡単高性能にして各種水噴射推進漁業用船舶に搭載した各種エネルギ保存サイクル合体機関。
【請求項１５３５】
ウォータージェット部（７７Ｎ）を合体機関燃焼部（２９Ｃ）と分離して簡単高性能にして各種水噴射推進船舶に搭載した各種エネルギ保存サイクル合体機関。
【請求項１５３６】
ウォータージェット部（７７Ｎ）を合体機関燃焼部（２９Ｃ）と分離して簡単高性能にして各種水噴射推進貨物船舶に搭載した各種エネルギ保存サイクル合体機関。
【請求項１５３７】
ウォータージェット部（７７Ｎ）を合体機関燃焼部（２９Ｃ）と分離して簡単高性能にして各種水噴射推進旅客船舶に搭載した各種エネルギ保存サイクル合体機関。
【請求項１５３８】
合体機関噴射部（７７Ｋ）を合体機関燃焼部（２９Ｄ）と分離して簡単高性能にした各種エネルギ保存サイクル合体機関。
【請求項１５３９】
合体機関噴射部（７７Ｋ）を合体機関燃焼部（２９Ｄ）と分離して簡単高性能にして各種噴射推進飛行機に搭載した各種エネルギ保存サイクル合体機関。
【請求項１５４０】
合体機関噴射部（７７Ｋ）を合体機関燃焼部（２９Ｄ）と分離して簡単高性能にして各種噴射推進戦闘飛行機に搭載した各種エネルギ保存サイクル合体機関。
【請求項１５４１】
合体機関噴射部（７７Ｋ）を合体機関燃焼部（２９Ｄ）と分離して簡単高性能にして各種超音速噴射推進飛行機に搭載した各種エネルギ保存サイクル合体機関。
【請求項１５４２】
合体機関噴射部（７７Ｋ）を合体機関燃焼部（２９Ｄ）と分離して簡単高性能にして各種超音速噴射推進戦闘飛行機に搭載した各種エネルギ保存サイクル合体機関。
【請求項１５４３】
合体機関噴射部（７７Ｋ）を合体機関燃焼部（２９Ｄ）と分離して簡単高性能にして各種空気吸引噴射推進船舶に搭載した各種エネルギ保存サイクル合体機関。
【請求項１５４４】
合体機関噴射部（７７Ｋ）を合体機関燃焼部（２９Ｄ）と分離して簡単高性能にして各種空気吸引噴射推進戦闘船舶に搭載した各種エネルギ保存サイクル合体機関。
【請求項１５４５】
ウォータージェット部（７７Ｍ）を合体機関燃焼部（２９Ｄ）と分離して簡単高性能にして各種水噴射推進船舶に搭載した各種エネルギ保存サイクル合体機関。
【請求項１５４６】
ウォータージェット部（７７Ｍ）を合体機関燃焼部（２９Ｄ）と分離して簡単高性能にして各種水噴射推進戦闘船舶に搭載した各種エネルギ保存サイクル合体機関。
【請求項１５４７】
ウォータージェット部（７７Ｍ）を合体機関燃焼部（２９Ｄ）と分離して簡単高性能にして各種水噴射推進漁業用船舶に搭載した各種エネルギ保存サイクル合体機関。
【請求項１５４８】
ウォータージェット部（７７Ｍ）を合体機関燃焼部（２９Ｄ）と分離して簡単高性能にして各種水噴射推進船舶に搭載した各種エネルギ保存サイクル合体機関。
【請求項１５４９】
ウォータージェット部（７７Ｍ）を合体機関燃焼部（２９Ｄ）と分離して簡単高性能にして各種水噴射推進貨物船舶に搭載した各種エネルギ保存サイクル合体機関。
【請求項１５５０】
ウォータージェット部（７７Ｍ）を合体機関燃焼部（２９Ｄ）と分離して簡単高性能にして各種水噴射推進旅客船舶に搭載した各種エネルギ保存サイクル合体機関。
【請求項１５５１】
合体機関噴射部（７７Ｌ）を合体機関燃焼部（２９Ｄ）と分離して簡単高性能にした各種エネルギ保存サイクル合体機関。
【請求項１５５２】
合体機関噴射部（７７Ｌ）を合体機関燃焼部（２９Ｄ）と分離して簡単高性能にして各種噴射推進飛行機に搭載した各種エネルギ保存サイクル合体機関。
【請求項１５５３】
合体機関噴射部（７７Ｌ）を合体機関燃焼部（２９Ｄ）と分離して簡単高性能にして各種噴射推進戦闘飛行機に搭載した各種エネルギ保存サイクル合体機関。
【請求項１５５４】
合体機関噴射部（７７Ｌ）を合体機関燃焼部（２９Ｄ）と分離して簡単高性能にして各種超音速噴射推進飛行機に搭載した各種エネルギ保存サイクル合体機関。
【請求項１５５５】
合体機関噴射部（７７Ｌ）を合体機関燃焼部（２９Ｄ）と分離して簡単高性能にして各種超音速噴射推進戦闘飛行機に搭載した各種エネルギ保存サイクル合体機関。
【請求項１５５６】
合体機関噴射部（７７Ｌ）を合体機関燃焼部（２９Ｄ）と分離して簡単高性能にして各種空気吸引噴射推進船舶に搭載した各種エネルギ保存サイクル合体機関。
【請求項１５５７】
合体機関噴射部（７７Ｌ）を合体機関燃焼部（２９Ｄ）と分離して簡単高性能にして各種空気吸引噴射推進戦闘船舶に搭載した各種エネルギ保存サイクル合体機関。
【請求項１５５８】
ウォータージェット部（７７Ｎ）を合体機関燃焼部（２９Ｄ）と分離して簡単高性能にして各種水噴射推進船舶に搭載した各種エネルギ保存サイクル合体機関。
【請求項１５５９】
ウォータージェット部（７７Ｎ）を合体機関燃焼部（２９Ｄ）と分離して簡単高性能にして各種水噴射推進戦闘船舶に搭載した各種エネルギ保存サイクル合体機関。
【請求項１５６０】
ウォータージェット部（７７Ｎ）を合体機関燃焼部（２９Ｄ）と分離して簡単高性能にして各種水噴射推進漁業用船舶に搭載した各種エネルギ保存サイクル合体機関。
【請求項１５６１】
ウォータージェット部（７７Ｎ）を合体機関燃焼部（２９Ｄ）と分離して簡単高性能にして各種水噴射推進船舶に搭載した各種エネルギ保存サイクル合体機関。
【請求項１５６２】
ウォータージェット部（７７Ｎ）を合体機関燃焼部（２９Ｄ）と分離して簡単高性能にして各種水噴射推進貨物船舶に搭載した各種エネルギ保存サイクル合体機関。
【請求項１５６３】
ウォータージェット部（７７Ｎ）を合体機関燃焼部（２９Ｄ）と分離して簡単高性能にして各種水噴射推進旅客船舶に搭載した各種エネルギ保存サイクル合体機関。
【請求項１５６４】
合体機関噴射部（７７Ｋ）を合体機関燃焼部（２９Ｅ）と分離して簡単高性能にした各種エネルギ保存サイクル合体機関。
【請求項１５６５】
合体機関噴射部（７７Ｋ）を合体機関燃焼部（２９Ｅ）と分離して簡単高性能にして各種噴射推進飛行機に搭載した各種エネルギ保存サイクル合体機関。
【請求項１５６６】
合体機関噴射部（７７Ｋ）を合体機関燃焼部（２９Ｅ）と分離して簡単高性能にして各種噴射推進戦闘飛行機に搭載した各種エネルギ保存サイクル合体機関。
【請求項１５６７】
合体機関噴射部（７７Ｋ）を合体機関燃焼部（２９Ｅ）と分離して簡単高性能にして各種超音速噴射推進飛行機に搭載した各種エネルギ保存サイクル合体機関。
【請求項１５６８】
合体機関噴射部（７７Ｋ）を合体機関燃焼部（２９Ｅ）と分離して簡単高性能にして各種超音速噴射推進戦闘飛行機に搭載した各種エネルギ保存サイクル合体機関。
【請求項１５６９】
合体機関噴射部（７７Ｋ）を合体機関燃焼部（２９Ｅ）と分離して簡単高性能にして各種空気吸引噴射推進船舶に搭載した各種エネルギ保存サイクル合体機関。
【請求項１５７０】
合体機関噴射部（７７Ｋ）を合体機関燃焼部（２９Ｅ）と分離して簡単高性能にして各種空気吸引噴射推進戦闘船舶に搭載した各種エネルギ保存サイクル合体機関。
【請求項１５７１】
ウォータージェット部（７７Ｍ）を合体機関燃焼部（２９Ｅ）と分離して簡単高性能にして各種水噴射推進船舶に搭載した各種エネルギ保存サイクル合体機関。
【請求項１５７２】
ウォータージェット部（７７Ｍ）を合体機関燃焼部（２９Ｅ）と分離して簡単高性能にして各種水噴射推進戦闘船舶に搭載した各種エネルギ保存サイクル合体機関。
【請求項１５７３】
ウォータージェット部（７７Ｍ）を合体機関燃焼部（２９Ｅ）と分離して簡単高性能にして各種水噴射推進漁業用船舶に搭載した各種エネルギ保存サイクル合体機関。
【請求項１５７４】
ウォータージェット部（７７Ｍ）を合体機関燃焼部（２９Ｅ）と分離して簡単高性能にして各種水噴射推進船舶に搭載した各種エネルギ保存サイクル合体機関。
【請求項１５７５】
ウォータージェット部（７７Ｍ）を合体機関燃焼部（２９Ｅ）と分離して簡単高性能にして各種水噴射推進貨物船舶に搭載した各種エネルギ保存サイクル合体機関。
【請求項１５７６】
ウォータージェット部（７７Ｍ）を合体機関燃焼部（２９Ｅ）と分離して簡単高性能にして各種水噴射推進旅客船舶に搭載した各種エネルギ保存サイクル合体機関。
【請求項１５７７】
合体機関噴射部（７７Ｌ）を合体機関燃焼部（２９Ｅ）と分離して簡単高性能にした各種エネルギ保存サイクル合体機関。
【請求項１５７８】
合体機関噴射部（７７Ｌ）を合体機関燃焼部（２９Ｅ）と分離して簡単高性能にして各種噴射推進飛行機に搭載した各種エネルギ保存サイクル合体機関。
【請求項１５７９】
合体機関噴射部（７７Ｌ）を合体機関燃焼部（２９Ｅ）と分離して簡単高性能にして各種噴射推進戦闘飛行機に搭載した各種エネルギ保存サイクル合体機関。
【請求項１５８０】
合体機関噴射部（７７Ｌ）を合体機関燃焼部（２９Ｅ）と分離して簡単高性能にして各種超音速噴射推進飛行機に搭載した各種エネルギ保存サイクル合体機関。
【請求項１５８１】
合体機関噴射部（７７Ｌ）を合体機関燃焼部（２９Ｅ）と分離して簡単高性能にして各種超音速噴射推進戦闘飛行機に搭載した各種エネルギ保存サイクル合体機関。
【請求項１５８２】
合体機関噴射部（７７Ｌ）を合体機関燃焼部（２９Ｅ）と分離して簡単高性能にして各種空気吸引噴射推進船舶に搭載した各種エネルギ保存サイクル合体機関。
【請求項１５８３】
合体機関噴射部（７７Ｌ）を合体機関燃焼部（２９Ｅ）と分離して簡単高性能にして各種空気吸引噴射推進戦闘船舶に搭載した各種エネルギ保存サイクル合体機関。
【請求項１５８４】
ウォータージェット部（７７Ｎ）を合体機関燃焼部（２９Ｅ）と分離して簡単高性能にして各種水噴射推進船舶に搭載した各種エネルギ保存サイクル合体機関。
【請求項１５８５】
ウォータージェット部（７７Ｎ）を合体機関燃焼部（２９Ｅ）と分離して簡単高性能にして各種水噴射推進戦闘船舶に搭載した各種エネルギ保存サイクル合体機関。
【請求項１５８６】
ウォータージェット部（７７Ｎ）を合体機関燃焼部（２９Ｅ）と分離して簡単高性能にして各種水噴射推進漁業用船舶に搭載した各種エネルギ保存サイクル合体機関。
【請求項１５８７】
ウォータージェット部（７７Ｎ）を合体機関燃焼部（２９Ｅ）と分離して簡単高性能にして各種水噴射推進船舶に搭載した各種エネルギ保存サイクル合体機関。
【請求項１５８８】
ウォータージェット部（７７Ｎ）を合体機関燃焼部（２９Ｅ）と分離して簡単高性能にして各種水噴射推進貨物船舶に搭載した各種エネルギ保存サイクル合体機関。
【請求項１５８９】
ウォータージェット部（７７Ｎ）を合体機関燃焼部（２９Ｅ）と分離して簡単高性能にして各種水噴射推進旅客船舶に搭載した各種エネルギ保存サイクル合体機関。
【請求項１５９０】
合体機関噴射部（７７Ｋ）を合体機関燃焼部（２９Ｆ）と分離して簡単高性能にした各種エネルギ保存サイクル合体機関。
【請求項１５９１】
合体機関噴射部（７７Ｋ）を合体機関燃焼部（２９Ｆ）と分離して簡単高性能にして各種噴射推進飛行機に搭載した各種エネルギ保存サイクル合体機関。
【請求項１５９２】
合体機関噴射部（７７Ｋ）を合体機関燃焼部（２９Ｆ）と分離して簡単高性能にして各種噴射推進戦闘飛行機に搭載した各種エネルギ保存サイクル合体機関。
【請求項１５９３】
合体機関噴射部（７７Ｋ）を合体機関燃焼部（２９Ｆ）と分離して簡単高性能にして各種超音速噴射推進飛行機に搭載した各種エネルギ保存サイクル合体機関。
【請求項１５９４】
合体機関噴射部（７７Ｋ）を合体機関燃焼部（２９Ｆ）と分離して簡単高性能にして各種超音速噴射推進戦闘飛行機に搭載した各種エネルギ保存サイクル合体機関。
【請求項１５９５】
合体機関噴射部（７７Ｋ）を合体機関燃焼部（２９Ｆ）と分離して簡単高性能にして各種空気吸引噴射推進船舶に搭載した各種エネルギ保存サイクル合体機関。
【請求項１５９６】
合体機関噴射部（７７Ｋ）を合体機関燃焼部（２９Ｆ）と分離して簡単高性能にして各種空気吸引噴射推進戦闘船舶に搭載した各種エネルギ保存サイクル合体機関。
【請求項１５９７】
ウォータージェット部（７７Ｍ）を合体機関燃焼部（２９Ｆ）と分離して簡単高性能にして各種水噴射推進船舶に搭載した各種エネルギ保存サイクル合体機関。
【請求項１５９８】
ウォータージェット部（７７Ｍ）を合体機関燃焼部（２９Ｆ）と分離して簡単高性能にして各種水噴射推進戦闘船舶に搭載した各種エネルギ保存サイクル合体機関。
【請求項１５９９】
ウォータージェット部（７７Ｍ）を合体機関燃焼部（２９Ｆ）と分離して簡単高性能にして各種水噴射推進漁業用船舶に搭載した各種エネルギ保存サイクル合体機関。
【請求項１６００】
ウォータージェット部（７７Ｍ）を合体機関燃焼部（２９Ｆ）と分離して簡単高性能にして各種水噴射推進船舶に搭載した各種エネルギ保存サイクル合体機関。
【請求項１６０１】
ウォータージェット部（７７Ｍ）を合体機関燃焼部（２９Ｆ）と分離して簡単高性能にして各種水噴射推進貨物船舶に搭載した各種エネルギ保存サイクル合体機関。
【請求項１６０２】
ウォータージェット部（７７Ｍ）を合体機関燃焼部（２９Ｆ）と分離して簡単高性能にして各種水噴射推進旅客船舶に搭載した各種エネルギ保存サイクル合体機関。
【請求項１６０３】
合体機関噴射部（７７Ｌ）を合体機関燃焼部（２９Ｆ）と分離して簡単高性能にした各種エネルギ保存サイクル合体機関。
【請求項１６０４】
合体機関噴射部（７７Ｌ）を合体機関燃焼部（２９Ｆ）と分離して簡単高性能にして各種噴射推進飛行機に搭載した各種エネルギ保存サイクル合体機関。
【請求項１６０５】
合体機関噴射部（７７Ｌ）を合体機関燃焼部（２９Ｆ）と分離して簡単高性能にして各種噴射推進戦闘飛行機に搭載した各種エネルギ保存サイクル合体機関。
【請求項１６０６】
合体機関噴射部（７７Ｌ）を合体機関燃焼部（２９Ｆ）と分離して簡単高性能にして各種超音速噴射推進飛行機に搭載した各種エネルギ保存サイクル合体機関。
【請求項１６０７】
合体機関噴射部（７７Ｌ）を合体機関燃焼部（２９Ｆ）と分離して簡単高性能にして各種超音速噴射推進戦闘飛行機に搭載した各種エネルギ保存サイクル合体機関。
【請求項１６０８】
合体機関噴射部（７７Ｌ）を合体機関燃焼部（２９Ｆ）と分離して簡単高性能にして各種空気吸引噴射推進船舶に搭載した各種エネルギ保存サイクル合体機関。
【請求項１６０９】
合体機関噴射部（７７Ｌ）を合体機関燃焼部（２９Ｆ）と分離して簡単高性能にして各種空気吸引噴射推進戦闘船舶に搭載した各種エネルギ保存サイクル合体機関。
【請求項１６１０】
ウォータージェット部（７７Ｎ）を合体機関燃焼部（２９Ｆ）と分離して簡単高性能にして各種水噴射推進船舶に搭載した各種エネルギ保存サイクル合体機関。
【請求項１６１１】
ウォータージェット部（７７Ｎ）を合体機関燃焼部（２９Ｆ）と分離して簡単高性能にして各種水噴射推進戦闘船舶に搭載した各種エネルギ保存サイクル合体機関。
【請求項１６１２】
ウォータージェット部（７７Ｎ）を合体機関燃焼部（２９Ｆ）と分離して簡単高性能にして各種水噴射推進漁業用船舶に搭載した各種エネルギ保存サイクル合体機関。
【請求項１６１３】
ウォータージェット部（７７Ｎ）を合体機関燃焼部（２９Ｆ）と分離して簡単高性能にして各種水噴射推進船舶に搭載した各種エネルギ保存サイクル合体機関。
【請求項１６１４】
ウォータージェット部（７７Ｎ）を合体機関燃焼部（２９Ｆ）と分離して簡単高性能にして各種水噴射推進貨物船舶に搭載した各種エネルギ保存サイクル合体機関。
【請求項１６１５】
ウォータージェット部（７７Ｎ）を合体機関燃焼部（２９Ｆ）と分離して簡単高性能にして各種水噴射推進旅客船舶に搭載した各種エネルギ保存サイクル合体機関。
【請求項１６１６】
合体機関噴射部（７７Ｋ）を合体機関燃焼部（２９Ｇ）と分離して簡単高性能にした各種エネルギ保存サイクル合体機関。
【請求項１６１７】
合体機関噴射部（７７Ｋ）を合体機関燃焼部（２９Ｇ）と分離して簡単高性能にして各種噴射推進飛行機に搭載した各種エネルギ保存サイクル合体機関。
【請求項１６１８】
合体機関噴射部（７７Ｋ）を合体機関燃焼部（２９Ｇ）と分離して簡単高性能にして各種噴射推進戦闘飛行機に搭載した各種エネルギ保存サイクル合体機関。
【請求項１６１９】
合体機関噴射部（７７Ｋ）を合体機関燃焼部（２９Ｇ）と分離して簡単高性能にして各種超音速噴射推進飛行機に搭載した各種エネルギ保存サイクル合体機関。
【請求項１６２０】
合体機関噴射部（７７Ｋ）を合体機関燃焼部（２９Ｇ）と分離して簡単高性能にして各種超音速噴射推進戦闘飛行機に搭載した各種エネルギ保存サイクル合体機関。
【請求項１６２１】
合体機関噴射部（７７Ｋ）を合体機関燃焼部（２９Ｇ）と分離して簡単高性能にして各種空気吸引噴射推進船舶に搭載した各種エネルギ保存サイクル合体機関。
【請求項１６２２】
合体機関噴射部（７７Ｋ）を合体機関燃焼部（２９Ｇ）と分離して簡単高性能にして各種空気吸引噴射推進戦闘船舶に搭載した各種エネルギ保存サイクル合体機関。
【請求項１６２３】
ウォータージェット部（７７Ｍ）を合体機関燃焼部（２９Ｇ）と分離して簡単高性能にして各種水噴射推進船舶に搭載した各種エネルギ保存サイクル合体機関。
【請求項１６２４】
ウォータージェット部（７７Ｍ）を合体機関燃焼部（２９Ｇ）と分離して簡単高性能にして各種水噴射推進戦闘船舶に搭載した各種エネルギ保存サイクル合体機関。
【請求項１６２５】
ウォータージェット部（７７Ｍ）を合体機関燃焼部（２９Ｇ）と分離して簡単高性能にして各種水噴射推進漁業用船舶に搭載した各種エネルギ保存サイクル合体機関。
【請求項１６２６】
ウォータージェット部（７７Ｍ）を合体機関燃焼部（２９Ｇ）と分離して簡単高性能にして各種水噴射推進船舶に搭載した各種エネルギ保存サイクル合体機関。
【請求項１６２７】
ウォータージェット部（７７Ｍ）を合体機関燃焼部（２９Ｇ）と分離して簡単高性能にして各種水噴射推進貨物船舶に搭載した各種エネルギ保存サイクル合体機関。
【請求項１６２８】
ウォータージェット部（７７Ｍ）を合体機関燃焼部（２９Ｇ）と分離して簡単高性能にして各種水噴射推進旅客船舶に搭載した各種エネルギ保存サイクル合体機関。
【請求項１６２９】
合体機関噴射部（７７Ｌ）を合体機関燃焼部（２９Ｇ）と分離して簡単高性能にした各種エネルギ保存サイクル合体機関。
【請求項１６３０】
合体機関噴射部（７７Ｌ）を合体機関燃焼部（２９Ｇ）と分離して簡単高性能にして各種噴射推進飛行機に搭載した各種エネルギ保存サイクル合体機関。
【請求項１６３１】
合体機関噴射部（７７Ｌ）を合体機関燃焼部（２９Ｇ）と分離して簡単高性能にして各種噴射推進戦闘飛行機に搭載した各種エネルギ保存サイクル合体機関。
【請求項１６３２】
合体機関噴射部（７７Ｌ）を合体機関燃焼部（２９Ｇ）と分離して簡単高性能にして各種超音速噴射推進飛行機に搭載した各種エネルギ保存サイクル合体機関。
【請求項１６３３】
合体機関噴射部（７７Ｌ）を合体機関燃焼部（２９Ｇ）と分離して簡単高性能にして各種超音速噴射推進戦闘飛行機に搭載した各種エネルギ保存サイクル合体機関。
【請求項１６３４】
合体機関噴射部（７７Ｌ）を合体機関燃焼部（２９Ｇ）と分離して簡単高性能にして各種空気吸引噴射推進船舶に搭載した各種エネルギ保存サイクル合体機関。
【請求項１６３５】
合体機関噴射部（７７Ｌ）を合体機関燃焼部（２９Ｇ）と分離して簡単高性能にして各種空気吸引噴射推進戦闘船舶に搭載した各種エネルギ保存サイクル合体機関。
【請求項１６３６】
ウォータージェット部（７７Ｎ）を合体機関燃焼部（２９Ｇ）と分離して簡単高性能にして各種水噴射推進船舶に搭載した各種エネルギ保存サイクル合体機関。
【請求項１６３７】
ウォータージェット部（７７Ｎ）を合体機関燃焼部（２９Ｇ）と分離して簡単高性能にして各種水噴射推進戦闘船舶に搭載した各種エネルギ保存サイクル合体機関。
【請求項１６３８】
ウォータージェット部（７７Ｎ）を合体機関燃焼部（２９Ｇ）と分離して簡単高性能にして各種水噴射推進漁業用船舶に搭載した各種エネルギ保存サイクル合体機関。
【請求項１６３９】
ウォータージェット部（７７Ｎ）を合体機関燃焼部（２９Ｇ）と分離して簡単高性能にして各種水噴射推進船舶に搭載した各種エネルギ保存サイクル合体機関。
【請求項１６４０】
ウォータージェット部（７７Ｎ）を合体機関燃焼部（２９Ｇ）と分離して簡単高性能にして各種水噴射推進貨物船舶に搭載した各種エネルギ保存サイクル合体機関。
【請求項１６４１】
ウォータージェット部（７７Ｎ）を合体機関燃焼部（２９Ｇ）と分離して簡単高性能にして各種水噴射推進旅客船舶に搭載した各種エネルギ保存サイクル合体機関。
【請求項１６４２】
合体機関噴射部（７７Ｋ）を合体機関燃焼部（２９Ｈ）と分離して簡単高性能にした各種エネルギ保存サイクル合体機関。
【請求項１６４３】
合体機関噴射部（７７Ｋ）を合体機関燃焼部（２９Ｈ）と分離して簡単高性能にして各種噴射推進飛行機に搭載した各種エネルギ保存サイクル合体機関。
【請求項１６４４】
合体機関噴射部（７７Ｋ）を合体機関燃焼部（２９Ｈ）と分離して簡単高性能にして各種噴射推進戦闘飛行機に搭載した各種エネルギ保存サイクル合体機関。
【請求項１６４５】
合体機関噴射部（７７Ｋ）を合体機関燃焼部（２９Ｈ）と分離して簡単高性能にして各種超音速噴射推進飛行機に搭載した各種エネルギ保存サイクル合体機関。
【請求項１６４６】
合体機関噴射部（７７Ｋ）を合体機関燃焼部（２９Ｈ）と分離して簡単高性能にして各種超音速噴射推進戦闘飛行機に搭載した各種エネルギ保存サイクル合体機関。
【請求項１６４７】
合体機関噴射部（７７Ｋ）を合体機関燃焼部（２９Ｈ）と分離して簡単高性能にして各種空気吸引噴射推進船舶に搭載した各種エネルギ保存サイクル合体機関。
【請求項１６４８】
合体機関噴射部（７７Ｋ）を合体機関燃焼部（２９Ｈ）と分離して簡単高性能にして各種空気吸引噴射推進戦闘船舶に搭載した各種エネルギ保存サイクル合体機関。
【請求項１６４９】
ウォータージェット部（７７Ｍ）を合体機関燃焼部（２９Ｈ）と分離して簡単高性能にして各種水噴射推進船舶に搭載した各種エネルギ保存サイクル合体機関。
【請求項１６５０】
ウォータージェット部（７７Ｍ）を合体機関燃焼部（２９Ｈ）と分離して簡単高性能にして各種水噴射推進戦闘船舶に搭載した各種エネルギ保存サイクル合体機関。
【請求項１６５１】
ウォータージェット部（７７Ｍ）を合体機関燃焼部（２９Ｈ）と分離して簡単高性能にして各種水噴射推進漁業用船舶に搭載した各種エネルギ保存サイクル合体機関。
【請求項１６５２】
ウォータージェット部（７７Ｍ）を合体機関燃焼部（２９Ｈ）と分離して簡単高性能にして各種水噴射推進船舶に搭載した各種エネルギ保存サイクル合体機関。
【請求項１６５３】
ウォータージェット部（７７Ｍ）を合体機関燃焼部（２９Ｈ）と分離して簡単高性能にして各種水噴射推進貨物船舶に搭載した各種エネルギ保存サイクル合体機関。
【請求項１６５４】
ウォータージェット部（７７Ｍ）を合体機関燃焼部（２９Ｈ）と分離して簡単高性能にして各種水噴射推進旅客船舶に搭載した各種エネルギ保存サイクル合体機関。
【請求項１６５５】
合体機関噴射部（７７Ｌ）を合体機関燃焼部（２９Ｈ）と分離して簡単高性能にした各種エネルギ保存サイクル合体機関。
【請求項１６５６】
合体機関噴射部（７７Ｌ）を合体機関燃焼部（２９Ｈ）と分離して簡単高性能にして各種噴射推進飛行機に搭載した各種エネルギ保存サイクル合体機関。
【請求項１６５７】
合体機関噴射部（７７Ｌ）を合体機関燃焼部（２９Ｈ）と分離して簡単高性能にして各種噴射推進戦闘飛行機に搭載した各種エネルギ保存サイクル合体機関。
【請求項１６５８】
合体機関噴射部（７７Ｌ）を合体機関燃焼部（２９Ｈ）と分離して簡単高性能にして各種超音速噴射推進飛行機に搭載した各種エネルギ保存サイクル合体機関。
【請求項１６５９】
合体機関噴射部（７７Ｌ）を合体機関燃焼部（２９Ｈ）と分離して簡単高性能にして各種超音速噴射推進戦闘飛行機に搭載した各種エネルギ保存サイクル合体機関。
【請求項１６６０】
合体機関噴射部（７７Ｌ）を合体機関燃焼部（２９Ｈ）と分離して簡単高性能にして各種空気吸引噴射推進船舶に搭載した各種エネルギ保存サイクル合体機関。
【請求項１６６１】
合体機関噴射部（７７Ｌ）を合体機関燃焼部（２９Ｈ）と分離して簡単高性能にして各種空気吸引噴射推進戦闘船舶に搭載した各種エネルギ保存サイクル合体機関。
【請求項１６６２】
ウォータージェット部（７７Ｎ）を合体機関燃焼部（２９Ｈ）と分離して簡単高性能にして各種水噴射推進船舶に搭載した各種エネルギ保存サイクル合体機関。
【請求項１６６３】
ウォータージェット部（７７Ｎ）を合体機関燃焼部（２９Ｈ）と分離して簡単高性能にして各種水噴射推進戦闘船舶に搭載した各種エネルギ保存サイクル合体機関。
【請求項１６６４】
ウォータージェット部（７７Ｎ）を合体機関燃焼部（２９Ｈ）と分離して簡単高性能にして各種水噴射推進漁業用船舶に搭載した各種エネルギ保存サイクル合体機関。
【請求項１６６５】
ウォータージェット部（７７Ｎ）を合体機関燃焼部（２９Ｈ）と分離して簡単高性能にして各種水噴射推進船舶に搭載した各種エネルギ保存サイクル合体機関。
【請求項１６６６】
ウォータージェット部（７７Ｎ）を合体機関燃焼部（２９Ｈ）と分離して簡単高性能にして各種水噴射推進貨物船舶に搭載した各種エネルギ保存サイクル合体機関。
【請求項１６６７】
ウォータージェット部（７７Ｎ）を合体機関燃焼部（２９Ｈ）と分離して簡単高性能にして各種水噴射推進旅客船舶に搭載した各種エネルギ保存サイクル合体機関。
【請求項１６６８】
タービン翼（８ｃ）（８ｃ）を噛合せて対向無接触同期回転可能に送水ポンプ兼磁気摩擦動力伝達装置（５５）を具備した各種エネルギ保存サイクル合体機関。
【請求項１６６９】
タービン翼（８ｃ）（８ｃ）を噛合せて対向無接触同期回転可能に公知の歯車ポンプを具備した各種エネルギ保存サイクル合体機関。
【請求項１６７０】
タービン翼（８ｃ）（８ｃ）を噛合せて対向無接触同期回転可能に磁気摩擦動力伝達装置（７６）を具備した各種エネルギ保存サイクル合体機関。
【請求項１６７１】
タービン翼（８ｃ）（８ｃ）を接近せて対向無接触同期回転可能に送水ポンプ兼磁気摩擦動力伝達装置（５５）を具備した各種エネルギ保存サイクル合体機関。
【請求項１６７２】
タービン翼（８ｃ）（８ｃ）を接近せて対向無接触同期回転可能に公知の歯車ポンプを具備した各種エネルギ保存サイクル合体機関。
【請求項１６７３】
タービン翼（８ｃ）（８ｃ）を接近せて対向無接触同期回転可能に磁気摩擦動力伝達装置（７６）を具備した各種エネルギ保存サイクル合体機関。
【請求項１６７４】
タービン翼（８ｃ）（８ｃ）を噛合せて対向無接触同期回転可能に送水ポンプ兼磁気摩擦動力伝達装置（５５）を具備して同期させた各種エネルギ保存サイクル合体機関。
【請求項１６７５】
タービン翼（８ｃ）（８ｃ）を噛合せて対向無接触同期回転可能に公知の歯車ポンプを具備して同期させた各種エネルギ保存サイクル合体機関。
【請求項１６７６】
タービン翼（８ｃ）（８ｃ）を噛合せて対向無接触同期回転可能に磁気摩擦動力伝達装置（７６）を具備して同期させた各種エネルギ保存サイクル合体機関。
【請求項１６７７】
タービン翼（８ｃ）（８ｃ）を接近せて対向無接触同期回転可能に送水ポンプ兼磁気摩擦動力伝達装置（５５）を具備して同期させた各種エネルギ保存サイクル合体機関。
【請求項１６７８】
タービン翼（８ｃ）（８ｃ）を接近せて対向無接触同期回転可能に公知の歯車ポンプを具備して同期させた各種エネルギ保存サイクル合体機関。
【請求項１６７９】
タービン翼（８ｃ）（８ｃ）を接近せて対向無接触同期回転可能に磁気摩擦動力伝達装置（７６）を具備して同期させた各種エネルギ保存サイクル合体機関。
【請求項１６８０】
摩擦損失を低減したタービン翼（８ｃ）（８ｃ）を噛合せて対向無接触同期回転可能に送水ポンプ兼磁気摩擦動力伝達装置（５５）を具備した各種エネルギ保存サイクル合体機関。
【請求項１６８１】
摩擦損失を低減したタービン翼（８ｃ）（８ｃ）を噛合せて対向無接触同期回転可能に公知の歯車ポンプを具備した各種エネルギ保存サイクル合体機関。
【請求項１６８２】
摩擦損失を低減したタービン翼（８ｃ）（８ｃ）を噛合せて対向無接触同期回転可能に磁気摩擦動力伝達装置（７６）を具備した各種エネルギ保存サイクル合体機関。
【請求項１６８３】
摩擦損失を低減したタービン翼（８ｃ）（８ｃ）を接近せて対向無接触同期回転可能に送水ポンプ兼磁気摩擦動力伝達装置（５５）を具備した各種エネルギ保存サイクル合体機関。
【請求項１６８４】
摩擦損失を低減したタービン翼（８ｃ）（８ｃ）を接近せて対向無接触同期回転可能に公知の歯車ポンプを具備した各種エネルギ保存サイクル合体機関。
【請求項１６８５】
摩擦損失を低減したタービン翼（８ｃ）（８ｃ）を接近せて対向無接触同期回転可能に磁気摩擦動力伝達装置（７６）を具備した各種エネルギ保存サイクル合体機関。
【請求項１６８６】
摩擦損失を低減したタービン翼（８ｃ）（８ｃ）を噛合せて対向無接触同期回転可能に送水ポンプ兼磁気摩擦動力伝達装置（５５）を具備して同期させた各種エネルギ保存サイクル合体機関。
【請求項１６８７】
摩擦損失を低減したタービン翼（８ｃ）（８ｃ）を噛合せて対向無接触同期回転可能に公知の歯車ポンプを具備して同期させた各種エネルギ保存サイクル合体機関。
【請求項１６８８】
摩擦損失を低減したタービン翼（８ｃ）（８ｃ）を噛合せて対向無接触同期回転可能に磁気摩擦動力伝達装置（７６）を具備して同期させた各種エネルギ保存サイクル合体機関。
【請求項１６８９】
摩擦損失を低減したタービン翼（８ｃ）（８ｃ）を接近せて対向無接触同期回転可能に送水ポンプ兼磁気摩擦動力伝達装置（５５）を具備して同期させた各種エネルギ保存サイクル合体機関。
【請求項１６９０】
摩擦損失を低減したタービン翼（８ｃ）（８ｃ）を接近せて対向無接触同期回転可能に公知の歯車ポンプを具備して同期させた各種エネルギ保存サイクル合体機関。
【請求項１６９１】
摩擦損失を低減したタービン翼（８ｃ）（８ｃ）を接近せて対向無接触同期回転可能に磁気摩擦動力伝達装置（７６）を具備して同期させた各種エネルギ保存サイクル合体機関。
【請求項１６９２】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備した各種エネルギ保存サイクル合体機関。
【請求項１６９３】
撥水鍍金（３ａ）により摩擦損失を低減したタービン翼（８ｃ）（８ｃ）を噛合せて対向無接触同期回転可能に公知の歯車ポンプを具備した各種エネルギ保存サイクル合体機関。
【請求項１６９４】
撥水鍍金（３ａ）により摩擦損失を低減したタービン翼（８ｃ）（８ｃ）を噛合せて対向無接触同期回転可能に磁気摩擦動力伝達装置（７６）を具備した各種エネルギ保存サイクル合体機関。
【請求項１６９５】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備した各種エネルギ保存サイクル合体機関。
【請求項１６９６】
撥水鍍金（３ａ）により摩擦損失を低減したタービン翼（８ｃ）（８ｃ）を接近せて対向無接触同期回転可能に公知の歯車ポンプを具備した各種エネルギ保存サイクル合体機関。
【請求項１６９７】
撥水鍍金（３ａ）により摩擦損失を低減したタービン翼（８ｃ）（８ｃ）を接近せて対向無接触同期回転可能に磁気摩擦動力伝達装置（７６）を具備した各種エネルギ保存サイクル合体機関。
【請求項１６９８】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備して同期させた各種エネルギ保存サイクル合体機関。
【請求項１６９９】
撥水鍍金（３ａ）により摩擦損失を低減したタービン翼（８ｃ）（８ｃ）を噛合せて対向無接触同期回転可能に公知の歯車ポンプを具備して同期させた各種エネルギ保存サイクル合体機関。
【請求項１７００】
撥水鍍金（３ａ）により摩擦損失を低減したタービン翼（８ｃ）（８ｃ）を噛合せて対向無接触同期回転可能に磁気摩擦動力伝達装置（７６）を具備して同期させた各種エネルギ保存サイクル合体機関。
【請求項１７０１】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備して同期させた各種エネルギ保存サイクル合体機関。
【請求項１７０２】
撥水鍍金（３ａ）により摩擦損失を低減したタービン翼（８ｃ）（８ｃ）を接近せて対向無接触同期回転可能に公知の歯車ポンプを具備して同期させた各種エネルギ保存サイクル合体機関。
【請求項１７０３】
撥水鍍金（３ａ）により摩擦損失を低減したタービン翼（８ｃ）（８ｃ）を接近せて対向無接触同期回転可能に磁気摩擦動力伝達装置（７６）を具備して同期させた各種エネルギ保存サイクル合体機関。
【請求項１７０４】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備した各種エネルギ保存サイクル合体機関。
【請求項１７０５】
加熱高温手段（１０１）により摩擦損失を低減したタービン翼（８ｃ）（８ｃ）を噛合せて対向無接触同期回転可能に公知の歯車ポンプを具備した各種エネルギ保存サイクル合体機関。
【請求項１７０６】
加熱高温手段（１０１）により摩擦損失を低減したタービン翼（８ｃ）（８ｃ）を噛合せて対向無接触同期回転可能に磁気摩擦動力伝達装置（７６）を具備した各種エネルギ保存サイクル合体機関。
【請求項１７０７】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備した各種エネルギ保存サイクル合体機関。
【請求項１７０８】
加熱高温手段（１０１）により摩擦損失を低減したタービン翼（８ｃ）（８ｃ）を接近せて対向無接触同期回転可能に公知の歯車ポンプを具備した各種エネルギ保存サイクル合体機関。
【請求項１７０９】
加熱高温手段（１０１）により摩擦損失を低減したタービン翼（８ｃ）（８ｃ）を接近せて対向無接触同期回転可能に磁気摩擦動力伝達装置（７６）を具備した各種エネルギ保存サイクル合体機関。
【請求項１７１０】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備して同期させた各種エネルギ保存サイクル合体機関。
【請求項１７１１】
加熱高温手段（１０１）により摩擦損失を低減したタービン翼（８ｃ）（８ｃ）を噛合せて対向無接触同期回転可能に公知の歯車ポンプを具備して同期させた各種エネルギ保存サイクル合体機関。
【請求項１７１２】
加熱高温手段（１０１）により摩擦損失を低減したタービン翼（８ｃ）（８ｃ）を噛合せて対向無接触同期回転可能に磁気摩擦動力伝達装置（７６）を具備して同期させた各種エネルギ保存サイクル合体機関。
【請求項１７１３】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備して同期させた各種エネルギ保存サイクル合体機関。
【請求項１７１４】
加熱高温手段（１０１）により摩擦損失を低減したタービン翼（８ｃ）（８ｃ）を接近せて対向無接触同期回転可能に公知の歯車ポンプを具備して同期させた各種エネルギ保存サイクル合体機関。
【請求項１７１５】
加熱高温手段（１０１）により摩擦損失を低減したタービン翼（８ｃ）（８ｃ）を接近せて対向無接触同期回転可能に磁気摩擦動力伝達装置（７６）を具備して同期させた各種エネルギ保存サイクル合体機関。
【請求項１７１６】
タービン翼（８ｃ）（８ｃ）を噛合せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７１７】
タービン翼（８ｃ）（８ｃ）を噛合せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７１８】
タービン翼（８ｃ）（８ｃ）を噛合せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７１９】
タービン翼（８ｃ）（８ｃ）を接近せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７２０】
タービン翼（８ｃ）（８ｃ）を接近せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７２１】
タービン翼（８ｃ）（８ｃ）を接近せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７２２】
タービン翼（８ｃ）（８ｃ）を噛合せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７２３】
タービン翼（８ｃ）（８ｃ）を噛合せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７２４】
タービン翼（８ｃ）（８ｃ）を噛合せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７２５】
タービン翼（８ｃ）（８ｃ）を接近せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７２６】
タービン翼（８ｃ）（８ｃ）を接近せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７２７】
タービン翼（８ｃ）（８ｃ）を接近せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７２８】
摩擦損失を低減したタービン翼（８ｃ）（８ｃ）を噛合せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７２９】
摩擦損失を低減したタービン翼（８ｃ）（８ｃ）を噛合せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７３０】
摩擦損失を低減したタービン翼（８ｃ）（８ｃ）を噛合せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７３１】
摩擦損失を低減したタービン翼（８ｃ）（８ｃ）を接近せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７３２】
摩擦損失を低減したタービン翼（８ｃ）（８ｃ）を接近せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７３３】
摩擦損失を低減したタービン翼（８ｃ）（８ｃ）を接近せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７３４】
摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７３５】
摩擦損失を低減したタービン翼（８ｃ）（８ｃ）を噛合せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７３６】
摩擦損失を低減したタービン翼（８ｃ）（８ｃ）を噛合せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７３７】
摩擦損失を低減したタービン翼（８ｃ）（８ｃ）を接近せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７３８】
摩擦損失を低減したタービン翼（８ｃ）（８ｃ）を接近せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７３９】
摩擦損失を低減したタービン翼（８ｃ）（８ｃ）を接近せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７４０】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７４１】
撥水鍍金（３ａ）により摩擦損失を低減したタービン翼（８ｃ）（８ｃ）を噛合せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７４２】
撥水鍍金（３ａ）により摩擦損失を低減したタービン翼（８ｃ）（８ｃ）を噛合せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７４３】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７４４】
撥水鍍金（３ａ）により摩擦損失を低減したタービン翼（８ｃ）（８ｃ）を接近せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７４５】
撥水鍍金（３ａ）により摩擦損失を低減したタービン翼（８ｃ）（８ｃ）を接近せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７４６】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７４７】
撥水鍍金（３ａ）により摩擦損失を低減したタービン翼（８ｃ）（８ｃ）を噛合せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７４８】
撥水鍍金（３ａ）により摩擦損失を低減したタービン翼（８ｃ）（８ｃ）を噛合せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７４９】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７５０】
撥水鍍金（３ａ）により摩擦損失を低減したタービン翼（８ｃ）（８ｃ）を接近せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７５１】
撥水鍍金（３ａ）により摩擦損失を低減したタービン翼（８ｃ）（８ｃ）を接近せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７５２】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７５３】
加熱高温手段（１０１）により摩擦損失を低減したタービン翼（８ｃ）（８ｃ）を噛合せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７５４】
加熱高温手段（１０１）により摩擦損失を低減したタービン翼（８ｃ）（８ｃ）を噛合せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７５５】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備し、過熱蒸気噴射ノズル（６）及び燃焼ガス噴射ノズル（６）より混合噴射する各種エネルギ保存サイクル合体機関。
【請求項１７５６】
加熱高温手段（１０１）により摩擦損失を低減したタービン翼（８ｃ）（８ｃ）を接近せて対向無接触同期回転可能に公知の歯車ポンプを具備し、過熱蒸気噴射ノズル（６）及び燃焼ガス噴射ノズル（６）より混合噴射する各種エネルギ保存サイクル合体機関。
【請求項１７５７】
加熱高温手段（１０１）により摩擦損失を低減したタービン翼（８ｃ）（８ｃ）を接近せて対向無接触同期回転可能に磁気摩擦動力伝達装置（７６）を具備し、過熱蒸気噴射ノズル（６）及び燃焼ガス噴射ノズル（６）より混合噴射する各種エネルギ保存サイクル合体機関。
【請求項１７５８】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７５９】
加熱高温手段（１０１）により摩擦損失を低減したタービン翼（８ｃ）（８ｃ）を噛合せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７６０】
加熱高温手段（１０１）により摩擦損失を低減したタービン翼（８ｃ）（８ｃ）を噛合せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７６１】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備して同期させ、過熱蒸気噴射ノズル（６）及び燃焼ガス噴射ノズル（６）より混合噴射する各種エネルギ保存サイクル合体機関。
【請求項１７６２】
加熱高温手段（１０１）により摩擦損失を低減したタービン翼（８ｃ）（８ｃ）を接近せて対向無接触同期回転可能に公知の歯車ポンプを具備して同期させ、過熱蒸気噴射ノズル（６）及び燃焼ガス噴射ノズル（６）より混合噴射する各種エネルギ保存サイクル合体機関。
【請求項１７６３】
加熱高温手段（１０１）により摩擦損失を低減したタービン翼（８ｃ）（８ｃ）を接近せて対向無接触同期回転可能に磁気摩擦動力伝達装置（７６）を具備して同期させ、過熱蒸気噴射ノズル（６）及び燃焼ガス噴射ノズル（６）より混合噴射する各種エネルギ保存サイクル合体機関。
【請求項１７６４】
タービン翼（８ｃ）（８ｃ）を噛合せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７６５】
タービン翼（８ｃ）（８ｃ）を噛合せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７６６】
タービン翼（８ｃ）（８ｃ）を噛合せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７６７】
タービン翼（８ｃ）（８ｃ）を接近せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７６８】
タービン翼（８ｃ）（８ｃ）を接近せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７６９】
タービン翼（８ｃ）（８ｃ）を接近せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７７０】
タービン翼（８ｃ）（８ｃ）を噛合せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７７１】
タービン翼（８ｃ）（８ｃ）を噛合せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７７２】
タービン翼（８ｃ）（８ｃ）を噛合せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１７７３】
タービン翼（８ｃ）（８ｃ）を接近せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７７４】
タービン翼（８ｃ）（８ｃ）を接近せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７７５】
タービン翼（８ｃ）（８ｃ）を接近せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１７７６】
摩擦損失を低減したタービン翼（８ｃ）（８ｃ）を噛合せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７７７】
摩擦損失を低減したタービン翼（８ｃ）（８ｃ）を噛合せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７７８】
摩擦損失を低減したタービン翼（８ｃ）（８ｃ）を噛合せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７７９】
摩擦損失を低減したタービン翼（８ｃ）（８ｃ）を接近せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７８０】
摩擦損失を低減したタービン翼（８ｃ）（８ｃ）を接近せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７８１】
摩擦損失を低減したタービン翼（８ｃ）（８ｃ）を接近せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７８２】
摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７８３】
摩擦損失を低減したタービン翼（８ｃ）（８ｃ）を噛合せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７８４】
摩擦損失を低減したタービン翼（８ｃ）（８ｃ）を噛合せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１７８５】
摩擦損失を低減したタービン翼（８ｃ）（８ｃ）を接近せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７８６】
摩擦損失を低減したタービン翼（８ｃ）（８ｃ）を接近せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７８７】
摩擦損失を低減したタービン翼（８ｃ）（８ｃ）を接近せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１７８８】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７８９】
撥水鍍金（３ａ）により摩擦損失を低減したタービン翼（８ｃ）（８ｃ）を噛合せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７９０】
撥水鍍金（３ａ）により摩擦損失を低減したタービン翼（８ｃ）（８ｃ）を噛合せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７９１】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１７９２】
撥水鍍金（３ａ）により摩擦損失を低減したタービン翼（８ｃ）（８ｃ）を接近せて対向無接触同期回転可能に公知の歯車ポンプを具備し、過熱蒸気燃焼ガス噴射ノズル（６Ｈ）より混合噴射する各種エネルギ保存サイクル合体機関。
【請求項１７９３】
撥水鍍金（３ａ）により摩擦損失を低減したタービン翼（８ｃ）（８ｃ）を接近せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１７９４】
撥水鍍金（３ａ）により摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７９５】
撥水鍍金（３ａ）により摩擦損失を低減したタービン翼（８ｃ）（８ｃ）を噛合せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７９６】
撥水鍍金（３ａ）により摩擦損失を低減したタービン翼（８ｃ）（８ｃ）を噛合せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１７９７】
撥水鍍金（３ａ）により摩擦損失を低減したタービン翼（８ｃ）（８ｃ）を接近せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１７９８】
撥水鍍金（３ａ）により摩擦損失を低減したタービン翼（８ｃ）（８ｃ）を接近せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１７９９】
撥水鍍金（３ａ）により摩擦損失を低減したタービン翼（８ｃ）（８ｃ）を接近せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１８００】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１８０１】
加熱高温手段（１０１）により摩擦損失を低減したタービン翼（８ｃ）（８ｃ）を噛合せて対向無接触同期回転可能に公知の歯車ポンプを具備し、過熱蒸気燃焼ガス噴射ノズル（６Ｈ）より混合噴射する各種エネルギ保存サイクル合体機関。
【請求項１８０２】
加熱高温手段（１０１）により摩擦損失を低減したタービン翼（８ｃ）（８ｃ）を噛合せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１８０３】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備し、過熱蒸気燃焼ガス噴射ノズル（６Ｈ）より混合噴射する各種エネルギ保存サイクル合体機関。
【請求項１８０４】
加熱高温手段（１０１）により摩擦損失を低減したタービン翼（８ｃ）（８ｃ）を接近せて対向無接触同期回転可能に公知の歯車ポンプを具備し、過熱蒸気燃焼ガス噴射ノズル（６Ｈ）より混合噴射する各種エネルギ保存サイクル合体機関。
【請求項１８０５】
加熱高温手段（１０１）により摩擦損失を低減したタービン翼（８ｃ）（８ｃ）を接近せて対向無接触同期回転可能に磁気摩擦動力伝達装置（７６）を具備し、過熱蒸気燃焼ガス噴射ノズル（６Ｈ）より混合噴射する各種エネルギ保存サイクル合体機関。
【請求項１８０６】
加熱高温手段（１０１）により摩擦損失を低減したタービン翼（８ｃ）（８ｃ）を噛合せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１８０７】
加熱高温手段（１０１）により摩擦損失を低減したタービン翼（８ｃ）（８ｃ）を噛合せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１８０８】
加熱高温手段（１０１）により摩擦損失を低減したタービン翼（８ｃ）（８ｃ）を噛合せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１８０９】
加熱高温手段（１０１）により摩擦損失を低減したタービン翼（８ｃ）（８ｃ）を接近せて対向無接触同期回転可能に送水ポンプ兼磁気摩擦動力伝達装置（５５）を具備して同期させ、過熱蒸気燃焼ガス噴射ノズル（６Ｈ）より混合噴射する各種エネルギ保存サイクル合体機関。
【請求項１８１０】
加熱高温手段（１０１）により摩擦損失を低減したタービン翼（８ｃ）（８ｃ）を接近せて対向無接触同期回転可能に公知の歯車ポンプを具備して同期させ、過熱蒸気燃焼ガス噴射ノズル（６Ｈ）より混合噴射する各種エネルギ保存サイクル合体機関。
【請求項１８１１】
加熱高温手段（１０１）により摩擦損失を低減したタービン翼（８ｃ）（８ｃ）を接近せて対向無接触同期回転可能に磁気摩擦動力伝達装置（７６）を具備して同期させ、過熱蒸気燃焼ガス噴射ノズル（６Ｈ）より混合噴射する各種エネルギ保存サイクル合体機関。
【請求項１８１２】
前記合体機関噴射部（７７Ｋ）に換えて合体機関噴射部（７７Ｌ）としたことを特徴とする各種エネルギ保存サイクル合体機関。
【請求項１８１３】
前記合体機関噴射部（７７Ｌ）に換えて合体機関噴射部（７７Ｋ）としたことを特徴とする各種エネルギ保存サイクル合体機関。
【請求項１８１４】
前記合体機関噴射部（７７Ｋ）は過熱蒸気噴射ノズル（６Ａ）を使用した霧吹きの原理（１１１ａ）を具備したことを特徴とする各種エネルギ保存サイクル合体機関。
【請求項１８１５】
前記合体機関噴射部（７７Ｋ）は過熱蒸気噴射ノズル（６Ｂ）を使用した霧吹きの原理（１１１ａ）を具備したことを特徴とする各種エネルギ保存サイクル合体機関。
【請求項１８１６】
前記合体機関噴射部（７７Ｋ）は過熱蒸気噴射ノズル（６Ｉ）を使用した霧吹きの原理（１１１ａ）を具備したことを特徴とする各種エネルギ保存サイクル合体機関。
【請求項１８１７】
前記合体機関噴射部（７７Ｋ）は燃焼ガス噴射ノズル（６Ｃ）を使用した霧吹きの原理（１１１ｂ）を具備したことを特徴とする各種エネルギ保存サイクル合体機関。
【請求項１８１８】
前記合体機関噴射部（７７Ｋ）は燃焼ガス噴射ノズル（６Ｄ）を使用した霧吹きの原理（１１１ｂ）を具備したことを特徴とする各種エネルギ保存サイクル合体機関。
【請求項１８１９】
前記合体機関噴射部（７７Ｋ）は燃焼ガス噴射ノズル（６Ｊ）を使用した霧吹きの原理（１１１ｂ）を具備したことを特徴とする各種エネルギ保存サイクル合体機関。
【請求項１８２０】
前記合体機関噴射部（７７Ｌ）は過熱蒸気燃焼ガス噴射ノズル（６Ｈ）を使用した霧吹きの原理（１１１Ｌ）を具備したことを特徴とする各種エネルギ保存サイクル合体機関。
【請求項１８２１】
前記合体機関噴射部（７７Ｌ）は過熱蒸気燃焼ガス噴射ノズル（６Ｘ）を使用した霧吹きの原理（１１１Ｌ）を具備したことを特徴とする各種エネルギ保存サイクル合体機関。
【請求項１８２２】
前記合体機関噴射部（７７Ｋ）は燃焼ガス噴射ノズル（６Ｃ）を使用して燃焼ガスのマイクロバブルを生成する霧吹きの原理（１１１ｂ）を具備したことを特徴とする各種エネルギ保存サイクル合体機関。
【請求項１８２３】
前記合体機関噴射部（７７Ｋ）は燃焼ガス噴射ノズル（６Ｄ）を使用して燃焼ガスのマイクロバブルを生成する霧吹きの原理（１１１ｂ）を具備したことを特徴とする各種エネルギ保存サイクル合体機関。
【請求項１８２４】
前記合体機関噴射部（７７Ｋ）は燃焼ガス噴射ノズル（６Ｊ）を使用して燃焼ガスのマイクロバブルを生成する霧吹きの原理（１１１ｂ）を具備したことを特徴とする各種エネルギ保存サイクル合体機関。
【請求項１８２５】
前記合体機関噴射部（７７Ｌ）は過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８２６】
前記合体機関噴射部（７７Ｌ）は過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８２７】
前記合体機関噴射部（７７Ｋ）は過熱蒸気噴射ノズル（６Ａ）を使用して過熱蒸気のマイクロバブルを生成する霧吹きの原理（１１１ａ）を具備したことを特徴とする各種エネルギ保存サイクル合体機関。
【請求項１８２８】
前記合体機関噴射部（７７Ｋ）は過熱蒸気噴射ノズル（６Ｂ）を使用して過熱蒸気のマイクロバブルを生成する霧吹きの原理（１１１ａ）を具備したことを特徴とする各種エネルギ保存サイクル合体機関。
【請求項１８２９】
前記合体機関噴射部（７７Ｋ）は過熱蒸気噴射ノズル（６Ｉ）を使用して過熱蒸気のマイクロバブルを生成する霧吹きの原理（１１１ａ）を具備したことを特徴とする各種エネルギ保存サイクル合体機関。
【請求項１８３０】
前記合体機関噴射部（７７Ｌ）は過熱蒸気燃焼ガス噴射ノズル（６Ｈ）を使用して過熱蒸気のマイクロバブルを生成する霧吹きの原理（１１１Ｌ）を具備したことを特徴とする各種エネルギ保存サイクル合体機関。
【請求項１８３１】
前記合体機関噴射部（７７Ｌ）は過熱蒸気燃焼ガス噴射ノズル（６Ｘ）を使用して過熱蒸気のマイクロバブルを生成する霧吹きの原理（１１１Ｌ）を具備したことを特徴とする各種エネルギ保存サイクル合体機関。
【請求項１８３２】
前記過熱蒸気噴射ノズル（６）及び燃焼ガス噴射ノズル（６）に換えて過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８３３】
前記過熱蒸気噴射ノズル（６）及び燃焼ガス噴射ノズル（６）に換えて過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８３４】
前記過熱蒸気噴射ノズル（６Ａ）及び燃焼ガス噴射ノズル（６Ｃ）に換えて過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８３５】
前記過熱蒸気噴射ノズル（６Ａ）及び燃焼ガス噴射ノズル（６Ｃ）に換えて過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８３６】
前記過熱蒸気噴射ノズル（６Ｂ）及び燃焼ガス噴射ノズル（６Ｄ）に換えて過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８３７】
前記過熱蒸気噴射ノズル（６Ｂ）及び燃焼ガス噴射ノズル（６Ｄ）に換えて過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８３８】
前記過熱蒸気噴射ノズル（６Ｉ）及び燃焼ガス噴射ノズル（６Ｊ）に換えて過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８３９】
前記過熱蒸気噴射ノズル（６Ｉ）及び燃焼ガス噴射ノズル（６Ｊ）に換えて過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８４０】
前記過熱蒸気噴射ノズル（６Ａ）及び燃焼ガス噴射ノズル（６Ｄ）に換えて過熱蒸気燃焼ガス噴射ノズル（６Ｘ）を使用して燃焼ガスのマイクロバブルを生成する霧吹きの原理（１１１Ｌ）を具備したことを特徴とする各種エネルギ保存サイクル合体機関。
【請求項１８４１】
前記過熱蒸気噴射ノズル（６Ａ）及び燃焼ガス噴射ノズル（６Ｄ）に換えて過熱蒸気燃焼ガス噴射ノズル（６Ｈ）を使用して燃焼ガスのマイクロバブルを生成する霧吹きの原理（１１１Ｌ）を具備したことを特徴とする各種エネルギ保存サイクル合体機関。
【請求項１８４２】
前記ウォータージェット（７７Ｍ）に換えてウォータージェット（７７Ｎ）としたことを特徴とする各種エネルギ保存サイクル合体機関。
【請求項１８４３】
前記ウォータージェット（７７Ｎ）に換えてウォータージェット（７７Ｍ）としたことを特徴とする各種エネルギ保存サイクル合体機関。
【請求項１８４４】
前記ウォータージェット（７７Ｍ）は過熱蒸気噴射ノズル（６Ａ）を使用した霧吹きの原理（１１１ｃ）を具備したことを特徴とする各種エネルギ保存サイクル合体機関。
【請求項１８４５】
前記ウォータージェット（７７Ｍ）は過熱蒸気噴射ノズル（６Ｂ）を使用した霧吹きの原理（１１１ｃ）を具備したことを特徴とする各種エネルギ保存サイクル合体機関。
【請求項１８４６】
前記ウォータージェット（７７Ｍ）は過熱蒸気噴射ノズル（６Ｉ）を使用した霧吹きの原理（１１１ｃ）を具備したことを特徴とする各種エネルギ保存サイクル合体機関。
【請求項１８４７】
前記ウォータージェット（７７Ｍ）は燃焼ガス噴射ノズル（６Ｃ）を使用した霧吹きの原理（１１１ｄ）を具備したことを特徴とする各種エネルギ保存サイクル合体機関。
【請求項１８４８】
前記ウォータージェット（７７Ｍ）は燃焼ガス噴射ノズル（６Ｄ）を使用した霧吹きの原理（１１１ｄ）を具備したことを特徴とする各種エネルギ保存サイクル合体機関。
【請求項１８４９】
前記ウォータージェット（７７Ｍ）は燃焼ガス噴射ノズル（６Ｊ）を使用した霧吹きの原理（１１１ｄ）を具備したことを特徴とする各種エネルギ保存サイクル合体機関。
【請求項１８５０】
前記ウォータージェット（７７Ｎ）は過熱蒸気噴射ノズル（６Ａ）を使用した霧吹きの原理（１１１ｇ）を具備したことを特徴とする各種エネルギ保存サイクル合体機関。
【請求項１８５１】
前記ウォータージェット（７７Ｎ）は過熱蒸気噴射ノズル（６Ｂ）を使用した霧吹きの原理（１１１ｇ）を具備したことを特徴とする各種エネルギ保存サイクル合体機関。
【請求項１８５２】
前記ウォータージェット（７７Ｎ）は過熱蒸気噴射ノズル（６Ｉ）を使用した霧吹きの原理（１１１ｇ）を具備したことを特徴とする各種エネルギ保存サイクル合体機関。
【請求項１８５３】
前記ウォータージェット（７７Ｎ）は燃焼ガス噴射ノズル（６Ｃ）を使用した霧吹きの原理（１１１ｈ）を具備したことを特徴とする各種エネルギ保存サイクル合体機関。
【請求項１８５４】
前記ウォータージェット（７７Ｎ）は燃焼ガス噴射ノズル（６Ｄ）を使用した霧吹きの原理（１１１ｈ）を具備したことを特徴とする各種エネルギ保存サイクル合体機関。
【請求項１８５５】
前記ウォータージェット（７７Ｎ）は燃焼ガス噴射ノズル（６Ｊ）を使用した霧吹きの原理（１１１ｈ）を具備したことを特徴とする各種エネルギ保存サイクル合体機関。
【請求項１８５６】
前記ウォータージェット（７７Ｍ）は燃焼ガス噴射ノズル（６Ｃ）を使用して燃焼ガスのマイクロバブルを生成する霧吹きの原理（１１１ｄ）を具備したことを特徴とする各種エネルギ保存サイクル合体機関。
【請求項１８５７】
前記ウォータージェット（７７Ｍ）は燃焼ガス噴射ノズル（６Ｄ）を使用して燃焼ガスのマイクロバブルを生成する霧吹きの原理（１１１ｄ）を具備したことを特徴とする各種エネルギ保存サイクル合体機関。
【請求項１８５８】
前記ウォータージェット（７７Ｍ）は燃焼ガス噴射ノズル（６Ｊ）を使用して燃焼ガスのマイクロバブルを生成する霧吹きの原理（１１１ｄ）を具備したことを特徴とする各種エネルギ保存サイクル合体機関。
【請求項１８５９】
前記ウォータージェット（７７Ｎ）は燃焼ガス噴射ノズル（６Ｃ）を使用して燃焼ガスのマイクロバブルを生成する霧吹きの原理（１１１ｈ）を具備したことを特徴とする各種エネルギ保存サイクル合体機関。
【請求項１８６０】
前記ウォータージェット（７７Ｎ）は燃焼ガス噴射ノズル（６Ｄ）を使用して燃焼ガスのマイクロバブルを生成する霧吹きの原理（１１１ｈ）を具備したことを特徴とする各種エネルギ保存サイクル合体機関。
【請求項１８６１】
前記ウォータージェット（７７Ｎ）は燃焼ガス噴射ノズル（６Ｊ）を使用して燃焼ガスのマイクロバブルを生成する霧吹きの原理（１１１ｈ）を具備したことを特徴とする各種エネルギ保存サイクル合体機関。
【請求項１８６２】
前記ウォータージェット（７７Ｍ）は過熱蒸気噴射ノズル（６Ａ）を使用して過熱蒸気のマイクロバブルを生成する霧吹きの原理（１１１ｃ）を具備したことを特徴とする各種エネルギ保存サイクル合体機関。
【請求項１８６３】
前記ウォータージェット（７７Ｍ）は過熱蒸気噴射ノズル（６Ｂ）を使用して過熱蒸気のマイクロバブルを生成する霧吹きの原理（１１１ｃ）を具備したことを特徴とする各種エネルギ保存サイクル合体機関。
【請求項１８６４】
前記ウォータージェット（７７Ｍ）は過熱蒸気噴射ノズル（６Ｉ）を使用して過熱蒸気のマイクロバブルを生成する霧吹きの原理（１１１ｃ）を具備したことを特徴とする各種エネルギ保存サイクル合体機関。
【請求項１８６５】
前記ウォータージェット（７７Ｎ）は過熱蒸気噴射ノズル（６Ａ）を使用して過熱蒸気のマイクロバブルを生成する霧吹きの原理（１１１ｇ）を具備したことを特徴とする各種エネルギ保存サイクル合体機関。
【請求項１８６６】
前記ウォータージェット（７７Ｎ）は過熱蒸気噴射ノズル（６Ｂ）を使用して過熱蒸気のマイクロバブルを生成する霧吹きの原理（１１１ｇ）を具備したことを特徴とする各種エネルギ保存サイクル合体機関。
【請求項１８６７】
前記ウォータージェット（７７Ｎ）は過熱蒸気噴射ノズル（６Ｉ）を使用して過熱蒸気のマイクロバブルを生成する霧吹きの原理（１１１ｇ）を具備したことを特徴とする各種エネルギ保存サイクル合体機関。
【請求項１８６８】
前記過熱蒸気爆発力の水圧を制御するため、送水ポンプ兼磁気摩擦動力伝達装置（５５）送水ポンプ（７５）送水ポンプ兼二重反転磁気摩擦動力伝達装置（８４）の何れか１以上を具備したことを特徴とする各種エネルギ保存サイクル合体機関。
【請求項１８６９】
前記弾み車蒸気タービン（８ｂ）の排気部に気化熱回収器（２ｂ）及び空気抽出器（５１）を具備して気化熱を水道水温熱（５２ｄ）として回収し、高温水（５２ｂ）と凝縮水（５２ｆ）を循環供給する各種エネルギ保存サイクル合体機関。
【請求項１８７０】
前記弾み車蒸気タービン（８ｂ）の排気部に気化熱回収器（２ｂ）及び空気抽出器（５１）を具備して気化熱を水道水温熱（５２ｄ）として回収し、需要家に供給する各種エネルギ保存サイクル合体機関。
【請求項１８７１】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種暖房設備機器を製造供給する各種エネルギ保存サイクル合体機関。
【請求項１８７２】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱配管より放熱する各種暖房設備機器を製造供給する各種エネルギ保存サイクル合体機関。
【請求項１８７３】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱配管より放熱させて送風する各種暖房設備機器を製造供給する各種エネルギ保存サイクル合体機関。
【請求項１８７４】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種調理設備機器を製造供給する各種エネルギ保存サイクル合体機関。
【請求項１８７５】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種厨房設備機器を製造供給する各種エネルギ保存サイクル合体機関。
【請求項１８７６】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種温水設備機器を製造供給する各種エネルギ保存サイクル合体機関。
【請求項１８７７】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱温度を調整して業務用の水浴場で利用の各種温水設備機器を製造供給する各種エネルギ保存サイクル合体機関。
【請求項１８７８】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱温度を調整して家庭用の水浴場で利用の各種温水設備機器を製造供給する各種エネルギ保存サイクル合体機関。
【請求項１８７９】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種洗濯乾燥機を製造供給する各種エネルギ保存サイクル合体機関。
【請求項１８８０】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱に各種洗剤を混入して撹拌洗濯して減圧真空・気化撹拌乾燥する各種洗濯乾燥機を製造供給する各種エネルギ保存サイクル合体機関。
【請求項１８８１】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種食器洗い機を製造供給する各種エネルギ保存サイクル合体機関。
【請求項１８８２】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱に各種洗剤を混入して噴射洗浄する各種食器洗い機を製造供給する各種エネルギ保存サイクル合体機関。
【請求項１８８３】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱利用の各種海水淡水化装置を製造供給する各種エネルギ保存サイクル合体機関。
【請求項１８８４】
前記弾み車蒸気タービン（８ｂ）の排気部に気化熱回収器（２ｂ）及び空気抽出器（５１）を具備して気化熱を水道水温熱（５２ｄ）として回収し、需要家に供給すると共に水道水温熱より海水を加熱・減圧気化・冷却蒸留する各種海水淡水化装置を製造供給する各種エネルギ保存サイクル合体機関。
【請求項１８８５】
前記弾み車ガスタービン（８ａ）の排気部に冷熱回収器（１０３）及びガス抽出器（５１ａ）を具備して冷熱を水道水冷熱（５２ｅ）として回収し、冷水（５２ｈ）を冷水噴射ノズル（６Ｇ）に供給して燃焼ガス溶解水（５２ｇ）を冷却液として外部の冷熱回収器（１０３）に供給する各種エネルギ保存サイクル合体機関。
【請求項１８８６】
前記弾み車ガスタービン（８ａ）の排気部に冷熱回収器（１０３）及びガス抽出器（５１ａ）を具備して冷熱を水道水冷熱（５２ｅ）として回収し、需要家に供給する各種エネルギ保存サイクル合体機関。
【請求項１８８７】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に水道水冷熱利用の各種冷凍設備機器を製造供給する各種エネルギ保存サイクル合体機関。
【請求項１８８８】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術空気冷却等に換えて水道水冷熱冷却の各種冷凍設備機器を製造供給する各種エネルギ保存サイクル合体機関。
【請求項１８８９】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術代替フロン圧縮等に換えて空気圧縮・水道水冷熱冷却の各種冷凍設備機器を製造供給する各種エネルギ保存サイクル合体機関。
【請求項１８９０】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に水道水冷熱利用の各種冷房設備機器を製造供給する各種エネルギ保存サイクル合体機関。
【請求項１８９１】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術空気冷却に換えて水道水冷熱冷却の各種冷房設備機器を製造供給する各種エネルギ保存サイクル合体機関。
【請求項１８９２】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術代替フロン圧縮等に換えて空気圧縮・水道水冷熱冷却の各種冷房設備機器を製造供給する各種エネルギ保存サイクル合体機関。
【請求項１８９３】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に水道水冷熱利用の各種冷蔵設備機器を製造供給する各種エネルギ保存サイクル合体機関。
【請求項１８９４】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術空気冷却に換えて水道水冷熱冷却の各種冷蔵設備機器を製造供給する各種エネルギ保存サイクル合体機関。
【請求項１８９５】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存技術代替フロン圧縮等に換えて空気圧縮・水道水冷熱冷却の各種冷蔵設備機器を製造供給する各種エネルギ保存サイクル合体機関。
【請求項１８９６】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に水道水冷熱利用の各種冷却設備機器を製造供給する各種エネルギ保存サイクル合体機関。
【請求項１８９７】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に既存製氷設備機器に換えて水道水冷熱利用の各種製氷設備機器を製造供給する各種エネルギ保存サイクル合体機関。
【請求項１８９８】
前記弾み車ガスタービン（８ａ）の排気部に冷熱回収器（１０３）及びガス抽出器（５１ａ）を具備して冷熱を水道水冷熱（５２ｅ）として回収し、需要家に供給すると共に水道水冷熱を貯蔵する真空断熱材等で断熱した冷熱タンクや冷熱配管を製造供給する各種エネルギ保存サイクル合体機関。
【請求項１８９９】
前記弾み車蒸気タービン（８ｂ）の排気部に気化熱回収器（２ｂ）及び空気抽出器（５１）を具備して温熱を水道水温熱（５２ｄ）として回収し、需要家に供給すると共に水道水温熱を貯蔵する真空断熱材等で断熱した温熱タンクや温熱配管を製造供給する各種エネルギ保存サイクル合体機関。
【請求項１９００】
前記弾み車ガスタービン（８ａ）の排気外部に冷熱回収器（１０３）を具備して冷熱を水道水冷熱（５２ｅ）として回収し、需要家に供給すると共にＣＯ２等の燃焼ガス溶解水（５２ｇ）を製造供給する各種エネルギ保存サイクル合体機関。
【請求項１９０１】
前記弾み車ガスタービン（８ａ）の排気外部に冷熱回収器（１０３）を具備して冷熱を水道水冷熱（５２ｅ）として回収し、需要家に供給すると共にＣＯ２等の燃焼ガス溶解水（５２ｇ）も回収して肥料を製造供給する各種エネルギ保存サイクル合体機関。
【請求項１９０２】
前記弾み車ガスタービン（８ａ）の排気外部に冷熱回収器（１０３）を具備して冷熱を水道水冷熱（５２ｅ）として回収し、需要家に供給すると共にＣＯ２等の燃焼ガス溶解水（５２ｇ）も回収廃物利用して肥料を製造供給する各種エネルギ保存サイクル合体機関。
【請求項１９０３】
前記弾み車ガスタービン（８ａ）の排気外部に冷熱回収器（１０３）を具備して冷熱を水道水冷熱（５２ｅ）として回収し、需要家に供給すると共にＣＯ２等の燃焼ガス溶解水（５２ｇ）も回収して肥料を製造する過程で、バイオガスを製造供給する各種エネルギ保存サイクル合体機関。
【請求項１９０４】
前記弾み車ガスタービン（８ａ）の排気外部に冷熱回収器（１０３）を具備して冷熱を水道水冷熱（５２ｅ）として回収し、需要家に供給すると共にＣＯ２等の燃焼ガス溶解水（５２ｇ）も回収して肥料を製造する過程で、メタンガスを製造供給する各種エネルギ保存サイクル合体機関。
【請求項１９０５】
前記各種自動車は熱と電気と冷熱の供給設備としても使用する各種エネルギ保存サイクル合体機関。
【請求項１９０６】
前記各種電車は熱と電気と冷熱の供給設備としても使用する各種エネルギ保存サイクル合体機関。
【請求項１９０７】
前記各種貨物自動車は熱と電気と冷熱の供給設備としても使用する各種エネルギ保存サイクル合体機関。
【請求項１９０８】
前記各種乗用自動車は熱と電気と冷熱の供給設備としても使用する各種エネルギ保存サイクル合体機関。
【請求項１９０９】
前記各種農業機械は熱と電気と冷熱の供給設備としても使用する各種エネルギ保存サイクル合体機関。
【請求項１９１０】
前記各種機関車は熱と電気と冷熱の供給設備としても使用する各種エネルギ保存サイクル合体機関。
【請求項１９１１】
前記各種作業車は熱と電気と冷熱の供給設備としても使用する各種エネルギ保存サイクル合体機関。
【請求項１９１２】
前記各種逆電車は熱と電気と冷熱の供給設備としても使用する各種エネルギ保存サイクル合体機関。
【請求項１９１３】
前記各種自動車は熱と電気と冷熱の供給設備で発電蓄電した蓄電池と特殊継ぎ手で結合して使用する各種エネルギ保存サイクル合体機関。
【請求項１９１４】
前記各種電車は熱と電気と冷熱の供給設備で発電蓄電した蓄電池と特殊継ぎ手で結合して使用する各種エネルギ保存サイクル合体機関。
【請求項１９１５】
前記各種貨物自動車は熱と電気と冷熱の供給設備で発電蓄電した蓄電池と特殊継ぎ手で結合して使用する各種エネルギ保存サイクル合体機関。
【請求項１９１６】
前記各種乗用自動車は熱と電気と冷熱の供給設備で発電蓄電した蓄電池と特殊継ぎ手で結合して使用する各種エネルギ保存サイクル合体機関。
【請求項１９１７】
前記各種農業機械は熱と電気と冷熱の供給設備で発電蓄電した蓄電池と特殊継ぎ手で結合して使用する各種エネルギ保存サイクル合体機関。
【請求項１９１８】
前記各種機関車は熱と電気と冷熱の供給設備で発電蓄電した蓄電池と特殊継ぎ手で結合して使用する各種エネルギ保存サイクル合体機関。
【請求項１９１９】
前記各種作業車は熱と電気と冷熱の供給設備で発電蓄電した蓄電池と特殊継ぎ手で結合して使用する各種エネルギ保存サイクル合体機関。
【請求項１９２０】
前記各種戦闘車両は熱と電気と冷熱の供給設備としても使用する各種エネルギ保存サイクル合体機関。
【請求項１９２１】
前記各種プロペラ飛行機は熱と電気と冷熱の供給設備としても使用する各種エネルギ保存サイクル合体機関。
【請求項１９２２】
前記各種ヘリコプターは熱と電気と冷熱の供給設備としても使用する各種エネルギ保存サイクル合体機関。
【請求項１９２３】
前記各種戦闘ヘリコプターは熱と電気と冷熱の供給設備としても使用する各種エネルギ保存サイクル合体機関。
【請求項１９２４】
前記各種噴射推進飛行機は熱と電気と冷熱の供給設備としても使用する各種エネルギ保存サイクル合体機関。
【請求項１９２５】
前記各種噴射推進戦闘飛行機は熱と電気と冷熱の供給設備としても使用する各種エネルギ保存サイクル合体機関。
【請求項１９２６】
前記各種超音速噴射推進飛行機は熱と電気と冷熱の供給設備としても使用する各種エネルギ保存サイクル合体機関。
【請求項１９２７】
前記各種超音速噴射推進戦闘飛行機は熱と電気と冷熱の供給設備としても使用する各種エネルギ保存サイクル合体機関。
【請求項１９２８】
前記各種空気吸引噴射推進船舶は熱と電気と冷熱の供給設備としても使用する各種エネルギ保存サイクル合体機関。
【請求項１９２９】
前記各種空気吸引噴射推進戦闘船舶は熱と電気と冷熱の供給設備としても使用する各種エネルギ保存サイクル合体機関。
【請求項１９３０】
前記各種プロペラ船舶は熱と電気と冷熱の供給設備としても使用する各種エネルギ保存サイクル合体機関。
【請求項１９３１】
前記各種プロペラ推進戦闘船舶は熱と電気と冷熱の供給設備としても使用する各種エネルギ保存サイクル合体機関。
【請求項１９３２】
前記各種水噴射推進船舶は熱と電気と冷熱の供給設備としても使用する各種エネルギ保存サイクル合体機関。
【請求項１９３３】
前記各種水噴射推進戦闘船舶は熱と電気と冷熱の供給設備としても使用する各種エネルギ保存サイクル合体機関。
【請求項１９３４】
前記各種水噴射推進漁業用船舶は熱と電気と冷熱の供給設備としても使用する各種エネルギ保存サイクル合体機関。
【請求項１９３５】
前記各種水噴射推進貨物船舶は熱と電気と冷熱の供給設備としても使用する各種エネルギ保存サイクル合体機関。
【請求項１９３６】
前記各種水噴射推進旅客船舶は熱と電気と冷熱の供給設備としても使用する各種エネルギ保存サイクル合体機関。
【請求項１９３７】
前記タービン翼（８ｃ）は可能な限り多数として使用する各種エネルギ保存サイクル合体機関。
【請求項１９３８】
前記タービン翼（８ｃ）は適宜に多数として使用する各種エネルギ保存サイクル合体機関。
【請求項１９３９】
前記タービン翼（８ｃ）は側板（８ｄ）（８ｄ）の間に設けて可能な限り多数として使用する各種エネルギ保存サイクル合体機関。
【請求項１９４０】
前記タービン翼（８ｃ）は側板（８ｄ）（８ｄ）の間に設けて適宜に多数として使用する各種エネルギ保存サイクル合体機関。
【請求項１９４１】
前記タービン翼（８ｃ）は円筒胴（８ｅ）の外周に突設し可能な限り多数として使用する各種エネルギ保存サイクル合体機関。
【請求項１９４２】
前記タービン翼（８ｃ）は円筒胴（８ｅ）の外周に突設し適宜に多数として使用する各種エネルギ保存サイクル合体機関。
【請求項１９４３】
前記タービン翼（８ｃ）は円筒胴（８ｅ）の外周に突設し側板（８ｄ）（８ｄ）の間に設けて可能な限り多数として使用する各種エネルギ保存サイクル合体機関。
【請求項１９４４】
前記タービン翼（８ｃ）は円筒胴（８ｅ）の外周に突設し側板（８ｄ）（８ｄ）の間に設けて適宜に多数として使用する各種エネルギ保存サイクル合体機関。
【請求項１９４５】
前記タービン翼（８ｃ）は円筒胴（８ｅ）の外周に先端流線型に突設し可能な限り多数として使用する各種エネルギ保存サイクル合体機関。
【請求項１９４６】
前記タービン翼（８ｃ）は円筒胴（８ｅ）の外周に先端流線型に突設し適宜に多数として使用する各種エネルギ保存サイクル合体機関。
【請求項１９４７】
前記タービン翼（８ｃ）は円筒胴（８ｅ）の外周に先端流線型に突設し側板（８ｄ）（８ｄ）の間に設けて可能な限り多数として使用する各種エネルギ保存サイクル合体機関。
【請求項１９４８】
前記タービン翼（８ｃ）は円筒胴（８ｅ）の外周に先端流線型に突設し側板（８ｄ）（８ｄ）の間に設けて適宜に多数として使用する各種エネルギ保存サイクル合体機関。
【請求項１９４９】
前記タービン翼（８ｃ）は円筒胴（８ｅ）の外周に先端流線型に突設し摩擦損失低減手段を設けて可能な限り多数として使用する各種エネルギ保存サイクル合体機関。
【請求項１９５０】
前記タービン翼（８ｃ）は円筒胴（８ｅ）の外周に先端流線型に突設し摩擦損失低減手段を設けて適宜に多数として使用する各種エネルギ保存サイクル合体機関。
【請求項１９５１】
前記タービン翼（８ｃ）は円筒胴（８ｅ）の外周に先端流線型に突設し側板（８ｄ）（８ｄ）の間に設けて摩擦損失低減手段を設けて可能な限り多数として使用する各種エネルギ保存サイクル合体機関。
【請求項１９５２】
前記タービン翼（８ｃ）は円筒胴（８ｅ）の外周に先端流線型に突設し側板（８ｄ）（８ｄ）の間に設けて摩擦損失低減手段を設けて適宜に多数として使用する各種エネルギ保存サイクル合体機関。
【請求項１９５３】
前記タービン翼（８ｃ）（８ｃ）は対向無接触に可能な限り多数として使用する各種エネルギ保存サイクル合体機関。
【請求項１９５４】
前記タービン翼（８ｃ）（８ｃ）は対向無接触に適宜に多数として使用する各種エネルギ保存サイクル合体機関。
【請求項１９５５】
前記タービン翼（８ｃ）（８ｃ）は対向無接触噛合い可能に可能な限り多数として使用する各種エネルギ保存サイクル合体機関。
【請求項１９５６】
前記タービン翼（８ｃ）（８ｃ）は対向無接触噛合い可能に適宜に多数として使用する各種エネルギ保存サイクル合体機関。
【請求項１９５７】
前記タービン翼（８ｃ）（８ｃ）は夫々側板（８ｄ）（８ｄ）の間に設けて対向無接触に可能な限り多数として使用する各種エネルギ保存サイクル合体機関。
【請求項１９５８】
前記タービン翼（８ｃ）（８ｃ）は夫々側板（８ｄ）（８ｄ）の間に設けて対向無接触に適宜に多数として使用する各種エネルギ保存サイクル合体機関。
【請求項１９５９】
前記タービン翼（８ｃ）（８ｃ）は夫々側板（８ｄ）（８ｄ）の間に設けて対向無接触噛合い可能に可能な限り多数として使用する各種エネルギ保存サイクル合体機関。
【請求項１９６０】
前記タービン翼（８ｃ）（８ｃ）は夫々側板（８ｄ）（８ｄ）の間に設けて対向無接触噛合い可能に適宜に多数として使用する各種エネルギ保存サイクル合体機関。
【請求項１９６１】
前記タービン翼（８ｃ）（８ｃ）は対向無接触に撥水鍍金（３ａ）等の摩擦損失低減手段を設けて可能な限り多数として使用する各種エネルギ保存サイクル合体機関。
【請求項１９６２】
前記タービン翼（８ｃ）（８ｃ）は対向無接触に撥水鍍金（３ａ）等の摩擦損失低減手段を設けて適宜に多数として使用する各種エネルギ保存サイクル合体機関。
【請求項１９６３】
前記タービン翼（８ｃ）（８ｃ）は対向無接触噛合い可能に撥水鍍金（３ａ）等の摩擦損失低減手段を設けて可能な限り多数として使用する各種エネルギ保存サイクル合体機関。
【請求項１９６４】
前記タービン翼（８ｃ）（８ｃ）は対向無接触噛合い可能に撥水鍍金（３ａ）等の摩擦損失低減手段を設けて適宜に多数として使用する各種エネルギ保存サイクル合体機関。
【請求項１９６５】
前記タービン翼（８ｃ）（８ｃ）は夫々側板（８ｄ）（８ｄ）の間に設けて対向無接触に撥水鍍金（３ａ）等の摩擦損失低減手段を設けて可能な限り多数として使用する各種エネルギ保存サイクル合体機関。
【請求項１９６６】
前記タービン翼（８ｃ）（８ｃ）は夫々側板（８ｄ）（８ｄ）の間に設けて対向無接触に撥水鍍金（３ａ）等の摩擦損失低減手段を設けて適宜に多数として使用する各種エネルギ保存サイクル合体機関。
【請求項１９６７】
前記タービン翼（８ｃ）（８ｃ）は夫々側板（８ｄ）（８ｄ）の間に設けて対向無接触噛合い可能に撥水鍍金（３ａ）等の摩擦損失低減手段を設けて可能な限り多数として使用する各種エネルギ保存サイクル合体機関。
【請求項１９６８】
前記タービン翼（８ｃ）（８ｃ）は夫々側板（８ｄ）（８ｄ）の間に設けて対向無接触噛合い可能に撥水鍍金（３ａ）等の摩擦損失低減手段を設けて適宜に多数として使用する各種エネルギ保存サイクル合体機関。
【請求項１９６９】
前記タービン翼（８ｃ）（８ｃ）は対向無接触に撥水鍍金（３ａ）及び加熱高温手段（１０１）等の摩擦損失低減手段を設けて可能な限り多数として使用する各種エネルギ保存サイクル合体機関。
【請求項１９７０】
前記タービン翼（８ｃ）（８ｃ）は対向無接触に撥水鍍金（３ａ）及び加熱高温手段（１０１）等の摩擦損失低減手段を設けて適宜に多数として使用する各種エネルギ保存サイクル合体機関。
【請求項１９７１】
前記タービン翼（８ｃ）（８ｃ）は対向無接触噛合い可能に撥水鍍金（３ａ）及び加熱高温手段（１０１）等の摩擦損失低減手段を設けて可能な限り多数として使用する各種エネルギ保存サイクル合体機関。
【請求項１９７２】
前記タービン翼（８ｃ）（８ｃ）は対向無接触噛合い可能に撥水鍍金（３ａ）及び加熱高温手段（１０１）等の摩擦損失低減手段を設けて適宜に多数として使用する各種エネルギ保存サイクル合体機関。
【請求項１９７３】
前記タービン翼（８ｃ）（８ｃ）は夫々側板（８ｄ）（８ｄ）の間に設けて対向無接触に撥水鍍金（３ａ）及び加熱高温手段（１０１）等の摩擦損失低減手段を設けて可能な限り多数として使用する各種エネルギ保存サイクル合体機関。
【請求項１９７４】
前記タービン翼（８ｃ）（８ｃ）は夫々側板（８ｄ）（８ｄ）の間に設けて対向無接触に撥水鍍金（３ａ）及び加熱高温手段（１０１）等の摩擦損失低減手段を設けて適宜に多数として使用する各種エネルギ保存サイクル合体機関。
【請求項１９７５】
前記タービン翼（８ｃ）（８ｃ）は夫々側板（８ｄ）（８ｄ）の間に設けて対向無接触噛合い可能に撥水鍍金（３ａ）及び加熱高温手段（１０１）等の摩擦損失低減手段を設けて可能な限り多数として使用する各種エネルギ保存サイクル合体機関。
【請求項１９７６】
前記タービン翼（８ｃ）（８ｃ）は夫々側板（８ｄ）（８ｄ）の間に設けて対向無接触噛合い可能に撥水鍍金（３ａ）及び加熱高温手段（１０１）等の摩擦損失低減手段を設けて適宜に多数として使用する各種エネルギ保存サイクル合体機関。
【請求項１９７７】
前記タービン翼（８ｃ）（８ｃ）は対向無接触に加熱高温手段（１０１）等の摩擦損失低減手段を設けて可能な限り多数として使用する各種エネルギ保存サイクル合体機関。
【請求項１９７８】
前記タービン翼（８ｃ）（８ｃ）は対向無接触に加熱高温手段（１０１）等の摩擦損失低減手段を設けて適宜に多数として使用する各種エネルギ保存サイクル合体機関。
【請求項１９７９】
前記タービン翼（８ｃ）（８ｃ）は対向無接触噛合い可能に加熱高温手段（１０１）等の摩擦損失低減手段を設けて可能な限り多数として使用する各種エネルギ保存サイクル合体機関。
【請求項１９８０】
前記タービン翼（８ｃ）（８ｃ）は対向無接触噛合い可能に加熱高温手段（１０１）等の摩擦損失低減手段を設けて適宜に多数として使用する各種エネルギ保存サイクル合体機関。
【請求項１９８１】
前記タービン翼（８ｃ）（８ｃ）は夫々側板（８ｄ）（８ｄ）の間に設けて対向無接触に加熱高温手段（１０１）等の摩擦損失低減手段を設けて可能な限り多数として使用する各種エネルギ保存サイクル合体機関。
【請求項１９８２】
前記タービン翼（８ｃ）（８ｃ）は夫々側板（８ｄ）（８ｄ）の間に設けて対向無接触に加熱高温手段（１０１）等の摩擦損失低減手段を設けて適宜に多数として使用する各種エネルギ保存サイクル合体機関。
【請求項１９８３】
前記タービン翼（８ｃ）（８ｃ）は夫々側板（８ｄ）（８ｄ）の間に設けて対向無接触噛合い可能に加熱高温手段（１０１）等の摩擦損失低減手段を設けて可能な限り多数として使用する各種エネルギ保存サイクル合体機関。
【請求項１９８４】
前記タービン翼（８ｃ）（８ｃ）は夫々側板（８ｄ）（８ｄ）の間に設けて対向無接触噛合い可能に加熱高温手段（１０１）等の摩擦損失低減手段を設けて適宜に多数として使用する各種エネルギ保存サイクル合体機関。
【請求項１９８５】
前記合体機関燃焼部（２９Ａ）に過熱蒸気燃焼ガス噴射ノズル（６Ｈ）を使用して弾み車タービン（８）を駆動する各種エネルギ保存サイクル合体機関。
【請求項１９８６】
前記合体機関燃焼部（２９Ａ）に過熱蒸気燃焼ガス噴射ノズル（６Ｈ）を使用して弾み車タービン（８）（８）を駆動する各種エネルギ保存サイクル合体機関。
【請求項１９８７】
前記合体機関燃焼部（２９Ａ）に過熱蒸気燃焼ガス噴射ノズル（６Ｘ）を使用して弾み車タービン（８）を駆動する各種エネルギ保存サイクル合体機関。
【請求項１９８８】
前記合体機関燃焼部（２９Ａ）に過熱蒸気燃焼ガス噴射ノズル（６Ｘ）を使用して弾み車タービン（８）（８）を駆動する各種エネルギ保存サイクル合体機関。
【請求項１９８９】
前記合体機関燃焼部（２９Ｂ）に過熱蒸気燃焼ガス噴射ノズル（６Ｈ）を使用して弾み車タービン（８）を駆動する各種エネルギ保存サイクル合体機関。
【請求項１９９０】
前記合体機関燃焼部（２９Ｂ）に過熱蒸気燃焼ガス噴射ノズル（６Ｈ）を使用して弾み車タービン（８）（８）を駆動する各種エネルギ保存サイクル合体機関。
【請求項１９９１】
前記合体機関燃焼部（２９Ｂ）に過熱蒸気燃焼ガス噴射ノズル（６Ｘ）を使用して弾み車タービン（８）を駆動する各種エネルギ保存サイクル合体機関。
【請求項１９９２】
前記合体機関燃焼部（２９Ｂ）に過熱蒸気燃焼ガス噴射ノズル（６Ｘ）を使用して弾み車タービン（８）（８）を駆動する各種エネルギ保存サイクル合体機関。
【請求項１９９３】
前記合体機関燃焼部（２９Ｃ）に過熱蒸気燃焼ガス噴射ノズル（６Ｈ）を使用して弾み車タービン（８）を駆動する各種エネルギ保存サイクル合体機関。
【請求項１９９４】
前記合体機関燃焼部（２９Ｃ）に過熱蒸気燃焼ガス噴射ノズル（６Ｈ）を使用して弾み車タービン（８）（８）を駆動する各種エネルギ保存サイクル合体機関。
【請求項１９９５】
前記合体機関燃焼部（２９Ｃ）に過熱蒸気燃焼ガス噴射ノズル（６Ｘ）を使用して弾み車タービン（８）を駆動する各種エネルギ保存サイクル合体機関。
【請求項１９９６】
前記合体機関燃焼部（２９Ｃ）に過熱蒸気燃焼ガス噴射ノズル（６Ｘ）を使用して弾み車タービン（８）（８）を駆動する各種エネルギ保存サイクル合体機関。
【請求項１９９７】
前記合体機関燃焼部（２９Ｄ）に過熱蒸気燃焼ガス噴射ノズル（６Ｈ）を使用して弾み車タービン（８）を駆動する各種エネルギ保存サイクル合体機関。
【請求項１９９８】
前記合体機関燃焼部（２９Ｄ）に過熱蒸気燃焼ガス噴射ノズル（６Ｈ）を使用して弾み車タービン（８）（８）を駆動する各種エネルギ保存サイクル合体機関。
【請求項１９９９】
前記合体機関燃焼部（２９Ｄ）に過熱蒸気燃焼ガス噴射ノズル（６Ｘ）を使用して弾み車タービン（８）を駆動する各種エネルギ保存サイクル合体機関。
【請求項２０００】
前記合体機関燃焼部（２９Ｄ）に過熱蒸気燃焼ガス噴射ノズル（６Ｘ）を使用して弾み車タービン（８）（８）を駆動する各種エネルギ保存サイクル合体機関。
【請求項２００１】
前記合体機関燃焼部（２９Ｅ）に過熱蒸気燃焼ガス噴射ノズル（６Ｈ）を使用して弾み車タービン（８）を駆動する各種エネルギ保存サイクル合体機関。
【請求項２００２】
前記合体機関燃焼部（２９Ｅ）に過熱蒸気燃焼ガス噴射ノズル（６Ｈ）を使用して弾み車タービン（８）（８）を駆動する各種エネルギ保存サイクル合体機関。
【請求項２００３】
前記合体機関燃焼部（２９Ｅ）に過熱蒸気燃焼ガス噴射ノズル（６Ｘ）を使用して弾み車タービン（８）を駆動する各種エネルギ保存サイクル合体機関。
【請求項２００４】
前記合体機関燃焼部（２９Ｅ）に過熱蒸気燃焼ガス噴射ノズル（６Ｘ）を使用して弾み車タービン（８）（８）を駆動する各種エネルギ保存サイクル合体機関。
【請求項２００５】
前記合体機関燃焼部（２９Ｆ）に過熱蒸気燃焼ガス噴射ノズル（６Ｈ）を使用して弾み車タービン（８）を駆動する各種エネルギ保存サイクル合体機関。
【請求項２００６】
前記合体機関燃焼部（２９Ｆ）に過熱蒸気燃焼ガス噴射ノズル（６Ｈ）を使用して弾み車タービン（８）（８）を駆動する各種エネルギ保存サイクル合体機関。
【請求項２００７】
前記合体機関燃焼部（２９Ｆ）に過熱蒸気燃焼ガス噴射ノズル（６Ｘ）を使用して弾み車タービン（８）を駆動する各種エネルギ保存サイクル合体機関。
【請求項２００８】
前記合体機関燃焼部（２９Ｆ）に過熱蒸気燃焼ガス噴射ノズル（６Ｘ）を使用して弾み車タービン（８）（８）を駆動する各種エネルギ保存サイクル合体機関。
【請求項２００９】
前記合体機関燃焼部（２９Ｇ）に過熱蒸気燃焼ガス噴射ノズル（６Ｈ）を使用して弾み車タービン（８）を駆動する各種エネルギ保存サイクル合体機関。
【請求項２０１０】
前記合体機関燃焼部（２９Ｇ）に過熱蒸気燃焼ガス噴射ノズル（６Ｈ）を使用して弾み車タービン（８）（８）を駆動する各種エネルギ保存サイクル合体機関。
【請求項２０１１】
前記合体機関燃焼部（２９Ｇ）に過熱蒸気燃焼ガス噴射ノズル（６Ｘ）を使用して弾み車タービン（８）を駆動する各種エネルギ保存サイクル合体機関。
【請求項２０１２】
前記合体機関燃焼部（２９Ｇ）に過熱蒸気燃焼ガス噴射ノズル（６Ｘ）を使用して弾み車タービン（８）（８）を駆動する各種エネルギ保存サイクル合体機関。
【請求項２０１３】
前記合体機関燃焼部（２９Ｈ）に過熱蒸気燃焼ガス噴射ノズル（６Ｈ）を使用して弾み車タービン（８）を駆動する各種エネルギ保存サイクル合体機関。
【請求項２０１４】
前記合体機関燃焼部（２９Ｈ）に過熱蒸気燃焼ガス噴射ノズル（６Ｈ）を使用して弾み車タービン（８）（８）を駆動する各種エネルギ保存サイクル合体機関。
【請求項２０１５】
前記合体機関燃焼部（２９Ｈ）に過熱蒸気燃焼ガス噴射ノズル（６Ｘ）を使用して弾み車タービン（８）を駆動する各種エネルギ保存サイクル合体機関。
【請求項２０１６】
前記合体機関燃焼部（２９Ｈ）に過熱蒸気燃焼ガス噴射ノズル（６Ｘ）を使用して弾み車タービン（８）（８）を駆動する各種エネルギ保存サイクル合体機関。
【請求項２０１７】
前記合体機関燃焼部（２９Ａ）は既存ガソリン機関の燃焼室を廃止して高圧圧縮室とし、エネルギ保存圧縮機（２０Ａ）として具備するエネルギ保存サイクル合体機関。
【請求項２０１８】
前記合体機関燃焼部（２９Ａ）は既存ディーゼル機関の燃焼室を廃止して高圧圧縮室とし、エネルギ保存圧縮機（２０Ａ）として具備するエネルギ保存サイクル合体機関。
【請求項２０１９】
前記合体機関燃焼部（２９Ａ）は既存ガソリン機関の燃焼室を廃止して高圧圧縮室とし、エネルギ保存圧縮機（２０Ａ）として具備して予圧圧縮機としても使用するエネルギ保存サイクル合体機関。
【請求項２０２０】
前記合体機関燃焼部（２９Ａ）は既存ディーゼル機関の燃焼室を廃止して高圧圧縮室とし、エネルギ保存圧縮機（２０Ａ）として具備して予圧圧縮機としても使用するエネルギ保存サイクル合体機関。
【請求項２０２１】
前記合体機関燃焼部（２９Ａ）は既存ガソリン機関の燃焼室を廃止して高圧圧縮室とし、エネルギ保存圧縮機（２０Ａ）として具備して、吸気弁（２８）拡径ピストン（２１）により吸入空気圧縮するエネルギ保存サイクル合体機関。
【請求項２０２２】
前記合体機関燃焼部（２９Ａ）は既存ディーゼル機関の燃焼室を廃止して高圧圧縮室とし、エネルギ保存圧縮機（２０Ａ）として具備して、吸気弁（２８）拡径ピストン（２１）により吸入空気圧縮するエネルギ保存サイクル合体機関。
【請求項２０２３】
前記合体機関燃焼部（２９Ａ）は既存ガソリン機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給するエネルギ保存サイクル合体機関。
【請求項２０２４】
前記合体機関燃焼部（２９Ａ）は既存ディーゼル機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給するエネルギ保存サイクル合体機関。
【請求項２０２５】
前記合体機関燃焼部（２９Ａ）は既存ガソリン機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割するエネルギ保存サイクル合体機関。
【請求項２０２６】
前記合体機関燃焼部（２９Ａ）は既存ディーゼル機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割するエネルギ保存サイクル合体機関。
【請求項２０２７】
前記合体機関燃焼部（２９Ａ）は既存ガソリン機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０２８】
前記合体機関燃焼部（２９Ａ）は既存ディーゼル機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０２９】
前記合体機関燃焼部（２９Ａ）は既存ガソリン機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割してその大部分により弾み車タービン（８）を駆動するエネルギ保存サイクル合体機関。
【請求項２０３０】
前記合体機関燃焼部（２９Ａ）は既存ディーゼル機関の燃焼室を廃止して高圧圧縮室とし、エネルギ保存圧縮機（２０Ａ）として具備して、吸気弁（２８）拡径ピストン（２１）により吸入空気圧縮して逆止弁（９７）一方向空気流路（９）より縮径主燃焼室兼熱交換器（１）に供給して燃料と撹拌燃焼して限り無く高圧燃焼長時間熱交換冷却燃焼し、過熱蒸気爆発力＋燃焼ガス爆発力に分割してその大部分により弾み車タービン（８）を駆動するエネルギ保存サイクル合体機関。
【請求項２０３１】
前記合体機関燃焼部（２９Ｂ）はクランク軸（１６）の回転を振り子腕（４０ａ）により拡大して両頭拡径ピストン（２１）の往復運動にすると共に、ピストン側圧を低減するエネルギ保存サイクル合体機関。
【請求項２０３２】
前記合体機関燃焼部（２９Ｂ）は両頭拡径ピストン（２１）の往復運動を振り子腕（４０ａ）により直接クランク軸（１６）の回転に変換するエネルギ保存サイクル合体機関。
【請求項２０３３】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割するエネルギ保存サイクル合体機関。
【請求項２０３４】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０３５】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０３６】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０３７】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０３８】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０３９】
前記合体機関燃焼部（２９Ｂ）（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０４０】
前記合体機関燃焼部（２９Ｂ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその全部により弾み車タービン（８）を駆動して合体機関燃焼部（２９Ｂ）を駆動するエネルギ保存サイクル合体機関。
【請求項２０４１】
前記合体機関燃焼部（２９Ｃ）はクランク軸（１６）（１６）の回転を振り子腕（４０ａ）（４０ａ）により夫々拡大して両頭拡径ピストン（２１）（２１）の対向往復運動にすると共に、ピストン側圧を低減するエネルギ保存サイクル合体機関。
【請求項２０４２】
前記合体機関燃焼部（２９Ｃ）は両頭拡径ピストン（２１）（２１）の往復運動を振り子腕（４０ａ）（４０ａ）により直接クランク軸（１６）（１６）の回転に変換するエネルギ保存サイクル合体機関。
【請求項２０４３】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割するエネルギ保存サイクル合体機関。
【請求項２０４４】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０４５】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０４６】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０４７】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０４８】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０４９】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０５０】
前記合体機関燃焼部（２９Ｃ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその全部により弾み車タービン（８）を駆動して合体機関燃焼部（２９Ｃ）を駆動するエネルギ保存サイクル合体機関。
【請求項２０５１】
前記合体機関燃焼部（２９Ｄ）（２９Ｈ）はクランク軸（１６）の回転により直接両頭拡径ピストン（２１）の往復運動にすると共に、ピストン側圧を低減するエネルギ保存サイクル合体機関。
【請求項２０５２】
前記合体機関燃焼部（２９Ｄ）（２９Ｈ）は両頭拡径ピストン（２１）の往復運動により直接クランク軸（１６）の回転に変換するエネルギ保存サイクル合体機関。
【請求項２０５３】
前記合体機関燃焼部（２９Ｄ）は縮径主燃焼室兼熱交換器（１）を左右に夫々１以上具備して夫々限り無く高圧燃焼長時間熱交換冷却燃焼し、過熱蒸気爆発力＋燃焼ガス爆発力に分割してその全部により弾み車タービン（８）を駆動して合体機関燃焼部（２９Ｄ）を駆動するエネルギ保存サイクル合体機関。
【請求項２０５４】
前記合体機関燃焼部（２９Ｅ）（２９Ｆ）（２９Ｇ）は、クランク軸（１６）（１６）の回転を直接両頭拡径ピストン（２１）（２１）の往復運動にすると共に、ピストン側圧を低減するエネルギ保存サイクル合体機関。
【請求項２０５５】
前記合体機関燃焼部（２９Ｅ）（２９Ｆ）（２９Ｇ）は、両頭拡径ピストン（２１）（２１）の往復運動を直接クランク軸（１６）（１６）の回転に変換するエネルギ保存サイクル合体機関。
【請求項２０５６】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割するエネルギ保存サイクル合体機関。
【請求項２０５７】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０５８】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０５９】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０６０】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０６１】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０６２】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０６３】
前記合体機関燃焼部（２９Ｅ）は縮径主燃焼室兼熱交換器（１）を左右と中央に夫々１以上具備して夫々限り無く高圧燃焼長時間熱交換冷却燃焼し、過熱蒸気爆発力＋燃焼ガス爆発力に分割してその全部により弾み車タービン（８）を駆動して合体機関燃焼部（２９Ｅ）を駆動するエネルギ保存サイクル合体機関。
【請求項２０６４】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割するエネルギ保存サイクル合体機関。
【請求項２０６５】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０６６】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０６７】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０６８】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０６９】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０７０】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０７１】
前記合体機関燃焼部（２９Ｆ）は縮径主燃焼室兼熱交換器（１）を左右に夫々１以上具備して中央の一方向空気流路９から左右の縮径主燃焼室兼熱交換器（１）に空気を供給する構成として、夫々限り無く高圧燃焼長時間熱交換冷却燃焼し、過熱蒸気爆発力＋燃焼ガス爆発力に分割してその全部により弾み車タービン（８）を駆動して合体機関燃焼部（２９Ｆ）を駆動するエネルギ保存サイクル合体機関。
【請求項２０７２】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、夫々限り無く高圧燃焼長時間熱交換冷却燃焼し、過熱蒸気爆発力＋燃焼ガス爆発力に分割するエネルギ保存サイクル合体機関。
【請求項２０７３】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０７４】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０７５】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０７６】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０７７】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０７８】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０７９】
前記合体機関燃焼部（２９Ｇ）は縮径主燃焼室兼熱交換器（１）を中央に１以上具備して左右の一方向空気流路９から中央の縮径主燃焼室兼熱交換器（１）に空気を供給する構成として、限り無く高圧燃焼長時間熱交換冷却燃焼し、過熱蒸気爆発力＋燃焼ガス爆発力に分割してその全部により弾み車タービン（８）を駆動して合体機関燃焼部（２９Ｇ）を駆動するエネルギ保存サイクル合体機関。
【請求項２０８０】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割するエネルギ保存サイクル合体機関。
【請求項２０８１】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動するエネルギ保存サイクル合体機関。
【請求項２０８２】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその全部により弾み車タービン（８）を駆動するエネルギ保存サイクル合体機関。
【請求項２０８３】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｋ）を駆動するエネルギ保存サイクル合体機関。
【請求項２０８４】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分により合体機関噴射部（７７Ｌ）を駆動するエネルギ保存サイクル合体機関。
【請求項２０８５】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｍ）を駆動するエネルギ保存サイクル合体機関。
【請求項２０８６】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその一部により弾み車タービン（８）を駆動して、大部分によりウォータージェット（７７Ｎ）を駆動するエネルギ保存サイクル合体機関。
【請求項２０８７】
前記合体機関燃焼部（２９Ｈ）は縮径主燃焼室兼熱交換器（１）を左右何れか片方に１以上具備して他方の一方向空気流路９から片方の縮径主燃焼室兼熱交換器（１）に空気を供給する構成として、限り無く高圧燃焼長時間熱交換冷却燃焼し、過熱蒸気爆発力＋燃焼ガス爆発力に分割してその全部により弾み車タービン（８）を駆動して合体機関燃焼部（２９Ｂ）を駆動するエネルギ保存サイクル合体機関。
【請求項２０８８】
前記合体機関噴射部（７７Ｋ）は過熱蒸気噴射ノズル（６Ａ）及び燃焼ガス噴射ノズル（６Ｃ）を使用する各種エネルギ保存サイクル合体機関。
【請求項２０８９】
前記合体機関噴射部（７７Ｋ）は過熱蒸気噴射ノズル（６Ａ）及び燃焼ガス噴射ノズル（６Ｄ）を使用する各種エネルギ保存サイクル合体機関。
【請求項２０９０】
前記合体機関噴射部（７７Ｋ）は過熱蒸気噴射ノズル（６Ａ）及び燃焼ガス噴射ノズル（６Ｊ）を使用する各種エネルギ保存サイクル合体機関。
【請求項２０９１】
前記合体機関噴射部（７７Ｋ）は過熱蒸気噴射ノズル（６Ｂ）及び燃焼ガス噴射ノズル（６Ｃ）を使用する各種エネルギ保存サイクル合体機関。
【請求項２０９２】
前記合体機関噴射部（７７Ｋ）は過熱蒸気噴射ノズル（６Ｂ）及び燃焼ガス噴射ノズル（６Ｄ）を使用する各種エネルギ保存サイクル合体機関。
【請求項２０９３】
前記合体機関噴射部（７７Ｋ）は過熱蒸気噴射ノズル（６Ｂ）及び燃焼ガス噴射ノズル（６Ｊ）を使用する各種エネルギ保存サイクル合体機関。
【請求項２０９４】
前記合体機関噴射部（７７Ｋ）は過熱蒸気噴射ノズル（６Ｉ）及び燃焼ガス噴射ノズル（６Ｃ）を使用する各種エネルギ保存サイクル合体機関。
【請求項２０９５】
前記合体機関噴射部（７７Ｋ）は過熱蒸気噴射ノズル（６Ｉ）及び燃焼ガス噴射ノズル（６Ｄ）を使用する各種エネルギ保存サイクル合体機関。
【請求項２０９６】
前記合体機関噴射部（７７Ｋ）は過熱蒸気噴射ノズル（６Ｉ）及び燃焼ガス噴射ノズル（６Ｊ）を使用する各種エネルギ保存サイクル合体機関。
【請求項２０９７】
前記合体機関噴射部（７７Ｋ）は夫々１以上の筒形外箱（７７ｂ）内の過熱蒸気噴射ノズル（６Ａ）及び燃焼ガス噴射ノズル（６Ｃ）を使用する各種エネルギ保存サイクル合体機関。
【請求項２０９８】
前記合体機関噴射部（７７Ｋ）は夫々１以上の筒形外箱（７７ｂ）内の過熱蒸気噴射ノズル（６Ａ）及び燃焼ガス噴射ノズル（６Ｄ）を使用する各種エネルギ保存サイクル合体機関。
【請求項２０９９】
前記合体機関噴射部（７７Ｋ）は夫々１以上の筒形外箱（７７ｂ）内の過熱蒸気噴射ノズル（６Ａ）及び燃焼ガス噴射ノズル（６Ｊ）を使用する各種エネルギ保存サイクル合体機関。
【請求項２１００】
前記合体機関噴射部（７７Ｋ）は夫々１以上の筒形外箱（７７ｂ）内の過熱蒸気噴射ノズル（６Ｂ）及び燃焼ガス噴射ノズル（６Ｃ）を使用する各種エネルギ保存サイクル合体機関。
【請求項２１０１】
前記合体機関噴射部（７７Ｋ）は夫々１以上の筒形外箱（７７ｂ）内の過熱蒸気噴射ノズル（６Ｂ）及び燃焼ガス噴射ノズル（６Ｄ）を使用する各種エネルギ保存サイクル合体機関。
【請求項２１０２】
前記合体機関噴射部（７７Ｋ）は夫々１以上の筒形外箱（７７ｂ）内の過熱蒸気噴射ノズル（６Ｂ）及び燃焼ガス噴射ノズル（６Ｊ）を使用する各種エネルギ保存サイクル合体機関。
【請求項２１０３】
前記合体機関噴射部（７７Ｋ）は夫々１以上の筒形外箱（７７ｂ）内の過熱蒸気噴射ノズル（６Ｉ）及び燃焼ガス噴射ノズル（６Ｃ）を使用する各種エネルギ保存サイクル合体機関。
【請求項２１０４】
前記合体機関噴射部（７７Ｋ）は夫々１以上の筒形外箱（７７ｂ）内の過熱蒸気噴射ノズル（６Ｉ）及び燃焼ガス噴射ノズル（６Ｄ）を使用する各種エネルギ保存サイクル合体機関。
【請求項２１０５】
前記合体機関噴射部（７７Ｋ）は夫々１以上の筒形外箱（７７ｂ）内の過熱蒸気噴射ノズル（６Ｉ）及び燃焼ガス噴射ノズル（６Ｊ）を使用する各種エネルギ保存サイクル合体機関。
【請求項２１０６】
前記合体機関噴射部（７７Ｋ）は合体機関噴射部外箱（７７Ｆ）内夫々１以上の筒形外箱（７７ｂ）内の過熱蒸気噴射ノズル（６Ａ）及び燃焼ガス噴射ノズル（６Ｃ）を使用する各種エネルギ保存サイクル合体機関。
【請求項２１０７】
前記合体機関噴射部（７７Ｋ）は合体機関噴射部外箱（７７Ｆ）内夫々１以上の筒形外箱（７７ｂ）内の過熱蒸気噴射ノズル（６Ａ）及び燃焼ガス噴射ノズル（６Ｄ）を使用する各種エネルギ保存サイクル合体機関。
【請求項２１０８】
前記合体機関噴射部（７７Ｋ）は合体機関噴射部外箱（７７Ｆ）内夫々１以上の筒形外箱（７７ｂ）内の過熱蒸気噴射ノズル（６Ａ）及び燃焼ガス噴射ノズル（６Ｊ）を使用する各種エネルギ保存サイクル合体機関。
【請求項２１０９】
前記合体機関噴射部（７７Ｋ）は合体機関噴射部外箱（７７Ｆ）内夫々１以上の筒形外箱（７７ｂ）内の過熱蒸気噴射ノズル（６Ｂ）及び燃焼ガス噴射ノズル（６Ｃ）を使用する各種エネルギ保存サイクル合体機関。
【請求項２１１０】
前記合体機関噴射部（７７Ｋ）は合体機関噴射部外箱（７７Ｆ）内夫々１以上の筒形外箱（７７ｂ）内の過熱蒸気噴射ノズル（６Ｂ）及び燃焼ガス噴射ノズル（６Ｄ）を使用する各種エネルギ保存サイクル合体機関。
【請求項２１１１】
前記合体機関噴射部（７７Ｋ）は合体機関噴射部外箱（７７Ｆ）内夫々１以上の筒形外箱（７７ｂ）内の過熱蒸気噴射ノズル（６Ｂ）及び燃焼ガス噴射ノズル（６Ｊ）を使用する各種エネルギ保存サイクル合体機関。
【請求項２１１２】
前記合体機関噴射部（７７Ｋ）は合体機関噴射部外箱（７７Ｆ）内夫々１以上の筒形外箱（７７ｂ）内の過熱蒸気噴射ノズル（６Ｉ）及び燃焼ガス噴射ノズル（６Ｃ）を使用する各種エネルギ保存サイクル合体機関。
【請求項２１１３】
前記合体機関噴射部（７７Ｋ）は合体機関噴射部外箱（７７Ｆ）内夫々１以上の筒形外箱（７７ｂ）内の過熱蒸気噴射ノズル（６Ｉ）及び燃焼ガス噴射ノズル（６Ｄ）を使用する各種エネルギ保存サイクル合体機関。
【請求項２１１４】
前記合体機関噴射部（７７Ｋ）は合体機関噴射部外箱（７７Ｆ）内夫々１以上の筒形外箱（７７ｂ）内の過熱蒸気噴射ノズル（６Ｉ）及び燃焼ガス噴射ノズル（６Ｊ）を使用する各種エネルギ保存サイクル合体機関。
【請求項２１１５】
前記合体機関噴射部（７７Ｌ）は過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１１６】
前記合体機関噴射部（７７Ｌ）は過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１１７】
前記合体機関噴射部（７７Ｌ）は過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１１８】
前記合体機関噴射部（７７Ｌ）は過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１１９】
前記合体機関噴射部（７７Ｌ）は１以上の筒形外箱（７７ｂ）内の過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１２０】
前記合体機関噴射部（７７Ｌ）は１以上の筒形外箱（７７ｂ）内の過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１２１】
前記合体機関噴射部（７７Ｌ）は１以上の筒形外箱（７７ｂ）内の過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１２２】
前記合体機関噴射部（７７Ｌ）は１以上の筒形外箱（７７ｂ）内の過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１２３】
前記合体機関噴射部（７７Ｌ）は合体機関噴射部外箱（７７Ｆ）内１以上の筒形外箱（７７ｂ）内の過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１２４】
前記合体機関噴射部（７７Ｌ）は合体機関噴射部外箱（７７Ｆ）内１以上の筒形外箱（７７ｂ）内の過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）を簡単にする各種エネルギ保存サイクル合体機関。
【請求項２１２５】
前記合体機関噴射部（７７Ｌ）は合体機関噴射部外箱（７７Ｆ）内１以上の筒形外箱（７７ｂ）内の過熱蒸気燃焼ガス噴射ノズル（６Ｈ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１２６】
前記合体機関噴射部（７７Ｌ）は合体機関噴射部外箱（７７Ｆ）内１以上の筒形外箱（７７ｂ）内の過熱蒸気燃焼ガス噴射ノズル（６Ｘ）を使用して合体機関噴射部（７７Ｋ）の過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１２７】
前記過熱蒸気噴射ノズル（６Ａ）は過熱蒸気溜（９５ｃ）及び水溜（９５ｂ）及び水噴射ノズル（６Ｅ）及び加熱高温手段（１０１）を有する各種エネルギ保存サイクル合体機関。
【請求項２１２８】
前記過熱蒸気噴射ノズル（６Ｂ）は過熱蒸気溜（９５ｃ）及び水溜（９５ｂ）及び水噴射ノズル（６Ｅ）及び撥水鍍金（３ａ）を有する各種エネルギ保存サイクル合体機関。
【請求項２１２９】
前記過熱蒸気噴射ノズル（６Ｉ）は過熱蒸気溜（９５ｃ）及び水溜（９５ｂ）及び水噴射ノズル（６Ｅ）及び加熱高温手段（１０１）及び撥水鍍金（３ａ）を有する各種エネルギ保存サイクル合体機関。
【請求項２１３０】
前記燃焼ガス噴射ノズル（６Ｃ）は燃焼ガス溜（９５ａ）及び水溜（９５ｂ）及び水噴射ノズル（６Ｅ）及び加熱高温手段（１０１）を有する各種エネルギ保存サイクル合体機関。
【請求項２１３１】
前記燃焼ガス噴射ノズル（６Ｄ）は燃焼ガス溜（９５ａ）及び水溜（９５ｂ）及び冷水噴射ノズル（６Ｇ）及び撥水鍍金（３ａ）を有する各種エネルギ保存サイクル合体機関。
【請求項２１３２】
前記燃焼ガス噴射ノズル（６Ｊ）は燃焼ガス溜（９５ａ）及び水溜（９５ｂ）及び水噴射ノズル（６Ｅ）及び加熱高温手段（１０１）及び撥水鍍金（３ａ）を有する各種エネルギ保存サイクル合体機関。
【請求項２１３３】
前記過熱蒸気燃焼ガス噴射ノズル（６Ｈ）は燃焼ガス溜（９５ａ）及び過熱蒸気溜（９５ｃ）及び加熱高温手段（１０１）及び撥水鍍金（３ａ）を有する各種エネルギ保存サイクル合体機関。
【請求項２１３４】
前記過熱蒸気燃焼ガス噴射ノズル（６Ｈ）は燃焼ガス溜（９５ａ）及び過熱蒸気溜（９５ｃ）及び水溜（９５ｂ）及び水噴射ノズル（６Ｅ）及び加熱高温手段（１０１）及び撥水鍍金（３ａ）を有する各種エネルギ保存サイクル合体機関。
【請求項２１３５】
前記過熱蒸気燃焼ガス噴射ノズル（６Ｘ）は燃焼ガス溜（９５ａ）及び過熱蒸気溜（９５ｃ）及び加熱高温手段（１０１）を有する各種エネルギ保存サイクル合体機関。
【請求項２１３６】
前記過熱蒸気燃焼ガス噴射ノズル（６Ｘ）は燃焼ガス溜（９５ａ）及び過熱蒸気溜（９５ｃ）及び撥水鍍金（３ａ）を有する各種エネルギ保存サイクル合体機関。
【請求項２１３７】
前記過熱蒸気燃焼ガス噴射ノズル（６Ｘ）は燃焼ガス溜（９５ａ）及び過熱蒸気溜（９５ｃ）及び水溜（９５ｂ）及び水噴射ノズル（６Ｅ）及び加熱高温手段（１０１）を有する各種エネルギ保存サイクル合体機関。
【請求項２１３８】
前記過熱蒸気燃焼ガス噴射ノズル（６Ｘ）は燃焼ガス溜（９５ａ）及び過熱蒸気溜（９５ｃ）及び水溜（９５ｂ）及び水噴射ノズル（６Ｅ）及び撥水鍍金（３ａ）を有する各種エネルギ保存サイクル合体機関。
【請求項２１３９】
前記過熱蒸気燃焼ガス噴射ノズル（６Ｈ）は過熱蒸気噴射ノズル（６Ｉ）＋燃焼ガス噴射ノズル（６Ｊ）を簡単にする各種エネルギ保存サイクル合体機関。
【請求項２１４０】
前記過熱蒸気燃焼ガス噴射ノズル（６Ｘ）は過熱蒸気噴射ノズル（６Ｉ）＋燃焼ガス噴射ノズル（６Ｊ）を簡単にして摩擦損失低減手段を選択使用する各種エネルギ保存サイクル合体機関。
【請求項２１４１】
前記過熱蒸気燃焼ガス噴射ノズル（６Ｈ）は過熱蒸気噴射ノズル（６Ｉ）＋燃焼ガス噴射ノズル（６Ｊ）＋水噴射ノズル（６Ｅ）を簡単にする各種エネルギ保存サイクル合体機関。
【請求項２１４２】
前記過熱蒸気燃焼ガス噴射ノズル（６Ｘ）は過熱蒸気噴射ノズル（６Ｉ）＋燃焼ガス噴射ノズル（６Ｊ）＋水噴射ノズル（６Ｅ）を簡単にして摩擦損失低減手段を選択使用する各種エネルギ保存サイクル合体機関。
【請求項２１４３】
前記過熱蒸気燃焼ガス噴射ノズル（６Ｈ）を過熱蒸気噴射ノズル（６Ｉ）＋燃焼ガス噴射ノズル（６Ｊ）に換えて使用する各種エネルギ保存サイクル合体機関。
【請求項２１４４】
前記過熱蒸気燃焼ガス噴射ノズル（６Ｘ）を過熱蒸気噴射ノズル（６Ｉ）＋燃焼ガス噴射ノズル（６Ｊ）に換えて使用する各種エネルギ保存サイクル合体機関。
【請求項２１４５】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて使用する各種エネルギ保存サイクル合体機関。
【請求項２１４６】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて使用する各種エネルギ保存サイクル合体機関。
【請求項２１４７】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ａ）で使用する各種エネルギ保存サイクル合体機関。
【請求項２１４８】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ａ）で使用する各種エネルギ保存サイクル合体機関。
【請求項２１４９】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ａ）で使用する各種エネルギ保存サイクル合体機関。
【請求項２１５０】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ａ）で使用する各種エネルギ保存サイクル合体機関。
【請求項２１５１】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｂ）で使用する各種エネルギ保存サイクル合体機関。
【請求項２１５２】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｂ）で使用する各種エネルギ保存サイクル合体機関。
【請求項２１５３】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｂ）で使用する各種エネルギ保存サイクル合体機関。
【請求項２１５４】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｂ）で使用する各種エネルギ保存サイクル合体機関。
【請求項２１５５】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｃ）で使用する各種エネルギ保存サイクル合体機関。
【請求項２１５６】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｃ）で使用する各種エネルギ保存サイクル合体機関。
【請求項２１５７】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｃ）で使用する各種エネルギ保存サイクル合体機関。
【請求項２１５８】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｃ）で使用する各種エネルギ保存サイクル合体機関。
【請求項２１５９】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｄ）で使用する各種エネルギ保存サイクル合体機関。
【請求項２１６０】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｄ）で使用する各種エネルギ保存サイクル合体機関。
【請求項２１６１】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｄ）で使用する各種エネルギ保存サイクル合体機関。
【請求項２１６２】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｄ）で使用する各種エネルギ保存サイクル合体機関。
【請求項２１６３】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｅ）で使用する各種エネルギ保存サイクル合体機関。
【請求項２１６４】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｅ）で使用する各種エネルギ保存サイクル合体機関。
【請求項２１６５】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｅ）で使用する各種エネルギ保存サイクル合体機関。
【請求項２１６６】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｅ）で使用する各種エネルギ保存サイクル合体機関。
【請求項２１６７】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｆ）で使用する各種エネルギ保存サイクル合体機関。
【請求項２１６８】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｆ）で使用する各種エネルギ保存サイクル合体機関。
【請求項２１６９】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｆ）で使用する各種エネルギ保存サイクル合体機関。
【請求項２１７０】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｆ）で使用する各種エネルギ保存サイクル合体機関。
【請求項２１７１】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｇ）で使用する各種エネルギ保存サイクル合体機関。
【請求項２１７２】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｇ）で使用する各種エネルギ保存サイクル合体機関。
【請求項２１７３】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｇ）で使用する各種エネルギ保存サイクル合体機関。
【請求項２１７４】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｇ）で使用する各種エネルギ保存サイクル合体機関。
【請求項２１７５】
前記過熱蒸気燃焼ガス噴射ノズル（６Ｈ）を過熱蒸気噴射ノズル（６Ｉ）＋燃焼ガス噴射ノズル（６Ｊ）に換えて合体機関燃焼部（２９Ｈ）で使用する各種エネルギ保存サイクル合体機関。
【請求項２１７６】
前記過熱蒸気燃焼ガス噴射ノズル（６Ｘ）を過熱蒸気噴射ノズル（６Ｉ）＋燃焼ガス噴射ノズル（６Ｊ）に換えて合体機関燃焼部（２９Ｈ）で使用する各種エネルギ保存サイクル合体機関。
【請求項２１７７】
前記過熱蒸気燃焼ガス噴射ノズル（６Ｈ）を過熱蒸気噴射ノズル（６Ｉ）＋燃焼ガス噴射ノズル（６Ｊ）＋水噴射ノズル（６Ｅ）に換えて合体機関燃焼部（２９Ｈ）で使用する各種エネルギ保存サイクル合体機関。
【請求項２１７８】
前記過熱蒸気燃焼ガス噴射ノズル（６Ｘ）を過熱蒸気噴射ノズル（６Ｉ）＋燃焼ガス噴射ノズル（６Ｊ）＋水噴射ノズル（６Ｅ）に換えて合体機関燃焼部（２９Ｈ）で使用する各種エネルギ保存サイクル合体機関。
【請求項２１７９】
前記各種エネルギ保存サイクル合体機関は、該回転力や噴射推進力で駆動する装置を、燃料無しで短時間使用可能とした大中小各種噴射推進飛行機類としたことを特徴とするエネルギ保存サイクル合体機関。
【請求項２１８０】
前記各種エネルギ保存サイクル合体機関は、該回転力や噴射推進力で駆動する装置を、燃料無しで短時間使用可能とした大中小各種噴射推進戦闘飛行機類としたことを特徴とするエネルギ保存サイクル合体機関。
【請求項２１８１】
前記各種エネルギ保存サイクル合体機関は、該回転力や噴射推進力で駆動する装置を、燃料無しで短時間使用可能とした大中小各種超音速噴射推進飛行機類としたことを特徴とするエネルギ保存サイクル合体機関。
【請求項２１８２】
前記各種エネルギ保存サイクル合体機関は、該回転力や噴射推進力で駆動する装置を、燃料無しで短時間使用可能とした大中小各種超音速噴射推進戦闘飛行機類としたことを特徴とするエネルギ保存サイクル合体機関。
【請求項２１８３】
前記各種エネルギ保存サイクル合体機関は、該回転力や噴射推進力で駆動する装置を、燃料無しで短時間使用可能とした大中小各種空気吸引噴射推進船舶類としたことを特徴とするエネルギ保存サイクル合体機関。
【請求項２１８４】
前記各種エネルギ保存サイクル合体機関は、該回転力や噴射推進力で駆動する装置を、燃料無しで短時間使用可能とした大中小各種空気吸引噴射推進戦闘船舶類としたことを特徴とするエネルギ保存サイクル合体機関。
【請求項２１８５】
前記各種エネルギ保存サイクル合体機関は、該回転力や噴射推進力で駆動する装置を、燃料無しで短時間使用可能とした大中小各種水噴射推進船舶類としたことを特徴とするエネルギ保存サイクル合体機関。
【請求項２１８６】
前記各種エネルギ保存サイクル合体機関は、該回転力や噴射推進力で駆動する装置を、燃料無しで短時間使用可能とした大中小各種水噴射推進戦闘船舶類としたことを特徴とするエネルギ保存サイクル合体機関。
【請求項２１８７】
前記各種エネルギ保存サイクル合体機関は、該回転力や噴射推進力で駆動する装置を、燃料無しで短時間使用可能とした大中小各種水噴射推進漁業用船舶類としたことを特徴とするエネルギ保存サイクル合体機関。
【請求項２１８８】
前記各種エネルギ保存サイクル合体機関は、該回転力や噴射推進力で駆動する装置を、燃料無しで短時間使用可能とした大中小各種水噴射推進貨物船舶類としたことを特徴とするエネルギ保存サイクル合体機関。
【請求項２１８９】
前記各種エネルギ保存サイクル合体機関は、該回転力や噴射推進力で駆動する装置を、燃料無しで短時間使用可能とした大中小各種水噴射推進旅客船舶類としたことを特徴とするエネルギ保存サイクル合体機関。
【請求項２１９０】
前記各種エネルギ保存サイクル合体機関は、該回転力や噴射推進力で駆動する装置を、燃料無しで短時間使用可能としたことを特徴とする各種エネルギ保存サイクル合体機関。
【請求項２１９１】
前記各種エネルギ保存サイクル合体機関は、該回転力で駆動する装置を、燃料無しで短時間使用可能としたことを特徴とする各種エネルギ保存サイクル合体機関。
【請求項２１９２】
前記各種エネルギ保存サイクル合体機関は、該回転力で駆動する装置を、燃料無しで短時間使用可能とした大中小各種自動車としたことを特徴とする各種エネルギ保存サイクル合体機関。
【請求項２１９３】
前記各種エネルギ保存サイクル合体機関は、該回転力で駆動する装置を、燃料無しで短時間使用可能とした大中小各種電車としたことを特徴とする各種エネルギ保存サイクル合体機関。
【請求項２１９４】
前記各種エネルギ保存サイクル合体機関は、該回転力で駆動する装置を、燃料無しで短時間使用可能とした大中小各種貨物自動車としたことを特徴とする各種エネルギ保存サイクル合体機関。
【請求項２１９５】
前記各種エネルギ保存サイクル合体機関は、該回転力で駆動する装置を、燃料無しで短時間使用可能とした大中小各種乗用自動車としたことを特徴とする各種エネルギ保存サイクル合体機関。
【請求項２１９６】
前記各種エネルギ保存サイクル合体機関は、該回転力で駆動する装置を、燃料無しで短時間使用可能とした大中小各種農業機械としたことを特徴とする各種エネルギ保存サイクル合体機関。
【請求項２１９７】
前記各種エネルギ保存サイクル合体機関は、該回転力で駆動する装置を、燃料無しで短時間使用可能とした大中小各種機関車としたことを特徴とする各種エネルギ保存サイクル合体機関。
【請求項２１９８】
前記各種エネルギ保存サイクル合体機関は、該回転力で駆動する装置を、燃料無しで短時間使用可能とした大中小各種作業車としたことを特徴とする各種エネルギ保存サイクル合体機関。
【請求項２１９９】
前記各種エネルギ保存サイクル合体機関は、該回転力で駆動する装置を、燃料無しで短時間使用可能とした大中小各種逆電車としたことを特徴とする各種エネルギ保存サイクル合体機関。
【請求項２２００】
前記各種エネルギ保存サイクル合体機関は、該回転力で駆動する装置を、燃料無しで短時間使用可能とした大中小各種戦闘車両としたことを特徴とする各種エネルギ保存サイクル合体機関。
【請求項２２０１】
前記各種エネルギ保存サイクル合体機関は、該回転力で駆動する装置を、燃料無しで短時間使用可能とした大中小各種プロペラ飛行機としたことを特徴とする各種エネルギ保存サイクル合体機関。
【請求項２２０２】
前記各種エネルギ保存サイクル合体機関は、該回転力で駆動する装置を、燃料無しで短時間使用可能とした大中小各種戦闘プロペラ飛行機としたことを特徴とする各種エネルギ保存サイクル合体機関。
【請求項２２０３】
前記各種エネルギ保存サイクル合体機関は、該回転力で駆動する装置を、燃料無しで短時間使用可能とした大中小各種ヘリコプターとしたことを特徴とする各種エネルギ保存サイクル合体機関。
【請求項２２０４】
前記各種エネルギ保存サイクル合体機関は、該回転力で駆動する装置を、燃料無しで短時間使用可能とした大中小各種戦闘ヘリコプターとしたことを特徴とする各種エネルギ保存サイクル合体機関。
【請求項２２０５】
前記各種エネルギ保存サイクル合体機関は、該回転力で駆動する装置を、燃料無しで短時間使用可能とした大中小各種プロペラ推進船舶としたことを特徴とする各種エネルギ保存サイクル合体機関。
【請求項２２０６】
前記各種エネルギ保存サイクル合体機関は、該回転力で駆動する装置を、燃料無しで短時間使用可能とした大中小各種プロペラ推進戦闘船舶としたことを特徴とする各種エネルギ保存サイクル合体機関。
【請求項２２０７】
前記各種エネルギ保存サイクル合体機関は、該回転力で駆動する装置を、燃料無しの蓄電池で駆動可能としたことを特徴とする各種エネルギ保存サイクル合体機関。
【請求項２２０８】
前記各種エネルギ保存サイクル合体機関は、該回転力で駆動する装置を、燃料無しの蓄電池で駆動可能とした大中小各種自動車としたことを特徴とする各種エネルギ保存サイクル合体機関。
【請求項２２０９】
前記各種エネルギ保存サイクル合体機関は、該回転力で駆動する装置を、燃料無しの蓄電池で駆動可能とした大中小各種電車としたことを特徴とする各種エネルギ保存サイクル合体機関。
【請求項２２１０】
前記各種エネルギ保存サイクル合体機関は、該回転力で駆動する装置を、燃料無しの蓄電池で駆動可能とした大中小各種貨物自動車としたことを特徴とする各種エネルギ保存サイクル合体機関。
【請求項２２１１】
前記各種エネルギ保存サイクル合体機関は、該回転力で駆動する装置を、燃料無しの蓄電池で駆動可能とした大中小各種乗用自動車としたことを特徴とする各種エネルギ保存サイクル合体機関。
【請求項２２１２】
前記各種エネルギ保存サイクル合体機関は、該回転力で駆動する装置を、燃料無しの蓄電池で駆動可能とした大中小各種農業機械としたことを特徴とする各種エネルギ保存サイクル合体機関。
【請求項２２１３】
前記各種エネルギ保存サイクル合体機関は、該回転力で駆動する装置を、燃料無しの蓄電池で駆動可能とした大中小各種機関車としたことを特徴とする各種エネルギ保存サイクル合体機関。
【請求項２２１４】
前記各種エネルギ保存サイクル合体機関は、該回転力で駆動する装置を、燃料無しの蓄電池で駆動可能とした大中小各種逆電車としたことを特徴とする各種エネルギ保存サイクル合体機関。
【請求項２２１５】
前記各種エネルギ保存サイクル合体機関は、該回転力で駆動する装置を、燃料無しの蓄電池で駆動可能とした大中小各種戦闘車両としたことを特徴とする各種エネルギ保存サイクル合体機関。
【請求項２２１６】
前記各種エネルギ保存サイクル合体機関は、該回転力で駆動する装置を、燃料無しの蓄電池で駆動可能とした大中小各種プロペラ飛行機としたことを特徴とする各種エネルギ保存サイクル合体機関。
【請求項２２１７】
前記各種エネルギ保存サイクル合体機関は、該回転力で駆動する装置を、燃料無しの蓄電池で駆動可能とした大中小各種戦闘プロペラ飛行機としたことを特徴とする各種エネルギ保存サイクル合体機関。
【請求項２２１８】
前記各種エネルギ保存サイクル合体機関は、該回転力で駆動する装置を、燃料無しの蓄電池で駆動可能とした大中小各種ヘリコプターとしたことを特徴とする各種エネルギ保存サイクル合体機関。
【請求項２２１９】
前記各種エネルギ保存サイクル合体機関は、該回転力で駆動する装置を、燃料無しの蓄電池で駆動可能とした大中小各種戦闘ヘリコプターとしたことを特徴とする各種エネルギ保存サイクル合体機関。
【請求項２２２０】
前記各種エネルギ保存サイクル合体機関は、該回転力で駆動する装置を、燃料無しの蓄電池で駆動可能とした大中小各種プロペラ推進船舶としたことを特徴とする各種エネルギ保存サイクル合体機関。
【請求項２２２１】
前記各種エネルギ保存サイクル合体機関は、該回転力で駆動する装置を、燃料無しの蓄電池で駆動可能とした大中小各種プロペラ推進戦闘船舶としたことを特徴とする各種エネルギ保存サイクル合体機関。
【請求項２２２２】
前記各種エネルギ保存サイクル合体機関は、該発電した電気の蓄電池で駆動する装置の種類を問わないことを特徴とする各種エネルギ保存サイクル合体機関。
【請求項２２２３】
前記各種エネルギ保存サイクル合体機関は、該回転力で駆動する装置の種類を問わないことを特徴とする各種エネルギ保存サイクル合体機関。
【請求項２２２４】
前記各種エネルギ保存サイクル合体機関は、該回転力や噴射推進力で駆動する装置の種類を問わないことを特徴とする各種エネルギ保存サイクル合体機関。
【請求項２２２５】
前記各種エネルギ保存サイクル合体機関で燃焼させる燃料は、重油・軽油・水素・メタノール・メタン・ガソリン・天然ガス・プロパンガス・アルコールの何れかにしたことを特徴とする各種エネルギ保存サイクル合体機関。
【請求項２２２６】
前記各種エネルギ保存サイクル合体機関で燃焼させる燃料は、重油・軽油・水素・メタノール・メタン・ガソリン・天然ガス・プロパンガス・アルコールの何れか１以上にしたことを特徴とする各種エネルギ保存サイクル合体機関。
【請求項２２２７】
前記各種エネルギ保存サイクル合体機関で燃焼させる燃料は種類を問わないことを特徴とする各種エネルギ保存サイクル合体機関。
【発明の詳細な説明】
【技術分野】
【０００１】
本発明は既存往復機関技術が、熱変換も重力も重力加速度も利用しない容積利用で、回転出力を発生しない死点や死点近傍で最大の熱エネルギを放出する等、無茶苦茶をして仮説発電量や出力を１／１０００等に近付け、燃料電池や風力発電と競合する理由を明快に説明するため、アイディアを仮説数字で説明するが、正解は実験数値として仮説数字に限定しません。図１等熱回収量を最大にする各種エネルギ保存サイクル合体機関として、縮径主燃焼室兼熱交換器１を一方向流路とし、例えばその内径を拡径圧縮室の１／７に縮径して、拡径ピストン２１の行程容積の１／４９行程容積等、限り無く小径長大の縮径主燃焼室兼熱交換器内長時間冷却燃焼とし、熱回収量を最大の燃焼温度の障害を最低にして、最高燃焼圧力や空気圧縮圧力を限り無く上昇可能にし、熱回収量の超高圧過熱蒸気燃焼ガス熱量出力爆発力＋最低温度超高圧の燃焼ガス質量出力爆発力に分割する技術に関する。
【０００２】
図１・２等夫々の爆発力と霧吹きの原理で水を混合加速して夫々の爆発速度に近付け、大気圧重力仕事能力を燃焼ガスの１０００倍に近付けて、撥水鍍金や加熱高温で撥水作用や気化膜を設けて用途に合せて摩擦損失を低減した、弾み車タービン８の死点後９０度に連続噴射します。そして燃焼ガス質量出力発生排気の過程で排気温度を−２７３℃に近付け、熱交換０℃以上の水道水冷熱５２ｅの回収量を最大にします。燃焼ガス熱量出力で弾み車蒸気タービンを駆動の過程で、超臨界圧力過熱蒸気爆発速度をタービン周速度近傍の高温水５２ｂ速度に減速して、大気圧重力仕事能力が燃焼ガスの１０００倍の高温水５２ｂ質量を、燃焼ガスの１０００倍に近付けて重力仕事能力を１０００倍に近付け、燃焼ガス熱量出力＋燃焼ガス質量出力を、既存往復機関の１０００倍仮説発電量や出力に近付けて、供給熱量全部を１００℃以下の水道水温熱５２ｄとして需要家に供給し、燃焼ガス排気全部を、０℃以上の水道水冷熱５２ｅとして需要家に供給する技術に関する。
【０００３】
既存技術始動電動機兼発電機によりクランク軸１６を回転して、空気圧縮専用の拡径ビストン２１を往復させて空気を吸気弁２８より吸入圧縮燃焼し、燃焼ガス４９質量出力の圧力上昇に合せて、全動翼圧縮機２０Ｊや各種エネルギ保存圧縮機２０Ｘや、既存技術圧縮機を用途に合せて駆動して、予圧した空気を吸気弁２８より吸入に変換します。圧縮行程では大幅に高圧圧縮した空気を一方向空気流路９より、一方向流路の縮径主燃焼室兼熱交換器１に空気噴射して、燃料噴射電磁弁７ｃや既存技術により燃料噴射して空気と攪拌混合し、既存技術着火装置１０２により着火燃焼して、縮径主燃焼室兼熱交換器１の燃焼圧力を用途に合せて限り無く上昇し、長時間熱交換冷却燃焼して燃焼ガス熱量出力＋低温燃焼ガス質量出力に分割して、例えば１００ＭＰａ過熱蒸気爆発力＋１００ＭＰａ燃焼ガス爆発力に分割し、過熱蒸気噴射ノズル６Ｉ等＋燃焼ガス噴射ノズル６Ｄ等により、高温水５２ｂや冷水５２ｈを、過熱蒸気爆発力や燃焼ガス爆発力で加速する技術に関する。
【０００４】
図１の縮径主燃焼室兼熱交換器１内の燃焼ガス４９の圧力上昇時に、燃焼ガス加減弁２４を開放制御して、図２の燃焼ガス溜９５ａに供給し、燃焼ガス噴射ノズル６Ｃ６Ｄ６Ｊ等の燃焼ガス爆発力と霧吹きの原理で、１以上の冷水噴射ノズル６Ｇの水５２ａや冷水５２ｈを混合噴射加速し、加熱高温手段１０１や撥水鍍金３ａにより加熱高温や撥水鍍金として、水との間に気化膜や撥水作用を用途に合わせて設けて摩擦損失を低減し、燃焼ガス噴射ノズル内では火薬爆発機関銃の弾丸や吹雪のように水を加速して、垂直噴射等により重力慣性力や重力加速度の利用を最大にすると共に、大気圧重力仕事能力が燃焼ガスの１０００倍の水質量を、燃焼ガスの３０〜３００倍水質量等に増大してタービン周速度近傍に減速し、弾み車ガスタービン８ａに噴射して回転出力を発生して、燃焼ガス排気温度を−２７３℃に近付け、燃焼ガス排気全部を冷熱として回収可能にする技術に関する。
【０００５】
図１導水管３の燃焼ガス熱量出力の過熱蒸気５０の圧力温度増大上昇時に、過熱蒸気加減弁２５を開放制御して、過熱蒸気溜９５ｃに過熱蒸気５０を供給し、過熱蒸気噴射ノズル６Ａ６Ｂ６Ｉ等の、過熱蒸気爆発力と霧吹きの原理により、１以上の水噴射ノズル６Ｅの１００℃近傍高温水５２ｂを混合噴射加速して、加熱高温手段１０１や撥水鍍金３ａにより、加熱高温や撥水鍍金として、水との間に気化膜や撥水作用を設けて摩擦損失を低減し、過熱蒸気噴射ノズル内では、火薬爆発機関銃の弾丸や吹雪のように高温水５２ｂを加速して、用途に合せた垂直噴射や接線方向噴射により、重力慣性力や重力加速度を最大限利用し、高温水５２ｂ速度を用途に合せて超臨界圧力過熱蒸気爆発速度に近付け、タービン周速度近傍では弾み車蒸気タービンやウォータージェット部７７を駆動して、超音速マッハ５０前後の噴射速度で合体機関噴射部７７を駆動する技術に関する。
【０００６】
過熱蒸気爆発力＋燃焼ガス爆発力と霧吹きの原理により水を混合噴射加速して、大気圧重力仕事能力が燃焼ガスの１０００倍の水噴射質量を、燃焼ガスの５０〜１０００倍質量等に増大することでタービン周速度近傍に減速し、弾み車タービン８に噴射して既存往復機関最大の欠点の死点を皆無にし、既存往復機関死点後９０度１ＭＰａを（４００ＭＰａ×１０００倍質量＝４０００００倍仕事能力）＝（アイディア数字が大きくなって使用不可のため１０００倍仕事能力で説明する）で死点後９０度の絶好機連続駆動の回転出力を狙います。そして水噴射質量を縮小して２００〜４００ＭＰａ過熱蒸気含有水噴射量とし、過熱蒸気爆発力＋燃焼ガス爆発力と霧吹きの原理により混合噴射加速して、空気中や真空中等に噴射し、超音速マッハ５０以上等の噴射速度を可能にして、宇宙往還機や超音速飛行全盛を狙い、大出力とすることで垂直上昇垂直降下飛行全盛とし、ビルの屋上等何処でも飛行場を狙い、既存往復機関の１０００倍出力乃至発電量を狙う技術に関する。
【０００７】
回転出力発生全出力の排気の過程では大気圧まで使用とし、燃焼ガス熱量出力の排気と燃焼ガス質量出力の排気を分離して、燃焼ガス熱量出力の過熱蒸気５０排気は、図１の空気抽出器５１により吸引して用途に合せて真空度を調整して、気化熱回収器２ｂで熱回収して凝縮水量を増減し、１００℃前後の高温水５２ｂと凝縮水５２ｆを隔壁９０ａにより分離回収して、高温水５２ｂを水溜９５ｂに供給し、凝縮水５２ｆを縮径主燃焼室熱交換器２に供給して、超臨界圧力等の過熱蒸気５０爆発力に変換し、気化熱回収器２ｂの冷却水に水道水５２ｃを使用して、供給熱量略全部の凝縮熱から、１００℃前後の水道水温熱５２ｄを回収貯蔵し、製造原価略０で水道水温熱５２ｄを需要家に供給すると共に、水道水温熱５２ｄを利用して、電力消費１／１０等を狙う業務用や家庭用の、暖房設備機器や調理設備機器や洗濯乾燥機等の製造供給や、浴場や温水プール等に供給すると共に、水不足地帯では海水を蒸留して供給する、海水淡水化事業に使用する技術に関する。
【０００８】
図２の燃焼ガス噴射ノズル６Ｃ又は６Ｄによる、燃焼ガス４９質量出力発生排気の過程は、燃焼ガス溜９５ａの燃焼ガス４９爆発速度と霧吹きの原理により、用途に合せて１以上の冷水噴射ノズル６Ｇの冷水５２ｈ又は水５２ａを混合噴射加速し、冷水５２ｈ速度を燃焼ガス爆発速度に近付け、大気圧重力仕事能力を燃焼ガスの１０００倍に近付けて、既存往復機関の１０００倍出力の一部を狙い、その排気温度を−２７３℃に近付けます。そしてガス抽出器５１ａによりガス抽出し、ガス排気室５ｃの燃焼ガス４９排気温度を用途に合せて−２７３℃に近付け、冷熱回収器１０３・１０３により燃焼ガス質量全部を、０℃以上の冷水５２ｈや水道水冷熱５２ｅに変換して、冷水５２ｈを水溜９５ｂに供給使用し、水道水冷熱５２ｅを貯蔵して製造原価略０で需要家に供給すると共に、水道水冷熱を利用して電気料金１／１０を狙う、業務用や家庭用の冷凍設備機器や冷蔵設備機器や冷房設備機器等を製造供給する技術に関する。
【０００９】
燃焼ガス質量回転出力発生の過程や水道水冷熱５２ｅ回収の過程で、燃焼ガスを３０〜３００倍質量等の燃焼ガス質量出力発生水に、窒素やＣＯ２等も溶解する物質を混入し、水５２ａに窒素やＣＯ２等も溶解して燃焼ガス溶解水にして、溶解容易なＣＯ２を含めて燃焼ガス排気を０に近付け、水道水冷熱５２ｅ回収後は、燃焼ガス溶解水５２ｇを増大して燃焼ガス排気０を狙います。そして燃焼ガス溶解水５２ｇを泥土や植物片や残飯等に固定して肥料にする過程で、バイオガスを発生させて発電燃料とし、バイオ肥料を増産して農作物の増産を図ると共に、膨大過ぎる燃焼ガス溶解水５２ｇは海水に供給して、海水を冷却する過程で、酸素等の空気も吸引して海水を冷却し、ＣＯ２や酸素や窒素等を必要として分解合成吸収等する、植物プランクトンの珪藻等の微生物や海藻類を先ず増殖して、魚介類や海草類等の食料増産等を図る技術に関する。
【００１０】
各種エネルギ保存サイクル合体機関２９の選択した合体機関燃焼部２９Ｘは、全動翼圧縮機２０ｊや選択したエネルギ保存圧縮機２０Ｘや、既存技術で予圧した空気を圧縮して、一方向流路の縮径主燃焼室兼熱交換器１により、限り無く高圧燃焼長時間熱交換冷却燃焼し、燃焼温度と容積の障害を最低として、用途に合せた限り無く高圧の燃焼ガス熱量出力＋燃焼ガス質量出力に分割し、燃焼ガス熱量出力を１００〜４００ＭＰａ過熱蒸気５０爆発力に変換して、過熱蒸気噴射ノズル６Ａ６Ｂ６Ｉ等の過熱蒸気爆発力と霧吹きの原理により、１以上の水噴射ノズル６Ｅの１００℃近傍高温水５２ｂを混合噴射加速し、高温水５２ｂの循環使用を可能にして、高温水５２ｂ速度をタービン周速度近傍にすることで、燃焼ガス容積に近い大質量噴射を可能し、弾み車蒸気タービン８ｂの接線方向垂直方向に可能な限り噴射して、重力加速度を増大した回転出力を発生すると共に、燃焼ガス質量出力を含めて、同一燃料量既存往復機関の１０００倍仮説出力を狙う技術に関する。
【００１１】
回転出力専用の燃焼ガス質量出力では、３０〜１００ＭＰａ燃焼ガス爆発速度等の単位容積質量最大の燃焼ガス爆発力に変換し、燃焼ガス噴射ノズル６Ｃ又は６Ｄ又は６Ｊ等の、燃焼ガス４９爆発速度と霧吹きの原理により、１以上の水噴射ノズル６Ｅの水５２ａを混合噴射加速して、水５２ａ速度をタービン周速度近傍にすることで、大気圧重力仕事能力を（燃焼ガスの３０〜３００倍水質量）＝（燃焼ガスの３０〜３００倍大気圧重力仕事能力）等とし、弾み車ガスタービン８ａに噴射して回転出力を例えば大気圧まで発生して、燃焼ガス熱量出力を含めて、回転出力駆動の各種自動車等の各種陸上輸送移動機器や、各種プロペラ飛行機等の各種空中輸送移動機器や、各種プロペラ船舶等の各種水上輸送移動機器や、各種機械機器等を駆動し、用途により停止中は発電所として使用して、蓄電や温熱や冷熱を貯蔵供給する技術に関する。
【００１２】
図３図５前方の空気を吸引して噴射推進する合体機関噴射部７７Ｋは、選択した合体機関燃焼部２９Ｘを使用し、例えば図１のＡ型合体機関燃焼部２９Ａにより、限り無く高圧燃焼長時間熱交換冷却燃焼して、限り無く高圧の過熱蒸気爆発力＋最低温度高圧の燃焼ガス爆発力に分割し、分割した一部により弾み車タービン８を駆動して、合体機関燃焼部２９Ｘを運転し、大部分を合体機関噴射部外箱７７Ｆ内１以上の筒形外箱７７ｂ内の、例えば過熱蒸気噴射ノズル６Ｉ＋燃焼ガス噴射ノズル６Ｊの、２００ＭＰａ過熱蒸気爆発力＋最低温度１００ＭＰａ燃焼ガス爆発力と、夫々の霧吹きの原理１１１・１１１により、夫々水５２ａを混合噴射加速して、前方の空気や真空を吸引して噴射推進し、合体機関噴射部７７Ｋの構造を極限まで簡単として、限り無く高圧の過熱蒸気爆発力＋燃焼ガス爆発力の使用を可能にし、超音速マッハ３２等の地球脱出速度を狙う技術に関する。
【００１３】
空気吸引噴射推進出力の各種エネルギ保存サイクル合体機関も、全動翼圧縮機２０ｊや選択したエネルギ保存圧縮機２０Ｘや、既存技術で用途に合せて予圧した空気を圧縮して限り無い高圧燃焼とし、合体機関噴射部７７Ｋの構造を極限まで簡単として、前記同様に水を混合噴射加速することで、既存ジェット機燃焼ガス噴射速度×質量の１０００倍速度×質量に近付け、１０００倍噴射推進出力に近付けた合体機関噴射部７７Ｋとして、円筒回転部７７Ｇと磁気摩擦動力伝達装置７６や公知技術により、９０度以上又は１８０度以上回転可能とし、簡単大出力の合体機関噴射部７７Ｋにより垂直上昇垂直降下や逆噴射を可能して、ビルの屋上等何処でも飛行場を可能にし、大気圏では前方の空気を吸引して噴射推進して、真空圏では短時間前方真空を吸引して噴射推進し、既存ジェット機の１０００倍の噴射推進出力に近付け、各種空中輸送移動機器や各種噴射推進垂直上昇垂直降下超音速飛行機や、各種噴射推進超高速船舶や各種水上輸送移動機器等を、超高速空気吸引噴射推進駆動する技術に関する。
【００１４】
図４図５前方の空気を吸引して噴射推進する合体機関噴射部７７Ｌも、選択した合体機関燃焼部２９Ｘを使用し、例えば図１のＡ型合体機関燃焼部２９Ａにより、限り無く高圧燃焼長時間熱交換冷却燃焼して、限り無く高圧の過熱蒸気爆発力＋最低温度高圧の燃焼ガス爆発力に分割して、分割した一部により弾み車タービン８を駆動して合体機関燃焼部２９Ｘを運転し、大部分を合体機関噴射部外箱７７Ｆ内１以上の筒形外箱７７ｂ内の、過熱蒸気燃焼ガス噴射ノズル６Ｈの、２００〜４００ＭＰａ過熱蒸気爆発力＋最低温度１００〜２００ＭＰａ燃焼ガス爆発力と霧吹きの原理１１１により、過熱蒸気含有水を混合噴射加速して、前方の空気や真空を吸引して噴射推進することで、合体機関噴射部７７Ｌの構造を極限まで簡単とし、限り無く高圧の過熱蒸気爆発力＋燃焼ガス爆発力の使用を可能にして、超音速マッハ３２等の地球脱出速度を狙う技術に関する。
【００１５】
空気吸引噴射推進出力の各種エネルギ保存サイクル合体機関も、全動翼圧縮機２０ｊや選択したエネルギ保存圧縮機２０Ｘや、既存技術で用途に合せて予圧した空気を圧縮して限り無い高圧燃焼とし、合体機関噴射部７７Ｌの構造を極限まで簡単として、過熱蒸気含有水を混合噴射加速することで、既存ジェット機燃焼ガス噴射速度×質量の１０００倍速度×質量に近付け、１０００倍噴射推進出力に近付けた合体機関噴射部７７Ｌとし、円筒回転部７７Ｇと磁気摩擦動力伝達装置７６や公知技術により、９０度以上又は１８０度以上回転可能として、簡単大出力の合体機関噴射部７７Ｌにより垂直上昇垂直降下や逆噴射を可能にし、ビルの屋上等何処でも飛行場も可能にして、大気圏では前方の空気を吸引して噴射推進し、真空圏では短時間前方真空を吸引して噴射推進して、既存ジェット機の１０００倍の噴射推進出力に近付け、各種空中輸送移動機器や各種噴射推進垂直上昇垂直降下超音速飛行機や、各種噴射推進超高速船舶や各種水上輸送移動機器等を、超高速空気吸引噴射推進駆動する技術に関する。
【００１６】
図６水吸引噴射推進出力の各種エネルギ保存サイクル合体機関２９も、選択した合体機関燃焼部２９Ｘを含めて選択使用するため、前記空気吸引噴射推進出力と同様に、分割した爆発力の一部により合体機関燃焼部２９Ｘを駆動して、大部分の爆発力をウォータージェット部７７Ｍ内夫々１以上の筒形外箱７７ｂ内の、過熱蒸気噴射ノズル６Ａ又は６Ｉ及び燃焼ガス噴射ノズル６Ｃ亦はＪの、過熱蒸気爆発力及び燃焼ガス爆発力と夫々の霧吹きの原理により、夫々１以上の水噴射ノズル６Ｅの水を混合噴射加速し、大気圧燃焼ガスの１０００倍仕事能力の最適速度最大水質量に変換して、水吸引噴射推進出力の仕事能力を最大にして夫々より噴射し、夫々の霧吹きの原理１１１・１１１を駆動して、前方の水を吸引して噴射して噴射推進出力を発生する技術に関する。
【００１７】
例えば図１の合体機関燃焼部２９Ａの導水管３の過熱蒸気５０温度上昇時及び、縮径主燃焼室兼熱交換器１の圧力上昇時に、過熱蒸気制御弁２５及び燃焼ガス制御弁２４を開放制御して、夫々図６の過熱蒸気溜９５ｃに過熱蒸気５０を供給し、燃焼ガス溜９５ａに燃焼ガス４９を供給して、過熱蒸気５０爆発力と霧吹きの原理により１以上の水（海水等）を混合噴射加速し、燃焼ガス４９爆発力と霧吹きの原理により１以上の水（海水等）を混合噴射加速して、夫々の大気圧重力仕事能力を燃焼ガスの１０００倍に近付け、夫々の霧吹きの原理１１１・１１１により大仕事能力で前方の水を吸引して噴射し、噴射推進出力を既存往復機関のの１０００倍に近付けて、燃焼ガス４９爆発力による噴射推進の過程で海水を冷却し、海中にＣＯ２や窒素等を供給して植物プランクトンの珪藻を大増殖して、食物連鎖により魚類を大増殖を図り、水吸引噴射推進出力駆動の各種水上輸送移動機器や各種水噴射推進船舶等を駆動する技術に関する。
【背景技術】
【００１８】
既存ガソリン機関やディーゼル機関の発明は、出力を発生で充分な頃の発明で、熱も速度も質量も全く利用しない容積利用のため、排気温度も５００℃前後と非常に高く、燃焼ガスの単位容積大気圧重力仕事能力が水の１／１０００前後と非常に僅少で、回転出力を発生しない死点や死点近傍で最大のエネルギを放出し、死点後９０度の回転力発生絶好機には１／６以下圧力低下して、殆ど回転出力を発生しないのです。そこで燃焼ガスを熱量爆発力＋質量爆発力に分割して、限り無く高圧の過熱蒸気爆発力＋最低温度燃焼ガス質量爆発力に分割し、夫々の爆発力と霧吹きの原理により夫々水を混合噴射加速して、弾み車タービン８に噴射し、既存往復機関最大の欠点を皆無にして、例えば既存往復機関死点後９０度１ＭＰａを、４００ＭＰａ×１０００倍質量＝４０００００倍仕事能力（既存技術が無茶苦茶過ぎてアイディア数字が使用不可１０００倍仕事能力で使用する）で駆動し、死点後９０度の絶好機に弾み車タービン８に連続噴射する技術完成が最大の急務です。
【００１９】
既存往復機関やガスタービンや蒸気タービン駆動の、各種自動車や各種船舶や各種飛行機や各種機械や各種発電機や各種小型機械等から、京都議定書とは逆に膨大なＣＯ２等の排出増大が、中国等地球人口の大部分を占める途上国で急加速しており、加えて火力発電所や原子力発電所では、使用した熱全部で海水温度を上昇しております。此の儘ではＣＯ２等の排出が５倍前後に爆発的に増大し、地球温暖化も爆発的に加速してバランスが崩壊して、メタンハイドレートの大分解やＣＯ２濃度の急上昇等、予想を遥かに超える現象により、灼熱地球・人類滅亡を招きます。人類は集団自殺の末路に向かって急加速しており、仮説出力を１／１０００等に近付けた無茶苦茶過ぎる既存往復機関やガスタービンや、火力発電所から排出されるＣＯ２等の燃焼ガス排気や海水温度の上昇を０に近付けるため、一刻も早い地球温暖化防止の行動開始が急がれます。
【００２０】
先行技術が皆無で先の出願として、往復機関の燃焼室を１／７等に縮径した２段燃焼の、縮径主燃焼室兼熱交換器を設けたエネルギ保存サイクル機関があります。
【特許文献１】米国特許第６１１９６５０号、中国特許第８８１８号、ＥＵ特許９０２１７５号、米国特許第６２６３６６４号、特願２０００−３３８７２５号、特願２０００−３４７６６３号、特願２００１−１０２９６４号、特願２００１−３３６１３９号、特願２００２−１９６０７号、特願２００２−１１８８７３号、特願２００２−２１６２２９号、特願２００２−２５７４３５号、特願２００２−３０２６５１号、特願２００２−３２６２４５号、特願２００３−１０６０９２号、特願２００３−３５０１９８号、特願２００３−３７５２７１号、特願２００４−０５０６３４号、特願２００４−０８２１５４号、があります。先の出願の各種全動翼蒸気ガスタービン合体機関と合体して、各種エネルギ保存サイクル合体機関とし、燃焼ガスの１０００倍仕事能力の水出力に変換して、噴射推進出力や回転出力の各種飛行機や各種船舶や、各種自動車や各種熱と電気と冷熱の供給設備等を可能にして、都市部の膨大な温熱や冷熱需要に対応すると共に、仮説出力や仮説発電量の増大を図り、脱フロンにより地球温暖化防止します。
【発明の開示】
【発明が解決しようとする課題】
【００２１】
小学校理科の作用と反作用でも明白なように（同じ容積の燃焼ガスと水を噴射して同じ大きさの反動力を得るためには、水速度の１０００倍の燃焼ガス速度が必要です）即ち既存技術は１００余年発明皆無で、出力を発生で充分な頃発明した往復機関やタービンの改良では、余にも愚か過ぎます。既存ディーゼル機関やガソリン機関は、熱も質量も重力慣性力も重力加速度も全く利用しない容積利用のため、「速度（落差）×質量（重力仕事率）＝仕事能力（出力源）」の、最も基本的な思考が完璧に阻止されており、思考を復活することで、大気圧重力仕事能力を燃焼ガスの１０００倍の水出力に近付け、ＣＯ２等の燃焼ガス排気も、水出力とすることで燃焼ガス溶解水の排水とし、仮説出力や仮説発電量を既存往復機関の１０００倍に近付けるのが急務となっております。
【００２２】
そこで全動翼圧縮機２０ｊや選択したエネルギ保存圧縮機２０Ｘや、既存技術で用途に合せて予圧した空気を、選択した合体機関燃焼部２９Ｘで圧縮し、図１一方向流路の縮径主燃焼室兼熱交換器１により、限り無く高圧燃焼長時間熱交換冷却燃焼して、燃焼ガス熱量出力＋燃焼ガス質量出力に分割します。そして燃焼ガス熱量出力を超臨界圧力等の過熱蒸気爆発力に変換し、過熱蒸気噴射ノズル６Ａ６Ｂ６Ｉ等の、過熱蒸気爆発速度と霧吹きの原理により、１以上の水噴射ノズル６Ｅの水を混合噴射加速して、大気圧重力仕事能力を燃焼ガスの１０００倍の水質量に変換し、用途に合せて燃焼ガスの１０〜１０００倍質量等に増大することで、各種温度の水速度を最適速度に減速して、同一燃料量大気圧重力仕事能力を燃焼ガスの１０００倍に近付け、燃焼ガス熱量出力＋燃焼ガス質量出力の仮説出力や仮説発電量を、既存往復機関の１０００倍に近付けることを目的とします。
【００２３】
そして燃焼ガス質量出力を、図２燃焼ガス噴射ノズル６Ｃ６Ｄ６Ｊ等の、燃焼ガス爆発速度と霧吹きの原理により、１以上の水噴射ノズル６Ｅの水を混合噴射加速加速して、大気圧重力仕事能力を燃焼ガスの１０００倍に近付け、用途に合せて水質量を増大して減速することで、燃焼ガス爆発速度を最適速度に減速して大質量水出力を発生して、水に燃焼ガスを溶解混合して燃焼ガス溶解水５２ｇを大量生産し、ＣＯ２や窒素等を大量に含有する燃焼ガス溶解水５２ｇを回収して、泥土や植物片や残飯等にバクテリアで分解固定して肥料にする過程で、メタンガス等を発生させて発電燃料にすると共に肥料を増産し、ＣＯ２等燃焼ガス排気を０に近付けて農産物の増産を図る等、各種新規産業を創出して、用途により供給燃焼ガス熱量全部を１００℃に近い温熱として回収利用し、燃焼ガス質量全部を０℃近傍の冷熱として回収利用することを目的とします。
【００２４】
既存の火力発電所や原子力発電所では、蒸気タービンで発電した熱量全部で海水温度を上昇して、メタンハイドレート大分解の危険を増大しております。そこで燃焼ガス熱量出力を発生して排気の過程では、図１気化熱回収器２ｂにより排気水蒸気を冷却して１００℃に近い凝縮水５２ｆ全部を、限り無く縮径主燃焼室熱交換器２に供給し、超臨界圧力等の過熱蒸気５０爆発力に変換して、弾み車蒸気タービン８ｂを駆動して排気の過程で、気化熱回収器２ｂにより水道水温熱５２ｄとし、圧縮空気保有熱量を含む供給熱量全部を回収利用して、海水温度の上昇を皆無にします。供給熱量全部の１００℃に近い水道水温熱５２ｄを、製造原価略０で需要家に供給すると共に、電力消費１／１０等を狙う水道水温熱５２ｄ利用の、各種暖房設備機器や各種調理設備機器や各種温水設備機器や、各種洗濯乾燥機等を製造供給して、電気料金を１／１０等に低減することを目的にします。
【００２５】
図２燃焼ガス質量出力で弾み車ガスタービン８ａを駆動して、排気の過程では用途に合せて、燃焼ガス排気温度を−２７３℃に近付け、発電用等では冷熱回収器１０３・１０３を設けて、出力発生冷熱回収排気の過程では、不凍液を含む水５２ａ又は冷水５２ｈに燃焼ガスを溶解し、燃焼ガス溶解水５２ｇとして外部の冷熱回収器１０３に排水して、冷熱回収後のＣＯ２等燃焼ガス排気を０に近付けます。そして−２７３℃に近付けた燃焼ガス質量排気全部を、０℃に近い冷水５２ｈや水道水冷熱５２ｅに変換して、冷水５２ｈを燃焼ガス噴射ノズルの水溜９５ｂに供給し、水道水冷熱５２ｅを回収貯蔵しておき、発電の副産物として製造原価略０で需要家に供給すると共に、電力消費１／１０を狙う水道水冷熱５２ｅ利用の、各種冷凍設備機器や各種冷蔵設備機器や各種冷房設備機器を製造供給し、脱フロンを含めて公害低減・地球温暖化防止することを目的とします。
【００２６】
自動車や船舶等の各種回転出力発生は、全動翼圧縮機２０ｊや選択したエネルギ保存圧縮機２０Ｘや、既存技術で用途に合せて予圧した空気を圧縮する、選択した合体機関燃焼部２９Ｘの縮径主燃焼室兼熱交換器１で、限り無く高圧燃焼長時間熱交換冷却燃焼し、燃焼ガス熱量出力＋燃焼ガス質量出力に分割します。そして２００ＭＰａ過熱蒸気爆発力＋１００ＭＰａ燃焼ガス爆発力等で使用して、過熱蒸気噴射ノズルと霧吹きの原理及び燃焼ガス噴射ノズルと霧吹きの原理により、夫々タービン周速度を越える水の速度に変換し、夫々弾み車蒸気タービン８ｂ及び弾み車ガスタービン８ａを、燃焼ガスの１０００倍重力仕事能力に近付けた水質量速度で駆動して、各種自動車や各種ヘリコプターや各種プロペラ飛行機や各種プロペラ船舶や、各種機械類等を回転駆動することを目的としす。
【００２７】
図３図５ジェット機等の各種空気吸引噴射推進出力の発生は、前記同様に選択した合体機関燃焼部２９Ｘで限り無く高圧燃焼長時間熱交換冷却燃焼して、例えば２００ＭＰａ過熱蒸気５０爆発力＋最低温度１００ＭＰａ燃焼ガス４９爆発力に分割し、その一部により弾み車タービン８を駆動して、大部分の過熱蒸気爆発速度及び燃焼ガス爆発速度を、合体機関噴射部外箱７７Ｆ内夫々１以上の筒形外箱７７ｂ内の、過熱蒸気噴射ノズル６Ａ又は６Ｉの過熱蒸気爆発力及び燃焼ガス噴射ノズル６Ｃ又は６Ｊの燃焼ガス爆発力と、夫々の霧吹きの原理により、夫々１以上の水５２ａを混合噴射加速して、重力仕事能力を燃焼ガスの１０００倍に近付けて増大し、夫々の用途に合せた霧吹きの原理１１１・１１１により前方の空気を吸引して噴射し、既存ガスタービンの１０００倍仮説空気吸引噴射推進出力を狙うことを目的にします。
【００２８】
図４図５ジェット機等の各種空気吸引噴射推進出力の発生は、前記同様に選択した合体機関燃焼部２９Ｘで限り無く高圧燃焼長時間熱交換冷却燃焼して、例えば２００ＭＰａ過熱蒸気５０爆発力＋最低温度１００ＭＰａ燃焼ガス４９爆発力に分割し、その一部により弾み車タービン８を駆動して、大部分の過熱蒸気爆発速度及び燃焼ガス爆発速度を、合体機関噴射部外箱７７Ｆ内１以上の筒形外箱７７ｂ内の、過熱蒸気燃焼ガス噴射ノズル６Ｈの過熱蒸気爆発力及び燃焼ガス爆発力と霧吹きの原理により、過熱蒸気５０含有水を混合噴射加速して、重力仕事能力を燃焼ガスの１０００倍に近付けて増大し、用途に合せた霧吹きの原理１１１により前方の空気を吸引して噴射して、既存ガスタービンの１０００倍仮説空気吸引噴射推進出力とし、既存技術の１０倍速度を狙う各種超音速ジェット機や各種超高速船舶や、各種宇宙往還機や各種宇宙往還親飛行機を狙うことを目的にします。
【００２９】
図６水を吸引噴射して噴射推進出力のウォータージェット７７Ｍを搭載した、水上輸送移動機器の出力発生は、前記同様に選択した合体機関燃焼部２９Ｘで限り無く高圧燃焼長時間熱交換冷却燃焼して、例えば２００ＭＰａ過熱蒸気５０爆発力＋最低温度１００ＭＰａ燃焼ガス４９爆発力に分割し、その一部により弾み車タービン８を駆動して、大部分の過熱蒸気爆発速度及び燃焼ガス爆発速度を、ウォータージェット外箱７７Ｄ内夫々１以上の筒形外箱７７ｂ内の、過熱蒸気噴射ノズル６Ａ又は６Ｉの過熱蒸気爆発力及び燃焼ガス噴射ノズル６Ｃ又は６Ｊの燃焼ガス爆発力と、夫々の霧吹きの原理により、夫々１以上の水５２ａを混合噴射加速して、重力仕事能力を燃焼ガスの１０００倍に近付けて増大し、夫々の霧吹きの原理１１１ｃ・１１１ｄにより前方の水を吸引して噴射し、既存技術の１０００倍仮説水吸引噴射推進出力を狙うことを目的にします。
【００３０】
図７水を吸引噴射して噴射推進出力のウォータージェット７７Ｎを搭載した、水上輸送移動機器の出力発生は、前記同様に選択した合体機関燃焼部２９Ｘで限り無く高圧燃焼長時間熱交換冷却燃焼して、例えば２００ＭＰａ過熱蒸気５０爆発力＋最低温度１００ＭＰａ燃焼ガス４９爆発力に分割し、その一部により弾み車タービン８を駆動して、大部分の過熱蒸気爆発速度及び燃焼ガス爆発速度を、夫々のウォータージェット外箱７７Ｄ内の夫々１以上の筒形外箱７７ｂ内の、過熱蒸気噴射ノズル６Ａ又は６Ｉの過熱蒸気爆発力及び燃焼ガス噴射ノズル６Ｃ又は６Ｊの燃焼ガス爆発力と、夫々の霧吹きの原理により、夫々１以上の水５２ａを混合噴射加速して、重力仕事能力を燃焼ガスの１０００倍に近付けて増大し、夫々の霧吹きの原理１１１ｇ・１１１ｈにより前方の水を吸引噴射して、既存技術の１０倍速度を狙う、各種高速船舶や各種高速戦闘船舶や、各種高速水上輸送移動機器等として使用することを目的とします。
【課題を解決するための手段】
【００３１】
既存のガソリン機関やディーゼル機関は、熱量も質量も重力加速度も利用しない容積利用で、その容積利用が回転出力を発生しない死点や死点近傍で最大のエネルギを放出し、死点後９０度の回転出力発生絶好機には放出エネルギを１／６以下に低減する等、既存往復機関は愚かで無茶苦茶過ぎるのです。そこで図１既存ガソリン機関やディーゼル機関を空気圧縮専用機として使用し、Ａ型エネルギ保存圧縮機２０Ａとして予圧圧縮機としても使用して、例えばピストン頂部隙間を０に近付け、１圧縮で１／５０〜１／１００容積を可能にし、１／５０×１／５０×１／５０＝１／１２５０００容積など、限り無い高圧圧縮を可能にします。そして構造を簡単としたＢ型エネルギ保存圧縮機２０Ｂ・Ｃ型エネルギ保存圧縮機２０Ｃ・Ｄ型エネルギ保存圧縮機２０Ｄ・Ｅ型エネルギ保存圧縮機２０Ｅ・Ｆ型エネルギ保存圧縮機２０Ｆ・Ｇ型エネルギ保存圧縮機２０Ｇ・Ｈ型エネルギ保存圧縮機２０Ｈから選択使用して、限り無い高圧圧縮高圧燃焼を可能にします。
【００３２】
図１のＡ型エネルキ保存圧縮機２０Ａを使用したＡ型合体機関燃焼部２９Ａを、通常の始動装置により始動して、既存の往復機関と同様に吸気弁２８より予圧した空気を吸入し、既存の往復機関と同様に拡径圧縮室１０ａで圧縮して、用途に合せて限り無く高圧の圧縮空気略全量を一方向空気流路９より、一方向流れの縮径主燃焼室兼熱交換器１に供給して、既存技術燃料噴射弁又は燃料噴射電磁弁７ｃより燃料噴射して、空気と攪拌混合して公知の着火装置１０２により着火燃焼し、限り無く高圧燃焼長時間熱交換冷却燃焼して燃焼温度と容積の障害を最低として、例えば燃焼ガス熱量出力（２００ＭＰａ過熱蒸気爆発力）＋燃焼ガス質量出力（最低温度１００ＭＰａ燃焼ガス爆発力）に分割し、夫々の爆発力と霧吹きの原理により水を混合噴射加速して、重力仕事能力を燃焼ガスの１０００倍に近付けて弾み車タービン８に噴射し、重力加速度を含めて往復機関の死点後９０度連続駆動として、仮説出力や仮説発電量を既存往復機関の１０００倍に近付けます。
【００３３】
例えば送水ポンプ兼磁気摩擦動力伝達装置５５により２００ＭＰａ等に上昇し、２００ＭＰａ過熱蒸気温度上昇時に過熱蒸気制御弁２５を開放制御して、適量の過熱蒸気５０を過熱蒸気溜９５ｃに供給して順次増大し、例えば過熱蒸気噴射ノズル６Ｉの過熱蒸気爆発力と霧吹きの原理により、１以上の水噴射ノズル６Ｅの１００℃に近い高温水５２ｂを混合噴射加速して、公知技術の加熱高温手段１０１や撥水鍍金３ａにより加熱高温気化幕や撥水作用を設け、摩擦損失を最少とした過熱蒸気噴射ノズル６Ｉ内では、高温水５２ｂを火薬爆発機関銃の弾丸や吹雪のように加速し、加熱高温手段１０１や撥水鍍金３ａにより加熱高温気化幕や撥水作用を設けて、摩擦損失を最少とした弾み車蒸気タービン８ｂに噴射し、過熱蒸気爆発速度を高温水５２ｂの速度に変換して最適減速して、大気圧重力仕事能力を燃焼ガスの１０００倍に近付け、弾み車蒸気タービン８ｂに例えば垂直噴射して、重力慣性力や重力加速度を最大限活用した回転出力とします。
【００３４】
縮径主燃焼室兼熱交換器１の内径を、例えば拡径圧縮室１０ａの１／７に縮径して、行程容積が１／４９の縮径主燃焼室兼熱交換器１を限りなく長大とし、圧縮行程では逆止弁９７を具備した一方向空気流路９の空気と、燃料噴射弁の噴射燃料と攪拌混合して着火装置により着火燃焼して、燃焼ガス攪拌板４９ａで攪拌燃焼し、限り無く高圧燃焼熱長時間交換冷却燃焼して燃焼温度と容積の障害を最低にして、例えば２００ＭＰａ過熱蒸気爆発力＋最低温度１００ＭＰａ燃焼ガス爆発力に分割し、夫々の圧力上昇時に過熱蒸気制御弁２５や燃焼ガス制御弁２４を開放制御流量制御圧力制御して、例えば弾み車ガスタービン８ａ及び弾み車蒸気タービン８ｂを駆動して電力を発生し、−２７３℃に近付く燃焼ガス排気全部を冷熱回収器１０３・１０３により、０℃に近い水道水冷熱５２ｅとして回収して需要家に供給して、弾み車蒸気タービン８ｂ排気の過程で気化熱回収器２ｂにより、圧縮空気保有熱量を含む供給熱量略全部を、１００℃に近い水道水温熱５２ｄとして回収して需要家に供給し、熱と電気と冷熱の供給設備としても需要家に供給します。
【００３５】
最低温度の燃焼ガス質量出力発生圧力増大時に燃焼ガス制御弁２４を開放制御して、燃焼ガス４９を図２撥水鍍金３ａ等により摩擦損失を最少とした、燃焼ガス噴射ノズル６Ｄ又は６ｊの、１以上の燃焼ガス溜９５ａに供給して流量制御し、燃焼ガス爆発力と霧吹きの原理により、１以上の冷水噴射ノズル６Ｇの水溜９５ｂの水５２ａ又は冷水５２ｈを混合噴射加速して、燃焼ガス質量爆発力を水速度に変換して重力仕事能力を燃焼ガスの１０００倍に近付け、撥水鍍金３ａ等により摩擦損失を最少とした、弾み車ガスタービン８ａの接線垂直方向に噴射し、重力加速度を最大限活用した回転出力発生として、排気の過程では冷熱回収器１０３・１０３により、ＣＯ２や窒素を大量に含有する燃焼ガス溶解水５２ｇを熱交換回収し、泥土や植物片や残飯等に微生物で分解固定して肥料にする過程で、メタンガス等を発生させて発電燃料等にすると共に肥料を増産して、新規産業を創出すると共に、ＣＯ２等の排気を０に近付けて地球温暖化防止します。
【００３６】
既存の火力発電所や原子力発電所が使用熱量全部で海水温度を上昇して、環境破壊やメタンハイドレート大分解の危険を増大しております。そこで図１気化熱回収器２ｂを駆動して水道水温熱５２ｄを回収し、１００℃に近い凝縮水５２ｆを縮径主燃焼室熱交換器２に循環供給して、１００℃に近い高温水５２ｂを過熱蒸気噴射ノズル６Ａの水溜９５ｂに循環供給し、回転出力を発生して供給熱量を気化熱の最低に近付け、供給熱量全部を発電の副産物の１００℃に近い水道水温熱５２ｄとして、需要家に供給すると共に水道水温熱５２ｄを利用して電力消費１／１０を狙う、業務用や家庭用の各種暖房設備機器や各種調理設備機器や各種厨房設備機器や、各種洗濯乾燥機等を製造供給し、地域により海水を淡水化して水道水として供給して、供給熱量全部で海水温度を上昇して環境破壊している、既存発電技術蒸気タービンの現状を逆転し、海水温度の上昇を皆無にします。
【００３７】
図２燃焼ガス噴射ノズル６Ｄ又は６Ｊの燃焼ガス溜９５ａの、燃焼ガス４９質量出力の弾み車ガスタービン８ａ燃焼ガス排気は、ガス抽出器５１ａによる真空の上昇や大気圧まで使用を含め、用途に合せて−２７３℃に近付け、冷熱回収の過程で燃焼ガスを水に溶解して燃焼ガス溶解水５２ｇとし、水道水で冷熱回収する冷熱回収器１０３・１０３を具備して、燃焼ガス質量全部から０℃に近い水道水冷熱５２ｅを回収の過程で、その一部を不凍液を混入した冷水５２ｈとし、燃焼ガス噴射ノズル６Ｄの水溜９５ｂに供給して、０℃に近い水道水冷熱５２ｅを発電の副産物として需要家に供給すると共に、０℃に近い水道水冷熱５２ｅにより冷却する、業務用や家庭用の各種冷凍設備機器や各種冷蔵設備機器や各種冷房設備機器等を製造供給し、例えは水道水冷熱配管に通水や通水送風して冷房する、電力消費０や電力消費１／１００等の冷房設備機器にします。
【００３８】
燃焼ガス４９質量出力発生排気の過程で、燃焼ガス４９を３０〜３００倍質量等の水５２ａに溶解して、燃焼ガス溶解水５２ｇとしてＣＯ２等の燃焼ガス排気を０や０に近付け、冷熱回収器１０３により水道水冷熱５２ｅを回収して、冷熱回収後は燃焼ガス溶解水５２ｇを増大して燃焼ガス排気０を狙い、燃焼ガス溶解水５２ｇを泥土や植物片や残飯等に固定して肥料にし、農作物の増産を図ると共に、膨大過ぎる燃焼ガス溶解水５２ｇ冷熱は海水を冷却する過程で、霧吹きの原理により酸素等の空気も吸引して海水等に供給して、ＣＯ２等を必要として分解合成吸収等する、プランクトン等の微生物や海藻類を先ず増殖し、魚介類や海草類等の食料増産等を図り、既存技術蒸気タービンが使用した熱量全部で海水温度を上昇している現状を逆転して、燃焼ガスで海水を冷却します。
【００３９】
自動車やプロペラ飛行機やプロペラ船舶等の各種回転出力発生は、発電用の回転出力発生と略同様にして回転出力を発生して、停止時や運転中等には発電用と同様に、電気や水道水温熱５２ｄや水道水冷熱５２ｅの製造貯蔵供給を可能にし、同一燃料量既存往復機関の１０００倍仮説回転出力に近付け、既存往復機関を圧縮専用説明用のエネルギ保存圧縮機２０Ａとして、簡単小型軽量とした各種エネルギ保存圧縮機を、エネルギ保存圧縮機２０Ｂ・２０Ｃ・２０Ｄ・２０Ｅ・２０Ｆ・２０Ｇ・２０Ｈとし、選択したエネルギ保存圧縮機２０Ｘを空気圧縮機として使用して、小型軽量大出力簡単多段余圧用等の各種用途に対応し、縮径主燃焼室兼熱交換器１により限り無く高圧燃焼長時間熱交換冷却燃焼して、前記発電用回転出力発生と同様に分割して回転出力を発生し、選択した合体機関燃焼部２９Ｘを駆動して、ＣＯ２等燃焼ガス排気を０に近付けた、各種自動車や各種プロペラ飛行機や各種プロペラ船舶や、各種回転力駆動の機械機器類等とします。
【００４０】
図３図５の合体機関噴射部７７Ｋを使用した、各種超音速ジェット機や各種超高速船舶等各種空気吸引噴射出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に弾み車タービン８を駆動して合体機関燃焼部２９Ｘを駆動します。大部分の過熱蒸気爆発力＋燃焼ガス爆発力を、図３の合体機関噴射部外箱７７Ｆ内夫々１以上の筒形外箱７７ｂ内の、過熱蒸気噴射ノズル６Ａ又は６Ｉの過熱蒸気溜９５ｃ及び、燃焼ガス噴射ノズル６Ｃ又は６Ｊの燃焼ガス溜９５ａに供給し、過熱蒸気爆発力及び燃焼ガス爆発力と夫々の霧吹きの原理により、夫々１以上の水５２ａを混合噴射加速して、大気圧重力仕事能力を夫々燃焼ガスの１０００倍に近付け、夫々の霧吹きの原理１１１ａ・１１１ｂにより、前方の空気や真空を吸引噴射推進して既存技術の１０倍速度を狙い、各種宇宙往還機や各種宇宙往還親飛行機を可能にします。
【００４１】
図４図５の合体機関噴射部７７Ｌを使用した、各種超音速ジェット機や各種超高速船舶等各種空気吸引噴射出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に弾み車タービン８を駆動して合体機関燃焼部２９Ｘを駆動します。大部分の過熱蒸気爆発力＋燃焼ガス爆発力を、図４の合体機関噴射部外箱７７Ｆ内の１以上の筒形外箱７７ｂ内の、過熱蒸気燃焼ガス噴射ノズル６Ｈの過熱蒸気溜９５ｃ及び燃焼ガス溜９５ａに供給し、過熱蒸気爆発力及び燃焼ガス爆発力と霧吹きの原理により、過熱蒸気含有水を混合噴射加速して、大気圧重力仕事能力を燃焼ガスの１０００倍に近付け、霧吹きの原理１１１Ｌにより、前方の空気や真空を吸引噴射推進して既存ガスタービンの１０００倍噴射推進出力を狙い、貯蔵した過熱蒸気爆発力及び燃焼ガス爆発力により、各種宇宙往還機や各種宇宙往還親飛行機を可能にします。
【００４２】
図６のウォータージェット７７Ｍを使用した、各種高速船舶や各種高速戦闘船舶等の、水を吸引噴射して噴射推進出力の水上輸送移動機器の出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に合体機関燃焼部２９Ｘを駆動します。そして大部分の過熱蒸気爆発力＋燃焼ガス爆発力を、ウォータージェット外箱７７Ｄ内の夫々１以上の筒形外箱７７ｂ内の過熱蒸気噴射ノズル６Ａ又は６Ｉの過熱蒸気溜９５ｃ及び、燃焼ガス噴射ノズル６Ｃ又は６Ｊの燃焼ガス溜９５ａに供給し、過熱蒸気爆発力及び燃焼ガス爆発力と夫々の霧吹きの原理により、夫々１以上の水５２ａを混合噴射加速して、大気圧重力仕事能力を夫々燃焼ガスの１０００倍に近付け、夫々の霧吹きの原理１１１ｃ・１１１ｄにより、前方の水を吸引噴射推進して既存技術の１０倍速度を狙います。
【００４３】
図７のウォータージェット７７Ｎを使用した、各種高速船舶や各種高速戦闘船舶等の、水を吸引噴射して噴射推進出力の各種高速水上輸送移動機器の出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に合体機関燃焼部２９Ｘを駆動します。そして大部分の過熱蒸気爆発力＋燃焼ガス爆発力を、夫々のウォータージェット外箱７７Ｄ内の夫々１以上の筒形外箱７７ｂ内の過熱蒸気噴射ノズル６Ｂの過熱蒸気溜９５ｃ及び、燃焼ガス噴射ノズル６Ｄの燃焼ガス溜９５ａに供給し、夫々の過熱蒸気爆発力及び燃焼ガス爆発力と夫々の霧吹きの原理により、夫々１以上の水５２ａを混合噴射加速して、大気圧重力仕事能力を夫々燃焼ガスの１０００倍に近付け、夫々の霧吹きの原理１１１ｇ・１１１ｈにより、前方の水を吸引噴射推進して既存ガスタービンの１０００倍噴射推進出力を狙います。
【発明の効果】
【００４４】
全動翼圧縮機２０ｊや選択したエネルギ保存圧縮機２０Ｘや既存技術で用途に合せて予圧した空気を圧縮し、縮径主燃焼室兼熱交換器１により限り無く高圧燃焼長時間熱交換冷却燃焼して、過熱蒸気爆発力＋燃焼ガス爆発力に分割し、夫々の爆発速度を水速度に変換して使用することで、超臨界圧力過熱蒸気爆発力や燃焼ガス爆発力の限り無い上昇と、噴射水質量の限り無い増大を可能にし、既存ガスタービンの１０００倍仮説発電量乃至出力に近付ける効果があります。
【００４５】
最適速度×大質量＝仕事能力が大のうち、過熱蒸気爆発速度や燃焼ガス爆発速度は大きい程大量の最適速度水質量に変換可能なため、余圧した空気を圧縮して、大気圧燃焼ガスの１０００倍重力仕事能力の水質量に近付け、既存ガスタービンの１０００倍仮説発電量乃至出力に近付ける大きな効果があります。
【００４６】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、回転出力を発生させるため、回転出力の増大が最高に良くなる効果があります。
【００４７】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、空気吸引噴射出力を発生させるため、空気吸引噴射出力の増大が最高に良くなる効果があります。
【００４８】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、水吸引噴射出力を発生させるため、水吸引噴射出力の増大が最高に良くなる効果があります。
【００４９】
８種類のエネルギ保存圧縮機２０Ｘや全動翼圧縮機２０Ｊや既存圧縮機から、用途に合せて選択した空気圧縮機を使用するため、小型簡単軽量大出力に出来る効果がある。
【００５０】
燃料の１００倍以上の高圧水蒸気や水を常時積載して、何時でも噴射して火災消火が可能に加えて、燃料切れ時にも大量の過熱蒸気爆発力＋燃焼ガス爆発力が貯蔵存在し、短時間ロケット飛行機として使用可能なため、非常に安全な飛行機に出来る効果がある。
【００５１】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、弾み車タービン８を駆動して回転出力を発生させるため、各種エネルギ保存サイクル合体機関の出力を大幅に上昇する効果があります。
【００５２】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、弾み車タービン８を駆動して回転出力を発生させるため、各種大中小型船舶・各種大中小型プロペラ飛行機・各種大中小型車両・各種大中小型機械・各種大中小型自動車・各種大中小型汎用機関・大中小型温熱と電気と冷熱の併給用機関を駆動する、大中小型の各種エネルギ保存サイクル合体機関の性能を向上する効果があります。
【００５３】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、弾み車タービン８を駆動して回転出力や噴射推進出力を発生させるため、各種大中小型高速船舶・各種大中小型ジェット機・各種宇宙往還機・各種大中小型超音速ジェット機・各種大中小型超高速船舶・各種大中小型空中輸送移動機器を駆動する、大中小型の各種エネルギ保存サイクル合体機関の性能を向上する効果があります。
【００５４】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の水質量に近づけて、弾み車タービン８を駆動して回転出力や噴射推進出力を発生させるため、重油や軽油やガソリンや天然ガスやメタノールや水素やプロパンやアルコール等各種燃料の、燃焼制御や保守が安全容易になる効果がある。
【発明を実施するための最良の形態】
【００５５】
発明の実施の形態や実施例を、図面参照して説明するが、実施形態や実施例と既説明とその構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。最良と思われる実施例で説明しますが、用途により千変万化する部分がありますので、請求項では多用途を考えて変化します。全動翼圧縮機２０ｊや各種エネルギ保存圧縮機２０Ｘや、既存圧縮機で用途に合せて予圧した空気を圧縮し、縮径主燃焼室兼熱交換器１により限り無く高圧燃焼長時間熱交換冷却燃焼して、例えば４００ＭＰａ過熱蒸気爆発力＋最低温度２００ＭＰａ燃焼ガス爆発力に分割して使用して、燃焼ガス圧力や過熱蒸気圧力の限り無い上昇と、噴射水質量の限り無い増大を可能にする、各種エネルギ保存サイクル合体機関とします。
【実施例１】
【００５６】
図１のＡ型合体機関燃焼部２９Ａは、既存ガソリン機関やディーゼル機関を、圧縮専用のエネルギ保存圧縮機２０Ａとして回転出力の発生は、通常の始動装置により始動して、用途に合せて全動翼圧縮機２０Ｊ又は各種エネルギ保存圧縮機２０Ｘ又は公知の圧縮機で予圧した空気を、吸気弁２８より吸入圧縮しますが、燃焼室として使用すると燃焼時間が限定短縮されるため、拡径圧縮室１０ａとして使用することで燃焼空間を不用とし、例えば内径を拡径圧縮室１０ａの１／７に縮径した一方向流路の縮径主燃焼室兼熱交換器１として、行程容積が１／４９の限りなく長大な長時間熱交換冷却燃焼とし、圧縮行程では１以上の逆止弁９７を具備した一方向空気流路９の圧縮空気と、燃料噴射電磁弁７ｃ又は公知の燃料噴射弁の噴射燃料と攪拌混合して、公知の着火装置１０２により着火燃焼し、燃焼ガス撹拌板４９ａで一方向燃焼流を撹拌燃焼して、限り無い高圧燃焼長時間熱交換冷却燃焼を可能にし、圧縮空気保有熱量−２７３℃以上略全部を含めて、熱回収量を既存ボイラの２倍前後に増大します。
【００５７】
そして送水ポンプ兼磁気摩擦動力伝達装置５５等により昇圧した水により、４００ＭＰａ過熱蒸気爆発力＋最低温度２００ＭＰａ燃焼ガス爆発力に分割し、導水管３の過熱蒸気５０の温度上昇時に過熱蒸気制御弁２５を開放制御して、１以上の過熱蒸気噴射ノズル６Ａ又は６Ｉの過熱蒸気溜９５ｃに供給し、過熱蒸気５０爆発力と霧吹きの原理により、１以上の水溜９５ｂの高温水５２ｂを水噴射ノズル６Ｅで混合噴射加速して、加熱高温手段１０１や撥水鍍金３ａにより加熱高温気化膜や撥水作用を設けて、摩擦損失を低減した過熱蒸気噴射ノズル内では、高温水５２ｂを火薬爆発機関銃の弾丸や吹雪のように加速し、タービン周速度近傍に減速して大気圧重力仕事能力を燃焼ガスの１０００倍に近付け、タービン翼８ｃを円筒胴８ｅの外周に突設して先端を流線型として、側板８ｄ・８ｄの間に用途に合せて最適形状長さや最適数設け、加熱高温手段１０１や撥水鍍金３ａにより、加熱高温気化膜や撥水作用を設けて摩擦損失を低減した、弾み車蒸気タービン８ｂの接線方向＋垂直方向に噴射し、大気圧中で重力加速度を活用した回転出力にします。
【００５８】
大気圧中で重力加速度を活用した弾み車蒸気タービン８ｂの回転出力にし、又は弾み車蒸気タービン８ｂを対向に接近又は噛合せて無接触同期させて設け、大気圧中で重力加速度を活用した大回転出力にします。そして発電用や自動車用等の回転出力を発生して排気の過程では、蒸気排気室５ａや排気庇５ｂや気化熱回収器２ｂを具備して、隔壁９０ａで高温水５２ｂ側と凝縮水５２ｆ側に分割し、凝縮水側に気化熱回収器２ｂと空気抽出器５１を設けて、気化熱回収器２ｂと空気抽出器５１を駆動して、大気圧まで使用の場合１００℃に近い排気高温水５２ｂを、水噴射ノズル６Ｅの水溜９５ｂに限り無く繰返し循環供給し、１００℃に近い凝縮水５２ｆを縮径主燃焼室熱交換器２の導水管３に限り無く循環供給して、気化熱回収器２ｂより圧縮空気保有熱量略全部を含む使用熱量略全部を、水道水温熱５２ｄとして熱交換回収し、需要家に供給すると共に、真空断熱材等で断熱した温熱タンクや温熱配管を製造供給します。
【００５９】
発電用では使用熱量略全部を１００℃に近い水道水温熱５２ｄとして、製造原価略０で需要家に供給し、既存火力発電や原子力発電が使用熱量全部で海水温度を上昇して、植物プランクトンの珪藻死滅による魚類の大激減やＣＯ２の２０倍温暖化する、メタンハイドレート大分解の危険を増大している現状を改善すると共に、１００℃に近い水道水温熱５２ｄを利用して電力消費１／１０等を狙う、業務用や家庭用の各種暖房設備機器や各種調理設備機器や各種温水設備機器や、各種食器洗い機や各種洗濯乾燥機等を製造供給し、地域により海水を淡水化して水道水として供給して、深刻な水不足地域を解消します。自動車や船舶等の回転出力発生でも同様に走行中や停止中に、発電貯蔵して複合走行すると共に、停止中は発電所として使用し、蓄電や１００℃に近い温熱水や０℃に近い冷熱水を製造販売して、温熱水の需要に応じて空気抽出器５１の真空度を調整し、冷熱水の需要に応じて排気温度を調整して、各種エネルギ保存サイクル合体機関の稼働率を１００％に近付けます。
【実施例２】
【００６０】
図２の図１をタービン側から見た燃焼ガス４９質量出力は、図１の合体機関燃焼部２９Ａの縮径主燃焼室兼熱交換器１により、前記同様に限り無く高圧燃焼長時間熱交換冷却燃焼して、前記同様に例えば４００ＭＰａ過熱蒸気爆発力＋最低温度２００ＭＰａ燃焼ガス爆発力に分割し、縮径主燃焼室兼熱交換器１の燃焼ガス４９の圧力上昇時に、燃焼ガス制御弁２４を開放制御流量制御して、図２１以上の燃焼ガス噴射ノズル６Ｄ又は６Ｊの燃焼ガス溜９５ａに供給し、燃焼ガス噴射ノズル６Ｄ（撥水鍍金で摩擦低減）又は６Ｊ（気化膜＋撥水作用で摩擦低減）の燃焼ガス爆発力と霧吹きの原理により、夫々１以上の水噴射ノズル６Ｅの水５２ａ又は冷水５２ｈを混合噴射加速して、気化膜や撥水作用により摩擦損失を低減した燃焼ガス噴射ノズル内では、水を火薬爆発機関銃の弾丸や吹雪のように加速し、タービン周速度近傍に減速して大気圧重力仕事能力を燃焼ガスの１０００倍に近付け、過熱蒸気爆発力を含めて既存往復機関の１０００倍仮説回転出力に近付けます。
【００６１】
加熱高温手段１０１又は撥水鍍金又は加熱高温手段１０１＋撥水鍍金により、水５２ａ又は冷水５２ｈ等との間に気化膜又は撥水作用又は気化膜＋撥水作用を設けて、用途に合せて摩擦損失を低減します。用途に合せて摩擦損失を低減した、例えば燃焼ガス噴射ノズル６Ｄでは、燃焼ガス溜９５ａの燃焼ガス爆発力と霧吹きの原理により、１以上の冷水噴射ノズル６Ｇの冷水５２ｈを混合噴射加速して、燃焼ガスのマイクロバブルを生成して摩擦損失を低減した燃焼ガス噴射ノズル内では、冷水５２Ｇを火薬爆発機関銃の弾丸や吹雪のように加速し、冷水５２Ｇ速度をタービン周速度近傍に減速することで最大水噴射量として、大気圧燃焼ガスの１０００倍重力仕事能力に近付けて、タービン翼８ｃを円筒胴８ｅの外周に突設して先端を流線型として、側板８ｄ・８ｄの間に用途に合せて最適形状長さや最適数設けて、気化膜や撥水作用により摩擦損失を低減した、弾み車ガスタービン８ａの接線方向＋垂直方向等に噴射して、燃焼ガスや水蒸気では大気圧中で重力加速度等が利用不可のため、重力加速度を可能な限り活用した回転出力や発電量にします。
【００６２】
大気中で重力加速度を活用した弾み車ガスタービン８ａの回転出力にし、又は弾み車ガスタービン８ａを対向に接近又は噛合せて無接触同期させて設け、大気中で重力加速度を活用した大回転出力にします。そして発電用や自動車用等の回転出力を発生して排気の過程では、弾み車蒸気タービン８ｂの排気と弾み車ガスタービン８ａの排気を分離して、弾み車ガスタービン８ａの排気温度は、ガス抽出器５１ａによる真空の上昇を含めて、用途に合せて−２７３℃に近付けてガス排気室５ｃに排気し、水道水等で冷熱回収する冷熱回収器１０３・１０３をガス排気室５ｃや外部に具備して、−２７３℃に近付く燃焼ガス４９排気により排気部の冷熱回収器１０３を駆動し、燃焼ガス質量排気略全部から用途に合せて、０℃以上の水道水冷熱５２ｅや冷水５２ｈを回収して、冷水５２ｈには不凍液を混入して冷水噴射ノズル６Ｇの水溜９５ｂに供給し、冷熱の需要が少ない場合は冷水５２ｈに換えて水５２ａを供給します。
【００６３】
外部の冷熱回収器１０３の水道水を、ガス抽出器５１ａの排気燃焼ガス４９と燃焼ガス溶解水５２ｇで冷却し、熱交換して得た水道水冷熱５２ｅの温度を、水道水流量制御して０℃以上の水道水冷熱５２ｅとして、内部の冷熱回収器１０３も、水道水冷熱５２ｅを凍結前の０℃近くで流量制御温度制御し、例えばその一部を冷水５２ｈとして、燃焼ガス噴射ノズル６Ｄの水溜９５ｂに供給し、１以上の燃焼ガス噴射ノズル６Ｄの燃焼ガス爆発力と霧吹きの原理により、１以上の水溜９５ｂの冷水噴射ノズル６Ｇの冷水５２ｈを混合噴射加速して、弾み車ガスタービン８ａを駆動し、水道水冷熱５２ｅの増大を図ります。従って自動車や船舶等の回転出力発生でも冷熱や前記温熱の発生を避けられません。そこで走行中や停止中に発電貯蔵して複合走行等すると共に、停止中は前記温熱水＋冷熱水＋発電所として使用し、蓄電や０℃に近い冷熱水５２ｅや前記１００℃に近い温熱水５２ｄを製造販売して、各種エネルギ保存サイクル合体機関の稼働率を１００％に近付けます。
【００６４】
寒冷地や冬場等の特殊発電の場合、水道水冷熱５２ｅ需要が０や僅少の場合があり、供給熱量全部が１００℃に近い水道水温熱５２ｄや高温水５２ｂになるため、用途により燃焼ガス噴射ノズル６Ｊの水溜９５ｂに、冷水５２ｈや水５２ａや高温水５２ｂを供給して、燃焼ガス噴射ノズル６Ｊの燃焼ガス４９爆発力と霧吹きの原理により、１以上の水溜９５ｂの水５２ａ又は高温水５２ｂを混合噴射加速し、重力仕事能力を燃焼ガスの１０００倍に近付けて弾み車ガスタービン８ａを駆動して、回転出力発生の過程で膨張燃焼ガス温度を上昇し、燃焼ガス爆発力を増大する回転出力の増大とします。通常は水道水冷熱５２ｅを発電の副産物として需要家に供給すると共に、真空断熱材等で断熱した冷熱タンクや冷熱配管を製造供給し、０℃に近い水道水冷熱５２ｅを利用して、例えば水道水冷熱配管に通水して電力消費０で冷房する等、電力消費既存技術の０〜１／１０を狙う業務用や家庭用の、各種冷凍設備機器や各種冷蔵設備機器や各種冷房設備機器や、各種冷却設備機器等を製造供給します。
【００６５】
燃焼ガス質量出力発生排気の過程で、燃焼ガス４９を３０〜３００倍質量等の水に溶解して燃焼ガス溶解水５２ｇとし、ＣＯ２等の燃焼ガス排気を０や０に近付け、冷熱回収器１０３による冷熱回収後は、燃焼ガス溶解水５２ｇを泥土や植物片や残飯等に、バクテリヤ等の微生物により公知技術などで分解固定して肥料にして、メタンガス等発電燃料の回収や農作物の増産を図ると共に、膨大過ぎる燃焼ガス溶解水５２ｇ冷熱は海水を冷却する過程で、霧吹きの原理により酸素や窒素等の空気も吸引して海水等に供給し、海水を冷却してＣＯ２等を必要として分解合成吸収等する、植物プランクトンの珪藻等の微生物や海藻類を先ず増殖し、魚介類や海草類等の食料増産等を図ります。
【００６６】
自動車やプロペラ飛行機やプロペラ船舶等の各種回転出力発生は、図１図２の発電用回転出力発生と同様にして回転出力を発生して、同一燃料量既存往復機関の１０００倍仮説回転出力に近付け、最も軽量化が進んだ既存往復機関を空気圧縮機として使用して、又は各種エネルギ保存サイクル機関を各種エネルギ保存圧縮機２０Ｘとして使用し、弾み車タービン８を燃焼ガスの１０００倍重力仕事能力に近付けて駆動して、極限まで小型簡単軽量大出力とします。そして排気の過程では副産物の温熱や冷熱が膨大で冷暖房容易に加えて、燃焼ガス４９質量の３０〜３００倍水質量等にＣＯ２等を溶解する、燃焼ガス溶解水５２ｇとして排水し、ＣＯ２等燃焼ガス排気を０や０に近付けて、公害低減・地球温暖化防止する、各種自動車や各種プロペラ飛行機や各種プロペラ船舶や、各種回転力駆動の機械機器類等を回転駆動する、各種エネルギ保存サイクル合体機関とします。
【実施例３】
【００６７】
図３の合体機関噴射部７７Ｋは、各種ジェット機や各種超高速船舶等の空気吸引噴射出力発生に使用するもので、図１図２のＡ型等用途に合せて選択した合体機関燃焼部２９Ｘの、弾み車タービン８を回転してクランク軸１６を直接又は減速して駆動し、余圧圧縮機を含めて空気圧縮して、縮径主燃焼室兼熱交換器１で限り無く高圧燃焼長時間熱交換冷却燃焼し、例えば４００ＭＰａ過熱蒸気爆発力＋最低温度２００ＭＰａ燃焼ガス爆発力に分割して、大量貯蔵を可能にして燃料切れ時や宇宙使用により、非常に安全便利な乗り物にします。そしてその一部により前記同様に選択した合体機関燃焼部２９Ｘを駆動し、大部分を合体機関噴射部外箱７７Ｆ内夫々１以上の筒形外箱７７ｂ内の、過熱高温手段１０１により電磁加熱や電気抵抗等の既存技術で加熱高温気化膜を設けて摩擦損失を低減した過熱蒸気噴射ノズル６Ａ又は、撥水鍍金３ａを追加して気化膜や撥水作用により摩擦損失を低減した過熱蒸気噴射ノズル６Ｉの過熱蒸気溜９５ｃ及び、同様に気化膜で摩擦損失を低減した燃焼ガス噴射ノズル６Ｃ又は、同様に気化膜と撥水作用により摩擦損失を低減した燃焼ガス噴射ノズル６Ｊの燃焼ガス溜９５ａに供給します。
【００６８】
そして１以上の過熱蒸気溜９５ｃの過熱蒸気爆発力及び１以上の燃焼ガス溜９５ａの燃焼ガス爆発力と夫々の霧吹きの原理により、摩擦損失を低減した夫々１以上のノズル内では１以上の水噴射ノズル６Ｅの水５２ａを火薬爆発機関銃の弾丸や吹雪のように混合噴射加速して、燃焼ガス噴射ノズルでは燃焼ガスのマイクロバブルを生成して摩擦損失を低減します。大気圧重力仕事能力を夫々燃焼ガスの１０００倍に近付け、夫々の霧吹きの原理１１１ａ・１１１ｂにより、夫々前方の空気を大仕事能力で吸引噴射し、既存ガスタービンの１０００倍噴射推進出力に近付け、合体機関噴射部外箱７７Ｆの円筒回転部７７Ｇと、飛行翼３８ｂ及び飛行尾翼３８ｃに設けた磁気摩擦動力伝達装置７６により、合体機関噴射部外箱７７Ｆを用途に合せて９０〜１８０度以上回転可能にして、垂直上昇や垂直降下や逆噴射が可能な、既存技術の１０倍速度を狙う、各種ジェット機や各種ジェット戦闘機や各種超高速船舶や各種超高速戦闘船舶等の空気吸引噴射出力発生とします。
【実施例４】
【００６９】
図４の合体機関噴射部７７Ｌは図３の合体機関噴射部７７Ｋと同様に使用するもので、同様に４００ＭＰａ過熱蒸気爆発力＋最低温度２００ＭＰａ燃焼ガス爆発力に分割して、大量貯蔵を可能にして燃料切れ時や宇宙使用により、非常に安全便利な乗り物にします。そしてその一部により前記同様に選択した合体機関燃焼部２９Ｘを駆動し、大部分を合体機関噴射部外箱７７Ｆ内１以上の筒形外箱７７ｂ内の、過熱蒸気噴射ノズル６Ｉ＋燃焼ガス噴射ノズル６Ｊ・水噴射ノズル６Ｅ選択として、気化膜や撥水作用により摩擦損失を低減した過熱蒸気燃焼ガス噴射ノズル６Ｈや、用途に合わせて摩擦損失を低減した過熱蒸気燃焼ガス噴射ノズル６Ｘの、過熱蒸気溜９５ｃ及び燃焼ガス溜９５ａに、夫々過熱蒸気爆発力及び燃焼ガス爆発力を供給します。そして過熱蒸気噴射ノズル６Ｉ＋燃焼ガス噴射ノズル６Ｊ＋水噴射ノズル６Ｅとして使用の場合は、合体機関燃焼部２９Ｘを含めて全用途に使用し、過熱蒸気噴射ノズル６Ｉ＋燃焼ガス噴射ノズル６Ｊとして、構造を簡単にすることで簡単超高速噴射推進の用途に使用します。
【００７０】
そして１以上の過熱蒸気溜９５ｃの過熱蒸気爆発力及び１以上の燃焼ガス溜９５ａの過熱蒸気爆発力及び燃焼ガス爆発力と霧吹きの原理により、摩擦損失を低減した１以上の過熱蒸気燃焼ガス噴射ノズル６Ｈ又は６Ｘ内では、加熱温度により増減する過熱蒸気含有水を火薬爆発機関銃の弾丸や吹雪のように混合噴射加速して、燃焼ガスのマイクロバブルを生成して摩擦損失を低減し、この部分は合体機関燃焼部２９Ｘを含めて各種用途に使用します。そして大気圧重力仕事能力を燃焼ガスの１０００倍に近付け、霧吹きの原理１１１Ｌにより、前方の空気や真空を大仕事能力で吸引噴射し、既存ガスタービンの１０００倍噴射推進出力に近付け、合体機関噴射部外箱７７Ｆの円筒回転部７７Ｇと、飛行翼３８ｂ及び飛行尾翼３８ｃに設けた磁気摩擦動力伝達装置７６により、合体機関噴射部外箱７７Ｆを用途に合せて９０〜１８０度以上回転可能にして、垂直上昇や垂直降下や逆噴射が可能な、既存技術の１０倍速度を狙う、各種ジェット機や各種ジェット戦闘機や各種超高速船舶や各種超高速戦闘船舶等の空気吸引噴射出力発生とします。
【実施例５】
【００７１】
図５の合体機関飛行機３８Ａの各種ジェット機や各種超高速船舶等、各種空気吸引噴射出力の発生は、図１図２や図１４〜図２０のＡ型や各種合体機関燃焼部から選択した合体機関燃焼部２９Ｘと、合体機関噴射部７７Ｋ・７７Ｌを分割することで、合体機関噴射部７７Ｋや７７Ｌを極限まで簡単として、前方の空気や真空を限り無く高速で吸引して噴射を可能し、合体機関燃焼部２９Ｘも限り無く高速の空気を、飛行翼３８ｂや飛行尾翼３８ｃの翼前縁心３８ｅより予圧圧縮機の吸気弁２８に吸入して、限り無く高圧燃焼長時間熱交換冷却燃焼し、前記例えば４００ＭＰａ過熱蒸気爆発力＋最低温度２００ＭＰａ燃焼ガス爆発力に分割して、大量貯蔵を可能にして燃料切れ時や宇宙使用により、非常に安全便利な乗り物にします。
【００７２】
そして超音速マッハ２３等の第一宇宙速度で摩擦熱が高温となる、飛行翼３８ｂや飛行尾翼３８ｃ等高温となる部分全部に、カーボンナノチューブ等で構成した導水管３を配管して高圧軽量容器を構成して、飛行速度による火の玉温度を回収して例えば４００ＭＰａ過熱蒸気爆発力にし、宇宙飛行時や地球帰還時に主エネルーや補助エネルギーとして使用して、飛行胴３８ａや飛行翼３８ｂには操縦室１０ｂや制御室１０ｃや客室１０ｄを設け、制御室１０ｃには総括制御装置２０を具備して既存技術で全体を制御します。全体を制御の過程で、飛行翼３８ｂや飛行尾翼３８ｃの左右に設けた合体機関噴射部７７Ｋ又は７７Ｌを、夫々の円筒回転部７７Ｇにより９０〜１８０度以上回転制御して、垂直上昇や垂直降下や逆噴射が可能な、既存技術の１０倍速度を狙う、各種ジェット機や各種ジェット戦闘機や各種超高速船舶や各種超高速戦闘船舶や、各種宇宙往還機や各種宇宙往還親飛行機等の空気や真空を吸引噴射出力発生とします。
【実施例６】
【００７３】
図６ウォータージェット７７Ｍは、図１図２のＡ型等用途に合せて選択した合体機関燃焼部２９Ｘの、縮径主燃焼室兼熱交換器１で限り無く高圧燃焼長時間熱交換冷却燃焼し、例えば４００ＭＰａ過熱蒸気爆発力＋最低温度２００ＭＰａ燃焼ガス爆発力に分割して、その一部により前記同様に選択した合体機関燃焼部２９Ｘを駆動し、大部分をウォータージェット外箱７７Ｄ内に最適配置した夫々１以上の筒形外箱７７ｂ内の、撥水鍍金３ａして撥水作用により摩擦損失を低減した過熱蒸気噴射ノズル６Ｂ又は、電磁加熱や電気抵抗等で加熱高温にする過熱高温手段１０１や撥水鍍金３ａして、気化膜や撥水作用により摩擦損失を低減した過熱蒸気噴射ノズル６Ｉの過熱蒸気溜９５ｃ及び、同様に撥水作用により摩擦損失を低減した燃焼ガス噴射ノズル６Ｄ又は、気化膜＋撥水作用により摩擦損失を低減した燃焼ガス噴射ノズル６Ｊの燃焼ガス溜９５ａに、夫々過熱蒸気爆発力及び燃焼ガス爆発力を供給します。
【００７４】
そして１以上の過熱蒸気溜９５ｃの過熱蒸気爆発力及び１以上の燃焼ガス溜９５ａの燃焼ガス爆発力と夫々の霧吹きの原理により、摩擦損失を低減した夫々１以上のノズル内では１以上の水噴射ノズル６Ｅの水５２ａを火薬爆発機関銃の弾丸や吹雪のように混合噴射加速して、大気圧重力仕事能力を夫々燃焼ガスの１０００倍に近付け、夫々の霧吹きの原理１１１ｃ・１１１ｄにより、夫々前方の水を大仕事能力で吸引噴射するウォータージェット７７Ｍとし、進行方向下流に噴射して既存ガスタービンの１０００倍噴射推進出力に近付けます。そして既存技術水噴射推進速度の１０倍速度を狙う、各種大中小高速船舶や各種大中小高速戦闘船舶や各種大中小高速水上輸送移動機器等を、水吸引噴射して噴射推進駆動する、各種エネルギ保存サイクル合体機関とします。
【実施例７】
【００７５】
図７ウォータージェット７７Ｎは、図１図２のＡ型等用途に合せて選択した合体機関燃焼部２９Ｘの、縮径主燃焼室兼熱交換器１で限り無く高圧燃焼長時間熱交換冷却燃焼し、例えば４００ＭＰａ過熱蒸気爆発力＋最低温度２００ＭＰａ燃焼ガス爆発力に分割して、その一部により前記同様に選択した合体機関燃焼部２９Ｘを駆動し、大部分を夫々のウォータージェット外箱７７Ｄ内に最適配置した夫々１以上の筒形外箱７７ｂ内の、撥水鍍金３ａして撥水作用により摩擦損失を低減した過熱蒸気噴射ノズル６Ｂ又は、電磁加熱や電気抵抗等で加熱高温にする過熱高温手段１０１や撥水鍍金３ａして、気化膜や撥水作用により摩擦損失を低減した過熱蒸気噴射ノズル６Ｉの過熱蒸気溜９５ｃ及び、同様に撥水作用により摩擦損失を低減した燃焼ガス噴射ノズル６Ｄ又は、気化膜＋撥水作用により摩擦損失を低減した燃焼ガス噴射ノズル６Ｊの燃焼ガス溜９５ａに、夫々過熱蒸気爆発力及び燃焼ガス爆発力を供給します。
【００７６】
そして１以上の過熱蒸気溜９５ｃの過熱蒸気爆発力及び１以上の燃焼ガス溜９５ａの燃焼ガス爆発力と夫々の霧吹きの原理により、摩擦損失を低減した夫々１以上のノズル内では１以上の水噴射ノズル６Ｅの水５２ａを火薬爆発機関銃の弾丸や吹雪のように混合噴射加速して、大気圧重力仕事能力を夫々燃焼ガスの１０００倍に近付け、夫々の霧吹きの原理１１１ｇ・１１１ｈにより、夫々前方の水を大仕事能力で吸引噴射するウォータージェット７７Ｎとし、進行方向下流に噴射して既存ガスタービンの１０００倍噴射推進出力に近付けます。そして既存技術水噴射推進速度の１０倍速度を狙う、各種大中小高速船舶や各種大中小高速戦闘船舶や各種大中小高速水上輸送移動機器等を、水吸引噴射して噴射推進駆動する、各種エネルギ保存サイクル合体機関とします。
【実施例８】
【００７７】
図８（ａ）の着磁摩擦車６１ａは、環筒状の強磁性材料の径方向左右に、磁極のＮ極及びＳ極を着磁して、その両側を環板状のヨーク７４で挟んで、外径方向動力伝達面５６に延長して固着します。該動力伝達面５６の外周面に低凹凸６９のハスバ凹凸７１を設けて、着磁摩擦車６１ａとします。そして各要素を互いに互換してかみ合う、着磁摩擦車６１ａと磁着摩擦車６３や、転がり接触の着磁摩擦車装置６５とし、超高圧少量送水や動力伝達装置で使用すると共に、多気筒で使用の場合に弾み車タービン８を対向に接近又は噛合せて、無接触同期回転させるため、同径の送水ポンプ兼磁気摩擦動力伝達装置５５とします。
【００７８】
図８（ｂ）の内着磁摩擦車６２ａは、環筒状の強磁性材料の径方向左右に、磁極のＮ極及びＳ極を着磁して、その両側を環板状のヨーク７４で挟んで、内径方向動力伝達面５６に延長して固着します。該動力伝達面５６の内周面に低凹凸６９の内平凹凸７０ａ等を設けて、内着磁摩擦車６２ａとします。そして各要素を互いに互換してかみ合う、内着磁摩擦車６２ａと磁着摩擦車６３や、図に無い転がり接触の内着磁摩擦車装置６６等とし、超高圧少量送水や動力伝達装置で使用します。
【００７９】
図８（ｃ）の着磁摩擦車６１ｂは、環筒状の強磁性材料の内径側と外径側に磁極のＮ極及びＳ極を着磁して、ヨーク７４を磁石の内周側から左右外径動力伝達面５６に延長します。該動力伝達面近傍のヨークと磁石の間に、摩擦増大手段８０を環状に設けて固着し、その外周面に低凹凸６９のヤマバ凹凸７２を設けて、夫々着磁摩擦車６１ｂ・６１ｂ等とします。そして各要素を互いに互換した噛み合いとしては、磁着摩擦車６３と着磁摩擦車６１ｂ等とし、超高圧少量送水や動力伝達装置で使用すると共に、多気筒で使用の場合に弾み車タービン８を対向に接近又は噛合せて、無接触同期回転させるため、同径の送水ポンプ兼磁気摩擦動力伝達装置５５とします。
【００８０】
図８（ｄ）の内着磁摩擦車６２ｂは、環筒状の強磁性材料の内径側と外径側に磁極のＮ極及びＳ極を着磁して、ヨーク７４を磁石の外周側から左右内径動力伝達面５６に延長します。該動力伝達面近傍のヨークと磁石の間に、摩擦増大手段８０を環状に設けて固着し、その内周面に低凹凸６９のハスバ凹凸７１ａを設けて、内着磁摩擦車６２ｂとします。そして各要素を互いに互換した噛み合いとしては、内磁着摩擦車６４と着磁摩擦車６１ｂ等とし、超高圧少量送水や動力伝達装置で使用します。
【００８１】
図８（ｅ）の磁着摩擦車６３の実施例は、環筒状の強磁性材料乃至磁石に吸着材料の、外径面の動力伝達面５６に、低凹凸６９の平凹凸７０を設けて、各種磁着摩擦車６３等とします。夫々各要素を互いに互換した噛み合いとして、図９図１０図１１と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とし、超高圧少量送水や動力伝達装置で使用すると共に、多気筒で使用の場合に弾み車タービン８を対向に接近又は噛合せて、無接触同期回転させるため、同径の着磁摩擦車６１ａや６１ｂと組み合わせて送水ポンプ兼磁気摩擦動力伝達装置５５とします。
【００８２】
図８（ｆ）の内磁着摩擦車６４は、環筒状の強磁性材料乃至磁石に吸着材料の、内径面の動力伝達面５６に、低凹凸６９のヤマバ凹凸７２ａを設けて、各種内磁着摩擦車６４等とします。夫々各要素を互いに互換した噛み合いとして、図９図１０図１１と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とし、超高圧少量送水や動力伝達装置で使用します。
【実施例９】
【００８３】
図９の既存技術の２〜１０倍回転数を狙う、送水ポンプ兼磁気摩擦動力伝達装置５５は、着磁摩擦車６１ａ・６１ａで着磁摩擦車装置６５を構成し、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成し、支軸８１ａをクランク軸１６に結合して、支軸８１を弾み車タービン８に結合して最適減速し、クランク軸１６を最適回転して、拡径ピストン２１の往復運動により空気圧縮します。
【００８４】
例えば説明用のＡ型エネルギ保存圧縮機２０Ａ等選択したエネルギ保存圧縮機２０Ｘを最適駆動する過程で、吸水路７８より給水５２を供給して、多種多数の送水ポンプ兼各種磁気摩擦動力伝達装置５５で発生する熱を回収し、超高速大動力の伝達を可能にすると共に、超高圧少量送水を可能にして、図１の縮径主燃焼室熱交換器２に送水し、１以上多数の送水路７９や吸水路７８を最適制御して、多段に昇圧して超高圧少量送水し、限り無く高圧の超臨界圧力等の過熱蒸気爆発力に変換して、多気筒で使用の場合に弾み車タービン８を対向に接近又は噛合せて、無接触同期回転させるため、同径の送水ポンプ兼磁気摩擦動力伝達装置５５とします。
【実施例１０】
【００８５】
図１０の既存技術の２〜１０倍回転数を狙う、送水ポンプ兼磁気摩擦動力伝達装置５５は、着磁摩擦車６１ｂ・６１ｂで着磁摩擦車装置６５を構成し、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成し、支軸８１ａをクランク軸１６に結合して、支軸８１を弾み車タービンに結合して最適減速し、クランク軸１６を最適回転して、拡径ピストン２１の往復運動により空気圧縮します。
【００８６】
例えば説明用のＡ型エネルギ保存圧縮機２０Ａ等選択したエネルギ保存圧縮機２０Ｘを最適駆動する過程で、吸水路７８より給水５２を供給して、多種多数の送水ポンプ兼磁気摩擦動力伝達装置５５や送水ポンプ７５で発生する熱を回収し、超高速大動力の伝達を可能にすると共に、超高圧少量送水を可能にして、図１の縮径主燃焼室熱交換器２に送水し、１以上多数の送水路７９や吸水路７８を最適制御して、多段に昇圧して超高圧少量送水する過程で流路制御し、例えば４００ＭＰａ等の水圧制御を可能して、限り無く高圧の超臨界圧力過熱蒸気爆発力等に変換して、多気筒で使用の場合に弾み車タービン８を対向に接近又は噛合せて、無接触同期回転させるため、同径の送水ポンプ兼磁気摩擦動力伝達装置５５とします。
【実施例１１】
【００８７】
図１１（ａ）（ｂ）（ｃ）を参照して説明する、（ｂ）（ｃ）は夫々（ａ）のｃ−ｃ及びｄ−ｄ視図であり、互いに反対方向に回転する２軸を最適回転比で結合する、送水ポンプ兼二重反転磁気摩擦動力伝達装置８４は、多数の送水ポンプ７５により摩擦熱を多段に回収して自己水冷却し、多数の送水ポンプ７５により多段に昇圧する過程を流路制御して、４００ＭＰａ等の水圧制御を可能にし、互いに反対方向に回転する２軸の超高速大動力を、最適回転比で二重反転動力伝達する、例えば各種ヘリコプターや各種船舶や各種飛行機のプロペラを、超高速二重反転させて大動力を超高速伝達する、送水ポンプ兼二重反転磁気摩擦動力伝達装置８４とし、既存技術の２〜１０倍回転数を狙います。
【００８８】
外側軸装置に固着された第一主動内着磁摩擦車６２ａの回転により、機関本体２９に固着された外箱７７に軸支された、支軸８１の左端に固着した、複数の第一従動着磁摩擦車６１ａが回転し、その回転により支軸８１の右端に固着した、複数の第二主動着磁摩擦車６１ａが回転して、その回転により内側軸装置に固着された、第二従動着磁摩擦車６１ａが回転し、互いに反対方向に回転する外側軸装置の回転力と、内側軸装置の回転力を結合して、内側軸装置又は外側軸装置より全回転出力を取り出し可能にし、又は両方より夫々回転出力を取出し可能にします。
【００８９】
超高速大動力の伝達と超高圧少量送水する、送水ポンプ兼二重反転磁気摩擦動力伝達装置８４として使用の過程で、既存歯車ポンプと同様に外箱７７を設け、着磁摩擦車６１ａの回転方向下流側に吸水路７８を、回転方向上流側に送水路７９を設けて、複数の送水ポンプ兼磁気摩擦動力伝達装置５５を構成します。回転方向上流側及び下流側又は上流側又は下流側に、棒磁石５７又は電磁石５８を設けることで、磁着摩擦車６３や内磁着摩擦車６４や着磁摩擦車６１ｂ等、全ての組合せを磁石の強い吸引力により、互いに互換して使用を可能にします。
【００９０】
送水ポンプ兼二重反転磁気摩擦動力伝達装置８４により、大中小型船舶や大中小型高速船や、大中小型飛行機や大中小型ヘリコプター等のプロペラを、最も効率良く二重反転させることで、推進速度を２倍に近付けると共に、過熱蒸気爆発力を適宜に貯蔵して使用することで、短時間は蒸気タービンとして使用可能とし、燃料無しでも短時間使用可能とし、積載燃料を水や水蒸気の１／１０〜１／１００等として非常に安全な飛行物体や、消火容易な火災皆無の各種輸送移動機器とします。
【実施例１２】
【００９１】
図１２により本発明による地球温暖化防止を説明する。世界の火力発電所や原子力発電所では、ボイラや原子力等で加熱した超臨界圧力過熱蒸気は、蒸気タービンにより断熱膨張させて、容積のみ利用して熱量を全く利用しないで、大気圧水の１／１７００重力仕事能力に低減した水蒸気の、利用不可能な大速度で回転出力を発生させるため、仮説出力が１／１０００等に低減して大損失に加えて、使用した熱量全部で海水温度を上昇し、例えば米国カリフォルニアの海では２０年間海水を採取研究して、海水表面温度１℃の上昇により植物プランクトンの珪藻が死滅し、珪藻を食物とする動物プランクトンが死滅して、動物プランクトンを食物とする魚類が激減し、その魚類を食物とする鳥が８年で１／１０に激減した研究報告があります。即ちＣＯ２の２０倍の温暖化ガスのメタンハイドレート大分解の危険を増大し、ボイラからＣＯ２を排気して地球温暖化を加速しております。
【００９２】
そこで各種エネルギ保存サイクル機関と全動翼蒸気ガスタービン合体機関を合体して、各種エネルギ保存サイクル合体機関とし、その圧縮部を各種エネルギ保存圧縮機２０Ｘとして、全動翼蒸気ガスタービン合体機関の圧縮部を全動翼圧縮機２０Ｊとし、全動翼圧縮機２０Ｊ又は各種エネルギ保存圧縮機２０Ｘ又は、公知の圧縮機で余圧した空気を圧縮利用する、各種合体機関燃焼部２９Ｘの縮径主燃焼室兼熱交換器１で、限り無く高圧燃焼長時間熱交換冷却燃焼して、例えば４００ＭＰａ過熱蒸気爆発力＋最低温度２００ＭＰａ燃焼ガス爆発力に分割し、過熱蒸気爆発力及び燃焼ガス爆発力と霧吹きの原理により、夫々水を混合噴射加速して夫々の爆発速度をタービン周速度近傍の水の速度に変換して、大気圧重力仕事能力を燃焼ガスの１０００倍に近付け、夫々の弾み車タービン８を駆動し、仮説発電量や仮説回転出力を既存往復機関の１０００倍に近付けます。
【００９３】
回転出力発生排気の過程では、過熱蒸気噴射ノズルの過熱蒸気爆発力と霧吹きの原理により、高温水を混合噴射加速加速して弾み車蒸気タービンを駆動し、例えば大気圧まで使用して１００℃の高温水及び凝縮水をを限り無く循環使用して、供給熱量略全部を気化熱回収器で１００℃の水道水温熱で回収して需要家に供給します。そして例えば燃焼ガス噴射ノズルの２００ＭＰａ５０℃燃焼ガス爆発力と霧吹きの原理により、不凍水を混合噴射加速して弾み車ガスタービンを駆動し、温度と容積の障害を最低とした燃焼ガス爆発力の排気温度を−２７３℃に近付け、燃焼ガス質量全部を冷熱回収器に熱交換回収して、０℃に近い水道水冷熱にして需要家に供給し、ＣＯ２等燃焼ガス全部を水に溶解して燃焼ガス溶解水として回収して、各種産業創出に利用してＣＯ２等の排気を０にします。そして世界の火力発電所や原子力発電所が使用熱量全部で海水温度を上昇、メタンハイドレート大分解・灼熱地球・人類絶滅の危険を阻止します。
【００９４】
使用供給熱量全部を１００℃に近い水道水温熱とし、使用燃焼ガス質量全部を０℃に近い水道水冷熱にして夫々需要家に供給すると共に、水道水温熱や水道水冷熱を利用して電力消費０〜１／１０を狙う、業務用家庭用の各種暖房設備機器や各種調理設備機器や各種温水設備機器や、各種洗濯乾燥機や各種食器洗い機や各種海水淡水化設備機器や、各種冷凍設備機器や各種冷蔵設備機器や各種冷房設備機器等を製造供給して、海水温度の上昇を皆無にします。そして燃焼ガス溶解水を泥土や植物片や残飯等にバクテリヤ等の微生物で、公知技術等により分解溶解固定して肥料にする過程でメタンガス等を発生回収し、肥料の製造等新規産業を創出して農作物の増産を図ると共に、膨大過ぎる燃焼ガス溶解水で海水を冷却してＣＯ２等を供給する過程で、霧吹きの原理により空気を吸引して海水に酸素や窒素を供給して、植物プランクトンの珪藻等を先ず増殖し、食物連鎖等で魚介類や海草などを増殖して食料の増産を図ります。
【実施例１３】
【００９５】
図１３の回転出力や噴射推進出力で用途に合せて駆動する、各種エネルギ保存サイクル合体機関の出力発生は、既存技術制御装置の各種エネルギ保存サイクル合体機関制御装置２０により、予圧圧縮機を含めて圧力制御して限り無い高圧燃焼長時間熱交換冷却燃焼し、既存技術の１０倍回転数を狙う、送水ポンプ兼磁気摩擦動力伝達装置等の制御により、例えば４００ＭＰａ過熱蒸気爆発力＋最低温度２００ＭＰａ燃焼ガス爆発力に分割を可能にして、その全部により選択した合体機関燃焼部２９Ｘを駆動し、過熱蒸気爆発力及び燃焼ガス爆発力と夫々の霧吹きの原理により、夫々水を混合噴射加速して大気圧仕事能力を燃焼ガスの１０００倍に近付け、夫々弾み車蒸気タービン及び弾み車ガスタービンに噴射して、既存往復機関の１０００倍仮説回転出力に近付け、各種熱と電気と冷熱の供給設備や各種自動車や各種プロペラ飛行機や各種陸上輸送移動機器や各種汎用機関や各種機械類や各種戦闘車両や各種プロペラ推進船舶や各種プロペラ推進戦闘船舶等、駆動可能なもの全部を駆動します。
【００９６】
例えば４００ＭＰａ過熱蒸気爆発力＋最低温度２００ＭＰａ燃焼ガス爆発力に分割して、その一部により選択した合体機関燃焼部２９Ｘを駆動します。そして大部分により合体機関噴射部７７Ｋ又は７７Ｌを駆動して前方の空気や真空を吸引して噴射推進し、又は大部分によりウォータージェット７７Ｍ又は７７Ｎを駆動して前方の水を吸引して噴射推進して、既存技術の１０倍速度を狙う各種超音速飛行機や各種宇宙往還機や、各種宇宙往還親飛行機や各種空中輸送移動機器や各種超音速戦闘飛行機や、各種飛行船舶や各種垂直上昇降下飛行機等を駆動します。そして水を吸引して噴射推進する各種超高速船舶や各種超高速戦闘船舶や各種高速船舶や各種高速戦闘船舶や各種水上輸送移動機器等、駆動可能なもの全部を駆動とします。
【実施例１４】
【００９７】
図１４のＢ型合体機関燃焼部２９Ｂは、Ａ型合体機関燃焼部２９Ａのシリンダヘッド１６と、逆止弁９７や一方向空気流路９を含む、一方向流路の縮径主燃焼室兼熱交換器１を同様に設けて、全動翼圧縮機２０Ｊ又は各種エネルギ保存圧縮機２０Ｘ又は公知の圧縮機で、用途に合せて余圧した空気を吸気弁２８で吸入して圧縮し、縮径主燃焼室兼熱交換器１で限り無く高圧燃焼長時間熱交換冷却燃焼とし、例えば４００ＭＰａ過熱蒸気爆発力＋最低温度２００ＭＰａ燃焼ガス爆発力に分割して、Ａ型・Ｂ型・Ｃ型・Ｄ型・Ｅ型・Ｆ型・Ｇ型・Ｈ型の、各種合体機関燃焼部２９Ｘや合体機関噴射部７７Ｋ・７７Ｌや、ウォータージェット７７Ｍ・７７Ｎで共通使用し、各種エネルギ保存圧縮機２０Ａ・２０Ｂ・２０Ｃ・２０Ｄ・２０Ｅ・２０Ｆ・２０Ｇ・２０Ｈ＝各種エネルギ保存圧縮機より、用途に合せて選択したエネルギ保存圧縮機２０Ｘを使用して、各種用途に最適対応します。
【００９８】
従ってＢ型合体機関燃焼部２９Ｂは、縮径主燃焼室兼熱交換器１を左右に夫々１以上具備し、Ａ型エネルギ保存圧縮機２０Ａに換えて、Ｂ型エネルギ保存圧縮機２０Ｂを使用し、ディーゼル機関の往復運動による運動エネルギ減少損失最大を最少にするため、クランク軸１６の回転運動による両頭拡径ピストン２１の往復運動を、振り子腕４０ａにより運動エネルギの減少損失最少で拡大増幅して、両頭拡径ピストン２１のピストン行程を拡大し、圧縮比をディーゼル機関並に用途に合せて最も簡単に増大して、空気圧縮の過程でピストンの側圧を最低にし、弾み車タービン８を振り子腕４０ａの支点又はクランク軸１６に設けて、直接又は減速してクランク軸１６を駆動し、多気筒で使用の場合には弾み車タービン８を対向に接近又は噛合せて、無接触同期回転させる同径の送水ポンプ兼磁気摩擦動力伝達装置５５として、クランク軸１６の増設により、（２気筒＋２気筒）×Ｘと増設して多気筒にします。
【実施例１５】
【００９９】
図１５のＣ型合体機関燃焼部２９Ｃは、Ｂ型エネルギ保存圧縮機２０Ｂを対向に設けたＣ型エネルギ保存圧縮機２０Ｃとして、縮径主燃焼室兼熱交換器１を左右と中央に夫々１以上具備し、クランク軸１６・１６が同期回転可能に、送水ポンプ兼磁気摩擦動力伝達装置５５又は公知技術動力伝達装置を設けて、振動を極限まで相殺僅少にし、両頭拡径ピストン２１・２１径を１０ｍ等の大径に近付け、クランク軸１６に直接弾み車タービン８を具備して、クランク軸１６を減速又は直接回転駆動し、ディーゼル機関の圧縮構造を極限まで簡単にして、振動を極限まで僅少にして前記同様に回転出力を発生する、Ｃ型合体機関燃焼部２９Ｃにするものです。
【０１００】
例えば両頭拡径ビストン２１・２１の対向往復運動を完璧に同期させるため、図に無い中央とクランク軸１６・１６に同径の着磁摩擦車６１・６１・６１を具備して、同方向に同期回転するクランク軸１６・１６とし、送水ポンプ兼磁気摩擦動力伝達装置５５を構成して、４００ＭＰａ過熱蒸気爆発力等水圧を上昇制御するため、適宜に駆動する送水ポンプ７５や既存技術ポンプを設けます。図１５では紙面の都合で弾み車タービン８を小径に図示しておりますが、大径の弾み車タービン８・８を対向に接近又は噛合せて、無接触同期回転させる例えば同径の着磁摩擦車６１・６１を具備し、送水ポンプ兼磁気摩擦動力伝達装置５５として、クランク軸１６・１６を反対方向同期回転させ、多気筒で使用の場合には（４気筒＋４気筒）×Ｘと増設して多気筒にします。
【実施例１６】
【０１０１】
図１６のＤ型合体機関燃焼部２９Ｄは、Ａ型エネルギ保存圧縮機２０Ａに換えて、Ｄ型エネルギ保存圧縮機２０Ｄを使用して既存ガソリン機関に対応し、縮径主燃焼室兼熱交換器１を左右に夫々１以上具備して、クランク軸１６の回転運動により直接両頭拡径ピストン２１を往復運動させて、構造が最も簡単な空気圧縮機とし、圧縮比を用途に合せて最も簡単に増大してピストンの側圧を低減して、弾み車タービン８をクランク軸１６に設けて、直接又は減速してクランク軸１６を回転駆動し、Ｄ型合体機関燃焼部２９Ｄを構成して、多気筒で使用の場合には弾み車タービン８を大径にして対向に接近又は噛合せて、無接触同期回転させる同径の送水ポンプ兼磁気摩擦動力伝達装置５５として、クランク軸１６の増設により、（２気筒＋２気筒）×Ｘと増設して多気筒にします。
【実施例１７】
【０１０２】
図１７のＥ型合体機関燃焼部２９Ｅは、Ｄ型エネルギ保存圧縮機２０Ｄを対向に設けて、Ｅ型エネルギ保存圧縮機２０Ｅを構成して振動を相殺して、縮径主燃焼室兼熱交換器１を左右と中央に夫々１以上具備し、振動を相殺して両頭拡径ピストン２１径を１０ｍ等の大径を可能にして、構造が極限まで簡単な圧縮機を対向に具備した、Ｅ型合体機関燃焼部２９Ｅとするものです。
【０１０３】
従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、弾み車タービン８を具備してクランク軸を減速駆動又は直接駆動し、クランク軸１６により直接両頭拡径ビストン２１を往復駆動することで、図１７のように構造が非常に簡単な対向往復運動空気圧縮機として、弾み車タービン８の回転を最適回転数に制定し、Ｅ型合体機関燃焼部２９Ｅを構成して、多気筒で使用の場合には弾み車タービン８を対向に接近又は噛合せて、無接触同期回転させる同径の送水ポンプ兼磁気摩擦動力伝達装置５５として、クランク軸１６・１６の増設により、８気筒＋８気筒と増設して多気筒にします。
【実施例１８】
【０１０４】
図１８のＦ型合体機関燃焼部２９Ｆは、Ｄ型エネルギ保存圧縮機２０Ｄを対向に設けて、Ｆ型エネルギ保存圧縮機２０Ｆを構成して振動を相殺して、縮径主燃焼室兼熱交換器１を左右に夫々１以上具備し、中央の一方向空気流路９から、左右の縮径主燃焼室兼熱交換器１に空気を供給する構成として、振動を相殺して両頭拡径ピストン２１径を１０ｍ等の大径を可能にして、構造が極限まで簡単な圧縮機を対向に具備した、Ｆ型合体機関燃焼部２９Ｆとするものです。
【０１０５】
従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、弾み車タービン８を具備してクランク軸を減速駆動又は直接駆動し、クランク軸１６により直接両頭拡径ビストン２１を往復駆動することで、図１８のように構造が非常に簡単な対向往復運動空気圧縮機として、弾み車タービン８の回転を最適回転数に制定し、Ｆ型合体機関燃焼部２９Ｆを構成して、多気筒で使用の場合には弾み車タービン８を対向に接近又は噛合せて、無接触同期回転させる同径の送水ポンプ兼磁気摩擦動力伝達装置５５として、クランク軸１６・１６の増設により、８気筒＋８気筒と増設して多気筒にします。
【実施例１９】
【０１０６】
図１９のＧ型合体機関燃焼部２９Ｇは、Ｄ型エネルギ保存圧縮機２０Ｄを対向に設けて、Ｇ型エネルギ保存圧縮機２０Ｇとして振動を相殺して、縮径主燃焼室兼熱交換器１を中央に１以上具備し、左右の一方向空気流路９から中央の縮径主燃焼室兼熱交換器１に空気を供給する構成として、振動を相殺して両頭拡径ピストン２１径を１０ｍ等の大径を可能にして、構造が極限まで簡単な圧縮機を対向に具備した、Ｇ型合体機関燃焼部２９Ｇとするものです。
【０１０７】
従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、弾み車タービン８を具備してクランク軸を減速駆動し、クランク軸１６により直接両頭拡径ビストン２１を往復駆動することで、図１９のように構造が非常に簡単な対向往復運動空気圧縮機として、弾み車タービン８の回転を最適回転数に制定し、多気筒で使用の場合には弾み車タービン８を対向に接近又は噛合せて、無接触同期回転させる同径の送水ポンプ兼磁気摩擦動力伝達装置５５として、クランク軸１６・１６の増設により、８気筒＋８気筒と増設して多気筒にします。
【実施例２０】
【０１０８】
図２０のＨ型合体機関燃焼部２９Ｈは、例えば縮径主燃焼室兼熱交換器１を左側（片方）に１以上具備し、右側（他方）の一方向空気流路９から左側の縮径主燃焼室兼熱交換器１に空気を供給する構成として、Ｄ型エネルギ保存圧縮機２０Ｄを設けて、Ｈ型エネルギ保存圧縮機２０Ｈとし、クランク軸１６の回転運動により直接両頭拡径ビストン２１を往復運動させて、図２０のように構造が最も簡単な往復運動空気圧縮機として、圧縮比を用途に合せて最も簡単に増大し、ピストンの側圧を簡単に低減して、弾み車タービン８をクランク軸１６に設けて、直接又は減速してクランク軸１６を回転駆動し、多気筒で使用の場合には弾み車タービン８を対向に接近又は噛合せて、無接触同期回転させる同径の送水ポンプ兼磁気摩擦動力伝達装置５５として、クランク軸１６の増設により、４気筒＋４気筒と増設して多気筒にします。
【実施例２１】
【０１０９】
図２１の全動翼圧縮機２０Ｊは、大量の空気を余圧する用途に使用するもので、各種全動翼蒸気ガスタービン合体機関の全動翼圧縮機の内側軸装置に、クランク軸１６を結合して送水ポンプ兼二重反転磁気摩擦動力伝達装置８４を駆動して、内側軸装置と外側軸装置を互いに反対方向に回転し、全動翼圧縮機の外側圧縮機動翼群４ａと内側圧縮機動翼群４ｂを二重反転して、右方の空気を吸引して用途に合せた圧力に余圧圧縮し、冷却した圧縮空気が必要な用途では導水管３により冷却した圧縮空気を、冷却しない用途では圧縮空気を其の侭夫々圧縮空気制御弁２４ａを開放制御して、圧縮空気室１０ｂより図１の吸気弁２８に送気し、選択したエネルギ保存圧縮器２０Ｘで高圧圧縮します。そして選択した合体機関燃焼部２９Ｘの送水ポンプ兼磁気摩擦動力伝達装置５５等により昇圧して、給水制御弁２５ａを開放制御して熱回収した導水管３の給水５２は、縮径主燃焼室熱交換器２に供給し、前記同様に高圧燃焼長時間熱交換冷却燃焼します。
【産業上の利用可能性】
【０１１０】
発電量が既存往復機関の１０００倍仮説発電量に近付き、供給熱量全部＋圧縮空気保有熱量が１００℃に近い水道水温熱となり、−２７３℃に近付く燃焼ガス排気全部が０℃に近い水道水冷熱と、ＣＯ２等の燃焼ガス溶解水になるため、業務用や家庭用の熱と電気と冷熱の供給設備となり、海水温度上昇とＣＯ２の排気が０になる可能性がある。
【０１１１】
発電量が既存往復機関の１０００倍仮説発電量に近付き、供給熱量全部＋圧縮空気保有熱量が１００℃に近い水道水温熱となるため、１００℃に近い水道水温熱として需要家に供給すると共に、水道水温熱を利用して電力消費０〜１／１０等を狙う、業務用や家庭用の各種暖房設備機器や各種調理設備機器や各種温水設備機器や、各種食器洗い機や各種洗濯乾燥機や各種海水淡水化設備機器等を製造供給する可能性がある。
【０１１２】
発電量が既存往復機関の１０００倍仮説発電量に近付き、−２７３℃に近付く燃焼ガス排気全部が０℃に近い水道水冷熱となるため、０℃に近い水道水冷熱として需要家に供給すると共に、水道水冷熱を利用して電力消費０〜１／１０等を狙う、業務用や家庭用の各種冷凍設備機器や各種冷蔵設備機器や各種冷房設備機器等を製造供給する可能性がある。
【０１１３】
回転出力が既存往復機関の１０００倍仮説回転出力に近付き、ＣＯ２等の燃焼ガスを排気しない公害低減のため、各種自動車や各種プロペラ飛行機や各種プロペラ船舶や各種回転力駆動の機械機器類等を、製造供給してＣＯ２排気を０にする可能性がある。
【０１１４】
空気や真空の吸引噴射推進出力が、既存ガスタービンの１０００倍仮説空気吸引噴射推進出力に近付き、ＣＯ２等の燃焼ガス排気を僅少にする公害低減のため、各種超音速ジェット機や各種ジェット機や各種超高速船舶や各種宇宙往還機や各種宇宙往還親飛行機や各種空中輸送移動機器等を、製造供給してＣＯ２等の排気を０にする可能性がある。
【０１１５】
水吸引噴射推進出力が、既存ガスタービンや既存往復機関の１０００倍仮説水吸引噴射推進出力に近付き、ＣＯ２等の燃焼ガスを排気しない公害低減のため、各種大中小高速船舶や各種大中小高速戦闘船舶や各種大中小高速水上輸送移動機器等を、製造供給してＣＯ２等の燃焼ガス溶解水で海水を冷却し、珪藻を増殖して食物連鎖により、魚類を大増大する可能性がある。
【図面の簡単な説明】
【０１１６】
【図１】Ａ型合体機関燃焼部２９Ａを示す断面図（実施例１）
【図２】弾み車タービン８を示す断面図（実施例２）
【図３】合体機関噴射部７７Ｋを示す断面図（実施例３）
【図４】合体機関噴射部７７Ｌを示す断面図（実施例４）
【図５】合体機関飛行機３８Ａを示す断面図（実施例５）
【図６】ウォータージェット７７Ｍを示す断面図（実施例６）
【図７】ウォータージェット７７Ｎを示す断面図（実施例７）
【図８】着磁摩擦車・磁着摩擦車を示す一部断面図（実施例８）
【図９】送水ポンプ兼磁気摩擦動力伝達装置の断面図（実施例９）
【図１０】送水ポンプ兼磁気摩擦動力伝達装置の断面図（実施例１０）
【図１１】送水ポンプ兼二重反転磁気摩擦動力伝達装置の断面図（実施例１１）
【図１２】各種エネルギ保存サイクル合体機関の可能性説明図（実施例１２）
【図１３】各種エネルギ保存サイクル合体機関で駆動可能性の説明図（実施例１３）
【図１４】Ｂ型合体機関燃焼部２９Ｂを示す断面図（実施例１４）
【図１５】Ｃ型合体機関燃焼部２９Ｃを示す断面図（実施例１５）
【図１６】Ｄ型合体機関燃焼部２９Ｄを示す断面図（実施例１６）
【図１７】Ｅ型合体機関燃焼部２９Ｅを示す断面図（実施例１７）
【図１８】Ｆ型合体機関燃焼部２９Ｆを示す断面図（実施例１８）
【図１９】Ｇ型合体機関燃焼部２９Ｇを示す断面図（実施例１９）
【図２０】Ｈ型合体機関燃焼部２９Ｈを示す断面図（実施例２０）
【図２１】全動翼圧縮機２０Ｊを示す断面図（実施例２１）
【符号の説明】
【０１１７】
１：縮径主燃焼室兼熱交換器、  １ａ：燃焼部、  ２：縮径主燃焼室熱交換器、  ２ａ：廃熱回収熱交換器、  ２ｂ：気化熱回収器、  ３：導水管、  ３ａ：撥水鍍金、  ４：給気穴、  ４ａ：外側圧縮機動翼群    ４ｂ：内側圧縮機動翼群    ５：排気穴、  ５ａ：蒸気排気室、  ５ｂ：排気庇、  ５ｃ：ガス排気室、  ６Ａ：過熱蒸気噴射ノズル（加熱高温で摩擦低減し過熱蒸気爆発力と霧吹きの原理で水を混合噴射加速）    ６Ｂ：過熱蒸気噴射ノズル（撥水鍍金で摩擦低減し過熱蒸気爆発力と霧吹きの原理で水を混合噴射加速）    ６Ｃ：燃焼ガス噴射ノズル（加熱高温で摩擦低減し燃焼ガスマイクロバブルで摩擦低減）    ６Ｄ：燃焼ガス噴射ノズル（撥水鍍金で摩擦低減し燃焼ガスマイクロバブルで摩擦低減）    ６Ｅ：水噴射ノズル、  ６Ｆ：不用燃焼ガス噴射ノズル、  ６Ｇ：冷水噴射ノズル、  ６Ｈ：過熱蒸気燃焼ガス噴射ノズル（６Ａ＋６Ｂ＋６Ｃ＋６Ｄ）  ６Ｉ：過熱蒸気噴射ノズル（６Ａ＋６Ｂ）  ６Ｊ：燃焼ガス噴射ノズル（６Ｃ＋６Ｄ）  ６Ｘ：過熱蒸気燃焼ガス噴射ノズル（用途に合せて摩擦低減し燃焼ガスマイクロバブルで摩擦低減）  ７：燃料蒸気噴射電磁弁、  ７Ｃ：燃料噴射電磁弁、  ７Ｄ：燃料水噴射電磁弁、  ７Ｅ：水噴射電磁弁、  ８：弾み車タービン  ８ａ：弾み車ガスタービン、  ８ｂ：弾み車蒸気タービン、  ８ｃ：タービン翼、  ８ｄ：側板、  ８ｅ：円筒胴、  ９：一方向空気流路、  １０：拡径燃焼室、  １０ａ：拡径圧縮室、  １０ｂ：操縦室    １０ｃ：制御室、  １０ｄ：客室、  １１：排気ダクト、  １２：ターボ過給機、  １３：給気ダクト、  １４：機械式過給機、  １５：シリンダヘッド、  １６：クランク軸、  １６ａ：同期軸、  １６ｂ：クランク穴、  １７：始動電動機兼発電機、  １８：入力軸、  １９：出力軸、  ２０：エネルギ保存サイクル合体機関制御装置、  ２０Ａ：Ａ型エネルギ保存圧縮機、  ２０Ｂ：Ｂ型エネルギ保存圧縮機、  ２０Ｃ：Ｃ型エネルギ保存圧縮機、  ２０Ｄ：Ｄ型エネルギ保存圧縮機、  ２０Ｅ：Ｅ型エネルギ保存圧縮機、  ２０Ｆ：Ｆ型エネルギ保存圧縮機、  ２０Ｇ：Ｇ型エネルギ保存圧縮機、  ２０Ｈ：Ｈ型エネルギ保存圧縮機、  ２０Ｊ：全動翼圧縮機、  ２０Ｘ：選択したエネルギ保存圧縮機、  ２１：拡径ピストン、  ２２：電磁加熱縮径ピストン、  ２３：弁棒、  ２４：燃焼ガス制御弁、  ２４ａ：圧縮空気制御弁    ２５：過熱蒸気制御弁、  ２５ａ：給水制御弁    ２６：掃気弁、  ２７：過給ピストン、  ２８：吸気弁、  ２８ａ：空気、  ２８ｂ：予圧した空気    ２９：各種エネルギ保存サイクル合体機関、  ２９ａ：Ａ型エネルキ保存サイクル合体機関（合体機関燃焼部２９Ａ使用）    ２９ｂ：Ｂ型エネルキ保存サイクル合体機関（合体機関燃焼部２９Ｂ使用）    ２９ｃ：Ｃ型エネルキ保存サイクル合体機関（合体機関燃焼部２９Ｃ使用）    ２９ｄ：Ｄ型エネルキ保存サイクル合体機関（合体機関燃焼部２９Ｄ使用）    ２９ｅ：Ｅ型エネルキ保存サイクル合体機関（合体機関燃焼部２９Ｅ使用）    ２９ｆ：Ｆ型エネルキ保存サイクル合体機関（合体機関燃焼部２９Ｆ使用）    ２９ｇ：Ｇ型エネルキ保存サイクル合体機関（合体機関燃焼部２９Ｇ使用）    ２９ｈ：Ｈ型エネルキ保存サイクル合体機関（合体機関燃焼部２９Ｈ使用）  ２９Ａ：Ａ型��体機関燃焼部、  ２９Ｂ：Ｂ型合体機関燃焼部、  ２９Ｃ：Ｃ型合体機関燃焼部、  ２９Ｄ：Ｄ型合体機関燃焼部、  ２９Ｅ：Ｅ型合体機関燃焼部、  ２９Ｆ：Ｆ型合体機関燃焼部、  ２９Ｇ：Ｇ型合体機関燃焼部、  ２９Ｈ：Ｈ型合体機関燃焼部、  ２９Ｘ：選択した合体機関燃焼部、  ３０：断熱材、  ３１：多段減圧漏洩面、  ３２：減圧溜、  ３４：クランク軸受、  ３５：水平継手、  ３６：拡径燃焼室シリンダ、  ３７：両頭拡径ピストン、  ３８：案内具、  ３８Ａ：合体機関飛行機、  ３８ａ：飛行胴、  ３８ｂ：飛行翼、  ３８ｃ：飛行尾翼、  ３８ｅ：翼前縁心、  ３９：固定用溝、  ４０：駆動具、  ４０ａ：振り子腕、  ４１：案内溝、  ４１ａ：案内溝、  ４２：案内穴、  ４３：クランク穴、  ４４：凹凸、  ４５：過給室、  ４６：Ｈ型エネルキ保存サイクル合体機関、  ４７：過給室蓋、  ４８：過給室シリンダ、  ４９：燃焼ガス、  ４９ａ：燃焼ガス攪拌板、  ４９ｂ：洗浄燃焼ガス、  ５０：過熱蒸気、  ５１：空気抽出器、  ５１ａ：ガス抽出器、  ５２：給水、  ５２ａ：水、  ５２ｂ：高温水（超臨界温度等複数温度の高温水）    ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、  ６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７７ａ：タービン外箱、  ７７ｂ：筒形外箱、  ７７Ｃ：ジェットエンジン外箱、  ７７Ｄ：ウォータージェット外箱    ７７Ｆ：合体機関噴射部外箱、  ７７Ｇ：円筒回転部、  ７７Ｋ：合体機関噴射部、  ７７Ｌ：合体機関噴射部、  ７７Ｍ：ウォータージェット、  ７７Ｎ：ウォータージェット、  ７８：吸水路、  ７９：送水路、  ８０：摩擦増大手段、  ８１：支軸、  ８１ａ：支点、  ８２：コイル、  ８３：磁力線、  ８４：送水ポンプ兼二重反転磁気摩擦動力伝達装置、  ８５：二重反転磁気摩擦動力伝達装置  ８６：嵌入用凹部  ８７：電磁弁  ８７Ａａ：高温水噴射電磁弁    ８８：公知の燃料噴射弁、  ８９：磁石室、  ９０：断熱壁、  ９０ａ：隔壁、  ９１：冷却室、  ９２：閉弁装置、  ９３：電磁弁装着部、  ９３ａ：電磁弁装着部、  ９４：ノズル噴口部、  ９４ａ：末広ノズル噴口部、  ９５：高温水溜、  ９５ａ：燃焼ガス溜、  ９５ｂ：水溜、  ９５ｃ：過熱蒸気溜、  ９５ｄ：不用燃焼ガス溜、  ９６：発条、  ９７：逆止弁、  ９８：弁座、  ９９：弁体、  １００：公知の各種流用噴射弁、  １０１：加熱高温手段、  １０２：着火装置、  １０３：冷熱回収器、  １０３ａ：冷熱回収器、  １０４：燃焼ガス液化分離装置、  １０５：液化二酸化炭素、  １０６：液体窒素、  １０７：不用液化燃焼ガス、  １０７ａ：不用冷却燃焼ガス、  １０８：特定液化燃焼ガス、  １１１ａ：霧吹きの��理（６Ａで空気吸引噴射）  １１１ｂ：霧吹きの原理（６Ｃで空気吸引噴射）  １１１ｃ：霧吹きの原理（６Ａで水を吸引噴射）  １１１ｄ：霧吹きの原理（６Ｃで水を吸引噴射）  １１１ｅ：霧吹きの原理（６Ｂで空気吸引噴射）  １１１ｆ：霧吹きの原理（６Ｄで空気吸引噴射）  １１１ｇ：霧吹きの原理（６Ｂで水を吸引噴射）  １１１ｈ：霧吹きの原理（６Ｄで水を吸引噴射）  １１１Ｉ：霧吹きの原理（６Ｉで空気を吸引噴射）  １１１Ｊ：霧吹きの原理（６Ｊで空気を吸引噴射）  １１１Ｋ：霧吹きの原理（６Ｉで水を吸引噴射）  １１１Ｌ：霧吹きの原理（６Ｊで水を吸引噴射）  １１１：用途に合せた霧吹きの原理
【図１】
2005147126.tif 000003
【図２】
2005147126.tif 000004
【図３】
2005147126.tif 000005
【図４】
2005147126.tif 000006
【図５】
2005147126.tif 000007
【図６】
2005147126.tif 000008
【図７】
2005147126.tif 000009
【図８】
2005147126.tif 000010
【図９】
2005147126.tif 000011
【図１０】
2005147126.tif 000012
【図１１】
2005147126.tif 000013
【図１２】
2005147126.tif 000014
【図１３】
2005147126.tif 000015
【図１４】
2005147126.tif 000016
【図１５】
2005147126.tif 000017
【図１６】
2005147126.tif 000018
【図１７】
2005147126.tif 000019
【図１８】
2005147126.tif 000020
【図１９】
2005147126.tif 000021
【図２０】
2005147126.tif 000022
【図２１】
2005147126.tif 000023